(57)【要約】  複数の放送方式の放送を受信する場合に、効率的にチャンネルスキャンを行うことによってチャンネルスキャンに要する時間を短縮するデジタル放送受信装置であって、第１フェーズのチャンネルスキャンとして、第１制御部（１１５）及び第２制御部（１２５）は、第１放送方式と第２放送方式とが重複する周波数帯に含まれる複数のチャンネルを分担して、チャンネルスキャンを並行して実行し、第１フェーズのチャンネルスキャン以降に、第１制御部（１１５）は、第１フェーズのチャンネルスキャンにおいて第２チューナ部（１２０）で受信された電波から生成された電気信号を第２復調部（１２１）で復調できなかったチャンネルをチャンネルスキャンし、第２制御部（１２５）は、第１チューナ部（１１０）で受信された電波から生成された電気信号を第２復調部（１２１）で復調できなかったチャンネルをチャンネルスキャンする。
2012056926.tif 000002
【特許請求の範囲】
【請求項１】
使用する周波数帯の少なくとも一部が重複する第１放送方式及び第２放送方式の放送を受信するデジタル放送受信装置であって、
電波を受信し、当該電波から電気信号を生成する第１チューナ部と、
前記第１チューナ部から得られる電気信号を復調して、前記第１放送方式に対応した第１デジタル信号を生成する第１復調部と、
前記第１デジタル信号から選局情報を含む第１データを分離する第１デマルチプレクス部と、
前記第１チューナ部、前記第１復調部及び前記第１デマルチプレクス部を制御して、前記第１放送方式のチャンネルスキャンを実行する第１制御部と、
電波を受信し、当該電波から電気信号を生成する第２チューナ部と、
前記第２チューナ部から得られる電気信号を復調して、前記第２放送方式に対応した第２デジタル信号を生成する第２復調部と、
前記第２デジタル信号から選局情報を含む第２データを分離する第２デマルチプレクス部と、
前記第２チューナ部、前記第２復調部及び前記第２デマルチプレクス部を制御して、前記第２放送方式のチャンネルスキャンを実行する第２制御部と、
を備え、
第１フェーズのチャンネルスキャンとして、前記第１制御部及び前記第２制御部は、前記第１放送方式と前記第２放送方式とが重複する周波数帯に含まれる複数のチャンネルを分担して、チャンネルスキャンを並行して実行し、
前記第１制御部は、前記第１フェーズのチャンネルスキャンにおいて、第１放送方式のチャンネルスキャンを実行するとともに、前記第１チューナ部及び第１復調部からの受信状態を示す情報から第１放送方式以外の放送波の存在する可能性が高いチャンネルを示す第１スキャン用チャンネルリストを生成し、
前記第２制御部は、前記第１フェーズのチャンネルスキャンにおいて、第２放送方式のチャンネルスキャンを実行するとともに、前記第２チューナ部及び第２復調部からの受信状態を示す情報から第２放送方式以外の放送波の存在する可能性が高いチャンネルを示す第２スキャン用チャンネルリストを生成し、
前記第１フェーズのチャンネルスキャン以降に、前記第１制御部は、前記第２スキャン用チャンネルリストで示されるチャンネルに対して第１放送方式のチャンネルスキャンを実行し、前記第２制御部は、前記第１スキャン用チャンネルリストで示されるチャンネルに対して第２放送方式のチャンネルスキャンを実行すること
を特徴とするデジタル放送受信装置。
【請求項２】
前記第１制御部は、前記第１フェーズのチャンネルスキャンにおいて、前記第１チューナ部で受信された電波から生成された電気信号の内、所定の閾値以上の受信レベルが存在するが前記第１放送方式のデジタル信号を復調できなかったチャンネルを、前記第１スキャン用チャンネルリストに追記し、
前記第２制御部は、前記第１フェーズのチャンネルスキャンにおいて、前記第２チューナ部で受信された電波から生成された電気信号の内、所定の閾値以上の受信レベルが存在するが前記第２放送方式のデジタル信号を復調できなかったチャンネルを、前記第２スキャン用チャンネルリストに追記すること
を特徴とする請求項１に記載のデジタル放送受信装置。
【請求項３】
前記第１制御部は、前記第１フェーズのチャンネルスキャンにおいて、前記第１放送方式と前記第２放送方式とが重複する周波数帯に含まれる複数のチャンネルをチャンネル番号の小さいものから昇順にチャンネルスキャンし、
前記第２制御部は、前記第１フェーズのチャンネルスキャンにおいて、前記第１放送方式と前記第２放送方式とが重複する周波数帯に含まれる複数のチャンネルをチャンネル番号の大きいものから降順にチャンネルスキャンし、
前記第１制御部及び前記第２制御部のそれぞれは、チャンネルスキャンの対象になったチャンネルが、前記第１制御部及び前記第２制御部の他方で既にチャンネルスキャンの対象となっている場合には、前記第１フェーズのチャンネルスキャンを終了すること
を特徴とする請求項１又は２に記載のデジタル放送受信装置。
【請求項４】
指示の入力を受け付ける入力部と、
前記指示に対応する処理を実行するユーザインタフェース処理部と、をさらに備え、
前記第１制御部及び前記第２制御部は、前記チャンネルスキャンを実行することで、前記選局情報からサービスリストを作成し、
前記ユーザインタフェース処理部は、前記第１放送方式が使用する周波数帯に含まれるチャンネルのチャンネルスキャン及び前記第２放送方式が使用する周波数帯に含まれるチャンネルのチャンネルスキャンの内、先に完了したチャンネルスキャンで作成されたサービスリストから選択するサービスの入力を受け付けるためのサービスリスト一覧画面の画面信号を生成して表示部に出力し、当該サービスリスト一覧画面を介して、前記入力部により選択を行うことができるようにすること
を特徴とする請求項１から３までのいずれか１項に記載のデジタル放送受信装置。
【請求項５】
使用する周波数帯の少なくとも一部が重複する第１放送方式及び第２放送方式の放送を受信するデジタル放送受信装置であって、
電波を受信し、当該電波から電気信号を生成する第１チューナ部と、
前記第１チューナ部から得られる電気信号を復調して、前記第１放送方式に対応した第１デジタル信号を生成する第１復調部と、
前記第１復調部が生成した第１デジタル信号から選局情報を含む第１データを分離する第１デマルチプレクス部と、
前記第１チューナ部、前記第１復調部及び前記第１デマルチプレクス部を制御して、前記第１放送方式のチャンネルスキャンを実行する第１制御部と、
電波を受信し、当該電波から電気信号を生成する第２チューナ部と、
前記第２チューナ部から得られる電気信号を復調して、前記第２放送方式に対応した第２デジタル信号を生成する第２復調部と、
前記第２復調部が生成した第２デジタル信号から選局情報を含む第２データを分離する第２デマルチプレクス部と、
前記第２チューナ部、前記第２復調部及び前記第２デマルチプレクス部を制御して、前記第２放送方式のチャンネルスキャンを実行する第２制御部と、
電波を受信し、当該電波から電気信号を生成する第３チューナ部と、
前記第３チューナ部から得られる電気信号を復調して、前記第１放送方式に対応した第１デジタル信号を生成する第３復調部と、
前記第３復調部が生成した第１デジタル信号から選局情報を含む第１データを分離する第３デマルチプレクス部と、
前記第３チューナ部、前記第３復調部及び前記第３デマルチプレクス部を制御して、前記第１放送方式のチャンネルスキャンを実行する第３制御部と、
電波を受信し、当該電波から電気信号を生成する第４チューナ部と、
前記第４チューナ部から得られる電気信号を復調して、前記第２放送方式に対応した第２デジタル信号を生成する第４復調部と、
前記第４復調部が生成した第２デジタル信号から選局情報を含む第２データを分離する第４デマルチプレクス部と、
前記第４チューナ部、前記第４復調部及び前記第４デマルチプレクス部を制御して、前記第２放送方式のチャンネルスキャンを実行する第４制御部と、を備え、
第１フェーズのチャンネルスキャンとして、前記第１制御部、前記第２制御部、前記第３制御部及び前記第４制御部は、前記第１放送方式と前記第２放送方式とが重複する周波数帯に含まれる複数のチャンネルを分担して、チャンネルスキャンを並行して実行し、
前記第１制御部は、前記第１フェーズのチャンネルスキャンにおいて、第１放送方式のチャンネルスキャンを実行するとともに、前記第１チューナ部及び第１復調部からの受信状態を示す情報から第１放送方式以外の放送波の存在する可能性が高いチャンネルを示す第１スキャン用チャンネルリストを生成し、
前記第２制御部は、前記第１フェーズのチャンネルスキャンにおいて、第２放送方式のチャンネルスキャンを実行するとともに、前記第２チューナ部及び第２復調部からの受信状態を示す情報から第２放送方式以外の放送波の存在する可能性が高いチャンネルを示す第２スキャン用チャンネルリストを生成し、
前記第３制御部は、前記第１フェーズのチャンネルスキャンにおいて、第１放送方式のチャンネルスキャンを実行するとともに、前記第３チューナ部及び第３復調部からの受信状態を示す情報から第１放送方式以外の放送波の存在する可能性が高いチャンネルを示す第３スキャン用チャンネルリストを生成し、
前記第４制御部は、前記第１フェーズのチャンネルスキャンにおいて、第２放送方式のチャンネルスキャンを実行するとともに、前記第４チューナ部及び第４復調部からの受信状態を示す情報から第２放送方式以外の放送波の存在する可能性が高いチャンネルを示す第４スキャン用チャンネルリストを生成し、
第１フェーズのチャンネルスキャン以降に、前記第１制御部及び前記第３制御部は、前記第２スキャン用チャンネルリスト及び前記第４スキャン用チャンネルリストで示されるチャンネルを分担して第１放送方式のチャンネルスキャンを実行し、前記第２制御部及び前記第４制御部は、前記第１スキャン用チャンネルリスト及び前記第３スキャン用チャンネルリストで示されるチャンネルを分担して第２放送方式のチャンネルスキャンを実行すること
を特徴とするデジタル放送受信装置。
【請求項６】
使用する周波数帯の少なくとも一部が重複する第１放送方式及び第２放送方式の放送を受信するデジタル放送受信装置であって、
電波を受信し、当該電波から電気信号を生成する第１チューナ部と、
前記第１チューナ部から得られる電気信号を復調して、前記第１放送方式に対応した第１デジタル信号を生成する第１復調部と、
前記第１復調部が生成した第１デジタル信号から選局情報を含む第１データを分離する第１デマルチプレクス部と、
前記第１チューナ部、前記第１復調部及び前記第１デマルチプレクス部を制御して、前記第１放送方式のチャンネルスキャンを実行する第１制御部と、
電波を受信し、当該電波から電気信号を生成する第２チューナ部と、
前記第２チューナ部から得られる電気信号を復調して、前記第２放送方式に対応した第２デジタル信号を生成する第２復調部と、
前記第２復調部が生成した第２デジタル信号から選局情報を含む第２データを分離する第２デマルチプレクス部と、
前記第２チューナ部、前記第２復調部及び前記第２デマルチプレクス部を制御して、前記第２放送方式のチャンネルスキャンを実行する第２制御部と、
電波を受信し、当該電波から電気信号を生成する第３チューナ部と、
前記第３チューナ部から得られる電気信号を復調して、前記第１放送方式に対応した第１デジタル信号を生成する第３復調部と、
前記第３復調部が生成した第１デジタル信号から選局情報を含む第１データを分離する第３デマルチプレクス部と、
前記第３チューナ部、前記第３復調部及び前記第３デマルチプレクス部を制御して、前記第１放送方式のチャンネルスキャンを実行する第３制御部と、
電波を受信し、当該電波から電気信号を生成する第４チューナ部と、
前記第４チューナ部から得られる電気信号を復調して、前記第２放送方式に対応した第２デジタル信号を生成する第４復調部と、
前記第４復調部が生成した第２デジタル信号から選局情報を含む第２データを分離する第４デマルチプレクス部と、
前記第４チューナ部、前記第４復調部及び前記第４デマルチプレクス部を制御して、前記第２放送方式のチャンネルスキャンを実行する第４制御部と、を備え、
前記第２チューナ部、前記第２復調部及び前記第２デマルチプレクス部が前記第２放送方式で放送されているサービスを受信するために使用されている場合には、
第１フェーズのチャンネルスキャンとして、前記第１制御部、前記第３制御部及び前記第４制御部は、前記第１放送方式と前記第２放送方式とが重複する周波数帯に含まれる複数のチャンネルを分担して、チャンネルスキャンを並行して実行し、
前記第１制御部は、前記第１フェーズのチャンネルスキャンにおいて、第１放送方式のチャンネルスキャンを実行するとともに、前記第１チューナ部及び第１復調部からの受信状態を示す情報から第１放送方式以外の放送波の存在する可能性が高いチャンネルを示す第１スキャン用チャンネルリストを生成し、
前記第３制御部は、前記第１フェーズのチャンネルスキャンにおいて、第１放送方式のチャンネルスキャンを実行するとともに、前記第３チューナ部及び第３復調部からの受信状態を示す情報から第１放送方式以外の放送波の存在する可能性が高いチャンネルを示す第３スキャン用チャンネルリストを生成し、
前記第４制御部は、前記第１フェーズのチャンネルスキャンにおいて、第２放送方式のチャンネルスキャンを実行するとともに、前記第４チューナ部及び第４復調部からの受信状態を示す情報から第２放送方式以外の放送波の存在する可能性が高いチャンネルを示す第４スキャン用チャンネルリストを生成し、
前記第１フェーズのチャンネルスキャン以降に、前記第１制御部及び前記第３制御部は、前記第４スキャン用チャンネルリストで示されるチャンネルを分担して第１放送方式のチャンネルスキャンを実行し、前記第４制御部は、前記第１スキャン用チャンネルリスト及び前記第３スキャン用チャンネルリストで示されるチャンネルに対して第２放送方式のチャンネルスキャンを実行し、
前記第１チューナ部、前記第１復調部及び前記第１デマルチプレクス部が前記第１放送方式で放送されているサービスを受信するために使用されている場合には、
第４フェーズのチャンネルスキャンとして、前記第２制御部、前記第３制御部及び前記第４制御部は、前記第１放送方式と前記第２放送方式とが重複する周波数帯に含まれる複数のチャンネルを分担してチャンネルスキャンを並行して実行し、
前記第２制御部は、前記第４フェーズのチャンネルスキャンにおいて、第２放送方式のチャンネルスキャンを実行するとともに、前記第２チューナ部及び第２復調部からの受信状態を示す情報から第２放送方式以外の放送波の存在する可能性が高いチャンネルを示す第２スキャン用チャンネルリストを生成し、
前記第３制御部は、前記第４フェーズのチャンネルスキャンにおいて、第１放送方式のチャンネルスキャンを実行するとともに、前記第３チューナ部及び第３復調部からの受信状態を示す情報から第１放送方式以外の放送波の存在する可能性が高いチャンネルを示す第３スキャン用チャンネルリストを生成し、
前記第４制御部は、前記第４フェーズのチャンネルスキャンにおいて、第２放送方式のチャンネルスキャンを実行するとともに、前記第４チューナ部及び第４復調部からの受信状態を示す情報から第２放送方式以外の放送波の存在する可能性が高いチャンネルを示す第４スキャン用チャンネルリストを生成し、
前記第４フェーズのチャンネルスキャン以降に、前記第３制御部は、前記第２スキャン用チャンネルリスト及び前記第４スキャン用チャンネルリストで示されるチャンネルに対して第１放送方式のチャンネルスキャンを実行し、前記第２制御部及び前記第４制御部は、前記第３スキャン用チャンネルリストで示されるチャンネルを分担して第２放送方式のチャンネルスキャンを実行すること
を特徴とするデジタル放送受信装置。
【請求項７】
使用する周波数帯の少なくとも一部が重複する第１放送方式及び第２放送方式の放送を受信するデジタル放送受信装置であって、
電波を受信し、当該電波から電気信号を生成する第１チューナ部と、
前記第１チューナ部から得られる電気信号を復調して、前記第１放送方式に対応した第１デジタル信号を生成する第１復調部と、
前記第１デジタル信号から選局情報を含む第１データを分離する第１デマルチプレクス部と、
前記第１チューナ部、前記第１復調部及び前記第１デマルチプレクス部を制御して、前記第１放送方式のチャンネルスキャンを実行する第１制御部と、
電波を受信し、当該電波から電気信号を生成する第２チューナ部と、
前記第２チューナ部から得られる電気信号を復調して、前記第２放送方式に対応した第２デジタル信号を生成する第２復調部と、
前記第２デジタル信号から選局情報を含む第２データを分離する第２デマルチプレクス部と、
前記第２チューナ部、前記第２復調部及び前記第２デマルチプレクス部を制御して、前記第２放送方式のチャンネルスキャンを実行する第２制御部と、を備え、
第１フェーズのチャンネルスキャンとして、前記第１制御部及び前記第２制御部は、前記第１放送方式と前記第２放送方式とが重複する周波数帯に含まれる複数のチャンネルを分担して、チャンネルスキャンを並行して実行し、
前記第１制御部は、前記第１フェーズのチャンネルスキャンにおいて、第１放送方式のチャンネルスキャンを実行するとともに、前記第１チューナ部及び第１復調部からの受信状態を示す情報から第１放送方式以外の放送波の存在する可能性が高いチャンネルを示す第１スキャン用チャンネルリストを生成し、
前記第２制御部は、前記第１フェーズのチャンネルスキャンにおいて、第２放送方式のチャンネルスキャンを実行し、前記第２チューナ部で受信された電波から生成された電気信号を復調できたチャンネルと、前記第２チューナ部及び第２復調部からの受信状態を示す情報から第２放送方式以外の放送波の存在する可能性が高いチャンネルを示す第２スキャン用チャンネルリストを生成し、
第１フェーズのチャンネルスキャン以降に、前記第１制御部は、前記第２スキャン用チャンネルリストで示されるチャンネルに対して第１放送方式のチャンネルスキャンを実行し、前記第２制御部は、前記第１スキャン用チャンネルリストで示されるチャンネルに対して第２放送方式のチャンネルスキャンを実行すること
を特徴とするデジタル放送受信装置。
【請求項８】
前記第２制御部は、前記第２スキャン用チャンネルリストに格納するチャンネルとして、前記第２チューナ部で受信された電波の受信レベルが第１閾値よりも大きいチャンネルを絞り込むこと
を特徴とする請求項７に記載のデジタル放送受信装置。
【請求項９】
使用する周波数帯の少なくとも一部が重複する第１放送方式、第２放送方式及び第３放送方式の放送を受信するデジタル放送受信装置であって、
電波を受信し、当該電波から電気信号を生成する第１チューナ部と、
前記第１チューナ部から得られる電気信号を復調して、第１デジタル信号を生成する第１復調部と、
前記第１デジタル信号から選局情報を含む第１データを分離する第１デマルチプレクス部と、
前記第１チューナ部、前記第１復調部及び前記第１デマルチプレクス部を制御して、前記第１放送方式及び前記第３放送方式のチャンネルスキャンを実行する第１制御部と、
電波を受信し、当該電波から電気信号を生成する第２チューナ部と、
前記第２チューナ部から得られる電気信号を復調して、第２デジタル信号を生成する第２復調部と、
前記第２デジタル信号から選局情報を含む第２データを分離する第２デマルチプレクス部と、
前記第２チューナ部、前記第２復調部及び前記第２デマルチプレクス部を制御して、前記第２放送方式及び前記第３放送方式のチャンネルスキャンを実行する第２制御部と、を備え、
第１フェーズのチャンネルスキャンとして、前記第１制御部及び前記第２制御部は、前記第１放送方式と前記第２放送方式とが重複する周波数帯に含まれる複数のチャンネルを分担して、前記第１放送方式のチャンネルスキャン及び前記第２放送方式のチャンネルスキャンを並行して実行し、
前記第１制御部は、前記第１フェーズのチャンネルスキャンにおいて、第１放送方式のチャンネルスキャンを実行するとともに、前記第１チューナ部及び第１復調部からの受信状態を示す情報から第１放送方式以外の放送波の存在する可能性が高いチャンネルを示す第１スキャン用チャンネルリストを生成し、
前記第２制御部は、前記第１フェーズのチャンネルスキャンにおいて、第２放送方式のチャンネルスキャンを実行し、前記第２チューナ部及び第２復調部からの受信状態を示す情報から第２放送方式以外の放送波の存在する可能性が高いチャンネルを示す第２スキャン用チャンネルリストを生成し、
第１フェーズ以降のチャンネルスキャンとして、
前記第１制御部は、前記第２スキャン用チャンネルリストで示されるチャンネルに対して前記第１放送方式のチャンネルスキャンを実行し、前記第１チューナ部及び第１復調部からの受信状態を示す情報から第１放送方式以外の放送波の存在する可能性が高いチャンネルを特定し、当該チャンネルを示す第３スキャン用第１チャンネルリストを生成し、
前記第２制御部は、前記第１スキャン用チャンネルリストで示されるチャンネルに対して前記第２放送方式のチャンネルスキャンを実行し、前記第２チューナ部及び第２復調部からの受信状態を示す情報から第２放送方式以外の放送波の存在する可能性が高いチャンネルを特定し、当該チャンネルを示す第３スキャン用第２チャンネルリストを生成し、
前記第１制御部及び前記第２制御部の少なくとも何れか一方は、前記第３スキャン用第１チャンネルリスト及び前記第３スキャン用第２チャンネルリストで示されるチャンネルに対して前記第３放送方式のチャンネルスキャンを実行すること
を特徴とするデジタル放送受信装置。
【請求項１０】
前記第１制御部は、前記第１フェーズのチャンネルスキャンにおいて、前記第１放送方式と前記第２放送方式とが重複する周波数帯に含まれる複数のチャンネルをチャンネル番号の小さいものから昇順にチャンネルスキャンし、
前記第２制御部は、前記第１フェーズのチャンネルスキャンにおいて、前記第１放送方式と前記第２放送方式とが重複する周波数帯に含まれる複数のチャンネルをチャンネル番号の大きいものから降順にチャンネルスキャンし、
前記第１制御部及び前記第２制御部のそれぞれは、チャンネルスキャンの対象になったチャンネルが、前記第１制御部及び前記第２制御部の他方で既にチャンネルスキャンの対象となっている場合には、前記第１フェーズのチャンネルスキャンを終了すること
を特徴とする請求項９に記載のデジタル放送受信装置。
【請求項１１】
使用する周波数帯の少なくとも一部が重複する第１放送方式、第２放送方式及び第３放送方式の放送を受信するデジタル放送受信装置であって、
電波を受信し、当該電波から電気信号を生成する第１チューナ部と、
前記第１チューナ部から得られる電気信号を復調して、第１デジタル信号を生成する第１復調部と、
前記第１デジタル信号から選局情報を含む第１データを分離する第１デマルチプレクス部と、
前記第１チューナ部、前記第１復調部及び前記第１デマルチプレクス部を制御して、前記第１放送方式及び前記第３放送方式のチャンネルスキャンを実行する第１制御部と、
電波を受信し、当該電波から電気信号を生成する第２チューナ部と、
前記第２チューナ部から得られる電気信号を復調して、第２デジタル信号を生成する第２復調部と、
前記第２デジタル信号から選局情報を含む第２データを分離する第２デマルチプレクス部と、
前記第２チューナ部、前記第２復調部及び前記第２デマルチプレクス部を制御して、前記第２放送方式及び前記第３放送方式のチャンネルスキャンを実行する第２制御部と、を備え、
第１フェーズのチャンネルスキャンとして、前記第１制御部及び前記第２制御部は、前記第１放送方式、前記第２放送方式及び前記第３放送方式の何れかの周波数帯に含まれる複数のチャンネルを分担して、前記第３放送方式のチャンネルスキャンを並行して実行し、
前記第１制御部は、前記第１フェーズのチャンネルスキャンにおいて、第１放送方式のチャンネルスキャンを実行するとともに、前記第１チューナ部及び第１復調部からの受信状態を示す情報から第１放送方式以外の放送波の存在する可能性が高いチャンネルを示す第１スキャン用チャンネルリストを生成し、
前記第２制御部は、前記第１フェーズのチャンネルスキャンにおいて、第１放送方式のチャンネルスキャンを実行するとともに、前記第２チューナ部及び第２復調部からの受信状態を示す情報から第１放送方式以外の放送波の存在する可能性が高いチャンネルを示す第２スキャン用チャンネルリストを生成し、
第２フェーズのチャンネルスキャンとして、
前記第１制御部は、前記第１スキャン用第１チャンネルリストで示されるチャンネルに対して前記第１放送方式のチャンネルスキャンを実行し、前記第１チューナ部及び第１復調部からの受信状態を示す情報から第１放送方式以外の放送波の存在する可能性が高いチャンネルを特定し、当該チャンネルを示す第１スキャン用第２チャンネルリストを生成し、
前記第２制御部は、前記第２スキャン用第１チャンネルリストで示されるチャンネルに対して前記第２放送方式のチャンネルスキャンを実行し、前記第２チューナ部及び第２復調部からの受信状態を示す情報から第２放送方式以外の放送波の存在する可能性が高いチャンネルを特定し、当該チャンネルを示す第２スキャン用第２チャンネルリストを生成し、
第３フェーズのチャンネルスキャンとして、
前記第１制御部は、前記第２スキャン用第２チャンネルリストで示されるチャンネルに対して前記第１放送方式のチャンネルスキャンを実行し、
前記第２制御部は、前記第１スキャン用第２チャンネルリストで示されるチャンネルに対して前記第２放送方式のチャンネルスキャンを実行すること
を特徴とするデジタル放送受信装置。
【請求項１２】
前記第１制御部は、前記第１フェーズのチャンネルスキャンにおいて、前記第１放送方式、前記第２放送方式及び前記第３放送方式の何れかの周波数帯に含まれる複数のチャンネルをチャンネル番号の小さいものから昇順にチャンネルスキャンし、
前記第２制御部は、前記第１フェーズのチャンネルスキャンにおいて、前記第１放送方式、前記第２放送方式及び前記第３放送方式の何れかの周波数帯に含まれる複数のチャンネルをチャンネル番号の大きいものから降順にチャンネルスキャンし、
前記第１制御部及び前記第２制御部のそれぞれは、チャンネルスキャンの対象になったチャンネルが、前記第１制御部及び前記第２制御部の他方で既にチャンネルスキャンの対象となっている場合には、前記第１フェーズのチャンネルスキャンを終了すること
を特徴とする請求項１１に記載のデジタル放送受信装置。
【請求項１３】
使用する周波数帯の少なくとも一部が重複する第１放送方式、第２放送方式、第３放送方式及び第４放送方式の放送を受信するデジタル放送受信装置であって、
電波を受信し、当該電波から電気信号を生成する第１チューナ部と、
前記第１チューナ部から得られる電気信号を復調して、第１デジタル信号を生成する第１復調部と、
前記第１デジタル信号から選局情報を含む第１データ及び第３データを分離する第１デマルチプレクス部と、
前記第１チューナ部、前記第１復調部及び前記第１デマルチプレクス部を制御して、前記第１放送方式及び前記第３放送方式のチャンネルスキャンを実行する第１制御部と、
電波を受信し、当該電波から電気信号を生成する第２チューナ部と、
前記第２チューナ部から得られる電気信号を復調して、第２デジタル信号を生成する第２復調部と、
前記第２デジタル信号から選局情報を含む第２データ及び第３データを分離する第２デマルチプレクス部と、
前記第２チューナ部、前記第２復調部及び前記第２デマルチプレクス部を制御して、前記第２放送方式及び前記第４放送方式のチャンネルスキャンを実行する第２制御部と、を備え、
第１フェーズのチャンネルスキャンとして、前記第１制御部及び前記第２制御部は、前記第１放送方式、前記第２放送方式、前記第３放送方式及び前記第４放送方式とが重複する周波数帯に含まれる複数のチャンネルを分担して、前記第１放送方式のチャンネルスキャン及び前記第２放送方式のチャンネルスキャンを並行して実行し、
前記第１制御部は、前記第１フェーズのチャンネルスキャンにおいて、第１放送方式のチャンネルスキャンを実行し、前記第１チューナ部及び第１復調部からの受信状態を示す情報から第１放送方式以外の放送波の存在する可能性が高いチャンネルを示す第１スキャン用チャンネルリストを生成し、
前記第２制御部は、前記第１フェーズのチャンネルスキャンにおいて、第２放送方式のチャンネルスキャンを実行し、前記第２チューナ部及び第２復調部からの受信状態を示す情報から第２放送方式以外の放送波の存在する可能性が高いチャンネルを示す第２スキャン用チャンネルリストを生成し、
第２フェーズのチャンネルスキャンとして、
前記第１制御部は、前記第２スキャン用第１チャンネルリストで示されるチャンネルに対して前記第１放送方式のチャンネルスキャンを実行し、前記第１チューナ部及び第１復調部からの受信状態を示す情報から第１放送方式以外の放送波の存在する可能性が高いチャンネルを特定し、当該チャンネルを示す第１スキャン用第２チャンネルリストを生成し、
前記第２制御部は、前記第１スキャン用第１チャンネルリストで示されるチャンネルに対して前記第２放送方式のチャンネルスキャンを実行し、前記第２チューナ部及び第２復調部からの受信状態を示す情報から第２放送方式以外の放送波の存在する可能性が高いチャンネルを特定し、当該チャンネルを示す第２スキャン用第２チャンネルリストを生成し、
第３フェーズのチャンネルスキャンとして、
前記第１制御部は、前記第２スキャン用第２チャンネルリストで示されるチャンネルに対して前記第３放送方式のチャンネルスキャンを実行し、前記第１チューナ部及び第１復調部からの受信状態を示す情報から第３放送方式以外の放送波の存在する可能性が高いチャンネルを特定し、当該チャンネルを示す第３スキャン用チャンネルリストを生成し、
前記第２制御部は、前記第１スキャン用第２チャンネルリストで示されるチャンネルに対して前記第４放送方式のチャンネルスキャンを実行し、前記第２チューナ部及び第２復調部からの受信状態を示す情報から第４放送方式以外の放送波の存在する可能性が高いチャンネルを特定し、当該チャンネルを示す第４スキャン用チャンネルリストを生成し、
第４フェーズのチャンネルスキャンとして、
前記第１制御部は、前記第４スキャン用チャンネルリストで示されるチャンネルに対して前記第３放送方式のチャンネルスキャンを実行し
前記第２制御部は、前記第３スキャン用チャンネルリストで示されるチャンネルに対して前記第４放送方式のチャンネルスキャンを実行する
ことを特徴とするデジタル放送受信装置。
【請求項１４】
使用する周波数帯の少なくとも一部が重複する第１放送方式、第２放送方式、第３放送方式及び第４放送方式の放送を受信するデジタル放送受信装置であって、
電波を受信し、当該電波から電気信号を生成する第１チューナ部と、
前記第１チューナ部から得られる電気信号を復調して、第１デジタル信号を生成する第１復調部と、
前記第１デジタル信号から選局情報を含む第１データ及び第３データを分離する第１デマルチプレクス部と、
前記第１チューナ部、前記第１復調部及び前記第１デマルチプレクス部を制御して、前記第１放送方式及び前記第３放送方式のチャンネルスキャンを実行する第１制御部と、
電波を受信し、当該電波から電気信号を生成する第２チューナ部と、
前記第２チューナ部から得られる電気信号を復調して、第２デジタル信号を生成する第２復調部と、
前記第２デジタル信号から選局情報を含む第２データ及び第３データを分離する第２デマルチプレクス部と、
前記第２チューナ部、前記第２復調部及び前記第２デマルチプレクス部を制御して、前記第２放送方式及び前記第４放送方式のチャンネルスキャンを実行する第２制御部と、を備え、
第１フェーズのチャンネルスキャンとして、前記第１制御部及び前記第２制御部は、前記第１放送方式、前記第２放送方式、前記第３放送方式及び前記第４放送方式とが重複する周波数帯に含まれる複数のチャンネルを分担して、前記第１放送方式のチャンネルスキャン及び前記第２放送方式のチャンネルスキャンを並行して実行し、
前記第１制御部は、前記第１フェーズのチャンネルスキャンにおいて、第１放送方式のチャンネルスキャンを実行し、前記第１チューナ部及び第１復調部からの受信状態を示す情報から第１放送方式以外の放送波の存在する可能性が高いチャンネルを示す第１スキャン用チャンネルリストを生成し、
前記第２制御部は、前記第１フェーズのチャンネルスキャンにおいて、第２放送方式のチャンネルスキャンを実行し、前記第２チューナ部及び第２復調部からの受信状態を示す情報から第２放送方式以外の放送波の存在する可能性が高いチャンネルを示す第２スキャン用チャンネルリストを生成し、
第２フェーズのチャンネルスキャンとして、
前記第１制御部は、前記第２スキャン用第１チャンネルリストで示されるチャンネルに対して前記第１放送方式のチャンネルスキャンを実行し、前記第１チューナ部及び第１復調部からの受信状態を示す情報から第１放送方式以外の放送波の存在する可能性が高いチャンネルを特定し、当該チャンネルを示す第１スキャン用第２チャンネルリストを生成し、
前記第２制御部は、前記第１スキャン用第１チャンネルリストで示されるチャンネルに対して前記第２放送方式のチャンネルスキャンを実行し、前記第２チューナ部及び第２復調部からの受信状態を示す情報から第２放送方式以外の放送波の存在する可能性が高いチャンネルを特定し、当該チャンネルを示す第２スキャン用第２チャンネルリストを生成し、
第３フェーズのチャンネルスキャンとして、
前記第１制御部は、前記第２スキャン用第２チャンネルリストで示されるチャンネルに対して前記第３放送方式のチャンネルスキャンを実行し、前記第１チューナ部及び第１復調部からの受信状態を示す情報から第３放送方式以外の放送波の存在する可能性が高いチャンネルを特定し、当該チャンネルを示す第３スキャン用チャンネルリストを生成し、
前記第２制御部は、前記第１スキャン用第２チャンネルリストで示されるチャンネルに対して前記第３放送方式のチャンネルスキャンを実行し、前記第２チューナ部及び第２復調部からの受信状態を示す情報から第３放送方式以外の放送波の存在する可能性が高いチャンネルを特定し、当該チャンネルを示す第４スキャン用チャンネルリストを生成し、
第４フェーズのチャンネルスキャンとして、
前記第１制御部は、前記第４スキャン用チャンネルリストで示されるチャンネルに対して前記第４放送方式のチャンネルスキャンを実行し
前記第２制御部は、前記第３スキャン用チャンネルリストで示されるチャンネルに対して前記第４放送方式のチャンネルスキャンを実行する
ことを特徴とするデジタル放送受信装置。
【発明の詳細な説明】
【技術分野】
【０００１】
本発明は、デジタル放送受信装置に関する。
【背景技術】
【０００２】
各国で放送のデジタル化が進んできているが、デジタル放送を受信する受信装置においてデジタル放送を受信するためには、予めデジタル放送に割り振られている周波数帯においてチャンネルスキャンを実行する必要がある。【０００３】
ここで、デジタル放送を受信する受信装置においてチャンネルスキャンに要する時間を短縮する技術として、特許文献１に記載された技術がある。特許文献１には、チャンネルスキャンを短時間で完了するために、フロントエンド（チューナ及び復調部）を複数備え、チャンネルスキャンの対象となる周波数帯を分割し、分割された各周波数帯を各フロントエンドが並列にチャンネルスキャンを行う受信装置が記載されている。【０００４】
中国では、高精細な番組を提供する固定受信機向けのＤＴＭＢ（Ｄｉｇｉｔａｌ  Ｔｅｒｒｅｓｔｒｉａｌ  Ｍｕｌｔｉｍｅｄｉａ  Ｂｒｏａｄｃａｓｔ）及びモバイル機器向けのＣＭＭＢ（Ｃｈｉｎａ  Ｍｕｌｔｉｍｅｄｉａ  Ｍｏｂｉｌｅ  Ｂｒｏａｄｃａｓｔｉｎｇ）のデジタル放送が行われている。【０００５】
ここで、日本では、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  −  Ｔｅｒｒｅｓｔｒｉａｌ）方式に従って、固定受信機向けの１２セグ放送とモバイル機器向けの１セグ放送が行われている。このＩＳＤＢ−Ｔでは、１２セグ放送及び１セグ放送のどちらも、１つの物理チャンネルに多重化されている。また、このＩＳＤＢ−Ｔ方式では、復調方式が共通化されており、１２セグ放送及び１セグ放送の受信は、１つの復調ＬＳＩで行うことができる。【０００６】
一方、中国のＤＴＭＢとＣＭＭＢとは、固定受信機向け放送とモバイル機器向け放送という点ではＩＳＤＢ−Ｔにおける１２セグ放送及び１セグ放送に類似しているが、放送方式がそれぞれ異なり復調処理も異なる。そのため、復調ＬＳＩとして、ＤＴＭＢとＣＭＭＢとでそれぞれ専用のＬＳＩが必要となる。また、復調後得られるストリームについても、ＤＴＭＢはＴＳ形式であり、ＣＭＭＢはＭＦ（Ｍｕｌｔｉｐｌｅ  Ｆｒａｍｅ）形式であり、各ストリームから映像圧縮データ及び音声圧縮データを抽出するフィルタリング処理が互いに異なり、また、サービスリストを生成するための元となる放送波情報も互いに異なる。【０００７】
さらに、ＤＴＭＢのデジタル放送方式とＣＭＭＢのデジタル放送方式とは、同一の周波数帯域で混在している。ＤＴＭＢは、物理チャンネルが１３チャンネルから５６チャンネルで放送されており、ＣＭＭＢは、物理チャンネルが１３チャンネルから４８チャンネルで放送されている。そして、ＤＴＭＢ及びＣＭＭＢにおいて、同じ物理チャンネル番号に対応するセンター周波数は、ＤＴＭＢとＣＭＭＢでそれぞれ全く同一となっている。従って、同じ物理チャンネル番号で特定される物理チャンネルには、ＤＴＭＢ及びＣＭＭＢの何れか一方だけが放送される。【０００８】
まず、ＤＴＭＢについて簡単に説明する。物理チャンネル内には１つのＴＳが存在し、映像及び音声のサービスデータ本体の他、ネットワークやサービス等の放送波情報、及び番組情報等がＴＳ内に多重化されている。ＤＴＭＢでは、ＰＳＩ及びＳＩが用いられており、映像音声圧縮ストリームの分離方法や、ＰＳＩ及びＳＩの抽出方法等、ＩＳＤＢ−Ｔ方式やＤＶＢ−Ｔ方式と非常に類似している。従って、サービスリストは、ＩＳＤＢ−Ｔと同様に、ＰＳＩ及びＳＩをチャンネルスキャンで抽出し、これらの情報から生成される。【０００９】
次に、ＣＭＭＢについて簡単に説明する。物理チャンネル内には複数のＭＦが多重化され、映像音声のサービスデータ本体の他、ネットワークやサービス等の放送波情報、及び番組情報等がそれぞれＤＴＭＢ方式とは異なる。この放送波情報は、ＣＩＴ（Ｃｏｎｔｒｏｌ  Ｉｎｆｏｒｍａｔｉｏｎ  Ｔａｂｌｅ）として定義され、専用のＭＦで送信される。ＣＩＴは、ＮＩＴ（Ｎｅｔｗｏｒｋ  Ｉｎｆｏｒｍａｔｉｏｎ  Ｔａｂｌｅ）によりネットワーク識別値、ネットワーク名及び送信周波数等を送信する。さらに、ＣＩＴは、ＭＣＴ（Ｍｕｌｔｉｐｌｅ  Ｃｏｎｆｉｇｒａｔｉｏｎ  Ｔａｂｌｅ）によりサービスとＭＦとを対応付ける情報が含まれている。そして、受信機ではチャンネルスキャンでこのようなＣＩＴを抽出し、サービスリストを生成する。【００１０】
以上のように、ＤＴＭＢ方式及びＣＭＭＢ方式は、チューナ部及び復調部におけるフロントエンド処理、並びに、デマルチプレクス及びデコードを行うバックエンド処理がそれぞれ異なるため、これらを受信するためには、それぞれの方式に対応した専用受信機を用意する必要がある。【００１１】
また、ＤＴＭＢ方式とＣＭＭＢ方式との両方式の受信に対応した受信機を構成する場合、ＤＴＭＢ方式を受信するための復調部及びデマルチプレクス部と、ＣＭＭＢ方式を受信するための復調部及びデマルチプレクス部はそれぞれ方式が異なるため、通常、これらは別々に構成されているのが一般的である。【００１２】
全帯域で放送されている放送サービスを受信機がプリセットするためにチャンネルスキャンを行う必要があるが、上記の一般的な構成においてチャンネルスキャンを行う場合、ＤＴＭＢ受信モード、ＣＭＭＢ受信モードを設け、受信機は、各モードで対応する放送方式のチャンネルスキャンを行うことになる。【００１３】
この点、特許文献１に記載された受信装置は、単一の放送方式を対象としているので、特許文献１に記載された受信装置で、ＤＴＭＢ方式の放送及びＣＭＭＢ方式の放送に対してチャンネルスキャンを行う場合、ＤＴＭＢ方式の放送をＤＴＭＢ方式に対応した２つのフロントエンドで処理すれば、ＤＴＭＢのチャンネルスキャンに要する時間が、１つのフロントエンドで全帯域をチャンネルスキャンする時間に比べ２分の１にできる。また、ＣＭＭＢ方式の放送をＣＭＭＢに対応した２つのフロントエンドで処理すれば、ＣＭＭＢのチャンネルスキャンに要する時間が、１つのフロントエンドで全帯域をチャンネルスキャンする時間に比べ２分の１になる。
【先行技術文献】
【特許文献】
【００１４】
【特許文献１】特開２００３−３３３４４１号公報（段落００４９〜００５１、図１）
【発明の概要】
【発明が解決しようとする課題】
【００１５】
しかしながら、特許文献１に記載された受信装置は、単一の放送方式による放送を受信する受信機においてチャンネルスキャンに要する時間を短縮するものであるため、複数の放送方式の放送に対して、効率的にチャンネルスキャンを行い、チャンネルスキャンに要する時間を短縮することはできない。【００１６】
そこで、本発明は、複数の放送方式の放送を受信する場合に、効率的にチャンネルスキャンを行い、チャンネルスキャンに要する時間を短縮することができるデジタル放送受信装置を提供することを目的とする。
【課題を解決するための手段】
【００１７】
本発明に係るデジタル放送受信装置は、使用する周波数帯の少なくとも一部が重複する第１放送方式及び第２放送方式の放送を受信するデジタル放送受信装置であって、電波を受信し、当該電波から電気信号を生成する第１チューナ部と、前記第１チューナ部から得られる電気信号を復調して、前記第１放送方式に対応した第１デジタル信号を生成する第１復調部と、前記第１デジタル信号から選局情報を含む第１データを分離する第１デマルチプレクス部と、前記第１チューナ部、前記第１復調部及び前記第１デマルチプレクス部を制御して、前記第１放送方式のチャンネルスキャンを実行する第１制御部と、電波を受信し、当該電波から電気信号を生成する第２チューナ部と、前記第２チューナ部から得られる電気信号を復調して、前記第２放送方式に対応した第２デジタル信号を生成する第２復調部と、前記第２デジタル信号から選局情報を含む第２データを分離する第２デマルチプレクス部と、前記第２チューナ部、前記第２復調部及び前記第２デマルチプレクス部を制御して、前記第２放送方式のチャンネルスキャンを実行する第２制御部とを備え、第１フェーズのチャンネルスキャンとして、前記第１制御部及び前記第２制御部は、前記第１放送方式と前記第２放送方式とが重複する周波数帯に含まれる複数のチャンネルを分担して、チャンネルスキャンを並行して実行し、前記第１制御部は、前記第１フェーズのチャンネルスキャンにおいて、第１放送方式のチャンネルスキャンを実行するとともに、前記第１チューナ部及び第１復調部からの受信状態を示す情報から第１放送方式以外の放送波の存在する可能性が高いチャンネルを示す第１スキャン用チャンネルリストを生成し、前記第２制御部は、前記第１フェーズのチャンネルスキャンにおいて、第２放送方式のチャンネルスキャンを実行するとともに、前記第２チューナ部及び第２復調部からの受信状態を示す情報から第２放送方式以外の放送波の存在する可能性が高いチャンネルを示す第２スキャン用チャンネルリストを生成し、前記第１フェーズのチャンネルスキャン以降に、前記第１制御部は、前記第２スキャン用チャンネルリストで示されるチャンネルに対して第１放送方式のチャンネルスキャンを実行し、前記第２制御部は、前記第１スキャン用チャンネルリストで示されるチャンネルに対して第２放送方式のチャンネルスキャンを実行することを特徴とする。
【発明の効果】
【００１８】
本発明によれば、複数の放送方式の放送を受信する場合に、効率的にチャンネルスキャンを行い、チャンネルスキャンに要する時間を短縮することができる。
【図面の簡単な説明】
【００１９】
【図１】実施の形態１に係るデジタル放送受信装置の構成を概略的に示すブロック図である。
【図２】実施の形態１における第１記憶部の構成を概略的に示すブロック図である。
【図３】実施の形態１における第２記憶部の構成を概略的に示すブロック図である。
【図４】実施の形態１において、ユーザの操作によりチャンネルスキャンが選択されたときに、ＵＩＦ処理部が行う処理を示すフローチャートである。
【図５】実施の形態１における第１制御部によるチャンネルスキャン処理を示すフローチャートである。
【図６】実施の形態１における第２制御部によるチャンネルスキャン処理を示すフローチャートである。
【図７】実施の形態１において、第１制御部が行う、第１フェーズのＤＴＭＢのチャンネルスキャンのサブルーチンを示すフローチャートである。
【図８】実施の形態１において、第２制御部が行う、第１フェーズのＣＭＭＢのチャンネルスキャンのサブルーチンを示すフローチャートである。
【図９】実施の形態１において、第１制御部が行う、第２フェーズのＤＴＭＢのチャンネルスキャンのサブルーチンを示すフローチャートである。
【図１０】実施の形態１において、第２制御部が行う、第２フェーズのＣＭＭＢのチャンネルスキャンのサブルーチンを示すフローチャートである。
【図１１】実施の形態１において、第１制御部が行う、第３フェーズのＤＴＭＢのチャンネルスキャンのサブルーチンを示すフローチャートである。
【図１２】実施の形態１に係るデジタル放送受信装置で行われるチャンネルスキャンを説明するための概略図である。
【図１３】実施の形態２に係るデジタル放送受信装置の構成を概略的に示すブロック図である。
【図１４】実施の形態２において、ユーザの操作によりチャンネルスキャンが選択されたときに、ＵＩＦ処理部が行う処理を示すフローチャートである。
【図１５】実施の形態３に係るデジタル放送受信装置の構成を概略的に示すブロック図である。
【図１６】実施の形態３における第１記憶部の構成を概略的に示すブロック図である。
【図１７】実施の形態３における第２記憶部の構成を概略的に示すブロック図である。
【図１８】実施の形態３において、ユーザの操作によりチャンネルスキャンが選択されたときに、ＵＩＦ処理部が行う処理を示すフローチャートである。
【図１９】実施の形態３に係るデジタル放送受信装置で行われるチャンネルスキャンを説明するための概略図である。
【図２０】実施の形態４に係るデジタル放送受信装置の構成を概略的に示すブロック図である。
【図２１】実施の形態５に係るデジタル放送受信装置の構成を概略的に示すブロック図である。
【図２２】実施の形態５における第１記憶部の構成を概略的に示すブロック図である。
【図２３】実施の形態５における第２記憶部の構成を概略的に示すブロック図である。
【図２４】実施の形態６に係るデジタル放送受信装置の構成を概略的に示すブロック図である。
【図２５】実施の形態６における第１記憶部の構成を概略的に示すブロック図である。
【図２６】実施の形態６における第３記憶部の構成を概略的に示すブロック図である。
【図２７】実施の形態６における第２記憶部の構成を概略的に示すブロック図である。
【図２８】実施の形態６において、ユーザの操作によりチャンネルスキャンが選択されたときに、ＵＩＦ処理部が行う処理を示すフローチャートである。
【図２９】実施の形態６における第１制御部によるチャンネルスキャン処理を示すフローチャートである。
【図３０】実施の形態６における第２制御部によるチャンネルスキャン処理を示すフローチャートである。
【図３１】実施の形態６における第１制御部が行う、第１フェーズのＤＶＢ−Ｔのチャンネルスキャンのサブルーチンを示すフローチャートである。
【図３２】実施の形態６における第２制御部が行う、第１フェーズのＤＶＢ−Ｈのチャンネルスキャンのサブルーチンを示すフローチャートである。
【図３３】実施の形態６における第１制御部が行う、第２フェーズのＤＶＢ−Ｔのチャンネルスキャンのサブルーチンを示すフローチャートである。
【図３４】実施の形態６における第２制御部が行う、第２フェーズのＤＶＢ−Ｈのチャンネルスキャンのサブルーチンを示すフローチャートである。
【図３５】実施の形態６における第１制御部が行う、第３フェーズのＤＶＢ−Ｔのチャンネルスキャンのサブルーチンを示すフローチャートである。
【図３６】実施の形態６における第２制御部が行う、第３フェーズのＤＶＢ−Ｈのチャンネルスキャンのサブルーチンを示すフローチャートである。
【図３７】実施の形態６における第１制御部が行う、第４フェーズのＤＶＢ−Ｔ２のチャンネルスキャンのサブルーチンを示すフローチャート（その１）である。
【図３８】実施の形態６における第１制御部が行う、第４フェーズのＤＶＢ−Ｔ２のチャンネルスキャンのサブルーチンを示すフローチャート（その２）である。
【図３９】実施の形態６における第２制御部が行う、第４フェーズのＤＶＢ−Ｔ２のチャンネルスキャンのサブルーチンを示すフローチャートである。
【図４０】実施の形態６に係るデジタル放送受信装置で行われるチャンネルスキャンを説明するための概略図である。
【図４１】実施の形態７に係るデジタル放送受信装置の構成を概略的に示すブロック図である。
【図４２】実施の形態７における第１記憶部の構成を概略的に示すブロック図である。
【図４３】実施の形態７における第２記憶部の構成を概略的に示すブロック図である。
【図４４】実施の形態７における第３記憶部の構成を概略的に示すブロック図である。
【図４５】実施の形態７において、ユーザの操作によりチャンネルスキャンが選択されたときに、ＵＩＦ処理部が行う処理を示すフローチャートである。
【図４６】実施の形態７における第１制御部によるチャンネルスキャン処理を示すフローチャートである。
【図４７】実施の形態７における第２制御部によるチャンネルスキャン処理を示すフローチャートである。
【図４８】実施の形態７における第１制御部が行う、第１フェーズのＤＶＢ−Ｔ２のチャンネルスキャンのサブルーチンを示すフローチャートである。
【図４９】実施の形態７における第２制御部が行う、第１フェーズのＤＶＢ−Ｔ２のチャンネルスキャンのサブルーチンを示すフローチャートである。
【図５０】実施の形態７における第１制御部が行う、第２フェーズのＤＶＢ−Ｔのチャンネルスキャンのサブルーチンを示すフローチャートである。
【図５１】実施の形態７における第２制御部が行う、第２フェーズのＤＶＢ−Ｈのチャンネルスキャンのサブルーチンを示すフローチャートである。
【図５２】実施の形態７における第１制御部が行う、第３フェーズのＤＶＢ−Ｔのチャンネルスキャンのサブルーチンを示すフローチャートである。
【図５３】実施の形態７における第２制御部が行う、第３フェーズのＤＶＢ−Ｈのチャンネルスキャンのサブルーチンを示すフローチャートである。
【図５４】実施の形態７に係るデジタル放送受信装置で行われるチャンネルスキャンを説明するための概略図である。
【図５５】実施の形態８に係るデジタル放送受信装置で行われるチャンネルスキャンを説明するための概略図である。
【図５６】実施の形態８における第１記憶部の構成を概略的に示すブロック図である。
【図５７】実施の形態８における第２記憶部の構成を概略的に示すブロック図である。
【図５８】実施の形態８における第３記憶部の構成を概略的に示すブロック図である。
【図５９】実施の形態８における第４記憶部の構成を概略的に示すブロック図である。
【図６０】実施の形態８において、ユーザの操作によりチャンネルスキャンが選択されたときに、ＵＩＦ処理部が行う処理を示すフローチャートである。
【図６１】実施の形態８における第１制御部によるチャンネルスキャン処理を示すフローチャートである。
【図６２】実施の形態８における第２制御部によるチャンネルスキャン処理を示すフローチャートである。
【図６３】実施の形態８に係るデジタル放送受信装置で行われるチャンネルスキャンを説明するための概略図である。
【図６４】実施の形態９において、ユーザの操作によりチャンネルスキャンが選択されたときに、ＵＩＦ処理部が行う処理を示すフローチャートである。
【図６５】実施の形態９における第１制御部によるチャンネルスキャン処理を示すフローチャートである。
【図６６】実施の形態９における第２制御部によるチャンネルスキャン処理を示すフローチャートである。
【図６７】実施の形態９に係るデジタル放送受信装置で行われるチャンネルスキャンを説明するための概略図である。
【発明を実施するための形態】
【００２０】
実施の形態１．
図１は、実施の形態１に係るデジタル放送受信装置１００の構成を概略的に示すブロック図である。図１に示されるように、デジタル放送受信装置１００は、第１チューナ部１１０と、第１復調部１１１と、第１デマルチプレクス部１１２と、第１デコード部１１３と、第１記憶部１１４と、第１制御部１１５と、第２チューナ部１２０と、第２復調部１２１と、第２デマルチプレクス部１２２と、第２デコード部１２３と、第２記憶部１２４と、第２制御部１２５と、映像切替部１３０と、映像合成部１３１と、音声切替部１３２と、入力部１３３と、ユーザインタフェース処理部（以下、ＵＩＦ処理部という）１３４とを備える。ここで、第１チューナ部１１０には、第１アンテナ１５０が接続されている。第１アンテナ１５０、第１チューナ部１１０、第１復調部１１１、第１デマルチプレクス部１１２、第１デコード部１１３、第１記憶部１１４及び第１制御部１１５により、第１放送方式としてのＤＴＭＢ方式の放送を受信するＤＴＭＢ系統が構成される。また、第２チューナ部１２０には、第２アンテナ１５１が接続されている。第２アンテナ１５１、第２チューナ部１２０、第２復調部１２１、第２デマルチプレクス部１２２、第２デコード部１２３、第２記憶部１２４及び第２制御部１２５により、第２放送方式としてのＣＭＭＢ方式の放送を受信するＣＭＭＢ系統が構成される。
【００２１】
第１チューナ部１１０は、第１アンテナ１５０を介して電波を受信して、当該電波に基づいて電気信号を生成し、第１復調部１１１に与える。第１チューナ部１１０は、チャンネルスキャンの際に、第１制御部１１５からの指示で指定された物理チャンネルの周波数にチューニングし、その物理チャンネルで受信された電波の受信レベルの判定結果を第１制御部１１５に通知する。
【００２２】
第１復調部１１１は、第１チューナ部１１０より与えられた電気信号に対して復調処理を行い、第１デジタル信号を生成し、第１デマルチプレクス部１１２に与える。この第１デジタル信号は、放送方式によりフォーマットが異なる。ここでは、第１復調部１１１より、ＤＴＭＢ方式のＴＳが第１デジタル信号として出力される。第１復調部１１１は、チャンネルスキャンの際に、第１チューナ部１１０より与えられた電気信号に対して復調処理を行い、フレームロックをすることができたか否かの結果を、第１制御部１１５に通知する。
【００２３】
なお、第１アンテナ１５０を複数備え、第１チューナ部１１０及び第１復調部１１１が、これらのアンテナを介して受信した電波に対してダイバーシティ処理を行い、１つのＴＳを出力するような構成としてもよい。
【００２４】
第１デマルチプレクス部１１２は、復調された第１デジタル信号から特定のサービスの映像圧縮データ及び音声圧縮データを分離し、分離したこれらのデータを第１デコード部１１３に与える。また、第１デマルチプレクス部１１２は、復調された第１デジタル信号から、選局情報が格納されている第１データを分離して、分離したデータを第１制御部１１５に与える。ここでは、第１デマルチプレクス部１１２は、第１データとしてＰＳＩ及びＳＩをフィルタリングして分離し、第１制御部１１５に与える。
【００２５】
第１デコード部１１３は、第１デマルチプレクス部１１２から与えられた映像圧縮データ及び音声圧縮データを復号する。第１デコード部１１３は、復号済みの映像信号を映像切替部１３０に与え、復号済みの音声信号を音声切替部１３２に与える。
【００２６】
第１記憶部１１４は、第１放送方式及び第２放送方式のチャンネルをスキャンするために必要な情報、及び、第１放送方式で放送されるサービスを受信するために必要な情報を記憶する。
図２は、第１記憶部１１４の構成を概略的に示すブロック図である。図２に示されるように、第１記憶部１１４は、第１サービスリスト格納部１１４Ａと、第１スキャン用チャンネルリスト格納部１１４Ｂと、第１チャンネルスキャン実施済みリスト格納部１１４Ｃとを備える。
【００２７】
第１サービスリスト格納部１１４Ａは、第１放送方式で放送されるサービスを受信するために必要な選局情報のリストを格納する。例えば、第１サービスリスト格納部１１４Ａは、第１制御部１１５で抽出された、ネットワークの情報、ＴＳの情報及びサービスの情報を含む選局情報をチャンネル毎に有する第１サービスリストを記憶する。
【００２８】
第１スキャン用チャンネルリスト格納部１１４Ｂは、チャンネルスキャン時に、第１チューナ部１１０で受信された電波の受信電力が予め定められた閾値よりも大きいが、この電波から生成された電気信号を第１復調部１１１で復調できなかった（フレームロックできなかった）物理チャンネルを、識別するための識別情報（ここでは、チャンネル番号）のリストである第１スキャン用チャンネルリストを格納する。例えば、第１スキャン用チャンネルリストは、第１放送方式であるＤＴＭＢのチャンネルスキャンを実施した物理チャンネルにおいて受信された電波の受信電力が、第２放送方式であるＣＭＭＢのサービスを安定して視聴できる最低の受信レベルである第２閾値よりも大きく、かつ、この電波から生成された電気信号を第１復調部１１１で復調できなかった場合に、このような物理チャンネルのチャンネル番号が登録されたものである。
【００２９】
第２閾値（Ｂ）は、下記の式（１）を用いて求められた値である。
Ｂ〔ｄＢｍ〕
＝Ｃ／Ｎ〔ｄＢ〕＋１０ｌｏｇ（ｋＴＷ）＋受信装置雑音指数〔ｄＢ〕
…（１）
式（１）において、１０ｌｏｇ（ｋＴＷ）は、熱雑音指数であり、ｋはボルツマン定数（＝１．３８×１０−２３〔ＪＫ−１〕）、Ｔは測定温度（＝３００〔Ｋ〕）、Ｗは雑音帯域幅（＝８〔ＭＨｚ〕）であり、ｌｏｇの底は１０である。
また、内符号であるＬＤＰＣ符号の復号後のビット誤り率が３×１０−６以下であれば、外符号であるリードソロモン符号の復号後に擬似エラーフリーとなり、ＣＭＭＢのサービスの安定視聴が可能となる。このときのＣ／Ｎ（所要Ｃ／Ｎ）は、ＣＭＭＢのサービスが伝送されている変調方式及びＬＤＰＣ符号の符号化率により、異なる。例えば、式（１）におけるＣ／Ｎは、
ＣＭＭＢで採用されている変調方式がＱＰＳＫであり、かつ、ＬＤＰＣ符号化率が１／２の場合は、２．７ｄＢであり、
ＣＭＭＢで採用されている変調方式がＱＰＳＫであり、かつ、ＬＤＰＣ符号化率が３／４の場合は、５．１ｄＢであり、
ＣＭＭＢで採用されている変調方式が１６ＱＡＭであり、かつ、ＬＤＰＣ符号化率が１／２の場合は、８．６ｄＢであり、
ＣＭＭＢで採用されている変調方式が１６ＱＡＭであり、かつ、ＬＤＰＣ符号化率が３／４の場合は、１２ｄＢである。
さらに、受信装置雑音指数（ＮＦ）は、式（２）を用いて求められた値である。
ＮＦ＝１０ｌｏｇ（Ｓｉ／Ｎｉ）−１０ｌｏｇ（Ｓｏ／Ｎｏ）      …（２）
式（２）において、Ｓｉは第１アンテナ１５０に入力される信号の電力レベル、Ｎｉは第１アンテナ１５０に入力される雑音の電力レベル、Ｓｏは第１復調部１１１から出力される信号の電力レベル、Ｎｏは第１復調部１１１から出力される雑音の電力レベルであり、ｌｏｇの底は１０である。
式（１）で求められる値は、ＣＭＭＢのサービスが伝送される変調方式及び符号化率により異なるので、ＣＭＭＢのサービスが伝送される変調方式及び符号化率の組み合わせ毎に算出された値の中で最も低い値を、第２閾値として用いることが望ましい。
【００３０】
また、ＣＭＭＢの受信端末の技術的要求事項を規定したＧＹ／Ｔ２２０．７においては、受信感度の性能仕様が次のように決められている。
変調方式がＢＰＳＫであり、かつ、ＬＤＰＣ符号化率が１／２の場合は、受信電力の最小受信レベルは、−９８ｄＢｍであり、
変調方式がＢＰＳＫであり、かつ、ＬＰＤＣ符号化率が３／４の場合は、受信電力の最小受信レベルが−９６ｄＢｍであり、
変調方式がＱＰＳＫであり、かつ、ＬＤＰＣ符号化率が１／２の場合は、受信電力の最小受信レベルが−９５ｄＢｍであり、
変調方式がＱＰＳＫであり、かつ、ＬＤＰＣ符号化率が３／４の場合は、受信電力の最小受信レベルが−９２ｄＢｍであり、
変調方式が１６ＱＡＭであり、かつ、ＬＤＰＣ符号化率が１／２の場合は、受信電力の最小受信レベルが−９０ｄＢｍであり、
変調方式が１６ＱＡＭであり、かつ、ＬＤＰＣ符号化率が３／４の場合は、受信電力の最小受信レベルが−８６ｄＢｍと規定されている。
従って、第２閾値として、これらの最小受信レベルの中から選択された値が用いられてもよい。例えば、第２閾値として、これらの最小受信レベルのうち、最も受信レベルの低い−９８ｄＢｍの値が用いられてもよい。或いは、ＣＭＭＢのサービスを格納しているＭＦでは、変調方式がＱＰＳＫでＬＤＰＣ符号化率が１／２の場合と、変調方式が１６ＱＡＭでＬＤＰＣ符号化率が１／２の場合とが一般的に多いため、これらに対応する最小受信レベルのうち、より受信レベルが低い−９５ｄＢｍの値が第２閾値として用いられてもよい。
【００３１】
上記のように、第２閾値は、式（１）で算出された値、又は規格により定められた受信電力の最小受信レベルから選択された値であり、第２放送方式のサービスを受信するために必要な最小の受信電力を示す。
【００３２】
第１チャンネルスキャン実施済みリスト格納部１１４Ｃは、第１チューナ部１１０、第１復調部１１１、第１デマルチプレクサ部１１２及び第１制御部１１５でチャンネルスキャンが既に行われた物理チャンネルを識別するための識別情報（ここでは、チャンネル番号）のリストである第１チャンネルスキャン実施済みリストを記憶する。
【００３３】
図１を再度参照すると、第１制御部１１５は、第１放送方式のチャンネルをスキャンする処理、及び、第１放送方式の放送を受信する処理を制御する。例えば、第１制御部１１５は、第１フェーズ（段階）、第２フェーズ及び第３フェーズのＤＴＭＢのチャンネルスキャンを行う。第１フェーズのＤＴＭＢのチャンネルスキャンでは、第１制御部１１５は、第１放送方式の放送で使用されている（割り振られている）周波数帯と第２放送方式の放送で使用されている周波数帯とが重複している範囲に含まれている物理チャンネルの内、未だ第２制御部１２５でチャンネルスキャンの対象とはされていない各物理チャンネルについて、予め定められた第１順番でチャンネルスキャンを行う。また、第２フェーズのＤＴＭＢのチャンネルスキャンでは、第１制御部１１５は、第２制御部１２５で必要な受信電力はあるが第２放送方式として復調できないと判断された電波を受信した物理チャンネルについて、チャンネルスキャンを行う。さらに、第３フェーズのＤＴＭＢのチャンネルスキャンでは、第１制御部１１５は、第１放送方式の放送で使用されている周波数帯に含まれる物理チャンネルの内、第１放送方式の放送で使用されている周波数帯と第２放送方式の放送で使用されている周波数帯とが重複している範囲に含まれていない物理チャンネルについて、チャンネルスキャンを行う。
【００３４】
また、第１制御部１１５は、第１デマルチプレクス部１１２より与えられた第１データ（ＰＳＩ及びＳＩ）より、選局情報を抽出し、抽出した選局情報を第１記憶部１１４の第１サービスリスト格納部１１４Ａに格納されている第１サービスリストに登録する処理を行う。例えば、第１制御部１１５は、ネットワークの情報として、ネットワークの識別値であるＮｅｔｗｏｒｋ＿ＩＤ、並びに、そのネットワーク内に存在する親局及び中継局の送信周波数を、ＮＩＴから抽出する。また、第１制御部１１５は、ＴＳの情報として、そのＴＳの識別値であるＴＳ＿ＩＤ（Ｔｒａｎｓｐｏｒｔ＿Ｓｔｒｅａｍ＿ＩＤ）を、ＮＩＴ及びＰＡＴ（Ｐｒｏｇｒａｍ  Ａｓｓｏｃｉａｔｉｏｎ  Ｔａｂｌｅ）から抽出する。さらに、第１制御部１１５は、ＴＳに多重化された各サービスの情報として、各サービスの識別値であるＳＶＣ＿ＩＤ（Ｓｅｒｖｉｃｅ＿ＩＤ）を、ＳＤＴ（Ｓｅｒｖｉｃｅ  Ｄｅｓｃｒｉｐｔｉｏｎ  Ｔａｂｌｅ）から抽出する。これらのネットワークの情報、ＴＳの情報及びサービスの情報は、サービスを選択するために必要な選局情報であり、チャンネルスキャン時に物理チャンネル毎に第１デジタル信号から抽出される。
【００３５】
第２チューナ部１２０は、第２アンテナ１５１を介して電波を受信して、電気信号を生成し、第２復調部１２１に与える。第２チューナ部１２０は、チャンネルスキャンの際に、第２制御部１２５からの指示で指定された物理チャンネルの周波数にチューニングし、その物理チャンネルで受信された電波の受信レベルの判定結果を、第２制御部１２５に通知する。
【００３６】
第２復調部１２１は、第２チューナ部１２０より与えられた電気信号に対して、復調処理及び誤り訂正処理を行い、第２デジタル信号を生成し、第２デマルチプレクス部１２２に与える。この第２デジタル信号は、放送方式によりフォーマットが異なる。ここでは、第２復調部１２１より、ＣＭＭＢ方式のＭＦが第２デジタル信号として出力される。また、第２復調部１２１は、チャンネルスキャンの際に、第２チューナ部１２０より与えられた電気信号に対して復調処理を行い、フレームロックをすることができたか否かの結果を、第２制御部１２５に通知する。
【００３７】
なお、第２アンテナ１５１を複数備え、第２チューナ部１２０及び第２復調部１２１が、これらのアンテナを介して受信した電波に対してダイバーシティ処理を行い、１つのＭＦストリームを出力するような構成としてもよい。
【００３８】
第２デマルチプレクス部１２２は、復調された第２デジタル信号から特定のサービスの映像圧縮データ及び音声圧縮データを分離し、第２デコード部１２３に与える。また、第２デマルチプレクス部１２２は、復調された第２デジタル信号から、選局情報が格納されている第２データを分離して、分離した第２データを第２制御部１２５に与える。ここでは、第２デマルチプレクス部１２２は、第２データとしてＣＩＴを分離し、第２制御部１２５に与える。
【００３９】
第２デコード部１２３は、第２デマルチプレクス部１２２より与えられた映像圧縮データ及び音声圧縮データを復号する。第２デコード部１２３は、復号済みの映像信号を映像切替部１３０に与え、復号済みの音声信号を音声切替部１３２に与える。
【００４０】
第２記憶部１２４は、第２放送方式及び第１放送方式のチャンネルをスキャンするために必要な情報、及び、第２放送方式で放送されるサービスを受信するために必要な情報を記憶する。
図３は、第２記憶部１２４の構成を概略的に示すブロック図である。図３に示されるように、第２記憶部１２４は、第２サービスリスト格納部１２４Ａと、第２スキャン用チャンネルリスト格納部１２４Ｂと、第２チャンネルスキャン実施済みリスト格納部１２４Ｃとを備える。
【００４１】
第２サービスリスト格納部１２４Ａは、第２放送方式で放送されるサービスを受信するために必要な選局情報のリストを格納する。例えば、第２サービスリスト格納部１２４Ａは、第２制御部１２５で抽出されたネットワークの情報、ＭＦの情報及びサービスの情報を含む選局情報をチャンネル毎に有する第２サービスリストを記憶する。
【００４２】
第２スキャン用チャンネルリスト格納部１２４Ｂは、チャンネルスキャン時に、第２チューナ部１２０で受信された電波の受信電力が、予め定められた閾値よりも大きいが、この電波から生成された電気信号を第２復調部１２１で復調できなかった（フレームロックできなかった）電波を受信した物理チャンネルを識別するための識別情報（ここでは、チャンネル番号）のリストである第２スキャン用チャンネルリストを格納する。例えば、第２スキャン用チャンネルリストは、第２放送方式であるＣＭＭＢのチャンネルスキャンを実施したある物理チャンネルにおいて受信された電波の受信電力が、第１放送方式であるＤＴＭＢのサービスを安定して視聴できる最小の受信レベルである第１閾値よりも大きく、かつ、この電波から生成された電気信号を第２復調部１２１で復調できなかった場合に、そのような物理チャンネルのチャンネル番号が登録されたものである。
【００４３】
第１閾値（Ａ）は、下記の式（３）を用いて求められた値である。
Ａ〔ｄＢｍ〕
＝Ｃ／Ｎ〔ｄＢ〕＋１０ｌｏｇ（ｋＴＷ）＋受信装置雑音指数〔ｄＢ〕
…（３）
式（３）において、１０ｌｏｇ（ｋＴＷ）は、熱雑音指数であり、ｋはボルツマン定数（＝１．３８×１０−２３〔ＪＫ−１〕）、Ｔは測定温度（＝３００〔Ｋ〕）、Ｗは雑音帯域幅（＝７．５６〔ＭＨｚ〕）である。
また、Ｃ／Ｎは、外符号（ＢＣＨ符号）の復号後に擬似エラーフリーとすることができる内符号（ＬＤＰＣ符号）の復号後のビット誤り率に対するＣ／Ｎ（所要Ｃ／Ｎ）である。この値は、変調方式やＬＤＰＣ符号の符号化率に依存する。
さらに、受信装置雑音指数は、上記の式（２）を用いて求められた値であるが、ここでは、Ｓｉは第２アンテナ１５１に入力される信号の電力レベル、Ｎｉは第２アンテナ１５１に入力される雑音の電力レベル、Ｓｏは第２復調部１２１から出力される信号の電力レベル、Ｎｏは第２復調部１２１から出力される雑音の電力レベルであり、ｌｏｇの底は１０である。
式（３）で求められる値は、ＤＴＭＢのサービスが伝送される変調方式及び符号化率により異なるので、ＤＴＭＢのサービスが伝送される変調方式及び符号化率の組み合わせ毎に算出された値の中で最も低い値を、第１閾値として用いることが望ましい。
【００４４】
また、第１閾値は、ＤＴＭＢの規格で作業モード（伝送モード）に対応して規定された受信電力の最小受信レベルの中から選択された値を用いてもよい。例えば、これらの最小受信レベルの内最も低い値が、第１閾値として用いられてもよい。また、実際の放送で運用されている変調方式（例えば、４ＱＡＭ、１６ＱＡＭ、３２ＱＡＭ又は６４ＱＡＭ）に対応して規定されている最小受信レベルの内の最も低い値が、第１閾値として用いられてもよい。ここで、作業モード（伝送モード）は、例えば、搬送波の数、前方誤り訂正ヘッダビットレート、フレームヘッダモード、符号クロスオプション及び帯域の組み合わせにより定まる。
【００４５】
上記のように、第１閾値は、式（３）で算出された値、又は規格により定められた受信電力の最小受信レベルから選択された値であり、第１放送方式のサービスを受信するために必要な最小の受信電力を示す。
【００４６】
第２チャンネルスキャン実施済みリスト格納部１２４Ｃは、第２チューナ部１２０、第２復調部１２１、第２デマルチプレクサ部１２２及び第２制御部１２５でチャンネルスキャンが既に行われた物理チャンネルを識別するための識別情報（ここでは、チャンネル番号）のリストである第２チャンネルスキャン実施済みリストが記憶される。
【００４７】
図１を再度参照すると、第２制御部１２５は、第２放送方式のチャンネルをスキャンする処理、及び、第２放送方式の放送を受信する処理を制御する。例えば、第２制御部１２５は、第１フェーズのＣＭＭＢのチャンネルスキャン及び第２フェーズのＣＭＭＢのチャンネルスキャンを行う。第１フェーズのＣＭＭＢのチャンネルスキャンでは、第２制御部１２５は、第１放送方式の放送で使用されている周波数帯と第２放送方式の放送で使用されている周波数帯とが重複している範囲に含まれている物理チャンネルの内、未だ第１制御部１１５でチャンネルスキャンの対象とはされていない物理チャンネルについて、予め定められた第２順番でチャンネルスキャンを行う。ここで、第２順番は、第１制御部１１５がチャンネルスキャンを制御する第１順番の逆の順番である。また、第２フェーズのＣＭＭＢのチャンネルスキャンでは、第２制御部１２５は、第１制御部１１５で、必要な受信電力はあるが第１放送方式として復調できないと判断された物理チャンネルについて、チャンネルスキャンを行う。
【００４８】
また、第２制御部１２５は、第２デマルチプレクス部１２２より与えられたＣＩＴより、選局情報を抽出し、抽出した選局情報を、第２記憶部１２４の第２サービスリスト格納部１２４Ａに格納されている第２サービスリストに登録する処理を行う。例えば、第２制御部１２５は、ネットワークの情報として、ネットワークの識別値であるＮｅｔｗｏｒｋ＿ＩＤ、並びに、そのネットワーク内に存在する親局及び中継局の送信周波数等をＮＩＴから抽出する。また、第２制御部１２５は、ＭＦの情報として、そのＭＦの識別値であるＭＦ＿ＩＤ（Ｍｕｌｔｉｐｌｅ＿Ｆｒａｍｅ＿ＩＤ）をＭＣＴ（Ｍｕｌｔｉｐｌｅｘ＿Ｃｏｎｆｉｇｕｒａｔｉｏｎ＿Ｔａｂｌｅ）から抽出する。さらに、第２制御部１２５は、ＭＦに多重化された各サービスの情報として、各サービスの識別値であるＳＶＣ＿ＩＤ（Ｓｅｒｖｉｃｅ＿ＩＤ）をＭＣＴから抽出する。これらのネットワークの情報、ＭＦの情報、サービスの情報は、サービスを選択するために必要な選局情報であり、チャンネルスキャン時に物理チャンネル毎に第２デジタル信号から抽出される。
【００４９】
映像切替部１３０は、ＤＴＭＢ方式で放送されるサービスが視聴される際は、第１デコード部１１３からの映像信号を選択し、映像合成部１３１に出力する。また、映像切替部１３０は、ＣＭＭＢ方式で放送されるサービスが視聴される際は、第２デコード部１２３からの映像信号を選択し、映像合成部１３１に出力する。映像切替部１３０は、例えば、ＵＩＦ処理部１３４からの指示に応じて、選択する映像信号を切り替える。
【００５０】
映像合成部１３１は、ＵＩＦ処理部１３４から与えられた第１サービスリスト一覧画面信号又は第２サービスリスト一覧画面信号で示される画面の映像を、映像切替部１３０から与えられた映像信号の映像に合成して、合成済みの映像信号を表示部１５２に出力する。なお、映像合成部１３１は、ＵＩＦ処理部１３４から与えられた第１サービスリスト一覧画面信号又は第２サービスリスト一覧画面信号で示される画面の映像信号を、映像切替部１３０から与えられた映像信号に代えて、表示部１５２に出力してもよい。ここで、映像合成部１３１は、ＵＩＦ処理部１３４から第１サービスリスト一覧画面信号及び第２サービスリスト一覧画面信号の両方とも与えられていない場合には、映像切替部１３０から与えられた映像信号を表示部１５２に出力する。
【００５１】
音声切替部１３２は、ＤＴＭＢ方式で放送されるサービスが視聴される際は、第１デコード部１１３からの音声信号を選択し、音声出力部１５３に出力する。また、音声切替部１３２は、ＣＭＭＢ方式で放送されるサービスが視聴される際は、第２デコード部１２３からの音声信号を選択し、音声出力部１５３に出力する。
【００５２】
入力部１３３は、ユーザからの指示の入力を受け付け、ユーザからの指示の入力に対応する操作信号を出力する。入力部１３３は、例えば、リモコンにより実現することができる。
【００５３】
ＵＩＦ処理部１３４は、入力部１３３からの操作信号を受け、デジタル放送受信装置１００の各部に、この操作信号に対応する指示を行う。また、ＵＩＦ処理部１３４は、入力部１３３から、第１サービスリスト一覧画面を表示する操作信号を受信した場合には、第１サービスリスト格納部１１４Ａに格納されている第１サービスリストを取得して、取得したリストから第１サービスリスト一覧画面の画面信号を生成する。そして、ＵＩＦ処理部１３４は、生成した画面信号を、第１記憶部１１４を介して、映像合成部１３１に与える。さらに、ＵＩＦ処理部１３４は、入力部１３３から、第２サービスリスト一覧画面を表示する操作信号を受信した場合には、第２サービスリスト格納部１２４Ａに格納されている第２サービスリストを取得して、取得したリストから第２サービスリスト一覧画面の画面信号を生成する。そして、ＵＩＦ処理部１３４は、生成した画面信号を、第２記憶部１２４を介して、映像合成部１３１に与える。
【００５４】
表示部１５２は、映像合成部１３１から与えられた映像信号に基づいて、映像を表示する。音声出力部１５３は、音声切替部１３２から与えられた音声信号に基づいて、音声を出力する。
【００５５】
次に、実施の形態１におけるデジタル放送受信装置１００のチャンネルスキャン時の動作について詳細に説明する。なお、実施の形態１におけるデジタル放送受信装置１００のチャンネルスキャンは、デジタル放送受信装置１００の初期設定を行うとき、放送構成が変化したとき、又は、移動体に受信機を搭載された場合では放送エリアを跨いで他の放送エリアに移動したときに実行され、ＤＴＭＢとＣＭＭＢの各放送方式のデジタル放送のサービスリストが生成される。
【００５６】
図４は、ユーザの操作によりチャンネルスキャンが選択されたときに、ＵＩＦ処理部１３４が行う処理を示すフローチャートである。
【００５７】
ＵＩＦ処理部１３４は、入力部１３３からチャンネルスキャン要求を示す操作信号を受信すると、第１制御部１１５に、第１放送方式のチャンネルスキャン開始を通知する（ステップＳ１０）。
【００５８】
次に、ＵＩＦ処理部１３４は、第２制御部１２５に、第２放送方式のチャンネルスキャン開始を通知する（ステップＳ１１）。
【００５９】
上記のように、チャンネルスキャン開始の通知を第１制御部１１５及び第２制御部１２５に行うことで、第１制御部１１５の制御によるＤＴＭＢチャンネルスキャンと、第２制御部１２５の制御によるＣＭＭＢのチャンネルスキャンとが並行して行われる。
【００６０】
そして、ＵＩＦ処理部１３４は、第１制御部１１５によるチャンネルスキャンの完了通知及び第２制御部１２５によるチャンネルスキャンの完了通知の両方を受けるまで待機する（ステップＳ１２）。ＵＩＦ処理部１３４は、これらの通知を受ける（ステップＳ１２でＹＥＳ）と、処理を終了する。なお、処理が終了した場合には、ＵＩＦ処理部１３４は、チャンネルスキャン処理が終了したことを示す通知画面の映像信号を生成して、映像合成部１３１を介して、表示部１５２に出力し、表示部１５２にこのような画面を表示させてもよい。
【００６１】
なお、図４では、第１制御部１１５にチャンネルスキャンの開始を通知した（ステップＳ１０）後に、第２制御部１２５にチャンネルスキャンの開始を通知している（ステップＳ１１）が、この順番が逆になってもよい。
【００６２】
図５は、第１制御部１１５によるチャンネルスキャン処理を示すフローチャートである。例えば、第１制御部１１５は、ＵＩＦ処理部１３４からチャンネルスキャンの開始通知を受けたときに、図５で示されるフローチャートの処理を開始する。
【００６３】
第１制御部１１５は、第１記憶部１１４の第１スキャン用チャンネルリスト格納部１１４Ｂに格納されている第１スキャン用チャンネルリストをクリア（初期化）する（ステップＳ２０）。例えば、第１制御部１１５は、第１スキャン用チャンネルリストに格納されている物理チャンネルのチャンネル番号を全て消去する。
【００６４】
次に、第１制御部１１５は、第１記憶部１１４の第１チャンネルスキャン実施済みリスト格納部１１４Ｃに格納されている第１チャンネルスキャン実施済みリストをクリアする（ステップＳ２１）。例えば、第１制御部１１５は、第１チャンネルスキャン実施済みリストに格納されている物理チャンネルのチャンネル番号を全て消去する。
【００６５】
次に、第１制御部１１５は、第１フェーズのＤＴＭＢのチャンネルスキャンを実行する（ステップＳ２２）。このサブルーチンの詳細は、図７に示すが、ここでは、第１制御部１１５は、ＤＴＭＢに割り当てられている周波数帯とＣＭＭＢに割り当てられている周波数帯とが重複する範囲に含まれている物理チャンネルについて、最小のチャンネル番号「１３」から昇順にチャンネルスキャンを行う。そして、第１フェーズのＤＴＭＢのチャンネルスキャンは、次のチャンネルスキャンとして選択された物理チャンネルが、既に第２制御部１２５によりチャンネルスキャン済みであったときに終了する。
【００６６】
次に、第１制御部１１５は、第２フェーズのＤＴＭＢのチャンネルスキャンを実行する（ステップＳ２３）。このサブルーチンの詳細は、図９に示すが、ここでは、第１制御部１１５は、第２制御部１２５から取得した第２スキャン用チャンネルリストにチャンネル番号が登録されている物理チャンネルについてチャンネルスキャンを行う。
【００６７】
次に、第１制御部１１５は、第３フェーズのＤＴＭＢのチャンネルスキャンを実行する（ステップＳ２４）。このサブルーチンの詳細は、図１１に示すが、ここでは、第１制御部１１５は、ＤＴＭＢに割り当てられている周波数帯に含まれる物理チャンネルの内、ＣＭＭＢに割り当てられている周波数帯と重複していない範囲に含まれる物理チャンネルについてチャンネルスキャンを行う。
【００６８】
そして、第１制御部１１５は、第３フェーズのＤＴＭＢのチャンネルスキャンが完了した場合には、ＵＩＦ処理部１３４にチャンネルスキャンの完了を通知する（ステップＳ２５）。
【００６９】
図６は、第２制御部１２５によるチャンネルスキャン処理を示すフローチャートである。例えば、第２制御部１２５は、ＵＩＦ処理部１３４からチャンネルスキャンの開始通知を受けたときに、図６で示されるフローチャートの処理を開始する。
【００７０】
第２制御部１２５は、第２記憶部１２４の第２スキャン用チャンネルリスト格納部１２４Ｂに格納されている第２スキャン用チャンネルリストをクリアする（ステップＳ３０）。ここでは、例えば、第２制御部１２５は、第２スキャン用チャンネルリストに格納されている物理チャンネルのチャンネル番号を全て消去する。
【００７１】
次に、第２制御部１２５は、第２記憶部１２４の第２チャンネルスキャン実施済みリスト格納部１２４Ｃに格納されている第２チャンネルスキャン実施済みリストをクリアする（ステップＳ３１）。ここでは、例えば、第２制御部１２５は、第２チャンネルスキャン実施済みリストに格納されている物理チャンネルのチャンネル番号を全て消去する。
【００７２】
次に、第２制御部１２５は、第１フェーズのＣＭＭＢのチャンネルスキャンを実行する（ステップＳ３２）。このサブルーチンの詳細は、図８に示すが、ここでは、第２制御部１２５は、ＤＴＭＢに割り当てられている周波数帯とＣＭＭＢに割り当てられている周波数帯とが重複する範囲に含まれている物理チャンネルについて、物理チャンネルの最大のチャンネル番号「４８」から降順にチャンネルスキャンを行う。そして、第１フェーズのＣＭＭＢのチャンネルスキャンは、次のチャンネルスキャンとして選択された物理チャンネルが、既に第１制御部１１５によりチャンネルスキャン済みであったときに終了する。
【００７３】
次に、第２制御部１２５は、第２フェーズのＣＭＭＢのチャンネルスキャンを実行する（ステップＳ３３）。このサブルーチンの詳細は、図１０に示すが、ここでは、第２制御部１２５は、第１制御部１１５から取得した第１スキャン用チャンネルリストにチャンネル番号が登録されている物理チャンネルについてチャンネルスキャンを行う。
【００７４】
そして、第２制御部１２５は、第２フェーズのＣＭＭＢのチャンネルスキャンが完了した場合には、ＵＩＦ処理部１３４にチャンネルスキャンの完了を通知する（ステップＳ３４）。
【００７５】
図７は、第１制御部１１５が行う、第１フェーズのＤＴＭＢのチャンネルスキャンのサブルーチンを示すフローチャートである。第１制御部１１５は、チャンネルスキャンを行う物理チャンネルを示す変数としての受信チャンネルＨに、初期値として最小のチャンネル番号「１３」をセットする（ステップＳ４０）。
【００７６】
次に、第１制御部１１５は、チャンネルスキャンを行おうとしている受信チャンネルＨが、既に第２制御部１２５によりチャンネルスキャン済みか否かを判断する（ステップＳ４１）。例えば、第１制御部１１５は、第２制御部１２５を介して、第２記憶部１２４の第２チャンネルスキャン実施済みリスト格納部１２４Ｃに格納されている第２チャンネルスキャン実施済みリストを取得して、受信チャンネルＨが、第２チャンネルスキャン実施済みリストに登録されているか否かを判断する。そして、第１制御部１１５は、受信チャンネルＨが第２チャンネルスキャン実施済みリストに登録されていない場合（ステップＳ４１でＮＯ）には、ステップＳ４２の処理に進む。なお、第１制御部１１５は、受信チャンネルＨが第２チャンネルスキャン実施済みリストに登録されている場合（ステップＳ４１でＹＥＳ）には、図５のステップＳ２３の処理に進む。
【００７７】
ステップＳ４２では、第１制御部１１５は、第１チューナ部１１０に受信チャンネルＨの電波を受信するように指示を出す。
【００７８】
次に、第１制御部１１５は、チューニングした受信チャンネルＨで受信された電波の受信レベルが第１閾値よりも大きいか否かを判断する（ステップＳ４３）。例えば、第１制御部１１５は、第１チューナ部１１０より、電波の受信レベルが第１閾値よりも大きいか否かの判定結果の通知を受けることにより、この判断を行う。そして、第１制御部１１５は、受信チャンネルＨで受信された電波の受信レベルが第１閾値よりも大きい場合（ステップＳ４３でＹＥＳ）には、ステップＳ４４の処理に進み、受信チャンネルＨで受信された電波の受信レベルが第１閾値以下である場合（ステップＳ４３でＮＯ）には、ステップＳ５０の処理に進む。なお、第１閾値は、上述のように、ＤＴＭＢのサービスを受信することができ、映像及び音声を出力することができる最低の受信レベルを示すものである。
【００７９】
ステップＳ４４では、第１制御部１１５は、第１復調部１１１が、第１チューナ部１１０で受信された受信チャンネルＨの電波から生成された電気信号を復調できたか否かを判断する。例えば、第１制御部１１５は、第１復調部１１１より、電気信号に対して復調処理を行い、フレームロックをすることができたか否かの結果の通知を受けることにより、この判断を行う。そして、第１制御部１１５は、復調できた場合（ステップＳ４４でＹＥＳ）には、ステップＳ４５の処理に進み、復調できなかった場合（ステップＳ４４でＮＯ）には、ステップＳ５０の処理に進む。
【００８０】
次に、第１制御部１１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ４５）。
【００８１】
次に、第１制御部１１５は、第１デマルチプレクス部１１２でＳＩを取得することができたか否かを判断する（ステップＳ４６）。そして、第１制御部１１５は、ＳＩを取得することができた場合（ステップＳ４６でＹＥＳ）には、ステップＳ４７の処理に進み、ＳＩを取得することができなかった場合（ステップＳ４６でＮＯ）には、ステップＳ４８の処理に進む。
【００８２】
ステップＳ４７では、第１制御部１１５は、ＳＩから抽出したサービスの選局情報を、第１記憶部１１４の第１サービスリスト格納部１１４Ａに格納されている第１サービスリストに登録する。
【００８３】
次に、第１制御部１１５は、第１記憶部１１４の第１チャンネルスキャン実施済みリスト格納部１１４Ｃに格納されている第１チャンネルスキャン実施済みリストに、チャンネルスキャンを実施した受信チャンネルＨを追加登録する（ステップＳ４８）。
【００８４】
次に、第１制御部１１５は、物理チャンネルのチャンネルスキャンを昇順で行うため、受信チャンネルＨに「１」をプラスして（ステップＳ４９）、ステップＳ４１の処理に戻る。
【００８５】
一方、ステップＳ４３で受信チャンネルＨにチューニングした結果、電波の受信レベルが第１閾値以下であった場合（ステップＳ４３でＮＯ）、又は、ステップＳ４４でフレームロックしなかった場合（ステップＳ４４でＮＯ）には、第１制御部１１５は、ステップＳ５０の処理に進む。
ステップＳ５０では、第１制御部１１５は、受信チャンネルＨで受信された電波の受信レベルが第２閾値よりも大きいか否かを判断する。例えば、第１制御部１１５は、第１チューナ部１１０より、電波の受信レベルが第２閾値よりも大きいか否かの判定結果の通知を受けることにより、この判断を行う。そして、第１制御部１１５は、受信チャンネルＨで受信された電波の受信レベルが第２閾値よりも大きい場合（ステップＳ５０でＹＥＳ）には、ステップＳ５１の処理に進み、受信チャンネルＨで受信された電波の受信レベルが第２閾値以下である場合（ステップＳ５０でＮＯ）には、ステップＳ４８の処理に進む。
【００８６】
ステップＳ５１では、第１制御部１１５は、第１記憶部１１４の第１スキャン用チャンネルリスト格納部１１４Ｂに格納されている第１スキャン用チャンネルリストにこの受信チャンネルＨを登録する。
【００８７】
上記のように、第１制御部１１５による第１フェーズにおけるＤＴＭＢのチャンネルスキャンは、物理チャンネルのチャンネル番号「１３」から昇順に実行される。そして、第１制御部１１５は、ステップＳ４１でチャンネルスキャンを行おうとしている受信チャンネルＨが既に第２制御部１２５によりチャンネルスキャン済みであると判断した場合には、第１フェーズにおけるＤＴＭＢのチャンネルスキャンを終了する。
【００８８】
図７のステップＳ４３及びＳ５０において、第１閾値と第２閾値による受信レベルの評価は、第１チューナ部１１０で行われているが、第１制御部１１５が、第１チューナ部１１０から電波の受信レベルを取得し、この受信レベルを第１閾値又は第２閾値と比較して評価を行うようにしてもよい。
また、図７のステップＳ４５〜Ｓ４７において行われる、ＳＩを取得して、選局情報を第１サービスリストに登録する処理は、図７に示されているタイミングで実行してもよく、また、全てのチャンネルスキャンが完了した後に、全サービスに対してまとめて実行してもよい。
【００８９】
図８は、第２制御部１２５が行う、第１フェーズのＣＭＭＢのチャンネルスキャンのサブルーチンを示すフローチャートである。第２制御部１２５は、第１フェーズのＣＭＭＢのチャンネルスキャンを、第１制御部１１５が行う第１フェーズのＤＴＭＢのチャンネルスキャンと並行して行う。第２制御部１２５は、チャンネルスキャンを行う物理チャンネルを示す変数としての受信チャンネルＩに、初期値として物理チャンネルの最大のチャンネル番号「４８」をセットする（ステップＳ６０）。
【００９０】
次に、第２制御部１２５は、チャンネルスキャンを行おうとしている受信チャンネルＩが、既に第１制御部１１５によりチャンネルスキャン済みか否かを判断する（ステップＳ６１）。例えば、第２制御部１２５は、第１制御部１１５を介して、第１記憶部１１４の第１チャンネルスキャン実施済みリスト格納部１１４Ｃに格納されている第１チャンネルスキャン実施済みリストを取得して、受信チャンネルＩが、第１チャンネルスキャン実施済みリストに登録されているか否かを判断する。そして、第２制御部１２５は、受信チャンネルＩが第１チャンネルスキャン実施済みリストに登録されていない場合（ステップＳ６１でＮＯ）には、ステップＳ６２の処理に進む。第２制御部１２５は、受信チャンネルＩが第１チャンネルスキャン実施済みリストに登録されている場合（ステップＳ６１でＹＥＳ）には、図６のステップＳ３３の処理に進む。
【００９１】
ステップＳ６２では、第２制御部１２５は、第２チューナ部１２０に受信チャンネルＩの電波を受信するように指示を出す。
【００９２】
次に、第２制御部１２５は、チューニングした受信チャンネルＩで受信された電波の受信レベルが第２閾値よりも大きいか否かを判断する（ステップＳ６３）。例えば、第２制御部１２５は、第２チューナ部１２０より、電波の受信レベルが第２閾値よりも大きいか否かの判定結果の通知を受けることにより、この判断を行う。そして、第２制御部１２５は、受信チャンネルＩで受信された電波の受信レベルが第２閾値よりも大きい場合（ステップＳ６３でＹＥＳ）には、ステップＳ６４の処理に進み、受信チャンネルＩで受信された電波の受信レベルが第２閾値以下である場合（ステップＳ６３でＮＯ）には、ステップＳ７０の処理に進む。なお、第２閾値は、上述のように、ＣＭＭＢのサービスを受信することができ、映像及び音声を出力することができる最低の受信レベルを示すものである。
【００９３】
ステップＳ６４では、第２制御部１２５は、第２復調部１２１が、第２チューナ部１２０で受信された受信チャンネルＩの電波から生成された電気信号を復調できたか否かを判断する。例えば、第２制御部１２５は、第２復調部１２１より、電気信号に対して復調処理を行い、フレームロックをすることができたか否かの結果の通知を受けることにより、この判断を行う。そして、第２制御部１２５は、復調できた場合（ステップＳ６４でＹＥＳ）には、ステップＳ６５の処理に進み、復調できなかった場合（ステップＳ６４でＮＯ）には、ステップＳ７０の処理に進む。
【００９４】
次に、第２制御部１２５は、第２復調部１２１がフレームロックした場合には、第２復調部１２１からＭＦストリームが第２デマルチプレクス部１２２に出力されている可能性が高いので、第２デマルチプレクス部１２２にＣＩＴを取得するよう指示を出す（ステップＳ６５）。
【００９５】
次に、第２制御部１２５は、第２デマルチプレクス部１２２でＣＩＴを取得することができたか否かを判断する（ステップＳ６６）。そして、第２制御部１２５は、ＣＩＴを取得することができた場合（ステップＳ６６でＹＥＳ）には、ステップＳ６７の処理に進み、ＣＩＴを取得することができなかった場合（ステップＳ６６でＮＯ）には、ステップＳ６８の処理に進む。
【００９６】
ステップＳ６７では、第２制御部１２５は、ＣＩＴから抽出したサービスの選局情報を、第２記憶部１２４の第２サービスリスト格納部１２４Ａに格納されている第２サービスリストに登録する。
【００９７】
次に、第２制御部１２５は、第２記憶部１２４の第２チャンネルスキャン実施済みリスト格納部１２４Ｃに格納されている第２チャンネルスキャン実施済みリストに、チャンネルスキャンを実施した受信チャンネルＩを追加登録する。
【００９８】
次に、第２制御部１２５は、物理チャンネルのチャンネルスキャンを降順で行うため、受信チャンネルＩから「１」をマイナスして（ステップＳ６９）、ステップＳ６１の処理に戻る。
【００９９】
一方、ステップＳ６３で受信チャンネルＩにチューニングした結果、電波の受信レベルが第２閾値以下であった場合（ステップＳ６３でＮＯ）、又は、ステップＳ６４でフレームロックしなかった場合（ステップＳ６４でＮＯ）には、第２制御部１２５は、ステップＳ７０の処理に進む。
ステップＳ７０では、第２制御部１２５は、受信チャンネルＩで受信された電波の受信レベルが、第１閾値よりも大きいか否かを判断する。例えば、第２制御部１２５は、第２チューナ部１２０より、電波の受信レベルが第１閾値よりも大きいか否かの判定結果の通知を受けることにより、この判断を行う。そして、第２制御部１２５は、受信チャンネルＩで受信された電波の受信レベルが第１閾値よりも大きい場合（ステップＳ７０でＹＥＳ）には、ステップＳ７１の処理に進み、受信チャンネルＩで受信された電波の受信レベルが第１閾値以下である場合（ステップＳ７０でＮＯ）には、ステップＳ６８の処理に進む。
【０１００】
ステップＳ７１では、第２制御部１２５は、第２記憶部１２４の第２スキャン用チャンネルリスト格納部１２４Ｂに格納されている第２スキャン用チャンネルリストに、この受信チャンネルＩを登録する。
【０１０１】
上記のように、第２制御部１２５による第１フェーズにおけるＣＭＭＢのチャンネルスキャンは、物理チャンネルの最大のチャンネル番号「４８」から降順に実行される。そして、第２制御部１２５は、ステップＳ６１でチャンネルスキャンを行おうとしている受信チャンネルＩが既に第１制御部１１５によりチャンネルスキャンされていると判断した場合には、第１フェーズにおけるＣＭＭＢのチャンネルスキャンを終了する。
【０１０２】
図８のステップＳ６３及びＳ７０において、第１閾値と第２閾値による受信レベルの評価は、第２チューナ部１２０で行っているが、第２制御部１２５が、第２チューナ部１２０から受信チャンネルＩで受信された電波の受信レベルを取得して、第１閾値又は第２閾値と比較して、評価を行うようにしてもよい。
また、図８のステップＳ６５〜Ｓ６７で行われる、ＣＩＴを取得して、選局情報を第２サービスリストに登録する処理は、図８に示されているタイミングで実行してもよく、また、全てのチャンネルスキャンが完了した後に、全サービスに対してまとめて実行してもよい。
【０１０３】
図９は、第１制御部１１５が行う、第２フェーズのＤＴＭＢのチャンネルスキャンのサブルーチンを示すフローチャートである。
【０１０４】
第１制御部１１５は、第２制御部１２５を介して、第２記憶部１２４の第２スキャン用チャンネルリスト格納部１２４Ｂに格納されている第２スキャン用チャンネルリストを取得し、第２スキャン用チャンネルリストにチャンネル番号が登録されている全ての物理チャンネルの選局を行ったか否かを判断する（ステップＳ８０）。そして、第１制御部１１５は、第２スキャン用チャンネルリストにチャンネル番号が登録されている全ての物理チャンネルの選局を行っていない場合（ステップＳ８０でＮＯ）、言い換えると、未だ選局されていない物理チャンネルのチャンネル番号が、第２スキャン用チャンネルリストに存在する場合には、ステップＳ８１の処理に進み、第２スキャン用チャンネルリストに登録されている全ての物理チャンネルの選局を行った場合（ステップＳ８０でＹＥＳ）、言い換えると、未だ選局されていない物理チャンネルのチャンネル番号が、第２スキャン用チャンネルリストに存在しない場合には、図５のステップＳ２４の処理に進む。
【０１０５】
ステップＳ８１では、第１制御部１１５は、第２スキャン用チャンネルリストから、登録された順（言い換えると、チャンネル番号の大きい順）に、チャンネル番号を取得し、物理チャンネルを示す変数である受信チャンネルＪにセットする。従って、ステップＳ８１では、第２スキャン用チャンネルリストに登録され、ステップＳ８１で未だ受信チャンネルＪにセットされていない物理チャンネルの内、最大のチャンネル番号が受信チャンネルＪにセットされることになる。なお、ここでは登録された順としているが、これには限らず、他の順番で受信チャンネルＪにセットするようにしてもよい。
【０１０６】
次に、第１制御部１１５は、受信チャンネルＪで示される物理チャンネルに対応する周波数にチューニングするように、第１チューナ部１１０に指示する（ステップＳ８２）。
【０１０７】
次に、第１制御部１１５は、チューニングした受信チャンネルＪで受信された電波の受信レベルが第１閾値よりも大きいか否かを判断する（ステップＳ８３）。例えば、第１制御部１１５は、第１チューナ部１１０より、電波の受信レベルが第１閾値よりも大きいか否かの判定結果の通知を受けることにより、この判断を行う。そして、第１制御部１１５は、受信チャンネルＪで受信された電波の受信レベルが第１閾値よりも大きい場合（ステップＳ８３でＹＥＳ）には、ステップＳ８４の処理に進み、受信チャンネルＪで受信された電波の受信レベルが第１閾値以下である場合（ステップＳ８３でＮＯ）には、ステップＳ８０の処理に戻る。
【０１０８】
ステップＳ８４では、第１制御部１１５は、第１復調部１１１が、第１チューナ部１１０で受信された受信チャンネルＪの電波から生成された電気信号を復調できたか否かを判断する。例えば、第１制御部１１５は、第１復調部１１１より、電気信号に対して復調処理を行い、フレームロックをすることができたか否かの結果の通知を受けることにより、この判断を行う。そして、第１制御部１１５は、復調できた場合（ステップＳ８４でＹＥＳ）には、ステップＳ８５の処理に進み、復調できなかった場合（ステップＳ８４でＮＯ）には、ステップＳ８０の処理に戻る。
【０１０９】
次に、第１制御部１１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ８５）。
【０１１０】
次に、第１制御部１１５は、第１デマルチプレクス部１１２でＳＩを取得することができたか否かを判断する（ステップＳ８６）。そして、第１制御部１１５は、ＳＩを取得することができた場合（ステップＳ８６でＹＥＳ）には、ステップＳ８７の処理に進み、ＳＩを取得することができなかった場合（ステップＳ８６でＮＯ）には、ステップＳ８０の処理に戻る。
【０１１１】
ステップＳ８７では、第１制御部１１５は、ＳＩから抽出したサービスの選局情報を、第１記憶部１１４の第１サービスリスト格納部１１４Ａに格納されている第１サービスリストに登録する。
【０１１２】
上記のように、第１制御部１１５は、第２スキャン用チャンネルリストにチャンネル番号が登録されている物理チャンネルに対してのみチャンネルスキャンを実行する。言い換えると、第１制御部１１５は、第１フェーズのＣＭＭＢのチャンネルスキャンの結果、必要な受信電力はあるがＣＭＭＢとしては復調できなかった電波が受信された物理チャンネルだけを、第１フェーズのＣＭＭＢのチャンネルスキャンで第２制御部１２５が担当した物理チャンネルを全てスキャンする代わりに、この第２フェーズにおけるＤＴＭＢのチャンネルスキャンにおいてスキャンするようにしているため、効率的なチャンネルスキャンを行うことができる。
【０１１３】
図９のステップＳ８３において、第１閾値による受信レベルの評価は、第１チューナ部１１０で行っているが、第１制御部１１５が、第１チューナ部１１０から受信チャンネルＪで受信された電波の受信レベルを取得して、この受信レベルを第１閾値と比較して評価を行うようにしてもよい。
また、図９のステップＳ８５〜Ｓ８７で行われる、ＳＩを取得して、選局情報を第１サービスリストに登録する処理は、図９に示されているタイミングで実行してもよく、また、全てのチャンネルスキャンが完了した後に、全サービスに対してまとめて実行してもよい。
【０１１４】
図１０は、第２制御部１２５が行う、第２フェーズのＣＭＭＢのチャンネルスキャンのサブルーチンを示すフローチャートである。第２制御部１２５は、第２フェーズのＣＭＭＢのチャンネルスキャンを、第１制御部１１５が行う第２フェーズのＤＴＭＢのチャンネルスキャンと並行して行う。
【０１１５】
第２制御部１２５は、第１制御部１１５を介して、第１記憶部１１４の第１スキャン用チャンネルリスト格納部１１４Ｂに格納されている第１スキャン用チャンネルリストを取得し、第１スキャン用チャンネルリストに登録されている全ての物理チャンネルの選局を行ったかを判断する（ステップＳ９０）。そして、第２制御部１２５は、第１スキャン用チャンネルリストに登録されている全ての物理チャンネルの選局を行っていない場合（ステップＳ９０でＮＯ）、言い換えると、未だ選局されていない物理チャンネルが、第１スキャン用チャンネルリストに存在する場合には、ステップＳ９１の処理に進み、第１スキャン用チャンネルリストに登録されている全ての物理チャンネルの選局を行っている場合（ステップＳ９０でＹＥＳ）、言い換えると、未だ選局されていない物理チャンネルが、第１スキャン用チャンネルリストに存在しない場合には、図６のステップＳ３４の処理に進む。
【０１１６】
ステップＳ９１では、第２制御部１２５は、第１スキャン用チャンネルリストから、登録された順（言い換えると、チャンネル番号の小さい順）に、物理チャンネルのチャンネル番号を取得し、物理チャンネルを示す変数である受信チャンネルＬにセットする。従って、ステップＳ９１では、第１スキャン用チャンネルリストに登録され、ステップＳ９１で未だ受信チャンネルＬにセットされていない物理チャンネルの内、最小のチャンネル番号となっている物理チャンネルが、受信チャンネルＬにセットされることになる。なお、ここでは登録された順としているが、これには限らず他の順番で受信チャンネルＬにセットするようにしてもよい。
【０１１７】
次に、第２制御部１２５は、受信チャンネルＬで示される物理チャンネルに対応する周波数にチューニングするように、第２チューナ部１２０に指示する（ステップＳ９２）。
【０１１８】
次に、第２制御部１２５は、チューニングした受信チャンネルＬで受信された電波の受信レベルが第２閾値よりも大きいか否かを判断する（ステップＳ９３）。例えば、第２制御部１２５は、第２チューナ部１２０より、電波の受信レベルが第２閾値よりも大きいか否かの判定結果の通知を受けることにより、この判断を行う。そして、第２制御部１２５は、受信チャンネルＬで受信された電波の受信レベルが第２閾値よりも大きい場合（ステップＳ９３でＹＥＳ）には、ステップＳ９４の処理に進み、受信チャンネルＬで受信された電波の受信レベルが第２閾値以下である場合（ステップＳ９３でＮＯ）には、ステップＳ９０の処理に戻る。
【０１１９】
ステップＳ９４では、第２制御部１２５は、第２復調部１２１が、第２チューナ部１２０で受信された受信チャンネルＬの電波から生成された電気信号を復調できたか否かを判断する。例えば、第２制御部１２５は、第２復調部１２１より、電気信号に対して復調処理を行い、フレームロックをすることができたか否かの結果の通知を受けることにより、この判断を行う。そして、第２制御部１２５は、復調できた場合（ステップＳ９４でＹＥＳ）には、ステップＳ９５の処理に進み、復調できなかった場合（ステップＳ９４でＮＯ）には、ステップＳ９０の処理に戻る。
【０１２０】
次に、第２制御部１２５は、第２復調部１２１がフレームロックした場合には、第２復調部１２１からＭＦストリームが第２デマルチプレクス部１２２に出力されている可能性が高いので、第２デマルチプレクス部１２２にＣＩＴを取得するよう指示を出す（ステップＳ９５）。
【０１２１】
次に、第２制御部１２５は、第２デマルチプレクス部１２２でＣＩＴを取得することができたか否かを判断する（ステップＳ９６）。そして、第２制御部１２５は、ＣＩＴを取得することができた場合（ステップＳ９６でＹＥＳ）には、ステップＳ９７の処理に進み、ＣＩＴを取得することができなかった場合（ステップＳ９６でＮＯ）には、ステップＳ９０の処理に戻る。
【０１２２】
ステップＳ９７では、第２制御部１２５は、ＣＩＴから抽出したサービスの選局情報を、第２記憶部１２４の第２サービスリスト格納部１２４Ａに格納されている第２サービスリストに登録する。
【０１２３】
上記のように、第２制御部１２５は、第１スキャン用チャンネルリストにチャンネル番号が登録されている物理チャンネルに対してのみチャンネルスキャンを実行する。言い換えると、第２制御部１２５は、第１フェーズのＤＴＭＢのチャンネルスキャンの結果、必要な電力はあるがＤＴＭＢとしては復調できなかった電波が受信された物理チャンネルだけを、第１フェーズのＤＴＭＢのチャンネルスキャンで第１制御部１１５が担当した全ての物理チャンネルの代わりに、この第２フェーズにおけるＣＭＭＢのチャンネルスキャンにおいてスキャンするようにしているため、効率的なチャンネルスキャンを行うことができる。
【０１２４】
図１０のステップＳ９３における、第２閾値による受信レベルの評価は、第２チューナ部１２０で行っているが、第２制御部１２５が、第２チューナ部１２０から受信チャンネルＬで受信された電波の受信レベルを取得して、第２閾値と比較して、評価を行うようにしてもよい。
また、図１０のステップＳ９５〜Ｓ９７で行われる、ＣＩＴを取得して、選局情報を第２サービスリストに登録する処理は、図１０に示されているタイミングで実行してもよく、また、全てのチャンネルスキャンが完了した後に、全サービスに対してまとめて実行してもよい。
【０１２５】
図１１は、第１制御部１１５が行う、第３フェーズのＤＴＭＢのチャンネルスキャンのサブルーチンを示すフローチャートである。第１放送方式であるＤＴＭＢの帯域は１３チャンネルから５６チャンネルまであるため、第１制御部１１５は、第２フェーズのチャンネルスキャンで完了している４８チャンネルよりも後の、４９チャンネルから５６チャンネルまでのチャンネルスキャンを第３フェーズのＤＴＭＢのチャンネルスキャンとして実行する。
【０１２６】
第１制御部１１５は、４９チャンネルから昇順でチャンネルスキャンを行うため、チャンネルスキャンを行う物理チャンネルを示す変数としての受信チャンネルＭに、初期値としてチャンネル番号「４９」をセットする（ステップＳ１００）。
【０１２７】
次に、第１制御部１１５は、既に５６チャンネルまでチャンネルスキャンが実施済みか否かを判断する（ステップＳ１０１）。例えば、第１制御部１１５は、チャンネルスキャンを行おうとしている受信チャンネルＭが、チャンネルスキャンを行う最大の物理チャンネル番号である「５６」を超えているか否かにより、この判断を行う。そして、第１制御部１１５は、未だ５６チャンネルまでチャンネルスキャンが実施済みではない場合（ステップＳ１０１でＮＯ）には、ステップＳ１０２の処理に進み、既に５６チャンネルまでチャンネルスキャン実施済みである場合（ステップＳ１０１でＹＥＳ）には、図５のステップＳ２５の処理に進む。
【０１２８】
ステップＳ１０２では、第１制御部１１５は、第１チューナ部１１０に受信チャンネルＭで示される物理チャンネルに対応する周波数にチューニングするように指示を出す。
【０１２９】
次に、第１制御部１１５は、チューニングした受信チャンネルＭで受信された電波の受信レベルが第１閾値よりも大きいか否かを判断する（ステップＳ１０３）。例えば、第１制御部１１５は、第１チューナ部１１０より、電波の受信レベルが第１閾値よりも大きいか否かの判定結果の通知を受けることにより、この判断を行う。そして、第１制御部１１５は、受信チャンネルＭで受信された電波の受信レベルが第１閾値よりも大きい場合（ステップＳ１０３でＹＥＳ）には、ステップＳ１０４の処理に進み、受信チャンネルＭで受信された電波の受信レベルが第１閾値以下である場合（ステップＳ１０３でＮＯ）には、ステップＳ１０８の処理に進む。
【０１３０】
ステップＳ１０４では、第１制御部１１５は、第１復調部１１１が、第１チューナ部１１０で受信された受信チャンネルＭの電波から生成された電気信号を復調できたか否かを判断する。例えば、第１制御部１１５は、第１復調部１１１より、電気信号に対して復調処理を行い、フレームロックをすることができたか否かの結果の通知を受けることにより、この判断を行う。そして、第１制御部１１５は、復調できた場合（ステップＳ１０４でＹＥＳ）には、ステップＳ１０５の処理に進み、復調できなかった場合（ステップＳ１０４でＮＯ）には、ステップＳ１０８の処理に進む。
【０１３１】
次に、第１制御部１１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ１０５）。
【０１３２】
次に、第１制御部１１５は、第１デマルチプレクス部１１２でＳＩを取得することができたか否かを判断する（ステップＳ１０６）。そして、第１制御部１１５は、ＳＩを取得することができた場合（ステップＳ１０６でＹＥＳ）には、ステップＳ１０７の処理に進み、ＳＩを取得することができなかった場合（ステップＳ１０６でＮＯ）には、ステップＳ１０８の処理に進む。
【０１３３】
ステップＳ１０７では、第１制御部１１５は、ＳＩから抽出したサービスの選局情報を、第１記憶部１１４の第１サービスリスト格納部１１４Ａに格納されている第１サービスリストに登録する。
【０１３４】
次に、第１制御部１１５は、物理チャンネルのチャンネルスキャンを昇順で行うため、受信チャンネルＭに１をプラスして（ステップＳ１０８）、ステップＳ１０１の処理に戻る。
【０１３５】
上記のように、第１制御部１１５による第３フェーズにおけるＤＴＭＢのチャンネルスキャンは、物理チャンネルのチャンネル番号「４９」から昇順に実施されていく。そして、第１制御部１１５は、ステップＳ１０１でチャンネルスキャンを行おうとしている受信チャンネルＭが既に最大のチャンネル番号である「５６」を超えていると判断した場合には、第３フェーズにおけるＤＴＭＢのチャンネルスキャンを終了する。
【０１３６】
図１１のステップＳ１０３において、第１閾値による受信レベルの評価は、第１チューナ部１１０で行っているが、第１制御部１１５が、第１チューナ部１１０から受信チャンネルＭで受信された電波の受信レベルを取得して、第１閾値と比較して、評価を行うようにしてもよい。
また、図１１のステップＳ１０５〜Ｓ１０７で行われる、ＳＩを取得して、選局情報を第１サービスリストに登録する処理は、図１１に示されているタイミングで実行してもよく、また、全てのチャンネルスキャンが完了した後に、全サービスに対してまとめて実行してもよい。
【０１３７】
図１２は、デジタル放送受信装置１００で行われるチャンネルスキャンを説明するための概略図である。図１２では、向かって左から右に時間が進み、ＤＴＭＢのチャンネルスキャンとＣＭＭＢのチャンネルスキャンとが同時に開始されたときの様子が示されている。第１フェーズのチャンネルスキャンには、第１フェーズのＤＴＭＢのチャンネルスキャン及び第１フェーズのＣＭＭＢのチャンネルスキャンが含まれ、第２フェーズのチャンネルスキャンには、第２フェーズのＤＴＭＢのチャンネルスキャン及び第２フェーズのＣＭＭＢのチャンネルスキャンが含まれ、第３フェーズのチャンネルスキャンには、第３フェーズのＤＴＭＢのチャンネルスキャンが含まれる。
【０１３８】
ＤＴＭＢのチャンネルスキャンは、第１フェーズのＤＴＭＢのチャンネルスキャン、第２フェーズのＤＴＭＢのチャンネルスキャン、及び第三フェーズのＤＴＭＢのチャンネルスキャンの順で、チャンネルスキャンが実行される。一方、ＣＭＭＢのチャンネルスキャンは、第１フェーズのＣＭＭＢのチャンネルスキャン、第２フェーズのＣＭＭＢのチャンネルスキャンの順で、チャンネルスキャンが実行される。
【０１３９】
第１フェーズのＤＴＭＢのチャンネルスキャンでは、１３チャンネルから昇順にチャンネルスキャンが行われ、第１フェーズのＣＭＭＢのチャンネルスキャンでは、４８チャンネルから降順にチャンネルスキャンが行われる。そして、第１フェーズのＤＴＭＢのチャンネルスキャンが３０チャンネル、第１フェーズのＣＭＭＢのチャンネルスキャンが３１チャンネルまで行われたときに、第１フェーズの各々のチャンネルスキャンの終了条件（図７のステップＳ４１、図８のステップＳ６１）が成立し、第１フェーズの各々のチャンネルスキャンが終了している。
【０１４０】
この第１フェーズのＤＴＭＢのチャンネルスキャンでは、第１制御部１１５は、１４チャンネルにおいて、電波の受信レベルが第２閾値よりも大きかったが、フレームロックせず復調できなかったため、受信された電波がＤＴＭＢの放送波ではなかったと判断し、第１スキャン用チャンネルリストに１４チャンネルを登録している（図７のステップＳ５１）。
【０１４１】
一方、第１フェーズのＣＭＭＢのチャンネルスキャンでは、第２制御部１２５は、４６チャンネルにおいて、電波の受信レベルが第１閾値よりも大きかったが、フレームロックせず復調できなかったため、受信された電波がＣＭＭＢの放送波ではなかったと判断し、第２スキャン用チャンネルリストに４６チャンネルを登録している（図８のステップＳ７１）。
【０１４２】
次に、第２フェーズのＤＴＭＢのチャンネルスキャン及び第２フェーズのＣＭＭＢのチャンネルスキャンでは、互いに他方の第１フェーズのチャンネルスキャンで、電波の受信レベルが予め定められた閾値よりも大きいが、この電波から生成された電気信号を復調できなかったチャンネルのみのチャンネルスキャンが行われている。言い換えると、第２フェーズのＤＴＭＢのチャンネルスキャンでは、第１フェーズのＣＭＭＢのチャンネルスキャンで、電波の受信レベルは第１閾値よりも大きいが、この電波による電気信号を復調できなかった４６チャンネルのみがチャンネルスキャンされる。そして、この４６チャンネルがＤＴＭＢの放送波を送信している場合には、第１復調部１１１で復調を行うことができ、第１制御部１１５は選局情報を抽出し第１サービスリストに登録する。
同様に、第２フェーズのＣＭＭＢのチャンネルスキャンでは、第１フェーズのＤＴＭＢのチャンネルスキャンで、電波の受信レベルは第２閾値よりも大きいが、この電波による電気信号を復調できなかった１４チャンネルのみがチャンネルスキャンされる。そして、この１４チャンネルがＣＭＭＢの放送波を送信している場合には、第２復調部１２１で復調を行うことができ、第２制御部１２５は選局情報を抽出し第２サービスリストに登録する。
このように第２フェーズの各々のチャンネルスキャンの特徴は、他方の放送方式の第１フェーズのチャンネルスキャンで検出された、電波の受信レベルは所定の閾値よりも大きいが、この電波による電気信号を復調できなかったチャンネルのみに対してチャンネルスキャンを行うことにある。
【０１４３】
以上でＣＭＭＢのチャンネルスキャンについては終了し、ＤＴＭＢのチャンネルスキャンについては、さらに第３フェーズのＤＴＭＢのチャンネルスキャンが行われる。
【０１４４】
第１フェーズ及び第２フェーズの各々のチャンネルスキャンの実行により、１３チャンネルから４８チャンネルまでのチャンネルは、少なくとも１回は、ＤＴＭＢ及びＣＭＭＢの何れかのチャンネルスキャンにおいて選局される。第３フェーズのＤＴＭＢのチャンネルスキャンでは、未だ選局されていない４９チャンネルから５６チャンネルまでのチャンネルスキャンが行われる。５６チャンネルまでのチャンネルスキャンが完了すると、全体のチャンネルスキャンは完了となる。
【０１４５】
上記のように、実施の形態１に係るデジタル放送受信装置１００は、互いに異なる複数の放送方式に対応したチューナ部、復調部及びデマルチプレクス部をそれぞれ備え、チャンネルスキャンを行う際に、各々の放送方式のチャンネルスキャンを並行して実行するようにしたので、チャンネルスキャンに要する時間を短縮できる。
【０１４６】
また、実施の形態１に係るデジタル放送受信装置１００においては、第１制御部１１５及び第２制御部１２５は、第１フェーズのチャンネルスキャンで、ＤＴＭＢが使用する周波数帯とＣＭＭＢが使用する周波数帯とが重複する範囲に含まれているチャンネルを、重ならないように分担してチャンネルスキャンを実行する。また、第１制御部１１５及び第２制御部１２５は、第１フェーズのチャンネルスキャンの過程で、電波の受信レベルは予め定められた閾値よりも大きいが、この電波による電気信号を復調できなかった物理チャンネルのチャンネル番号を記録する。そして、第１制御部１１５及び第２制御部１２５は、第２フェーズのチャンネルスキャンにおいて、互いに他方により記録されたチャンネル番号のチャンネルのみに対してチャンネルスキャンを行うようにしたので、第１制御部１１５及び第２制御部１２５が、単純に全チャンネルをそれぞれチャンネルスキャンする場合と比べて、最大で約１／２程度のチャンネルスキャン時間の短縮効果がある。
【０１４７】
また、実施の形態１に係るデジタル放送受信装置１００においては、放送方式毎にチューナ部が備えられており、これらのチューナ部には、自身が対応している放送方式のサービスの視聴が可能な最低の受信レベルである一の閾値と、他方の放送方式のサービスの視聴が可能な受信レベルである他の閾値とが設定されている。そして、各チューナ部は、自身が対応している放送方式のサービスの視聴に必要な受信レベルを満たしているか否かを判定するだけでなく、他の閾値を用いて他方の放送方式についてもサービスの視聴に必要な受信レベルを満たしているか否かの判定を行うようにしている。このため、一方の放送方式のチャンネルスキャンにおいて、同一帯域において、他方の放送方式の放送が行われている可能性があり、他方の放送を安定して受信することのできる物理チャンネルのチャンネル番号を検出しておくことができる。従って、他方の放送方式のチャンネルスキャンで既にチャンネルスキャンが実行された物理チャンネルに対しては、再度受信レベルを調べる手間を省くことができる。このような手間を省くことで、チャンネルスキャン時間を短縮することができる。このため、例えば、図９のステップＳ８３及び図１０のステップＳ９３の処理を省略することができる。
なお、固定機向け放送であるＤＴＭＢの受信可能な受信レベルの閾値と、モバイル機器向けの放送であるＣＭＭＢの受信可能な受信レベルの閾値とでは、後者の方の受信レベルが低いレベルとなっているので、このような２種類の閾値で判断することにより、正確に他方の放送を受信することができるか否かを判定することができる。
【０１４８】
また、同一の放送方式を受信するチューナ部及び復調部を２系統備え、チャンネルスキャン帯域を２分割して、並行してチャンネルスキャンする従来技術に比べ、実施の形態１に係るデジタル放送受信装置１００では、同一の放送方式を受信するチューナ部及び復調部はそれぞれ１つであり、互いに異なる放送方式に対応した第１制御部１１５及び第２制御部１２５が連携してチャンネルスキャンを行うため、効率的にそれぞれのチャンネルスキャンを実行して、チャンネルスキャン時間を短くすることができる。
【０１４９】
また、実施の形態１に係るデジタル放送受信装置１００では、第１閾値及び第２閾値を各々の放送方式のサービスが受信できる最低の受信レベルとしたので、サービスの視聴ができない可能性の高い受信レベルの物理チャンネルを、第２フェーズのチャンネルスキャンの候補から除外でき、第２フェーズの各々のチャンネルスキャンにかかる時間を短縮することができる。
【０１５０】
また、通常、各放送方式にて運用される各変調方式は複数有り、各変調方式に依存してサービスを安定して受信することができる最小受信レベルは異なる。ある物理チャンネルで使用されている変調方式は放送波を受信しないとわからないため、閾値として用いる受信レベルは想定される変調方式のうち最も小さな最小受信レベルの値とすれば、チャンネルスキャンで生成されたサービスリストは、受信することのできるサービスに抜けのない確実なものになる。
【０１５１】
実施の形態２．
図１３は、実施の形態２に係るデジタル放送受信装置２００の構成を概略的に示すブロック図である。図１３に示されるように、デジタル放送受信装置２００は、第１チューナ部１１０と、第１復調部１１１と、第１デマルチプレクス部１１２と、第１デコード部１１３と、第１記憶部１１４と、第１制御部１１５と、第２チューナ部１２０と、第２復調部１２１と、第２デマルチプレクス部１２２と、第２デコード部１２３と、第２記憶部１２４と、第２制御部１２５と、映像切替部１３０と、映像合成部１３１と、音声切替部１３２と、入力部１３３と、ＵＩＦ処理部２３４とを備える。実施の形態２に係るデジタル放送受信装置２００は、ＵＩＦ処理部２３４での処理において、実施の形態１に係るデジタル放送受信装置１００と異なっている。
【０１５２】
ＵＩＦ処理部２３４は、実施の形態１と同様に、入力部１３３からの操作信号を受信し、デジタル放送受信装置２００の各部に、この操作信号に対応する指示を行う。また、ＵＩＦ処理部２３４は、実施の形態１と同様に、入力部１３３から、第１サービスリスト一覧画面又は第２サービスリスト一覧画面を表示する操作信号を受信した場合には、第１サービスリスト格納部１１４Ａに格納されている第１サービスリスト又は第２サービスリスト格納部１２４Ａに格納されている第２サービスリストを取得して、取得したリストから第１サービスリスト一覧画面又は第２サービスリスト一覧画面の画面信号を生成する。そして、ＵＩＦ処理部２３４は、生成した画面信号を、第１記憶部１１４又は第２記憶部１２４を介して、映像合成部１３１に与える。
さらに、ＵＩＦ処理部２３４は、実施の形態１とは異なり、第１の放送方式のチャンネルスキャンが完了したときに、第１サービスリスト格納部１１４Ａに格納されている第１サービスリストに格納されている第２サービスリストを取得して、取得したリストから第１サービスリスト一覧画面の画面信号を生成する。そして、ＵＩＦ処理部２３４は、生成した画面信号を、第１記憶部１１４を介して、映像合成部１３１に与える。
さらにまた、ＵＩＦ処理部２３４は、実施の形態１とは異なり、第２の放送方式のチャンネルスキャンが完了したときに、第２サービスリスト格納部１２４Ａに格納されている第２サービスリストを取得して、取得したリストから第２サービスリスト一覧画面の画面信号を生成する。そして、ＵＩＦ処理部２３４は、生成した画面信号を、第２記憶部１２４を介して、映像合成部１３１に与える。
【０１５３】
図１４は、ユーザの操作によりチャンネルスキャンが選択されたときに、ＵＩＦ処理部２３４が行う処理を示すフローチャートである。
【０１５４】
ＵＩＦ処理部２３４は、入力部１３３からチャンネルスキャン要求を示す操作信号を受信すると、第１制御部１１５にチャンネルスキャン開始を通知する（ステップＳ１１０）。第１制御部１１５が実行するＤＴＭＢのチャンネルスキャンは、実施の形態１で説明したものと同様である。
【０１５５】
次に、ＵＩＦ処理部２３４は、第２制御部１２５にチャンネルスキャン開始を通知する（ステップＳ１１１）。第２制御部１２５が実行するＣＭＭＢのチャンネルスキャンは、実施の形態１で説明したものと同様である。
【０１５６】
次に、ＵＩＦ処理部２３４は、第２制御部１２５より、ＣＭＭＢのチャンネルスキャンが完了したことを示す通知を受けたか否かを判断する（ステップＳ１１２）。そして、ＵＩＦ処理部２３４は、ＣＭＭＢのチャンネルスキャンが完了したことを示す通知を受けた場合（ステップＳ１１２でＹＥＳ）には、ステップＳ１１３の処理に進み、ＣＭＭＢのチャンネルスキャンが完了したことを示す通知を受けていない場合（ステップＳ１１２でＮＯ）には、ステップＳ１１６の処理に進む。
【０１５７】
ステップＳ１１３では、ＵＩＦ処理部２３４は、第２サービスリスト格納部１２４Ａに格納されている第２サービスリストを取得して、第２サービスリスト一覧画面の画面信号を生成し、この画面信号を映像合成部１３１に与えて、表示部１５２に表示させる。
ステップＳ１１３での処理と並行して、第１制御部１１５は、チャンネルスキャンが終了していない物理チャンネルについて、チャンネルスキャンを実行する。ここでは、例えば、第１制御部１１５は、第３フェーズのＤＴＭＢのチャンネルスキャンとして、４９チャンネルから５６チャンネルまでのチャンネルスキャンを実行する。
なお、ＵＩＦ処理部２３４は、第２サービスリスト一覧画面に表示されたサービスに対して、ユーザから選局操作があったときは、第２制御部１２５、映像切替部１３０及び音声切替部１３２に指示を出すことにより、ＣＭＭＢサービスの選択、デコード及び表示を行わせる。
【０１５８】
次に、ＵＩＦ処理部２３４は、第１制御部１１５より、ＤＴＭＢのチャンネルスキャンが完了したことを示す通知を受けるまで待機する（ステップＳ１１４）。ＵＩＦ処理部２３４は、ＤＴＭＢのチャンネルスキャンが完了したことを示す通知を受けた場合（ステップＳ１１４でＹＥＳ）には、ステップＳ１１５の処理に進む。
【０１５９】
ステップＳ１１５では、ＵＩＦ処理部２３４は、第１サービスリストの生成完了のメッセージを示す画面信号を生成し、この画面信号を映像合成部１３１に与えて、表示部１５２に表示させる。なお、このようなメッセージは、既にＣＭＭＢのサービスの表示が行われている場合には、ＯＳＤ（Ｏｎ−Ｓｃｒｅｅｎ  Ｄｉｓｐｌａｙ）により、ＣＭＭＢサービスの画面よりも小さく表示され、また、第２サービスリストの表示が行われている場合には、第１サービスリスト表示の選択を可能にする表示とともに表示される。
【０１６０】
一方、ステップＳ１１２において、ＣＭＭＢのチャンネルスキャンが完了したことを示す通知を受けていない場合（ステップＳ１１２でＮＯ）には、ＵＩＦ処理部２３４は、ステップＳ１１６の処理に進む。
【０１６１】
ステップＳ１１６では、ＵＩＦ処理部２３４は、第１制御部１１５より、ＤＴＭＢのチャンネルスキャンが完了したことを示す通知を受けたか否かを判断する。そして、ＵＩＦ処理部２３４は、ＤＴＭＢのチャンネルスキャンが完了したことを示す通知を受けた場合（ステップＳ１１６でＹＥＳ）には、ステップＳ１１７の処理に進み、ＤＴＭＢのチャンネルスキャンが完了したことを示す通知を受けていない場合（ステップＳ１１６でＮＯ）には、ステップＳ１１２の処理に戻る。ここで、ＣＭＭＢのチャンネルスキャンの対象帯域のほうが、ＤＴＭＢのチャンネルスキャンの対象帯域よりも狭いため、通常、ステップＳ１１２からＳ１１５の処理が行われるが、ＤＴＭＢの方がＣＭＭＢよりも早くチャンネルスキャンが完了した場合には、ステップＳ１１２からＳ１１９の処理が行われる。
【０１６２】
ステップＳ１１７では、ＵＩＦ処理部２３４は、第１サービスリスト格納部１１４Ａに格納されている第１サービスリストを取得して、第１サービスリスト一覧画面の画面信号を生成し、この画面信号を映像合成部１３１に与えて、表示部１５２に表示させる。なお、ＵＩＦ処理部２３４は、第１サービスリスト一覧画面に表示されたサービスに対して、ユーザから選局操作があったときは、第１制御部１１５、映像切替部１３０及び音声切替部１３２に指示を出すことにより、ＤＴＭＢサービスの選択、デコード及び表示を行わせる。
【０１６３】
次に、ＵＩＦ処理部２３４は、第２制御部１２５より、ＣＭＭＢのチャンネルスキャンが完了したことを示す通知を受けるまで待機する（ステップＳ１１８）。ＵＩＦ処理部２３４は、ＣＭＭＢのチャンネルスキャンが完了したことを示す通知を受けた場合（ステップＳ１１８でＹＥＳ）には、ステップＳ１１９の処理に進む。
【０１６４】
ステップＳ１１９では、ＵＩＦ処理部２３４は、第２サービスリストの生成完了のメッセージを示す画面信号を生成し、この画面信号を映像合成部１３１に与えて、表示部１５２に表示させる。このようなメッセージは、既にＤＴＭＢのサービスの表示が行われている場合には、ＯＳＤにより、ＤＴＭＢサービスの画面よりも小さく表示され、また、第１サービスリストの表示が行われている場合には、第２サービスリスト表示の選択を可能にする表示とともに表示される。
【０１６５】
上記のように、実施の形態２に係るデジタル放送受信装置２００では、ＤＴＭＢとＣＭＭＢのチャンネルスキャンの内、先に完了した方のサービスリストを、他方のチャンネルスキャンが完了する前に、表示部１５２に表示させて、サービスの選択を行うことができるようにしているため、ユーザの待ち時間を短縮することができる。
【０１６６】
実施の形態３．
図１５は、実施の形態３に係るデジタル放送受信装置３００の構成を概略的に示すブロック図である。図１５に示されるように、デジタル放送受信装置３００は、第１チューナ部１１０と、第１復調部１１１と、第１デマルチプレクス部１１２と、第１デコード部１１３と、第１記憶部３１４と、第１制御部３１５と、第２チューナ部１２０と、第２復調部１２１と、第２デマルチプレクス部１２２と、第２デコード部１２３と、第２記憶部３２４と、第２制御部３２５と、映像切替部１３０と、映像合成部１３１と、音声切替部１３２と、入力部１３３と、ＵＩＦ処理部３３４と、第３チューナ部３６０と、第３復調部３６１と、第３デマルチプレクス部３６２と、第３制御部３６３と、第４チューナ部３７０と、第４復調部３７１と、第４デマルチプレクス部３７２と、第４制御部３７３とを備える。実施の形態３に係るデジタル放送受信装置３００は、第１制御部３１５及び第２制御部３２５での制御の点、第１記憶部３１４及び第２記憶部３２４に記憶されている情報の点、並びに、第３チューナ部３６０、第３復調部３６１、第３デマルチプレクス部３６２、第３制御部３６３、第４チューナ部３７０、第４復調部３７１、第４デマルチプレクス部３７２及び第４制御部３７３をさらに備える点において、実施の形態１に係るデジタル放送受信装置１００と異なっている。なお、第３チューナ部３６０には第３アンテナ３５４が接続されており、第３アンテナ３５４、第３チューナ部３６０、第３復調部３６１、第３デマルチプレクス部３６２及び第３制御部３６３は、第１放送方式としてのＤＴＭＢ方式の放送のチャンネルスキャンを行うＤＴＭＢ系統である。また、第４チューナ部３７０には第４アンテナ３５５が接続されており、第４アンテナ３５５、第４チューナ部３７０、第４復調部３７１、第４デマルチプレクス部３７２及び第４制御部３７３は、第２放送方式としてのＣＭＭＢ方式の放送のチャンネルスキャンを行うＣＭＭＢ系統である。
【０１６７】
第１記憶部３１４は、第１放送方式及び第２放送方式のチャンネルをスキャンするために必要な情報、及び、第１放送方式で放送されるサービスを受信するために必要な情報が記憶される。
図１６は、第１記憶部３１４の構成を概略的に示すブロック図である。図１６に示されるように、第１記憶部３１４は、第１サービスリスト格納部１１４Ａと、第１スキャン用チャンネルリスト格納部１１４Ｂと、第１チャンネルスキャン実施済みリスト格納部１１４Ｃと、第３スキャン用チャンネルリスト格納部３１４Ｄと、第３チャンネルスキャン実施済みリスト格納部３１４Ｅとを備える。実施の形態３に係る第１記憶部３１４は、第３スキャン用チャンネルリスト格納部３１４Ｄ及び第３チャンネルスキャン実施済みリスト格納部３１４Ｅを備える点において、実施の形態１に係る第１記憶部１１４と異なっている。
【０１６８】
第３スキャン用チャンネルリスト格納部３１４Ｄは、チャンネルスキャン時に、第３チューナ部３６０で受信された電波が予め定められた閾値よりも大きな受信電力はあるが、この電波から生成された電気信号を第３復調部３６１で復調できなかった（フレームロックできなかった）物理チャンネルを識別するための識別情報（ここでは、チャンネル番号）のリストである第３スキャン用チャンネルリストを格納する。例えば、第３スキャン用チャンネルリストは、第１放送方式であるＤＴＭＢのチャンネルスキャンを実施した物理チャンネルにおいて受信された電波が、第２閾値よりも大きく、かつ、第３復調部３６１で、この電波から生成された電気信号を復調できなかった場合に、このような物理チャンネルのチャンネル番号が登録されたものである。
【０１６９】
第３チャンネルスキャン実施済みリスト格納部３１４Ｅは、第３チューナ部３６０、第３復調部３６１、第３デマルチプレクサ部３６２及び第３制御部３６３でチャンネルスキャンが既に行われた物理チャンネルを識別するための識別情報（ここでは、チャンネル番号）のリストである第３チャンネルスキャン実施済みリストが記憶される。
【０１７０】
図１５を再度参照すると、第１制御部３１５は、第１放送方式のチャンネルをスキャンする処理、及び、第１放送方式の放送を受信する処理を制御する。例えば、第１制御部３１５は、第１フェーズ、第２フェーズ及び第３フェーズのＤＴＭＢのチャンネルスキャンを行う。第１フェーズのＤＴＭＢのチャンネルスキャンでは、第１制御部３１５は、第１放送方式の放送で使用されている周波数帯と第２放送方式の放送で使用されている周波数帯とが重複している範囲に含まれている物理チャンネルの内、未だ第２制御部３２５及び第４制御部３７３でチャンネルスキャンの対象とはされていない物理チャンネルについて、第３制御部３６３と分担して、予め定められた第１順番でチャンネルスキャンを行う。第２フェーズのＤＴＭＢのチャンネルスキャンでは、第１制御部３１５は、第２制御部３２５及び第４制御部３７３で、必要な受信電力はあるが第２放送方式として復調することができないと判断された物理チャンネルについて、第３制御部３６３と分担して、チャンネルスキャンを行う。第３フェーズのＤＴＭＢのチャンネルスキャンでは、第１制御部３１５は、第１放送方式の放送で使用されている周波数帯に含まれる物理チャンネルの内、第１放送方式の放送で使用されている周波数帯と第２放送方式の放送で使用されている周波数帯とが重複している範囲に含まれていない物理チャンネルについて、第３制御部３６３と分担して、チャンネルスキャンを行う。
【０１７１】
また、第１制御部３１５は、第１デマルチプレクス部１１２より与えられた第１データ（ＰＳＩ及びＳＩ）より、選局情報を抽出し、抽出した選局情報を第１記憶部３１４の第１サービスリスト格納部１１４Ａに格納されている第１サービスリストに登録する処理を行う。
【０１７２】
第２記憶部３２４は、第２放送方式及び第１放送方式の放送をスキャンして、受信するために必要な情報が記憶される。
図１７は、第２記憶部３２４の構成を概略的に示すブロック図である。図１７に示されるように、第２記憶部３２４は、第２サービスリスト格納部１２４Ａと、第２スキャン用チャンネルリスト格納部１２４Ｂと、第２チャンネルスキャン実施済みリスト格納部１２４Ｃと、第４スキャン用チャンネルリスト格納部３２４Ｄと、第４チャンネルスキャン実施済みリスト格納部３２４Ｅとを備える。実施の形態３に係る第２記憶部３２４は、第４スキャン用チャンネルリスト格納部３２４Ｄ及び第４チャンネルスキャン実施済みリスト格納部３２４Ｅを備える点において、実施の形態１に係る第２記憶部１２４と異なっている。
【０１７３】
第４スキャン用チャンネルリスト格納部３２４Ｄは、チャンネルスキャン時に、第４チューナ部３７０で受信された電波が予め定められた閾値よりも大きな受信電力はあるが、この電波から生成された電気信号を第４復調部３７１で復調できなかった（フレームロックできなかった）物理チャンネルを識別するための識別情報（ここでは、チャンネル番号）のリストである第４スキャン用チャンネルリストを格納する。例えば、第４スキャン用チャンネルリストは、第２放送方式であるＣＭＭＢのチャンネルスキャンを実施した物理チャンネルにおいて受信された電波が、第１閾値よりも大きく、かつ、この電波から生成された電気信号を第２復調部１２１で復調できなかった場合に、そのような物理チャンネルのチャンネル番号を登録したものである。
【０１７４】
第４チャンネルスキャン実施済みリスト格納部３２４Ｅは、第４チューナ部３７０、第４復調部３７１、第４デマルチプレクサ部３７２及び第４制御部３７３でチャンネルスキャンが既に行われた物理チャンネルを識別するための識別情報（ここでは、チャンネル番号）のリストである第４チャンネルスキャン実施済みリストが記憶される。
【０１７５】
図１５を再度参照すると、第２制御部３２５は、第２放送方式のチャンネルをスキャンする処理、及び、第２放送方式の放送を受信する処理を制御する。例えば、第２制御部３２５は、第１フェーズ及び第２フェーズのＣＭＭＢのチャンネルスキャンを行う。第１フェーズのＣＭＭＢのチャンネルスキャンでは、第２制御部３２５は、第１放送方式の放送で使用されている周波数帯と第２放送方式の放送で使用されている周波数帯とが重複している範囲に含まれている物理チャンネルの内、未だ第１制御部３１５及び第３制御部３６３でチャンネルスキャンの対象とはされていない物理チャンネルについて、第４制御部３７３と分担して、予め定められた第２順番でチャンネルスキャンを行う。ここで、第２順番は、第１制御部３１５がチャンネルスキャンを制御する第１順番の逆の順番である。また、第２フェーズのＣＭＭＢのチャンネルスキャンでは、第２制御部３２５は、第１制御部３１５及び第３制御部３６３で必要な受信電力はあるが第１放送方式として復調することができないと判断された物理チャンネルについて、第４制御部３７３と分担して、チャンネルスキャンを行う。
【０１７６】
また、第２制御部３２５は、第２デマルチプレクス部１２２より与えられた第２データ（ＣＩＴ）より、選局情報を抽出し、抽出した選局情報を第２記憶部３２４の第２サービスリスト格納部１２４Ａに格納されている第２サービスリストに登録する処理を行う。
【０１７７】
ＵＩＦ処理部３３４は、入力部１３３からの操作信号を受信し、デジタル放送受信装置３００の各部に、この操作信号に対応する指示を行う。ここで、実施の形態３に係るＵＩＦ処理部３３４は、入力部１３３からチャンネルスキャン開始操作の操作信号を受信すると、第１制御部３１５、第２制御部３２５、第３制御部３６３及び第４制御部３７３にチャンネルスキャンの開始を通知する。また、ＵＩＦ処理部３３４は、入力部１３３から、第１サービスリスト一覧画面又は第２サービスリスト一覧画面を表示する操作信号を受信した場合には、第１サービスリスト格納部１１４Ａに格納されている第１サービスリスト又は第２サービスリスト格納部１２４Ａに格納されている第２サービスリストを取得して、取得したリストから第１サービスリスト一覧画面又は第２サービスリスト一覧画面の画面信号を生成する。そして、ＵＩＦ処理部３３４は、生成した画面信号を映像合成部１３１に与える。
【０１７８】
第３チューナ部３６０は、第３アンテナ３５４を介して電波を受信して、電気信号を生成し、第３復調部３６１に与える。第３チューナ部３６０は、チャンネルスキャンの際に、第３制御部３６３からの指示で指定された物理チャンネルの周波数にチューニングし、その物理チャンネルで受信された電波の受信レベルの判定結果を第３制御部３６３に通知する。
【０１７９】
第３復調部３６１は、第３チューナ部３６０より与えられた電気信号に対して、復調処理を行い、第１デジタル信号を生成し、第３デマルチプレクス部３６２に与える。この第１デジタル信号は、放送方式によりフォーマットが異なる。ここでは、第３復調部３６１より、ＤＴＭＢ方式のＴＳが第１デジタル信号として出力される。第３復調部３６１は、チャンネルスキャンの際に、第３チューナ部３６０より与えられた電気信号に対して復調処理を行い、フレームロックをすることができたか否かの結果を、第３制御部３６３に通知する。
【０１８０】
なお、第３アンテナ３５４を複数備え、第３チューナ部３６０及び第３復調部３６１が、これらのアンテナを介して受信した電波に対してダイバーシティ処理を行い１つのＴＳを出力するような構成としてもよい。
【０１８１】
第３デマルチプレクス部３６２は、復調された第１デジタル信号から、選局情報が格納されている第１データを分離して、分離した第１データを第３制御部３６３に与える。ここでは、第３デマルチプレクス部３６２は、第１データとしてＰＳＩ及びＳＩを分離し、第３制御部３６３に与える。
【０１８２】
第３制御部３６３は、第１放送方式のチャンネルをスキャンする処理、及び、第１放送方式の放送を受信する処理を制御する。例えば、第３制御部３６３は、第１フェーズ、第２フェーズ及び第３フェーズのＤＴＭＢのチャンネルスキャンを行う。第１フェーズのＤＴＭＢのチャンネルスキャンでは、第３制御部３６３は、第１放送方式の放送で使用されている周波数帯と第２放送方式の放送で使用されている周波数帯とが重複している範囲に含まれている物理チャンネルの内、未だ第２制御部３２５及び第４制御部３７３でチャンネルスキャンの対象とはされていない物理チャンネルについて、第１制御部３１５と分担して、予め定められた第１順番でチャンネルスキャンを行う。第２フェーズのＤＴＭＢのチャンネルスキャンでは、第３制御部３６３は、第２制御部３２５及び第４制御部３７３で必要な受信電力はあるが第２放送方式として復調することができないと判断された物理チャンネルについて、第１制御部３１５と分担して、チャンネルスキャンを行う。第３フェーズのＤＴＭＢのチャンネルスキャンでは、第３制御部３６３は、第１放送方式の放送で使用されている周波数帯に含まれる物理チャンネルの内、第１放送方式の放送で使用されている周波数帯と第２放送方式の放送で使用されている周波数帯とが重複している範囲に含まれていない物理チャンネルについて、第１制御部３１５と分担して、チャンネルスキャンを行う。
【０１８３】
また、第３制御部３６３は、第３デマルチプレクス部３６２より与えられた第１データ（ＰＳＩ及びＳＩ）より、選局情報を抽出し、抽出した選局情報を第１記憶部３１４の第１サービスリスト格納部１１４Ａに格納されている第１サービスリストに登録する処理を行う。
【０１８４】
第４チューナ部３７０は、第４アンテナ３５５を介して電波を受信して、電気信号を生成し、第４復調部３７１に与える。第４チューナ部３７０は、チャンネルスキャンの際に、第４制御部３７３からの指示で指定された物理チャンネルの周波数にチューニングし、その物理チャンネルで受信された電波の受信レベルの判定結果を第４制御部３７３に通知する。
【０１８５】
第４復調部３７１は、第４チューナ部３７０より与えられた電気信号に対して、復調処理を行い、第２デジタル信号を生成し、第４デマルチプレクス部３７２に与える。この第２デジタル信号は、放送方式によりフォーマットが異なる。ここでは、第４復調部３７１より、ＣＭＭＢ方式のＭＦが第２デジタル信号として出力される。第４復調部３７１は、チャンネルスキャンの際に、第４チューナ部３７０より与えられた電気信号に対して復調処理を行い、フレームロックをすることができたか否かの結果を、第４制御部３７３に通知する。
【０１８６】
なお、第４アンテナ３５５を複数備え、第４チューナ部３７０及び第４復調部３７１が、これらのアンテナを介して受信した電波に対してダイバーシティ処理を行い１つのＴＦストリームを出力するような構成としてもよい。
【０１８７】
第４デマルチプレクス部３７２は、復調された第２デジタル信号から、選局情報が格納されている第２データを分離して、分離した第２データを第４制御部３７３に与える。ここでは、第２デマルチプレクス部３７２は、第２データとしてＣＩＴを分離し、第４制御部３７３に与える。
【０１８８】
第４制御部３７３は、第２放送方式のチャンネルをスキャンする処理、及び、第２放送方式の放送を受信する処理を制御する。例えば、第４制御部３７３は、第１フェーズ及び第２フェーズのＣＭＭＢのチャンネルスキャンを行う。第１フェーズのＣＭＭＢのチャンネルスキャンでは、第４制御部３７３は、第１放送方式の放送で使用されている周波数帯と第２放送方式の放送で使用されている周波数帯とが重複している範囲に含まれている物理チャンネルの内、未だ第１制御部３１５及び第３制御部３６３でチャンネルスキャンの対象とはされていない物理チャンネルについて、第２制御部３２５と分担して、予め定められた第２順番でチャンネルスキャンを行う。ここで、第２順番は、第１制御部３１５がチャンネルスキャンを制御する第１順番の逆の順番である。第２フェーズのＣＭＭＢのチャンネルスキャンでは、第４制御部３７３は、第１制御部３１５及び第３制御部３６３で必要な受信電力はあるが第１放送方式として復調することができないと判断された物理チャンネルについて、第２制御部３２５と分担して、チャンネルスキャンを行う。
【０１８９】
また、第４制御部３７３は、第４デマルチプレクス部３７２より与えられた第２データ（ＣＩＴ）より、選局情報を抽出し、抽出した選局情報を第２記憶部３２４の第２サービスリスト格納部１２４Ａに格納されている第２サービスリストに登録する処理を行う。
【０１９０】
図１８は、ユーザの操作によりチャンネルスキャンが選択されたときに、ＵＩＦ処理部３３４が行う処理を示すフローチャートである。
【０１９１】
ＵＩＦ処理部３３４は、入力部１３３からチャンネルスキャン要求を示す操作信号を受信すると、第１制御部３１５にチャンネルスキャン開始を通知する（ステップＳ１２０）。
この通知を受けると、第１制御部３１５は、第１フェーズのＤＴＭＢのチャンネルスキャンを開始する。第１制御部３１５による第１フェーズのＤＴＭＢのチャンネルスキャンは、図７に示されたものとほぼ同様であるが、実施の形態３では、第１制御部３１５及び第３制御部３６３で、第１フェーズのＤＴＭＢのチャンネルスキャンを分担する。このため、第１制御部３１５は、図７のステップＳ４１において、第１記憶部３１４の第３チャンネルスキャン実施済みリスト格納部３１４Ｅに格納されている第３チャンネルスキャン実施済みリストに受信チャンネルＨが存在するか否かを判断する。
また、第１制御部３１５は、第１フェーズのＤＴＭＢのチャンネルスキャンが終了すると、第２フェーズのＤＴＭＢのチャンネルスキャンを開始する。第１制御部３１５による第２フェーズのＤＴＭＢのチャンネルスキャンは、図９に示されたフローとほぼ同様であるが、ステップＳ８０及びＳ８１において、第２スキャン用チャンネルリストの代わりに、第２記憶部３２４の第４スキャン用チャンネルリスト格納部３２４Ｄに格納されている第４スキャン用チャンネルリストを用いて処理を行う。
さらに、第１制御部３１５は、第２フェーズのＤＴＭＢのチャンネルスキャンが終了すると、第３フェーズのＤＴＭＢのチャンネルスキャンを開始する。第１制御部３１５による第３フェーズのＤＴＭＢのチャンネルスキャンは、図１１に示されたフローとほぼ同様であるが、実施の形態３では、第１制御部３１５及び第３制御部３６３で、第３フェーズのＤＴＭＢのチャンネルスキャンを分担する。例えば、第１制御部３１５は、４９チャンネルから５２チャンネルまでのチャンネルスキャンを行い、第３制御部３６３は、５３チャンネルから５６チャンネルまでのチャンネルスキャンを行う。このため、第１制御部３１５は、図１１のステップＳ１０１において、受信チャンネルＭが５２チャンネルよりも大きいか否かを判断し、受信チャンネルＭが５２チャンネルよりも大きい場合には、第３フェーズのＤＴＭＢのチャンネルスキャンを終了する。
【０１９２】
次に、ＵＩＦ処理部３３４は、第２制御部３２５にチャンネルスキャン開始を通知する（ステップＳ１２１）。
この通知を受けると、第２制御部３２５は、第１フェーズのＣＭＭＢのチャンネルスキャンを開始する。第２制御部３２５による第１フェーズのＣＭＭＢのチャンネルスキャンは、図８に示されたものとほぼ同様であるが、実施の形態３では、第２制御部３２５及び第４制御部３７３で、第１フェーズのＣＭＭＢのチャンネルスキャンを分担する。このため、第２制御部３２５は、図８のステップＳ６１において、第２記憶部３２４の第４チャンネルスキャン実施済みリスト格納部３２４Ｅに格納されている第４チャンネルスキャン実施済みリストに受信チャンネルＩが存在するか否かを判断する。
また、第２制御部３２５は、第１フェーズのＣＭＭＢのチャンネルスキャンが終了すると、第２フェーズのＣＭＭＢのチャンネルスキャンを開始する。第２制御部３２５による第２フェーズのＣＭＭＢのチャンネルスキャンは、図１０に示されたものとほぼ同様であるが、ステップＳ９０及びＳ９１において、第１スキャン用チャンネルリストの代わりに、第１記憶部３１４の第３スキャン用チャンネルリスト格納部３１４Ｄに格納されている第３スキャン用チャンネルリストを用いて処理を行う。
【０１９３】
次に、ＵＩＦ処理部３３４は、第３制御部３６３にチャンネルスキャン開始を通知する（ステップＳ１２２）。
この通知を受けると、第３制御部３６３は、第１フェーズのＤＴＭＢのチャンネルスキャンを開始する。第３制御部３６３による第１フェーズのＤＴＭＢのチャンネルスキャンは、図７に示されたものとほぼ同様であるが、実施の形態３では、第１制御部３１５及び第３制御部３６３で、第１フェーズのＤＴＭＢのチャンネルスキャンを分担し、例えば、第３制御部３６３は、２２チャンネル以降のチャンネルスキャンを行う。このため、第３制御部３６３は、図７のステップＳ４０において、受信チャンネルＨの初期値として「１３」の代わりに「２２」を設定し、また、図７のステップＳ４１において、第２記憶部３２４の第４チャンネルスキャン実施済みリスト格納部３２４Ｅに格納されている第４チャンネルスキャン実施済みリストに受信チャンネルＨが存在するか否かを判断する。
また、第３制御部３６３は、第１フェーズのＤＴＭＢのチャンネルスキャンが終了すると、第２フェーズのＤＴＭＢのチャンネルスキャンを開始する。第３制御部３６３による第２フェーズのＤＴＭＢのチャンネルスキャンは、図９に示されたものと同様である。
さらに、第３制御部３６３は、第２フェーズのＤＴＭＢのチャンネルスキャンが終了すると、第３フェーズのＤＴＭＢのチャンネルスキャンを開始する。第３制御部３６３による第３フェーズのＤＴＭＢのチャンネルスキャンは、図１１に示されたものとほぼ同様であるが、実施の形態３では、第１制御部３１５及び第３制御部３６３で、第３フェーズのＤＴＭＢのチャンネルスキャンを分担する。例えば、第１制御部３１５は、４９チャンネルから５２チャンネルまでのチャンネルスキャンを行い、第３制御部３６３は、５３チャンネルから５６チャンネルまでのチャンネルスキャンを行う。このため、第３制御部３６３は、図１１のステップＳ１００において、受信チャンネルＭの初期値として「４９」の代わりに「５３」を設定する。
【０１９４】
次に、ＵＩＦ処理部３３４は、第４制御部３７３にＣＭＭＢのチャンネルスキャン開始を通知する（ステップＳ１２３）。
【０１９５】
この通知を受けると、第４制御部３７３は、第１フェーズのＣＭＭＢのチャンネルスキャンを開始する。第４制御部３７３による第１フェーズのＣＭＭＢのチャンネルスキャンは、図８に示されたものとほぼ同様であるが、実施の形態３では、第２制御部３２５及び第４制御部３７３で、第１フェーズのＣＭＭＢのチャンネルスキャンを分担する。例えば、第４制御部３７３は、３９チャンネル以前のチャンネルスキャンを行う。このため、第４制御部３７３は、ステップＳ６０において、受信チャンネルＩの初期値として「４８」の代わりに「３９」を設定する。
また、第４制御部３７３は、第１フェーズのＣＭＭＢのチャンネルスキャンが終了すると、第２フェーズのＣＭＭＢのチャンネルスキャンを開始する。第４制御部３７３による第２フェーズのＣＭＭＢのチャンネルスキャンは、図１０に示されたものと同様である。
【０１９６】
上記のように、チャンネルスキャン開始の通知を第１制御部３１５、第２制御部３２５、第３制御部３６３及び第４制御部３７３に行うことで、第１制御部３１５及び第３制御部３６３の制御によるＤＴＭＢチャンネルスキャンと、第２制御部３２５及び第４制御部３７３の制御によるＣＭＭＢのチャンネルスキャンとが並行して行われる。
【０１９７】
そして、ＵＩＦ処理部３３４は、第１制御部３１５及び第３制御部３６３によるＤＴＭＢのチャンネルスキャンの完了通知、並びに第２制御部３２５及び第４制御部３７３によるＣＭＭＢのチャンネルスキャンの完了通知の全てを受けるまで待機する（ステップＳ１２４）。ＵＩＦ処理部３３４は、これらの通知を全て受ける（ステップＳ１２４でＹＥＳ）と、処理を終了する。なお、処理が終了した場合には、ＵＩＦ処理部３３４は、表示部１５２にチャンネルスキャン処理が終了したことを示す通知画面の映像信号を生成して、映像合成部１３１を介して、表示部１５２に出力し、表示部１５２にこのような画面を表示させてもよい。
【０１９８】
なお、図１８では、第１制御部３１５、第２制御部３２５、第３制御部３６３及び第４制御部３７３の順番で、チャンネルスキャンの開始を通知しているが、これらの順番は、どのような順番でもよい。
【０１９９】
図１９は、デジタル放送受信装置３００で行われるチャンネルスキャンを説明するための概略図である。図１９では、向かって左から右に時間が進み、ＤＴＭＢのチャンネルスキャンとＣＭＭＢのチャンネルスキャンとが同時に開始されたときの様子が示されている。第１フェーズのチャンネルスキャンには、第１フェーズのＤＴＭＢのチャンネルスキャン及び第１フェーズのＣＭＭＢのチャンネルスキャンが含まれ、第２フェーズのチャンネルスキャンには、第２フェーズのＤＴＭＢのチャンネルスキャン及び第２フェーズのＣＭＭＢのチャンネルスキャンが含まれ、第３フェーズのチャンネルスキャンには、第３フェーズのＤＴＭＢのチャンネルスキャンが含まれる。第１フェーズ、第２フェーズ及び第３フェーズのＤＴＭＢのチャンネルスキャンは、第１制御部３１５及び第３制御部３６３で分担して実行され、第１フェーズ及び第２フェーズのＣＭＭＢのチャンネルスキャンは、第２制御部３２５及び第４制御部３７３で分担して実行される。
【０２００】
まず、第１フェーズのＤＴＭＢのチャンネルスキャンでは、第１制御部３１５と第３制御部３６３が分担してチャンネルスキャンを行い、第１制御部３１５は、１３チャンネルから２１チャンネルまでを昇順にチャンネルスキャンを行い、第３制御部３６３は、２２チャンネルから３０チャンネルまでを昇順にチャンネルスキャンを行う。
一方、第１フェーズのＣＭＭＢのチャンネルスキャンでは、第２制御部３２５と第４制御部３７３が分担してチャンネルスキャンを行い、第２制御部３２５は、４８チャンネルから４０チャンネルまでを降順にチャンネルスキャンを行い、第４制御部３７３は、３９チャンネルから３１チャンネルまでを降順にチャンネルスキャンを行う。
そして、第１フェーズの各々のチャンネルスキャンでは、復調できないが受信電力が予め定められた閾値よりも大きかった物理チャンネルのチャンネル番号が、それぞれのスキャン用チャンネルリストに登録される。例えば、図１９に示すように、第１フェーズのＤＴＭＢのチャンネルスキャンでは、１４チャンネル及び２９チャンネルがそれぞれ登録される。一方、第１フェーズのＣＭＭＢのチャンネルスキャンでは、３７チャンネル及び４０チャンネルがそれぞれ登録される。
【０２０１】
次に第２フェーズの各々のチャンネルスキャンでは、間引きスキャンが行われる。第２フェーズのＤＴＭＢのチャンネルスキャンでは、第１フェーズのＣＭＭＢのチャンネルスキャンにおいて、必要な受信電力はあったが復調できなかった３７チャンネル及び４０チャンネルを第１制御部３１５及び第３制御部３６３が分担してチャンネルスキャンを行う。そして、例えば、図１９に示すように、第２フェーズのＤＴＭＢのチャンネルスキャンで、これらのチャンネルの電気信号が、ＤＴＭＢ信号であると認識されると、各々のチャンネルで取得された選局情報が第１サービスリストに登録される。
一方、第２フェーズのＣＭＭＢのチャンネルスキャンでは、第１フェーズのＤＴＭＢのチャンネルスキャンにおいて、必要な受信電力はあったが復調できなかった１４チャンネル及び２９チャンネルを第２制御部３２５及び第４制御部３７３が分担してチャンネルスキャンを行う。そして、例えば、図１９に示すように、第２フェーズのＣＭＭＢスキャンで、これらのチャンネルの電気信号が、ＣＭＭＢ信号であると認識されると、各々のチャンネルで取得された選局情報が第２サービスリストに登録される。
【０２０２】
実施の形態３では、第１チューナ部１１０、第１復調部１１１、第１デマルチプレクス部１１２及び第１制御部３１５と、第３チューナ部３６０、第３復調部３６１、第３デマルチプレクス部３６２及び第３制御部３６３との２つの系統でＤＴＭＢのチャンネルスキャンを分担して行い、これと並行して、第２チューナ部１２０、第２復調部１２１、第２デマルチプレクス部１２２及び第２制御部３２５と、第４チューナ部３７０、第４復調部３７１、第４デマルチプレクス部３７２及び第４制御部３７３との２つの系統でＣＭＭＢのチャンネルスキャンを分担して行っているが、ＤＴＭＢのチャンネルスキャンを１つの系統で実行し、ＣＭＭＢのチャンネルスキャンを２つの系統で分担して実行してもよく、また、ＤＴＭＢのチャンネルスキャンを２つの系統で分担して実行し、ＣＭＭＢのチャンネルスキャンを１つの系統で実行してもよい。これらの場合には、図１５に示すデジタル放送受信装置３００から、不要な構成（アンテナ、チューナ部、復調部、デマルチプレクス部及び制御部）が除かれる。
【０２０３】
上記のように、実施の形態３に係るデジタル放送受信装置３００では、第１フェーズ及び第３フェーズのＤＴＭＢのチャンネルスキャンを２つの制御部が分担して実行し、第１フェーズのＣＭＭＢのチャンネルスキャンを２つの制御部が分担して実行するようにしたので、実施の形態１と比べて、第１フェーズ及び第３フェーズのチャンネルスキャンをさらに１／２の時間で完了することができる。
また、実施の形態３に係るデジタル放送受信装置３００では、第２フェーズのＤＴＭＢのチャンネルスキャンを２つの制御部が分担して実行し、第２フェーズのＣＭＭＢのチャンネルスキャンを２つの制御部が分担して実行するようにしたので、第２フェーズのチャンネルスキャンも実施の形態１と比べて、さらに１／２の時間で完了することができる。
【０２０４】
なお、実施の形態３に係るデジタル放送受信装置３００では、第１制御部３１５は、第４スキャン用チャンネルリストを用いて、第２フェーズのＤＴＭＢのチャンネルスキャンを行い、第３制御部３６３は、第２スキャン用チャンネルリストを用いて、第２フェーズのＤＴＭＢのチャンネルスキャンを行っているが、第１制御部３１５が第２スキャン用チャンネルリストを用い、第３制御部３６３が第４スキャン用チャンネルリストを用いるように構成してもよい。
同様に、実施の形態３に係るデジタル放送受信装置３００では、第２制御部３２５は、第３スキャン用チャンネルリストを用いて、第２フェーズのＣＭＭＢのチャンネルスキャンを行い、第４制御部３７３は、第１スキャン用チャンネルリストを用いて、第２フェーズのＣＭＭＢのチャンネルスキャンを行っているが、第２制御部３２５が第１スキャン用チャンネルリストを用い、第４制御部３７３が第１スキャン用チャンネルリストを用いるように構成してもよい。
【０２０５】
また、実施の形態３に係るデジタル放送受信装置３００では、第１フェーズのＤＴＭＢのチャンネルスキャンにおいて、第１制御部３１５は、１３チャンネルから昇順にチャンネルスキャンを実行し、第３制御部３６３は、２２チャンネルから昇順にチャンネルスキャンを実行しているが、第１制御部３１５が、２２チャンネルから昇順にチャンネルスキャンを実行し、第３制御部３６３が、１３チャンネルから昇順にチャンネルスキャンを実行するように構成してもよい。
同様に、実施の形態３に係るデジタル放送受信装置３００では、第２フェーズのＣＭＭＢのチャンネルスキャンにおいて、第２制御部３２５は、４８チャンネルから降順にチャンネルスキャンを実行し、第４制御部３７３は、３９チャンネルから降順にチャンネルスキャンを実行しているが、第２制御部３２５が、３９チャンネルから降順にチャンネルスキャンを実行し、第４制御部３７３が、４８チャンネルから降順にチャンネルスキャンを実行するように構成してもよい。
【０２０６】
さらに、実施の形態３に係るデジタル放送受信装置３００では、第１制御部３１５及び第３制御部３６３が第２フェーズ及び第３フェーズのＤＴＭＢのチャンネルスキャンを分担して実行しているが、例えば、何れか一方が第２フェーズのＤＴＭＢのチャンネルスキャンを実行し、これと並行して、他方が第３フェーズのＤＴＭＢのチャンネルスキャンを実行するようにしてもよい。
【０２０７】
実施の形態４．
図２０は、実施の形態４に係るデジタル放送受信装置４００の構成を概略的に示すブロック図である。図２０に示されるように、デジタル放送受信装置４００は、第１チューナ部１１０と、第１復調部１１１と、第１デマルチプレクス部１１２と、第１デコード部１１３と、第１記憶部３１４と、第１制御部４１５と、第２チューナ部１２０と、第２復調部１２１と、第２デマルチプレクス部１２２と、第２デコード部１２３と、第２記憶部３２４と、第２制御部４２５と、映像切替部１３０と、映像合成部１３１と、音声切替部１３２と、入力部１３３と、ＵＩＦ処理部３３４と、第３チューナ部３６０と、第３復調部３６１と、第３デマルチプレクス部３６２と、第３制御部４６３と、第４チューナ部３７０と、第４復調部３７１と、第４デマルチプレクス部３７２と、第４制御部４７３とを備える。実施の形態４に係るデジタル放送受信装置４００は、第１制御部４１５、第２制御部４２５、第３制御部４６３及び第４制御部４７３での制御の点において、実施の形態３に係るデジタル放送受信装置３００と異なっている。実施の形態３では、ＵＩＦ処理部３３４がユーザからの指示を受けてチャンネルスキャンを実行させていたが、実施の形態４では、サービスの視聴中に並行してバックグラウンドで常時チャンネルスキャンが実行される点で、実施の形態３と異なっている。
【０２０８】
第１制御部４１５は、第１放送方式のチャンネルをスキャンする処理、及び、第１放送方式の放送を受信する処理を制御する。ここで、実施の形態３に係る第１制御部４１５は、第２放送方式のサービスが受信されている場合に、そのバックグラウンドにおいて、第１フェーズ、第２フェーズ及び第３フェーズのＤＴＭＢのチャンネルスキャンを行う。第１フェーズのＤＴＭＢのチャンネルスキャンでは、第１制御部４１５は、第１放送方式の放送で使用されている周波数帯と第２放送方式の放送で使用されている周波数帯とが重複している範囲に含まれている物理チャンネルについて、第３制御部４６３と分担して、予め定められた第１順番でチャンネルスキャンを行う。第２フェーズのＤＴＭＢのチャンネルスキャンでは、第１制御部４１５は、第４制御部４７３で必要な受信電力はあるが第２放送方式として復調することができないと判断された物理チャンネルについて、第３制御部４６３と分担して、チャンネルスキャンを行う。第３フェーズのＤＴＭＢのチャンネルスキャンでは、第１制御部４１５は、第１放送方式の放送で使用されている周波数帯に含まれる物理チャンネルの内、第１放送方式の放送で使用されている周波数帯と第２放送方式の放送で使用されている周波数帯とが重複している範囲に含まれていない物理チャンネルについて、第３制御部４６３と分担してチャンネルスキャンを行う。
【０２０９】
また、第１制御部４１５は、第１デマルチプレクス部１１２より与えられた第１データ（ＰＳＩ及びＳＩ）より、選局情報を抽出し、抽出した選局情報を第１記憶部３１４の第１サービスリスト格納部１１４Ａに格納されている第１サービスリストに登録する処理を行う。
【０２１０】
第２制御部４２５は、第２放送方式のチャンネルをスキャンする処理、及び、第２放送方式の放送を受信する処理を制御する。ここで、実施の形態４に係る第２制御部４２５は、第１放送方式のサービスが受信されている場合に、そのバックグラウンドにおいて、第４フェーズ及び第５フェーズのＣＭＭＢのチャンネルスキャンを行う。第４フェーズのＣＭＭＢのチャンネルスキャンでは、第２制御部４２５は、第１放送方式の放送で使用されている周波数帯と第２放送方式の放送で使用されている周波数帯とが重複している範囲に含まれている物理チャンネルについて、第４制御部４７３と分担して、予め定められた第２順番でチャンネルスキャンを行う。ここで、第２順番は、第１制御部４１５がチャンネルスキャンを制御する第１順番の逆の順番である。また、第５フェーズのＣＭＭＢのチャンネルスキャンでは、第２制御部４２５は、第３制御部４６３で必要な受信電力はあるが第１放送方式として復調することができないと判断された物理チャンネルについて、第４制御部４７３と分担してチャンネルスキャンを行う。
【０２１１】
また、第２制御部４２５は、第２デマルチプレクス部１２２より与えられた第２データ（ＣＩＴ）より、選局情報を抽出し、抽出した選局情報を第２記憶部３２４の第２サービスリスト格納部１２４Ａに格納されている第２サービスリストに登録する処理を行う。
【０２１２】
第３制御部４６３は、第１放送方式のチャンネルをスキャンする処理、及び、第１放送方式の放送を受信する処理を制御する。ここで、実施の形態４に係る第３制御部４６３は、第２放送方式のサービスが受信されている場合には、そのバックグラウンドにおいて、第１制御部４１５と分担して、第１フェーズ、第２フェーズ及び第３フェーズのＤＴＭＢのチャンネルスキャンを行う。また、実施の形態４に係る第３制御部４６３は、第１放送方式のサービスが受信されている場合に、そのバックグラウンドにおいて、第１制御部４１５と分担せずに、第４フェーズ、第５フェーズ及び第６フェーズのＤＴＭＢのチャンネルスキャンを行う。第１フェーズのＤＴＭＢのチャンネルスキャンでは、第３制御部４６３は、第１放送方式の放送で使用されている周波数帯と第２放送方式の放送で使用されている周波数帯とが重複している範囲に含まれている物理チャンネルについて、第１制御部４１５と分担して、予め定められた第１順番でチャンネルスキャンを行う。第２フェーズのＤＴＭＢのチャンネルスキャンでは、第３制御部４６３は、第４制御部４７３で必要な受信電力はあるが第２放送方式として復調することができないと判断された物理チャンネルについて、第１制御部４１５と分担して、チャンネルスキャンを行う。第３フェーズのＤＴＭＢのチャンネルスキャンでは、第３制御部４６３は、第１放送方式の放送で使用されている周波数帯に含まれる物理チャンネルの内、第１放送方式の放送で使用されている周波数帯と第２放送方式の放送で使用されている周波数帯とが重複している範囲に含まれていない物理チャンネルについて、第１制御部４１５と分担してチャンネルスキャンを行う。第４フェーズのＤＴＭＢのチャンネルスキャンでは、第３制御部４６３は、第１放送方式の放送で使用されている周波数帯と第２放送方式の放送で使用されている周波数帯とが重複している範囲に含まれている物理チャンネルについて、予め定められた第１順番でチャンネルスキャンを行う。第５フェーズのＤＴＭＢのチャンネルスキャンでは、第３制御部４６３は、第２制御部４２５及び第４制御部４７３で必要な受信電力はあるが第２放送方式として復調することができないと判断された物理チャンネルについて、チャンネルスキャンを行う。第６フェーズのＤＴＭＢのチャンネルスキャンでは、第３制御部４６３は、第１放送方式の放送で使用されている周波数帯に含まれる物理チャンネルの内、第１放送方式の放送で使用されている周波数帯と第２放送方式の放送で使用されている周波数帯とが重複している範囲に含まれていない物理チャンネルについて、チャンネルスキャンを行う。
【０２１３】
また、第３制御部４６３は、第１デマルチプレクス部１１２より与えられた第１データ（ＰＳＩ及びＳＩ）より、選局情報を抽出し、抽出した選局情報を第１記憶部３１４の第１サービスリスト格納部１１４Ａに格納されている第１サービスリストに登録する処理を行う。
【０２１４】
第４制御部４７３は、第２放送方式のチャンネルをスキャンする処理、及び、第２放送方式の放送を受信する処理を制御する。ここで、実施の形態４に係る第４制御部４７３は、第２放送方式のサービスが受信されている場合には、そのバックグラウンドにおいて、第２制御部４２５と分担せずに、第１フェーズ及び第２フェーズのＣＭＭＢのチャンネルスキャンを行う。また、実施の形態４に係る第４制御部４７３は、第１放送方式のサービスが受信されている場合には、そのバックグラウンドにおいて、第４フェーズ及び第５フェーズのＣＭＭＢのチャンネルスキャンを行う。第１フェーズのＣＭＭＢのチャンネルスキャンでは、第４制御部４７３は、第１放送方式の放送で使用されている周波数帯と第２放送方式の放送で使用されている周波数帯とが重複している範囲に含まれている物理チャンネルについて、予め定められた第２順番でチャンネルスキャンを行う。ここで、第２順番は、第１制御部４１５がチャンネルスキャンを制御する第１順番の逆の順番である。第２フェーズのＣＭＭＢのチャンネルスキャンでは、第４制御部４７３は、第１制御部４１５及び第３制御部４６３で必要な受信電力はあるが第１放送方式の電気信号ではないと判断された物理チャンネルについて、チャンネルスキャンを行う。第４フェーズのＣＭＭＢのチャンネルスキャンでは、第４制御部４７３は、第１放送方式の放送で使用されている周波数帯と第２放送方式の放送で使用されている周波数帯とが重複している範囲に含まれている物理チャンネルについて、第２制御部４２５と分担して、予め定められた第２順番でチャンネルスキャンを行う。また、第５フェーズのＣＭＭＢのチャンネルスキャンでは、第２制御部４７３は、第３制御部４６３で必要な受信電力はあるが第１放送方式として復調することができないと判断された物理チャンネルについて、第２制御部４２５と分担してチャンネルスキャンを行う。
【０２１５】
また、第４制御部４７３は、第４デマルチプレクス部３７２より与えられた第２データ（ＣＩＴ）より、選局情報を抽出し、抽出した選局情報を第２記憶部３２４の第２サービスリスト格納部１２４Ａに格納されている第２サービスリストに登録する処理を行う。
【０２１６】
上記のように構成されるデジタル放送受信装置４００は、下記のように動作する。
【０２１７】
第２チューナ部１２０、第２復調部１２１、第２デマルチプレクス部１２２及び第２デコード部１２３が、ＣＭＭＢ信号を受信してデコードしている場合には、そのバックグラウンドで下記のチャンネルスキャンが実行される。
まず、第１制御部４１５は、第１チューナ部１１０、第１復調部１１１及び第１デマルチプレクス部１１２を制御して、第１フェーズのＤＴＭＢのチャンネルスキャン（例えば、１３チャンネル以降のチャンネルスキャン）を実行する。第３制御部４６３は、第３チューナ部３６０、第３復調部３６１及び第３デマルチプレクス部３６２を制御して、第１フェーズのＤＴＭＢのチャンネルスキャン（例えば、２２チャンネル以降のチャンネルスキャン）を実行する。第４制御部４７３は、第４チューナ部３７０、第４復調部３７１及び第４デマルチプレクス部３７２を制御して、第１フェーズのＣＭＭＢのチャンネルスキャン（例えば、４８チャンネル以前のチャンネルスキャン）を実行する。この場合、第１制御部４１５及び第３制御部４６３による第１フェーズのＤＴＭＢのチャンネルスキャンと、第４制御部４７３による第１フェーズのＣＭＭＢのチャンネルスキャンとの合計３つの系統によるチャンネルスキャンが並行して実行される。このときスキャン対象となる帯域は、これら３つの系統で分担される。第１制御部４１５及び第３制御部４６３が実行した第１フェーズのＤＴＭＢのチャンネルスキャンで検出された、復調できないが受信電力が第２閾値よりも大きかった物理チャンネルのチャンネル番号は、第１スキャン用チャンネルリスト及び第３スキャン用チャンネルリストにそれぞれ記録される。同様に、第４制御部４７３が実施した第１フェーズのＣＭＭＢのチャンネルスキャンで検出された、復調できないが受信電力が第１閾値よりも大きかった物理チャンネルのチャンネル番号は、第４スキャン用チャンネルリストに記録される。
次に、第１制御部４１５及び第３制御部４６３は、分担して、第４スキャン用チャンネルリストに登録されているチャンネル番号のみを対象とした第２フェーズのＤＴＭＢのチャンネルスキャンを実行する。分担の仕方については、特に限定されないが、例えば、第１制御部４１５は、第４スキャン用チャンネルリストに早く登録された順（チャンネル番号の大きい順）で、第３制御部４６３は、第４スキャン用チャンネルリストに遅く登録された順（チャンネル番号の小さい順）でチャンネルスキャンを行う。これと並行して、第４制御部４７３は、第１スキャン用チャンネルリスト及び第３スキャン用チャンネルリストに登録されているチャンネル番号のみを対象とした第２フェーズのＣＭＭＢのチャンネルスキャンを実行する。
最後に、第１制御部４１５及び第３制御部４６３は、分担して、第３フェーズのＤＴＭＢのチャンネルスキャンとして、第１フェーズのチャンネルスキャン及び第２フェーズのチャンネルスキャンでスキャンされたチャンネル以外で、まだスキャンされていない残りのチャンネルに対してチャンネルスキャンを実行する。ここでの分担の仕方は、実施の形態３と同様である。
なお、ＣＭＭＢ信号が受信されて、デコードされている場合の上記のようなチャンネルスキャンは、例えば、第１制御部４１５、第２制御部４２５、第３制御部４６３又は第４制御部４７３が他の制御部に指示を出すことにより開始されてもよい。また、このような指示は、ＵＩＦ処理部３３４が出してもよい。さらに、このような指示は、予め定められた時、例えば、定期的に出されるのが望ましい。
【０２１８】
第１チューナ部１１０、第１復調部１１１、第１デマルチプレクス部１１２及び第１デコード部１１３が、ＤＴＭＢ信号を受信してデコードしている場合には、そのバックグラウンドで下記のチャンネルスキャンが実行される。
まず、第３制御部４６３は、第４フェーズのＤＴＭＢのチャンネルスキャンとして、第３チューナ部３６０、第３復調部３６１及び第３デマルチプレクス部３６２を制御して、チャンネルスキャン（例えば、１３チャンネル以降のチャンネルスキャン）を実行し、第２制御部４２５は、第４フェーズのＣＭＭＢのチャンネルスキャンとして、第２チューナ部１２０、第２復調部１２１及び第２デマルチプレクス部１２２を制御して、チャンネルスキャン（例えば、４８チャンネル以前のチャンネルスキャン）を実行し、さらに第４制御部４７３は、第４フェーズのＣＭＭＢのチャンネルスキャンとして、第４チューナ部３７０、第４復調部３７１及び第４デマルチプレクス部３７２を制御して、チャンネルスキャン（例えば、３９チャンネル以前のチャンネルスキャン）を実行する。この場合、第３制御部４６３による第４フェーズのＤＴＭＢのチャンネルスキャンと、第２制御部４２５及び第４制御部４７３による第４フェーズのＣＭＭＢのチャンネルスキャンとの合計３つの系統によるチャンネルスキャンが並行して実行される。このときスキャン対象となる帯域は、これら３つの系統で分担される。第３制御部４６３が実行した第４フェーズのＤＴＭＢのチャンネルスキャンで検出された、復調できないが受信電力が第２閾値よりも大きかった物理チャンネルのチャンネル番号は、第３スキャン用チャンネルリストに記録される。同様に、第２制御部４２５及び第４制御部４７３が実行した第４フェーズのＣＭＭＢのチャンネルスキャンで検出された、復調できないが受信電力が第１閾値よりも大きかった物理チャンネルのチャンネル番号は、第２スキャン用チャンネルリスト及び第４スキャン用チャンネルリストにそれぞれ記録される。
次に、第３制御部４６３は、第５フェーズのＤＴＭＢのチャンネルスキャンとして、第２スキャン用チャンネルリスト及び第４スキャン用チャンネルリストに登録されているチャンネル番号のみを対象としたチャンネルスキャンを実行する。これと並行して、第２制御部４２５及び第４制御部４７３は、第５フェーズのＣＭＭＢのチャンネルスキャンとして、第３スキャン用チャンネルリストに登録されているチャンネル番号のみを対象としたチャンネルスキャンを分担して実行する。分担の仕方については、特に限定されないが、例えば、第２制御部４２５は、第３スキャン用チャンネルリストに早く登録された順（チャンネル番号の小さい順）で、第４制御部４７３は、第３スキャン用チャンネルリストに遅く登録された順（チャンネル番号の大きい順）でチャンネルスキャンを行う。
最後に、第３制御部４６３は、第６フェーズのＤＴＭＢのチャンネルスキャンとして、第１フェーズのチャンネルスキャン及び第２フェーズのチャンネルスキャンでスキャンされたチャンネル以外で、まだスキャンされていない残りのチャンネルに対してチャンネルスキャンを実行する。
なお、ＤＴＭＢ信号が受信されて、デコードされている場合の上記のようなチャンネルスキャンは、例えば、第１制御部４１５、第２制御部４２５、第３制御部４６３又は第４制御部４７３が他の制御部に指示を出すことにより開始されてもよい。また、このような指示は、ＵＩＦ処理部３３４が出してもよい。さらに、このような指示は、予め定められた時、例えば、定期的に出されるのが望ましい。
【０２１９】
上記のように、実施の形態４に係るデジタル放送受信装置４００によれば、サービスの視聴中にバックグラウンドで常時実行するチャンネルスキャン時間を短縮することができる。このため、サービスの視聴中にバックグラウンドで常時実行するチャンネルスキャンの周期を短縮することができる。常時実行するチャンネルスキャンの周期が短縮されると、例えば、デジタル放送受信装置４００を用いてユーザが移動中にサービスを視聴している際に、移動した地点で受信することができるサービスリストがより正確に生成される。言い換えると、チャンネルスキャンの周期が長くなってしまうと、あるチャンネルのスキャン間隔が長くなってしまうため、あるチャンネルにおける受信状況の変化が、サービスリストに反映されていない期間が長くなってしまい、ユーザがサービスを選択した時点で、サービスリストに登録されている受信環境が変わっていて、受信できなくなっている可能性が高くなる。
【０２２０】
チャンネルスキャン周期が長いと、放送エリアを跨いで移動してしまった場合における代替チャンネルへの切り替え時にも、サービスリストが正確ではない可能性が高くなる。言い換えると、バックグラウンドでのチャンネルスキャン周期が短いほど、サービスリストの正確性が高くなり、正確な代替チャンネルの切り替えができる可能性が高くなる。
【０２２１】
さらに、実施の形態４に係るデジタル放送受信装置４００は、短時間でバックグランドにおいて常時実行するチャンネルスキャンが実行できるため、電源投入時に短時間でバックグラウンドにおいてチャンネルスキャンを自動的に行うことができ、ユーザに早くサービスリストを提示することができる。さらに、実施の形態４に係るデジタル放送受信装置４００は、短期間でサービスリストを作成することができるため、サービスリストを記憶する不揮発性メモリを不要にすることができる。
【０２２２】
実施の形態５．
実施の形態１から４は、第１放送方式としてＤＴＭＢ、第２放送方式としてＣＭＭＢを用いているが、これらに限定されるものではない。第１放送方式が使用する周波数帯と、第２放送方式が使用する周波数帯とが少なくとも一部において重複している場合には，本発明を適用することができる。ここでは、例えば、第１放送方式としてＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）、第２放送方式としてＡＴＳＣ−Ｍ／Ｈ（ＡＴＳＣ−Ｍｏｂｉｌｅ／Ｈａｎｄｈｅｌｄ）が用いられる場合の例を、実施の形態５として説明する。
【０２２３】
図２１は、実施の形態５に係るデジタル放送受信装置５００の構成を概略的に示すブロック図である。図２１に示されるように、デジタル放送受信装置５００は、第１チューナ部１１０と、第１復調部１１１と、第１デマルチプレクス部１１２と、第１デコード部１１３と、第１記憶部５１４と、第１制御部５１５と、第２チューナ部１２０と、第２復調部１２１と、第２デマルチプレクス部１２２と、第２デコード部１２３と、第２記憶部５２４と、第２制御部５２５と、映像切替部１３０と、映像合成部１３１と、音声切替部１３２と、入力部１３３と、ＵＩＦ処理部１３４とを備える。ここで、第１チューナ部１１０には第１アンテナ１５０が接続されており、第１アンテナ１５０、第１チューナ部１１０、第１復調部１１１、第１デマルチプレクス部１１２、第１デコード部１１３、第１記憶部５１４及び第１制御部５１５がＡＴＳＣ系統を構成し、ＡＴＳＣ系統で第１放送方式としてのＡＴＳＣ方式の放送が受信される。また、第２チューナ部１２０には第２アンテナ１５１が接続されており、第２アンテナ１５１、第２チューナ部１２０、第２復調部１２１、第２デマルチプレクス部１２２、第２デコード部１２３、第２記憶部５２４及び第２制御部５２５がＡＴＳＣ−Ｍ／Ｈ系統を構成し、ＡＴＳＣ−Ｍ／Ｈ系統で第２放送方式としてのＡＴＳＣ−Ｍ／Ｈ方式の放送が受信される。
実施の形態５に係るデジタル放送受信装置５００は、第１制御部５１５及び第２制御部５２５での制御及び処理の点、並びに、第１記憶部５１４及び第２記憶部５２４に記憶されている情報の点において、実施の形態１に係るデジタル放送受信装置１００と異なっている。
【０２２４】
第１記憶部５１４は、第１放送方式及び第２放送方式のチャンネルをスキャンするために必要な情報、及び、第１放送方式で放送されるサービスを受信するために必要な情報を記憶する。
図２２は、第１記憶部５１４の構成を概略的に示すブロック図である。図２２に示されるように、第１記憶部５１４は、第１サービスリスト格納部１１４Ａと、第１スキャン用チャンネルリスト格納部５１４Ｂと、第１チャンネルスキャン実施済みリスト格納部１１４Ｃとを備える。実施の形態５における第１記憶部５１４は、第１スキャン用チャンネルリスト格納部５１４Ｂに格納されている情報において、実施の形態１に係る第１記憶部１１４と異なっている。
【０２２５】
第１スキャン用チャンネルリスト格納部５１４Ｂは、チャンネルスキャン時に、第１チューナ部１１０で受信された電波が予め定められた閾値（第１閾値）よりも大きな受信電力があり、この電波から生成された電気信号を第１復調部１１１で復調できた物理チャンネルを識別するための識別情報（ここでは、チャンネル番号）のリストである第１スキャン用チャンネルリストを格納する。例えば、第１スキャン用チャンネルリストは、受信された電波がＡＴＳＣのサービスを安定して視聴できる最低の受信レベルである第１閾値よりも大きな受信電力を有し、このような電波から生成された電気信号を復調することができた物理チャンネルのチャンネル番号が登録されたものである。ここで、第１閾値は、上記の式（３）で算出された値、又は、ＡＴＳＣの規格により定められた受信電力の最小受信レベルから選択された値となる。
【０２２６】
図２１を再度参照すると、第１制御部５１５は、第１放送方式のチャンネルをスキャンする処理、及び、第１放送方式の放送を受信する処理を制御する。例えば、第１制御部５１５は、第１フェーズ及び第２フェーズのＡＴＳＣのチャンネルスキャンを行う。また、第１制御部５１５は、ＡＴＳＣ方式の放送で使用されている周波数帯が、ＡＴＳＣ−Ｍ／Ｈ方式の放送で使用されている周波数帯よりも広い場合には、第３フェーズのＡＴＳＣのチャンネルスキャンを行う。
第１フェーズのＡＴＳＣのチャンネルスキャンでは、第１制御部５１５は、第１放送方式の放送で使用されている周波数帯と第２放送方式の放送で使用されている周波数帯とが重複している範囲に含まれている物理チャンネルの内、未だ第２制御部１２５でチャンネルスキャンの対象とはされていない物理チャンネルについて、予め定められた第１順番でチャンネルスキャンを行う。そして、第１制御部５１５は、第１フェーズのＡＴＳＣのチャンネルスキャンにおいて、受信された電波が第１閾値よりも大きな受信電力を有し、この電波から生成された電気信号を復調することができた物理チャンネルがあった場合には、当該物理チャンネルの選局情報を第１サービスリストに登録するとともに、当該物理チャンネルのチャンネル番号を、第１スキャン用チャンネルリストに登録する。
また、第２フェーズのＡＴＳＣのチャンネルスキャンでは、第１制御部５１５は、第２スキャン用チャンネルリストにチャンネル番号が登録されている物理チャンネルについて、チャンネルスキャンを行う。さらに、第３フェーズのＡＴＳＣのチャンネルスキャンでは、第１制御部５１５は、第１放送方式の放送で使用されている周波数帯と第２放送方式の放送で使用されている周波数帯とが重複している範囲に含まれていない物理チャンネルについてチャンネルスキャンを行う。
【０２２７】
第２記憶部５２４は、第２放送方式及び第１放送方式のチャンネルをスキャンするために必要な情報、及び、第２放送方式で放送されるサービスを受信するために必要な情報を記憶する。
図２３は、第２記憶部５２４の構成を概略的に示すブロック図である。図２３に示されるように、第２記憶部５２４は、第２サービスリスト格納部１２４Ａと、第２スキャン用チャンネルリスト格納部５２４Ｂと、第２チャンネルスキャン実施済みリスト格納部１２４Ｃとを備える。実施の形態５における第２記憶部５２４は、第２スキャン用チャンネルリスト格納部５２４Ｂに格納されている情報において、実施の形態１における第２記憶部１２４と異なっている。
【０２２８】
第２スキャン用チャンネルリスト格納部５２４Ｂは、チャンネルスキャン時に、第２チューナ部１２０で受信された電波が、予め定められた第２閾値よりも大きな受信電力を有し、このような電波から生成された電気信号を第２復調部１２１で復調できた物理チャンネルを識別するための識別情報（ここでは、チャンネル番号）と、第２チューナ部１２０で受信された電波が予め定められた第１閾値よりも大きな受信電力を有するが、このような電波から生成された電気信号を第２復調部１２１で復調できなかった（フレームロックできなかった）物理チャンネルを識別するための識別情報（ここでは、チャンネル番号）とのリストである第２スキャン用チャンネルリストを格納する。
例えば、第２スキャン用チャンネルリストは、受信された電波が第２放送方式であるＡＴＳＣ−Ｍ／Ｈのサービスを安定して視聴できる最低の受信レベルである第２閾値よりも大きな受信電力を有し、この電波から生成された電気信号を復調することができた物理チャンネルのチャンネル番号と、受信された電波が第１放送方式であるＡＴＳＣのサービスを安定して視聴できる受信レベルである第１閾値よりも大きな受信電力を有し、この電波から生成された電気信号を復調することができなかった物理チャンネルのチャンネル番号とが登録されたものである。
ここで、第２閾値は、上記の式（１）で算出された値、又はＡＴＳＣ−Ｍ／Ｈの規格により定められた受信電力の最小受信レベルから選択された値となる。
【０２２９】
図２１を再度参照すると、第２制御部５２５は、第２放送方式のチャンネルをスキャンする処理、及び、第２放送方式の放送を受信する処理を制御する。例えば、第２制御部５２５は、第１フェーズ及び第２フェーズのＡＴＳＣ−Ｍ／Ｈのチャンネルスキャンを行う。
第１フェーズのＡＴＳＣ−Ｍ／Ｈのチャンネルスキャンでは、第２制御部５２５は、第２放送方式の放送で使用されている周波数帯と第１放送方式の放送で使用されている周波数帯とが重複している範囲に含まれている物理チャンネルの内、未だ第１制御部５１５でチャンネルスキャンの対象とはされていない各物理チャンネルにつき予め定められた第２順番でチャンネルスキャンを行う。ここで、第２順番は、第１制御部５１５がチャンネルスキャンを制御する第１順番の逆の順番である。そして、第２制御部５２５は、第１フェーズのＡＴＳＣ−Ｍ／Ｈのチャンネルスキャンにおいて、受信された電波が第２閾値よりも大きな受信電力を有し、この電波から生成された電気信号を復調してＡＴＳＣ−Ｍ／Ｈの放送信号を生成することができた物理チャンネルがあった場合には、当該物理チャンネルの選局情報を第２サービスリストに登録するとともに、当該物理チャンネルのチャンネル番号を、第２スキャン用チャンネルリストに登録する。さらに、第２制御部５２５は、第１フェーズのＡＴＳＣ−Ｍ／Ｈのチャンネルスキャンにおいて、受信された電波が第１閾値よりも大きな受信電力を有し、この電波から生成された電気信号を復調することができなかった物理チャンネルのチャンネル番号を、第２スキャン用チャンネルリストに登録する。
また、第２フェーズのＡＴＳＣ−Ｍ／Ｈのチャンネルスキャンでは、第２制御部５２５は、第１スキャン用チャンネルリストにチャンネル番号が登録されている物理チャンネルにつきチャンネルスキャンを行う。
【０２３０】
実施の形態５に係るデジタル放送受信装置５００は、上記のように構成されるため、第１放送方式の放送で使用されている周波数帯と第２放送方式の放送で使用されている周波数帯とが重複している範囲に含まれている物理チャンネルについて、第１フェーズのチャンネルスキャンでは、第１制御部５１５及び第２制御部５２５で分担してスキャンが制御され、第２フェーズのチャンネルスキャンでは、第１制御部５１５及び第２制御部５２５でそれぞれの放送が含まれている可能性の高い物理チャンネルだけをチャンネルスキャンするように制御されているため、効率的にチャンネルスキャンを行うことができ、チャンネルスキャンにかかる時間を短くすることができる。
【０２３１】
実施の形態５は、実施の形態１に係るデジタル放送受信装置１００に、第１放送方式としてＡＴＳＣ、第２放送方式としてＡＴＳＣ−Ｍ／Ｈを用いた例を示したが、同様に、実施の形態２から４に係るデジタル放送受信装置２００、３００、４００に、第１放送方式としてＡＴＳＣ、第２放送方式としてＡＴＳＣ−Ｍ／Ｈを用いることもできる。
【０２３２】
実施の形態５では、第１放送方式としてＡＴＳＣ、第２放送方式としてＡＴＳＣ−Ｍ／Ｈが用いられているが、第１放送方式で使用される周波数帯と第２放送方式で使用される周波数帯が重複し、同じチャンネル番号で示される物理チャンネルに第１放送方式の放送は単独で放送されるときがあるが、第２放送方式の放送は、第１放送方式の放送に多重化されて放送されるものであれば、本発明を適用することができる。例えば、第１放送方式としてＤＶＢ−Ｔ（Ｄｉｇｉｔａｌ  Ｖｉｄｅｏ  Ｂｒｏａｄｃａｓｔｉｎｇ  −  Ｔｅｒｒｅｓｔｒｉａｌ）、第２放送方式としてＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）が用いられてもよい。また、第１放送方式としてＤＶＢ−Ｔ２、第２放送方式としてＤＶＢ−Ｈが用いられてもよい。あるいは、実施の形態１から４に係るデジタル放送受信装置１００、２００、３００、４００に、第１放送方式としてＤＶＢ−Ｔ、第２放送方式としてＤＶＢ−Ｈが用いられてもよい。また、これらにおいて、第１放送方式としてＤＶＢ−Ｔ２、第２放送方式としてＤＶＢ−Ｈが用いられてもよい。さらにまた、これらにおいて、第１放送方式としてＤＶＢ−Ｔ２、第２放送方式としてＤＶＢ−Ｔが用いられてもよい。
【０２３３】
実施の形態１から５に係るデジタル放送受信装置１００、２００、３００、４００、５００は、テレビ放送の受信装置である場合の例を示したが、例えば、ＤＶＤ記録再生装置、ＢＤ記録再生装置等の情報記録再生装置であってもよい。
また、実施の形態１から５に係るデジタル放送受信装置１００、２００、３００、４００、５００は、表示部１５２及び音声出力部１５３に映像信号及び音声信号を出力しているが、これらを構成に含み映像及び音声を出力するようにしてもよい。
さらに、実施の形態１、２及び５に係るデジタル放送受信装置１００、２００、５００においては、第１アンテナ１５０及び第２アンテナ１５１の少なくとも一方を構成に含むようにしてもよい。
さらにまた、実施の形態３及び４に係るデジタル放送受信装置３００、４００においては、第１アンテナ１５０、第２アンテナ１５１、第３アンテナ３５４及び第４アンテナ３５５の少なくとも１つを構成に含むようにしてもよい。
【０２３４】
実施の形態１及び２では、第１制御部１１５は、受信レベルが第２閾値よりも大きく、第１放送方式として復調することができなかった物理チャンネルのチャンネル番号を第１チャンネルリストに登録するようにしているが、受信レベルについては判定せずに、第１放送方式として復調することができなかった物理チャンネルのチャンネル番号を第１チャンネルリストに登録するようにしてもよい。第２制御部１２５も同様に、受信レベルについては判定せずに、第２放送方式として復調することができなかった物理チャンネルのチャンネル番号を第２チャンネルリストに登録するようにしてもよい。
実施の形態３及び４では、第１制御部３１５、４１５及び第３制御部３６３、４６３は、受信レベルが第２閾値よりも大きく、第１放送方式として復調することができなかった物理チャンネルのチャンネル番号を第１チャンネルリストに登録するようにしているが、受信レベルについては判定せずに、第１放送方式として復調することができなかった物理チャンネルのチャンネル番号を第１チャンネルリストに登録するようにしてもよい。第２制御部３２５、４２５及び第４制御部３７３、４７３も同様に、受信レベルについては判定せずに、第２放送方式として復調することができなかった物理チャンネルのチャンネル番号を第２チャンネルリストに登録するようにしてもよい。
【０２３５】
実施の形態６．
上述した実施の形態１から５は、異なる２つの放送方式について２系統を用いてチャンネルスキャンする場合に、チャンネルスキャンにかかる時間を短縮する構成である。具体的には、第１放送方式としてＤＶＢ−Ｔ、第２放送方式としてＤＶＢ−Ｈが用いられる場合や、第１放送方式としてＤＶＢ−Ｔ２、第２放送方式としてＤＶＢ−Ｈが用いられる場合や、第１放送方式としてＤＶＢ−Ｔ２、第２放送方式としてＤＶＢ−Ｔが用いられる場合を示した。しかし、欧州においては、ＤＶＢ−ＴとＤＶＢ−Ｔ２とＤＶＢ−Ｈの放送方式が共存しており、それぞれの放送方式が使用する周波数帯は、一部において重複している。そこで、異なる３つの放送方式について、２つの受信系統を用いてチャンネルスキャンする場合に、チャンネルスキャンにかかる時間を短縮する構成を実施の形態６とする。
【０２３６】
図２４は、実施の形態６に係るデジタル放送受信装置６００の構成を概略的に示すブロック図である。図２４に示されるように、デジタル放送受信装置６００は、第１チューナ部１１０と、第１復調部１１１と、第１デマルチプレクス部１１２と、第１デコード部１１３と、第１記憶部６１４と、第１制御部６１５と、第２チューナ部１２０と、第２復調部１２１と、第２デマルチプレクス部１２２と、第２デコード部１２３と、第２記憶部６２４と、第２制御部６２５と、映像切替部１３０と、映像合成部６３１と、音声切替部１３２と、入力部１３３と、ＵＩＦ処理部６３４と、第３記憶部６３５とを備える。ここで、第１チューナ部１１０には第１アンテナ１５０が接続されており、第１アンテナ１５０、第１チューナ部１１０、第１復調部１１１、第１デマルチプレクス部１１２、第１デコード部１１３、第１記憶部６１４、第１制御部６１５及び第３記憶部６３５がＤＶＢ−Ｔ系統及びＤＶＢ−Ｔ２系統を構成し、この系統で第１放送方式としてのＤＶＢ−Ｔ方式と第３放送方式としてのＤＶＢ−Ｔ２方式の放送が受信される。また、第２チューナ部１２０には第２アンテナ１５１が接続されており、第２アンテナ１５１、第２チューナ部１２０、第２復調部１２１、第２デマルチプレクス部１２２、第２デコード部１２３、第２記憶部６２４、第２制御部６２５及び第３記憶部６３５がＤＶＢ−Ｈ系統及びＤＶＢ−Ｔ２系統を構成し、この系統で第２放送方式としてのＤＶＢ−Ｈ方式と第３放送方式としてのＤＶＢ−Ｔ２方式の放送が受信される。
実施の形態６に係るデジタル放送受信装置６００は、第１制御部６１５、第２制御部６２５、映像合成部６３１及びＵＩＦ処理部６３４での制御及び処理の点、第１記憶部６１４及び第２記憶部６２４に記憶されている情報の点、並びに、第３記憶部６３５が備えられている点において、実施の形態１に係るデジタル放送受信装置１００と異なっている。
【０２３７】
第１記憶部６１４は、第１放送方式及び第２放送方式のチャンネルをスキャンするために必要な情報、及び、第１放送方式で放送されるサービスを受信するために必要な情報を記憶する。
図２５は、第１記憶部６１４の構成を概略的に示すブロック図である。図２５に示されるように、第１記憶部６１４は、第１サービスリスト格納部１１４Ａと、第１スキャン用チャンネルリスト格納部６１４Ｂと、第１チャンネルスキャン実施済みリスト格納部１１４Ｃとを備える。実施の形態６における第１記憶部６１４は、第１スキャン用チャンネルリスト格納部６１４Ｂに格納されている情報において、実施の形態１に係る第１記憶部１１４と異なっている。
【０２３８】
第１スキャン用チャンネルリスト格納部６１４Ｂは、チャンネルスキャン時に、第１チューナ部１１０で受信された電波の受信電力が予め定められた閾値よりも大きいが、この電波から生成された電気信号を第１復調部１１１で復調できなかった（フレームロックできなかった）物理チャンネルを識別するための識別情報（ここでは、チャンネル番号）のリストである第１スキャン用チャンネルリストを格納する。例えば、第１スキャン用チャンネルリストは、第１放送方式であるＤＶＢ−Ｔのチャンネルスキャンを実施した物理チャンネルにおいて受信された電波の受信電力が、第２放送方式であるＤＶＢ−Ｈのサービスを安定して視聴できる最低の受信レベルである第２閾値よりも大きく、かつ、この電波から生成された電気信号を第１復調部１１１で復調できなかった場合と、第１放送方式であるＤＶＢ−Ｔのチャンネルスキャンを実施した物理チャンネルにおいて受信された電波の受信電力が、第３放送方式であるＤＶＢ−Ｔ２のサービスを安定して視聴できる最低の受信レベルである第３閾値よりも大きく、かつ、この電波から生成された電気信号を第１復調部１１１で復調できなかった場合とに、このような物理チャンネルのチャンネル番号が登録されたものである。
ここで、第２閾値は、上記の式（３）で算出された値、又はＤＶＢ−Ｈの規格により定められた受信電力の最小受信レベルから選択された値であり、第２放送方式（ここでは、ＤＶＢ−Ｈ）のサービスを受信するために必要な最小の受信電力を示す。また、第３閾値は、上記の式（３）で算出された値、又はＤＶＢ−Ｔ２の規格により定められた受信電力の最小受信レベルから選択された値であり、第３放送方式（ここでは、ＤＶＢ−Ｔ２）のサービスを受信するために必要な最小の受信電力を示す。
【０２３９】
第３記憶部６３５は、第３放送方式のチャンネルをスキャンするために必要な情報、及び、第３放送方式で放送されるサービスを受信するために必要な情報を記憶する。
図２６は、第３記憶部６３５の構成を概略的に示すブロック図である。図２６に示されるように、第３記憶部６３５は、第３サービスリスト格納部６３５Ａと、第３スキャン用第１チャンネルリスト格納部６３５Ｂと、第３スキャン用第２チャンネルリスト格納部６３５Ｃとを備える。なお、第３スキャン用第１チャンネルリスト格納部６３５及び第３スキャン用第２チャンネルリスト格納部６３５Ｃを第３スキャン用チャンネルリスト格納部ともいい、第３スキャン用第１チャンネルリスト格納部６３５に格納されている第３スキャン用第１チャンネルリスト及び第３スキャン用第２チャンネルリスト格納部６３５Ｃに格納されている第３スキャン用第２チャンネルリストを第３スキャン用チャンネルリストともいう。
【０２４０】
第３サービスリスト格納部６３５Ａは、第３放送方式で放送されるサービスを受信するために必要な選局情報のリストを格納する。例えば、第３サービスリスト格納部６３５Ａは、第１制御部６１５で抽出された、ネットワークの情報、ＴＳの情報及びサービスの情報を含む選局情報をチャンネル毎に有する第３サービスリストを記憶する。
【０２４１】
第３スキャン用第１チャンネルリスト格納部６３５Ｂは、チャンネルスキャン時に、第１チューナ部１１０で受信された電波の受信電力が予め定められた閾値よりも大きいが、この電波から生成された電気信号を第１復調部１１１で復調できなかった（フレームロックできなかった）物理チャンネルを識別するための識別情報（ここでは、チャンネル番号）のリストである第３スキャン用第１チャンネルリストを格納する。例えば、第３スキャン用第１チャンネルリストは、第２フェーズ及び第３フェーズにおいて、第１放送方式であるＤＶＢ−Ｔのチャンネルスキャンを実施した物理チャンネルにおいて受信された電波の受信電力が、第３放送方式であるＤＶＢ−Ｔ２のサービスを安定して視聴できる最低の受信レベルである第３閾値よりも大きく、かつ、この電波から生成された電気信号を第１復調部１１１で復調できなかった場合に、このような物理チャンネルのチャンネル番号が登録されたものである。
【０２４２】
なお、第３閾値は、上記の式（３）で算出された値、又はＤＶＢ−Ｔ２の規格により定められた受信電力の最小受信レベルから選択された値であり、第３放送方式（ここでは、ＤＶＢ−Ｔ２）のサービスを受信するために必要な最小の受信電力を示す。
【０２４３】
第３スキャン用第２チャンネルリスト格納部６３５Ｃは、チャンネルスキャン時に、第２チューナ部１２０で受信された電波の受信電力が予め定められた閾値よりも大きいが、この電波から生成された電気信号を第２復調部１２１で復調できなかった（フレームロックできなかった）物理チャンネルを識別するための識別情報（ここでは、チャンネル番号）のリストである第３スキャン用第２チャンネルリストを格納する。例えば、第３スキャン用第２チャンネルリストは、第２フェーズ及び第３フェーズにおいて、第２放送方式であるＤＶＢ−Ｈのチャンネルスキャンを実施した物理チャンネルにおいて受信された電波の受信電力が、第３放送方式であるＤＶＢ−Ｔ２のサービスを安定して視聴できる最低の受信レベルである第３閾値よりも大きく、かつ、この電波から生成された電気信号を第２復調部１２１で復調できなかった場合に、このような物理チャンネルのチャンネル番号が登録されたものである。
【０２４４】
図２４を再度参照すると、第１制御部６１５は、第１放送方式及び第３放送方式のチャンネルをスキャンする処理、並びに、第１放送方式及び第３放送方式の放送を受信する処理を制御する。例えば、第１制御部６１５は、第１フェーズ及び第２フェーズのＤＶＢ−Ｔのチャンネルスキャンを行う。また、第１制御部６１５は、ＤＶＢ−Ｔ方式の放送で使用されている周波数帯が、ＤＶＢ−Ｈ方式の放送で使用されている周波数帯よりも広い場合には、第３フェーズのＤＶＢ−Ｔのチャンネルスキャンを行う。さらに、第１制御部６１５は、第４フェーズのＤＶＢ−Ｔ２のチャンネルスキャンを行う。
第１フェーズのＤＶＢ−Ｔのチャンネルスキャンでは、第１制御部６１５は、第１放送方式の放送で使用されている周波数帯と第２放送方式の放送で使用されている周波数帯とが重複している範囲に含まれている物理チャンネルの内、未だ第２制御部６２５でチャンネルスキャンの対象とはされていない物理チャンネルについて、予め定められた第１順番でチャンネルスキャンを行う。そして、第１制御部６１５は、第１フェーズのＤＶＢ−Ｔのチャンネルスキャンにおいて、受信された電波が第１閾値よりも大きな受信電力を有し、この電波から生成された電気信号を復調することができた物理チャンネルがあった場合には、当該物理チャンネルの選局情報を第１サービスリストに登録するとともに、受信された電波が第２閾値又は第３閾値よりも大きな受信電力を有し、この電波から生成された電気信号を復調することができなかった物理チャンネルのチャンネル番号を、第１スキャン用チャンネルリストに登録する。
また、第２フェーズのＤＶＢ−Ｔのチャンネルスキャンでは、第１制御部６１５は、第２スキャン用チャンネルリストにチャンネル番号が登録されている物理チャンネルについて、チャンネルスキャンを行う。そして、受信された電波が第１閾値よりも大きな受信電力を有し、この電波から生成された電気信号を復調することができた物理チャンネルがあった場合には、当該物理チャンネルの選局情報を第１サービスリストに登録するとともに、受信された電波が第３閾値よりも大きな受信電力を有し、この電波から生成された電気信号を復調することができなかった物理チャンネルのチャンネル番号を、第３スキャン用第１チャンネルリストに登録する。
また、第３フェーズのＤＶＢ−Ｔのチャンネルスキャンでは、第１制御部６１５は、第１放送方式の放送で使用されている周波数帯と第２放送方式の放送で使用されている周波数帯とが重複している範囲に含まれていない物理チャンネルについてチャンネルスキャンを行う。そして、受信された電波が第１閾値よりも大きな受信電力を有し、この電波から生成された電気信号を復調することができた物理チャンネルがあった場合には、当該物理チャンネルの選局情報を第１サービスリストに登録するとともに、受信された電波が第３閾値よりも大きな受信電力を有し、この電波から生成された電気信号を復調することができなかった物理チャンネルのチャンネル番号を、第３スキャン用第１チャンネルリストに登録する。
さらに、第４フェーズのＤＶＢ−Ｔ２のチャンネルスキャンでは、第１制御部６１５は、第３スキャン用第１チャンネルリスト及び第３スキャン用第２チャンネルリストにチャンネル番号が登録されている物理チャンネルについて、チャンネルスキャンを行う。そして、受信された電波が第３閾値よりも大きな受信電力を有し、この電波から生成された電気信号を復調することができた物理チャンネルがあった場合には、当該物理チャンネルの選局情報を第３サービスリストに登録する。
【０２４５】
第２記憶部６２４は、第２放送方式及び第１放送方式のチャンネルをスキャンするために必要な情報、及び、第２放送方式で放送されるサービスを受信するために必要な情報を記憶する。
図２７は、第２記憶部６２４の構成を概略的に示すブロック図である。図２７に示されるように、第２記憶部６２４は、第２サービスリスト格納部１２４Ａと、第２スキャン用チャンネルリスト格納部６２４Ｂと、第２チャンネルスキャン実施済みリスト格納部１２４Ｃとを備える。実施の形態７における第２記憶部６２４は、第２スキャン用チャンネルリスト格納部６１４Ｂに格納されている情報において、実施の形態１に係る第２記憶部１１４と異なっている。
【０２４６】
第２スキャン用チャンネルリスト格納部６２４Ｂは、チャンネルスキャン時に、第２チューナ部１２０で受信された電波の受信電力が予め定められた閾値よりも大きいが、この電波から生成された電気信号を第２復調部１２１で復調できなかった（フレームロックできなかった）物理チャンネルを識別するための識別情報（ここでは、チャンネル番号）のリストである第２スキャン用チャンネルリストを格納する。例えば、第２スキャン用チャンネルリストは、第２放送方式であるＤＶＢ−Ｈのチャンネルスキャンを実施した物理チャンネルにおいて受信された電波の受信電力が、第１放送方式であるＤＶＢ−Ｔのサービスを安定して視聴できる最低の受信レベルである第１閾値よりも大きく、かつ、この電波から生成された電気信号を第２復調部１２１で復調できなかった場合と、第２放送方式であるＤＶＢ−Ｈのチャンネルスキャンを実施した物理チャンネルにおいて受信された電波の受信電力が、第３放送方式であるＤＶＢ−Ｔ２のサービスを安定して視聴できる最低の受信レベルである第３閾値よりも大きく、かつ、この電波から生成された電気信号を第２復調部１２１で復調できなかった場合とに、このような物理チャンネルのチャンネル番号が登録されたものである。
ここで、第１閾値は、上記の式（３）で算出された値、又はＤＶＢ−Ｔの規格により定められた受信電力の最小受信レベルから選択された値であり、第１放送方式（ここでは、ＤＶＢ−Ｔ）のサービスを受信するために必要な最小の受信電力を示す。
【０２４７】
図２４を再度参照すると、第２制御部６２５は、第２放送方式及び第３放送方式のチャンネルをスキャンする処理、並びに、第２放送方式及び第３放送方式の放送を受信する処理を制御する。例えば、第２制御部６２５は、第１フェーズ及び第２フェーズのＤＶＢ−Ｈのチャンネルスキャンを行う。また、第２制御部６２５は、ＤＶＢ−Ｈ方式の放送で使用されている周波数帯が、ＤＶＢ−Ｔ方式の放送で使用されている周波数帯よりも広い場合には、第３フェーズのＤＶＢ−Ｈのチャンネルスキャンを行う。さらに、第２制御部６２５は、第４フェーズのＤＶＢ−Ｔ２のチャンネルスキャンを行う。
第１フェーズのＤＶＢ−Ｈのチャンネルスキャンでは、第２制御部６２５は、第１放送方式の放送で使用されている周波数帯と第２放送方式の放送で使用されている周波数帯とが重複している範囲に含まれている物理チャンネルの内、未だ第１制御部６１５でチャンネルスキャンの対象とはされていない物理チャンネルについて、予め定められた第２順番でチャンネルスキャンを行う。ここで、第２順番は、第１制御部６１５がチャンネルスキャンを制御する第１順番の逆の順番である。そして、第２制御部６２５は、第１フェーズのＤＶＢ−Ｈのチャンネルスキャンにおいて、受信された電波が第２閾値よりも大きな受信電力を有し、この電波から生成された電気信号を復調することができた物理チャンネルがあった場合には、当該物理チャンネルの選局情報を第２サービスリストに登録するとともに、受信された電波が第１閾値又は第３閾値よりも大きな受信電力を有し、この電波から生成された電気信号を復調することができなかった物理チャンネルのチャンネル番号を、第２スキャン用チャンネルリストに登録する。
また、第２フェーズのＤＶＢ−Ｈのチャンネルスキャンでは、第２制御部６２５は、第１スキャン用チャンネルリストにチャンネル番号が登録されている物理チャンネルについて、チャンネルスキャンを行う。そして、受信された電波が第２閾値よりも大きな受信電力を有し、この電波から生成された電気信号を復調することができた物理チャンネルがあった場合には、当該物理チャンネルの選局情報を第２サービスリストに登録するとともに、受信された電波が第３閾値よりも大きな受信電力を有し、この電波から生成された電気信号を復調することができなかった物理チャンネルのチャンネル番号を、第３記憶部６３５の第３スキャン用第２チャンネルリストに登録する。
また、第３フェーズのＤＶＢ−Ｈのチャンネルスキャンでは、第２制御部６２５は、第１放送方式の放送で使用されている周波数帯と第２放送方式の放送で使用されている周波数帯とが重複している範囲に含まれていない物理チャンネルについてチャンネルスキャンを行う。そして、受信された電波が第２閾値よりも大きな受信電力を有し、この電波から生成された電気信号を復調することができた物理チャンネルがあった場合には、当該物理チャンネルの選局情報を第２サービスリストに登録するとともに、受信された電波が第３閾値よりも大きな受信電力を有し、この電波から生成された電気信号を復調することができなかった物理チャンネルのチャンネル番号を、第３スキャン用第２チャンネルリストに登録する。
さらに、第４フェーズのＤＶＢ−Ｔ２のチャンネルスキャンでは、第１放送方式の放送で使用されている周波数帯と第２放送方式の放送で使用されている周波数帯のどちらにも含まれていない物理チャンネルについて、チャンネルスキャンを行う。そして、受信された電波が第３閾値よりも大きな受信電力を有し、この電波から生成された電気信号を復調することができた物理チャンネルがあった場合には、当該物理チャンネルの選局情報を第３サービスリストに登録する。
【０２４８】
映像合成部６３１は、ＵＩＦ処理部６３４から与えられた第１サービスリスト一覧画面信号、第２サービスリスト一覧画面信号又は第３サービスリスト一覧画面信号で示される画面の映像を、映像切替部１３０から与えられた映像信号の映像に合成して、合成済みの映像信号を表示部１５２に出力する。なお、映像合成部６３１は、ＵＩＦ処理部６３４から与えられた第１サービスリスト一覧画面信号、第２サービスリスト一覧画面信号又は第３サービスリスト一覧画面信号で示される画面の映像信号を、映像切替部１３０から与えられた映像信号に代えて、表示部１５２に出力してもよい。ここで、映像合成部６３１は、ＵＩＦ処理部１３４から第１サービスリスト一覧画面信号、第２サービスリスト一覧画面信号及び第３サービスリスト一覧画面信号の何れも与えられていない場合には、映像切替部１３０から与えられた映像信号を表示部１５２に出力する。
【０２４９】
ＵＩＦ処理部６３４は、入力部１３３からの操作信号を受け、デジタル放送受信装置１００の各部に、この操作信号に対応する指示を行う。また、ＵＩＦ処理部６３４は、入力部１３３から、第１サービスリスト一覧画面を表示する操作信号を受けた場合には、第１サービスリスト格納部１１４Ａに格納されている第１サービスリストを取得して、取得したリストから第１サービスリスト一覧画面の画面信号を生成する。そして、ＵＩＦ処理部６３４は、生成した画面信号を、第１記憶部６１４を介して、映像合成部６３１に与える。
さらに、ＵＩＦ処理部６３４は、入力部１３３から、第２サービスリスト一覧画面を表示する操作信号を受信した場合には、第２サービスリスト格納部１２４Ａに格納されている第２サービスリストを取得して、取得したリストから第２サービスリスト一覧画面の画面信号を生成する。そして、ＵＩＦ処理部６３４は、生成した画面信号を、第２記憶部６２４を介して、映像合成部６３１に与える。
さらにまた、ＵＩＦ処理部６３４は、入力部１３３から、第３サービスリスト一覧画面を表示する操作信号を受信した場合には、第３サービスリスト格納部６３５Ａに格納されている第３サービスリストを取得して、取得したリストから第３サービスリスト一覧画面の画面信号を生成する。そして、ＵＩＦ処理部６３４は、生成した画面信号を、第３記憶部６３５を介して、映像合成部６３１に与える。
【０２５０】
次に、実施の形態６におけるデジタル放送受信装置６００のチャンネルスキャン時の動作について詳細に説明する。なお、実施の形態６におけるデジタル放送受信装置６００のチャンネルスキャンは、デジタル放送受信装置６００の初期設定を行うとき、放送構成が変化したとき、又は、移動体に搭載された場合では放送エリアを跨いで他の放送エリアに移動したときに実行され、ＤＶＢ−ＴとＤＶＢ−ＨとＤＶＢ−Ｔ２との各放送方式のデジタル放送のサービスリストが生成される。
【０２５１】
図２８は、ユーザの操作によりチャンネルスキャンが選択されたときに、ＵＩＦ処理部６３４が行う処理を示すフローチャートである。
【０２５２】
ＵＩＦ処理部６３４は、入力部１３３からチャンネルスキャン要求を示す操作信号を受信すると、第１制御部６１５に、第１放送方式のチャンネルスキャン開始を通知する（ステップＳ１３０）。
【０２５３】
次に、ＵＩＦ処理部６３４は、第２制御部６２５に、第２放送方式のチャンネルスキャン開始を通知する（ステップＳ１３１）。
【０２５４】
上記のように、チャンネルスキャン開始の通知を第１制御部６１５及び第２制御部６２５に行うことで、第１制御部６１５の制御によるＤＶＢ−Ｔのチャンネルスキャンと、第２制御部６２５の制御によるＤＶＢ−Ｈのチャンネルスキャンとが並行して行われる。
【０２５５】
そして、ＵＩＦ処理部６３４は、第１制御部６１５によるチャンネルスキャンの完了通知及び第２制御部６２５によるチャンネルスキャンの完了通知の両方を受けるまで待機する（ステップＳ１３２）。ＵＩＦ処理部６３４は、これらの通知を受ける（ステップＳ１３２でＹＥＳ）と、ステップＳ１３３の処理に進む。
【０２５６】
ステップＳ１３３では、ＵＩＦ処理部６３４は、第１制御部６１５に、第３放送方式のチャンネルスキャン開始を通知する。
【０２５７】
さらに、ＵＩＦ処理部６３４は、第２制御部６２５に、第３放送方式のチャンネルスキャン開始を通知する（ステップＳ１３４）。
【０２５８】
上記のように、チャンネルスキャン開始の通知を第１制御部６１５及び第２制御部６２５に行うことで、第１制御部６１５の制御によるＤＶＢ−Ｔ２のチャンネルスキャンと、第２制御部６２５の制御によるＤＶＢ−Ｔ２のチャンネルスキャンとが並行して行われる。
【０２５９】
そして、ＵＩＦ処理部６３４は、第１制御部６１５によるチャンネルスキャンの完了通知及び第２制御部６２５によるチャンネルスキャンの完了通知の両方を受けるまで待機する（ステップＳ１３５）。ＵＩＦ処理部６３４は、これらの通知を受ける（ステップＳ１３５でＹＥＳ）と、処理を終了する。なお、処理が終了した場合には、ＵＩＦ処理部６３４は、表示部１５２にチャンネルスキャン処理が終了したことを示す通知画面の映像信号を生成して、映像合成部６３１を介して、表示部１５２に出力し、表示部１５２にこのような画面を表示させてもよい。
【０２６０】
なお、図２８では、ＵＩＦ処理部６３４は、第１制御部６１５にチャンネルスキャンの開始を通知して（ステップＳ１３０、ステップＳ１３３）から、第２制御部６２５にチャンネルスキャンの開始を通知している（ステップＳ１３１、ステップＳ１３４）が、これらの順番が逆になってもよい。
【０２６１】
図２９は、第１制御部６１５によるチャンネルスキャン処理を示すフローチャートである。例えば、第１制御部６１５は、ＵＩＦ処理部６３４からチャンネルスキャンの開始通知を受けたときに、図２９で示されるフローチャートの処理を開始する。
【０２６２】
第１制御部６１５は、第１記憶部６１４の第１スキャン用チャンネルリスト格納部６１４Ｂに格納されている第１スキャン用チャンネルリストをクリア（初期化）する（ステップＳ１４０）。例えば、第１制御部６１５は、第１スキャン用チャンネルリストに格納されている物理チャンネルのチャンネル番号を全て消去する。
【０２６３】
次に、第１制御部６１５は、第１記憶部６１４の第１チャンネルスキャン実施済みリスト格納部１１４Ｃに格納されている第１チャンネルスキャン実施済みリストをクリアする（ステップＳ１４１）。例えば、第１制御部６１５は、第１チャンネルスキャン実施済みリストに格納されている物理チャンネルのチャンネル番号を全て消去する。
【０２６４】
次に、第１制御部６１５は、第１フェーズのＤＶＢ−Ｔのチャンネルスキャンを実行する（ステップＳ１４２）。このサブルーチンの詳細は、図３１に示すが、ここでは、第１制御部６１５は、ＤＶＢ−Ｔに割り当てられている周波数帯とＤＶＢ−Ｈに割り当てられている周波数帯とが重複する範囲に含まれている物理チャンネルについて、最小のチャンネル番号「１３」から昇順にチャンネルスキャンを行う。なお、ＤＶＢ−Ｔ、ＤＶＢ−Ｈ、ＤＶＢ−Ｔ２の周波数帯は国によって異なるため、「１３」は説明上の仮の番号である。そして、第１フェーズのＤＶＢ−Ｔのチャンネルスキャンは、次のチャンネルスキャンとして選択された物理チャンネルが、既に第２制御部６２５によりチャンネルスキャン済みであったときに終了する。
【０２６５】
次に、第１制御部６１５は、第２フェーズのＤＶＢ−Ｔのチャンネルスキャンを実行する（ステップＳ１４３）。このサブルーチンの詳細は、図３３に示すが、ここでは、第１制御部６１５は、第２制御部６２５から取得した第２スキャン用チャンネルリストにチャンネル番号が登録されている物理チャンネルについてチャンネルスキャンを行う。
【０２６６】
次に、第１制御部６１５は、第３フェーズのＤＶＢ−Ｔのチャンネルスキャンを実行する（ステップＳ１４４）。このサブルーチンの詳細は、図３５に示すが、ここでは、第１制御部６１５は、ＤＶＢ−Ｔに割り当てられている周波数帯に含まれる物理チャンネルの内、ＤＶＢ−Ｈに割り当てられている周波数帯と重複していない範囲に含まれる物理チャンネルについてチャンネルスキャンを行う。
【０２６７】
そして、第１制御部６１５は、第３フェーズのＤＶＢ−Ｔのチャンネルスキャンが完了した場合には、ＵＩＦ処理部６３４にＤＶＢ−Ｔのチャンネルスキャンの完了を通知する（ステップＳ１４６）。
【０２６８】
次に、第１制御部６１５は、ＵＩＦ処理部６３４からの指示があった場合には、第３記憶部６３５の第３スキャン用第１チャンネルリスト格納部６３５Ｂに格納されている第３スキャン用第１チャンネルリスト、及び、第３記憶部６３５の第３スキャン用第２チャンネルリスト格納部６３５Ｃに格納されている第３スキャン用第２チャンネルリストをクリア（初期化）する（ステップＳ１４６）。例えば、第１制御部６１５は、第３スキャン用第１チャンネルリスト及び第３スキャン用第２チャンネルリストに格納されている物理チャンネルのチャンネル番号を全て消去する。
【０２６９】
次に、第１制御部６１５は、第４フェーズのＤＶＢ−Ｔ２のチャンネルスキャンを実行する（ステップＳ１４７）。このサブルーチンの詳細は、図３７及び３８に示すが、ここでは、第１制御部６１５は、第３記憶部６３５から取得した第３スキャン用チャンネルリストにチャンネル番号が登録されている物理チャンネルについてチャンネルスキャンを行う。
【０２７０】
そして、第１制御部６１５は、第４フェーズのＤＶＢ−Ｔ２のチャンネルスキャンが完了した場合には、ＵＩＦ処理部６３４にＤＶＢ−Ｔ２のチャンネルスキャンの完了を通知する（ステップＳ１４８）。
【０２７１】
ここでは、第１制御部６１５が、図２９のステップＳ１４６において、第３スキャン用チャンネルリストをクリアする処理を行っているが、例えば、第２制御部６２５が、後述する図３０のステップＳ１５５の後に、第３スキャン用チャンネルリストをクリアする処理を行ってもよい。
【０２７２】
図３０は、第２制御部６２５によるチャンネルスキャン処理を示すフローチャートである。例えば、第２制御部６２５は、ＵＩＦ処理部６３４からチャンネルスキャンの開始通知を受けたときに、図３０で示されるフローチャートの処理を開始する。
【０２７３】
第２制御部６２５は、第２記憶部６２４の第２スキャン用チャンネルリスト格納部６２４Ｂに格納されている第２スキャン用チャンネルリストをクリアする（ステップＳ１５０）。ここでは、例えば、第２制御部６２５は、第２スキャン用チャンネルリストに格納されている物理チャンネルのチャンネル番号を全て消去する。
【０２７４】
次に、第２制御部６２５は、第２記憶部６２４の第２チャンネルスキャン実施済みリスト格納部１２４Ｃに格納されている第２チャンネルスキャン実施済みリストをクリアする（ステップＳ１５１）。ここでは、例えば、第２制御部６２５は、第２チャンネルスキャン実施済みリストに格納されている物理チャンネルのチャンネル番号を全て消去する。
【０２７５】
次に、第２制御部６２５は、第１フェーズのＤＶＢ−Ｈのチャンネルスキャンを実行する（ステップＳ１５２）。このサブルーチンの詳細は、図３２に示すが、ここでは、第２制御部６２５は、ＤＶＢ−Ｔに割り当てられている周波数帯とＤＶＢ−Ｈに割り当てられている周波数帯とが重複する範囲に含まれている物理チャンネルについて、物理チャンネルの最大のチャンネル番号「４８」から降順にチャンネルスキャンを行う。なお、ＤＶＢ−Ｔ、ＤＶＢ−Ｈ、ＤＶＢ−Ｔ２の周波数帯は国によって異なるため、「４８」は説明上の仮の番号である。そして、第１フェーズのＤＶＢ−Ｈのチャンネルスキャンは、次のチャンネルスキャンとして選択された物理チャンネルが、既に第１制御部６１５によりチャンネルスキャン済みであったときに終了する。
【０２７６】
次に、第２制御部６２５は、第２フェーズのＤＶＢ−Ｈのチャンネルスキャンを実行する（ステップＳ１５３）。このサブルーチンの詳細は、図３４に示すが、ここでは、第２制御部６２５は、第１制御部６１５から取得した第１スキャン用チャンネルリストにチャンネル番号が登録されている物理チャンネルについてチャンネルスキャンを行う。
【０２７７】
次に、第２制御部６２５は、第３フェーズのＤＶＢ−Ｈのチャンネルスキャンを実行する（ステップＳ１５４）。このサブルーチンの詳細は、図３６に示すが、ここでは、第２制御部６２５は、ＤＶＢ−Ｈに割り当てられている周波数帯に含まれる物理チャンネルの内、ＤＶＢ−Ｔに割り当てられている周波数帯と重複していない範囲に含まれる物理チャンネルについてチャンネルスキャンを行う。
【０２７８】
そして、第２制御部６２５は、第３フェーズのＤＶＢ−Ｈのチャンネルスキャンが完了した場合には、ＵＩＦ処理部６３４にＤＶＢ−Ｈのチャンネルスキャンの完了を通知する（ステップＳ１５５）。
【０２７９】
次に、第２制御部６２５は、ＵＩＦ処理部６３４から指示があった場合には、第４フェーズのＤＶＢ−Ｔ２のチャンネルスキャンを実行する（ステップＳ１５６）。このサブルーチンの詳細は、図３９に示すが、ここでは、ＤＶＢ−Ｔ２に割り当てられている周波数帯に含まれる物理チャンネルの内、ＤＶＢ−Ｔ及びＤＶＢ−Ｈに割り当てられている周波数帯と重複していない範囲に含まれる物理チャンネルについてチャンネルスキャンを行う。
【０２８０】
そして、第２制御部６２５は、第４フェーズのＤＶＢ−Ｔ２のチャンネルスキャンが完了した場合には、ＵＩＦ処理部６３４にＤＶＢ−Ｔ２のチャンネルスキャンの完了を通知する（ステップＳ１５７）。
【０２８１】
図３１は、第１制御部６１５が行う、第１フェーズのＤＶＢ−Ｔのチャンネルスキャンのサブルーチンを示すフローチャートである。第１制御部６１５は、チャンネルスキャンを行う物理チャンネルを示す変数としての受信チャンネルＮに、初期値として最小のチャンネル番号「１３」をセットする（ステップＳ１６０）。
【０２８２】
次に、第１制御部６１５は、チャンネルスキャンを行おうとしている受信チャンネルＮが、既に第２制御部６２５によりチャンネルスキャン済みか否かを判断する（ステップＳ１６１）。例えば、第１制御部６１５は、第２制御部６２５を介して、第２記憶部６２４の第２チャンネルスキャン実施済みリスト格納部１２４Ｃに格納されている第２チャンネルスキャン実施済みリストを取得して、受信チャンネルＮが、第２チャンネルスキャン実施済みリストに登録されているか否かを判断する。そして、第１制御部６１５は、受信チャンネルＮが第２チャンネルスキャン実施済みリストに登録されていない場合（ステップＳ１６１でＮＯ）には、ステップＳ１６２の処理に進む。なお、第１制御部６１５は、受信チャンネルＮが第２チャンネルスキャン実施済みリストに登録されている場合（ステップＳ１６１でＹＥＳ）には、図２９のステップＳ１４３の処理に進む。
【０２８３】
ステップＳ１６２では、第１制御部６１５は、第１チューナ部１１０に受信チャンネルＮの電波を受信するように指示を出す。
【０２８４】
次に、第１制御部６１５は、チューニングした受信チャンネルＮで受信された電波の受信レベルが第１閾値よりも大きいか否かを判断する（ステップＳ１６３）。例えば、第１制御部６１５は、第１チューナ部１１０より、電波の受信レベルが第１閾値よりも大きいか否かの判定結果の通知を受けることにより、この判断を行う。そして、第１制御部６１５は、受信チャンネルＮで受信された電波の受信レベルが第１閾値よりも大きい場合（ステップＳ１６３でＹＥＳ）には、ステップＳ１６４の処理に進み、受信チャンネルＮで受信された電波の受信レベルが第１閾値以下である場合（ステップＳ１６３でＮＯ）には、ステップＳ１７０の処理に進む。なお、第１閾値は、上述のように、ＤＶＢ−Ｔのサービスを受信することができ、映像及び音声を出力することができる最低の受信レベルを示すものである。
【０２８５】
ステップＳ１６４では、第１制御部６１５は、第１復調部１１１が、第１チューナ部１１０で受信された受信チャンネルＮの電波から生成された電気信号を復調できたか否かを判断する。例えば、第１制御部６１５は、第１復調部１１１より、電気信号に対して復調処理を行い、フレームロックをすることができたか否かの結果の通知を受けることにより、この判断を行う。そして、第１制御部６１５は、復調できた場合（ステップＳ１６４でＹＥＳ）には、ステップＳ１６５の処理に進み、復調できなかった場合（ステップＳ１６４でＮＯ）には、ステップＳ１７０の処理に進む。
【０２８６】
次に、第１制御部６１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ１６５）。
【０２８７】
次に、第１制御部６１５は、第１デマルチプレクス部１１２でＳＩを取得することができたか否かを判断する（ステップＳ１６６）。そして、第１制御部６１５は、ＳＩを取得することができた場合（ステップＳ１６６でＹＥＳ）には、ステップＳ１６７の処理に進み、ＳＩを取得することができなかった場合（ステップＳ１６６でＮＯ）には、ステップＳ１６８の処理に進む。
【０２８８】
ステップＳ１６７では、第１制御部６１５は、ＳＩから抽出したサービスの選局情報を、第１記憶部６１４の第１サービスリスト格納部１１４Ａに格納されている第１サービスリストに登録する。
【０２８９】
次に、第１制御部６１５は、第１記憶部６１４の第１チャンネルスキャン実施済みリスト格納部１１４Ｃに格納されている第１チャンネルスキャン実施済みリストに、チャンネルスキャンを実施した受信チャンネルＮを追加登録する（ステップＳ１６８）。
【０２９０】
次に、第１制御部６１５は、物理チャンネルのチャンネルスキャンを昇順で行うため、受信チャンネルＮに「１」をプラスして（ステップＳ１６９）、ステップＳ１６１の処理に戻る。
【０２９１】
一方、ステップＳ１６３で受信チャンネルＮにチューニングした結果、電波の受信レベルが第１閾値以下であった場合（ステップＳ１６３でＮＯ）、又は、ステップＳ１６４でフレームロックしなかった場合（ステップＳ１６４でＮＯ）には、第１制御部６１５は、ステップＳ１７０の処理に進む。
ステップＳ１７０では、第１制御部６１５は、受信チャンネルＮで受信された電波の受信レベルが第２閾値よりも大きいか否かを判断する。例えば、第１制御部６１５は、第１チューナ部１１０より、電波の受信レベルが第２閾値よりも大きいか否かの判定結果の通知を受けることにより、この判断を行う。そして、第１制御部６１５は、受信チャンネルＮで受信された電波の受信レベルが第２閾値よりも大きい場合（ステップＳ１７０でＹＥＳ）には、ステップＳ１７１の処理に進み、受信チャンネルＮで受信された電波の受信レベルが第２閾値以下である場合（ステップＳ１７０でＮＯ）には、ステップＳ１７２の処理に進む。
【０２９２】
ステップＳ１７１では、第１制御部６１５は、第１記憶部６１４の第１スキャン用チャンネルリスト格納部６１４Ｂに格納されている第１スキャン用チャンネルリストにこの受信チャンネルＮを登録する。
【０２９３】
一方、ステップＳ１７２では、第１制御部６１５は、受信チャンネルＮで受信された電波の受信レベルが第３閾値よりも大きいか否かを判断する。例えば、第１制御部６１５は、第１チューナ部１１０より、電波の受信レベルが第３閾値よりも大きいか否かの判定結果の通知を受けることにより、この判断を行う。そして、第１制御部６１５は、受信チャンネルＮで受信された電波の受信レベルが第３閾値よりも大きい場合（ステップＳ１７２でＹＥＳ）には、ステップＳ１７３の処理に進み、受信チャンネルＮで受信された電波の受信レベルが第３閾値以下である場合（ステップＳ１７２でＮＯ）には、ステップＳ１６８の処理に進む。
【０２９４】
ステップＳ１７３では、第１制御部６１５は、第１記憶部６１４の第１スキャン用チャンネルリスト格納部６１４Ｂに格納されている第１スキャン用チャンネルリストにこの受信チャンネルＮを登録する。
【０２９５】
上記のように、第１制御部６１５による第１フェーズにおけるＤＶＢ−Ｔのチャンネルスキャンは、物理チャンネルのチャンネル番号「１３」から昇順に実行される。そして、第１制御部６１５は、ステップＳ１６１でチャンネルスキャンを行おうとしている受信チャンネルＮが既に第２制御部６２５によりチャンネルスキャン済みであると判断した場合には、第１フェーズにおけるＤＶＢ−Ｔのチャンネルスキャンを終了する。
【０２９６】
図３１のステップＳ１６３、Ｓ１７０及びＳ１７２において、第１閾値、第２閾値及び第３閾値による受信レベルの評価は、第１チューナ部１１０で行われているが、第１制御部６１５が、第１チューナ部１１０から電波の受信レベルを取得して、第１閾値、第２閾値又は第３閾値と比較して評価を行うようにしてもよい。
また、図３１のステップＳ１６５〜Ｓ１６７において行われる、ＳＩを取得して、選局情報を第１サービスリストに登録する処理は、図３１に示されているタイミングで実行してもよく、また、全てのチャンネルスキャンが完了した後に、全サービスに対してまとめて実行してもよい。
【０２９７】
図３２は、第２制御部６２５が行う、第１フェーズのＤＶＢ−Ｈのチャンネルスキャンのサブルーチンを示すフローチャートである。なお、第２制御部６２５は、第１フェーズのＤＶＢ−Ｈのチャンネルスキャンを、第１制御部６１５が行う第１フェーズのＤＶＢ−Ｔのチャンネルスキャンと並行して行う。
第２制御部６２５は、チャンネルスキャンを行う物理チャンネルを示す変数としての受信チャンネルＯに、初期値として物理チャンネルの最大のチャンネル番号「４８」をセットする（ステップＳ１８０）。
【０２９８】
次に、第２制御部６２５は、チャンネルスキャンを行おうとしている受信チャンネルＯが、既に第１制御部６１５によりチャンネルスキャン済みか否かを判断する（ステップＳ１８１）。例えば、第２制御部６２５は、第１制御部６１５を介して、第１記憶部６１４の第１チャンネルスキャン実施済みリスト格納部１１４Ｃに格納されている第１チャンネルスキャン実施済みリストを取得して、受信チャンネルＯが、第１チャンネルスキャン実施済みリストに登録されているか否かを判断する。そして、第２制御部６２５は、受信チャンネルＯが第１チャンネルスキャン実施済みリストに登録されていない場合（ステップＳ１８１でＮＯ）には、ステップＳ１８２の処理に進む。なお、第２制御部６２５は、受信チャンネルＯが第１チャンネルスキャン実施済みリストに登録されている場合（ステップＳ１８１でＹＥＳ）には、図３０のステップＳ１５３の処理に進む。
【０２９９】
ステップＳ１８２では、第２制御部６２５は、第２チューナ部１２０に受信チャンネルＯの電波を受信するように指示を出す。
【０３００】
次に、第２制御部６２５は、チューニングした受信チャンネルＯで受信された電波の受信レベルが第２閾値よりも大きいか否かを判断する（ステップＳ１８３）。例えば、第２制御部６２５は、第２チューナ部１２０より、電波の受信レベルが第２閾値よりも大きいか否かの判定結果の通知を受けることにより、この判断を行う。そして、第２制御部６２５は、受信チャンネルＯで受信された電波の受信レベルが第２閾値よりも大きい場合（ステップＳ１８３でＹＥＳ）には、ステップＳ１８４の処理に進み、受信チャンネルＯで受信された電波の受信レベルが第２閾値以下である場合（ステップＳ１８３でＮＯ）には、ステップＳ１９０の処理に進む。なお、第２閾値は、上述のように、ＤＶＢ−Ｈのサービスを受信することができ、映像及び音声を出力することができる最低の受信レベルを示すものである。
【０３０１】
ステップＳ１８４では、第２制御部６２５は、第２復調部１２１が、第２チューナ部１２０で受信された受信チャンネルＯの電波から生成された電気信号を復調できたか否かを判断する。例えば、第２制御部６２５は、第２復調部１２１より、電気信号に対して復調処理を行い、フレームロックをすることができたか否かの結果の通知を受けることにより、この判断を行う。そして、第２制御部６２５は、復調できた場合（ステップＳ１８４でＹＥＳ）には、ステップＳ１８５の処理に進み、復調できなかった場合（ステップＳ１８４でＮＯ）には、ステップＳ１９０の処理に進む。
【０３０２】
次に、第２制御部６２５は、第２復調部１２１がフレームロックした場合には、第２復調部１２１からＴＳが第２デマルチプレクス部１２２に出力されている可能性が高いので、第２デマルチプレクス部１２２にＳＩを取得するよう指示を出す（ステップＳ１８５）。
【０３０３】
次に、第２制御部６２５は、第２デマルチプレクス部１２２でＳＩを取得することができたか否かを判断する（ステップＳ１８６）。そして、第２制御部６２５は、ＳＩを取得することができた場合（ステップＳ１８６でＹＥＳ）には、ステップＳ１８７の処理に進み、ＳＩを取得することができなかった場合（ステップＳ１８６でＮＯ）には、ステップＳ１８８の処理に進む。
【０３０４】
ステップＳ１８７では、第２制御部６２５は、ＳＩから抽出したサービスの選局情報を、第２記憶部６２４の第２サービスリスト格納部１２４Ａに格納されている第２サービスリストに登録する。
【０３０５】
次に、第２制御部６２５は、第２記憶部６２４の第２チャンネルスキャン実施済みリスト格納部１２４Ｃに格納されている第２チャンネルスキャン実施済みリストに、チャンネルスキャンを実施した受信チャンネルＯを追加登録する（ステップＳ１８８）。
【０３０６】
次に、第２制御部６２５は、物理チャンネルのチャンネルスキャンを降順で行うため、受信チャンネルＯから「１」をマイナスして（ステップＳ１８９）、ステップＳ１８１の処理に戻る。
【０３０７】
一方、ステップＳ１８３で受信チャンネルＯにチューニングした結果、電波の受信レベルが第２閾値以下であった場合（ステップＳ１８３でＮＯ）、又は、ステップＳ１８４でフレームロックしなかった場合（ステップＳ１８４でＮＯ）には、第２制御部６２５は、ステップＳ１９０の処理に進む。
ステップＳ１９０では、第２制御部６２５は、受信チャンネルＯで受信された電波の受信レベルが、第１閾値よりも大きいか否かを判断する。例えば、第２制御部６２５は、第２チューナ部１２０より、電波の受信レベルが第１閾値よりも大きいか否かの判定結果の通知を受けることにより、この判断を行う。そして、第２制御部６２５は、受信チャンネルＯで受信された電波の受信レベルが第１閾値よりも大きい場合（ステップＳ１９０でＹＥＳ）には、ステップＳ１９１の処理に進み、受信チャンネルＯで受信された電波の受信レベルが第１閾値以下である場合（ステップＳ１９０でＮＯ）には、ステップＳ１９２の処理に進む。
【０３０８】
ステップＳ１９１では、第２制御部６２５は、第２記憶部６２４の第２スキャン用チャンネルリスト格納部６２４Ｂに格納されている第２スキャン用チャンネルリストにこの受信チャンネルＯを登録する。
【０３０９】
一方、ステップＳ１９２では、第２制御部６２５は、受信チャンネルＯで受信された電波の受信レベルが、第３閾値よりも大きいか否かを判断する。例えば、第２制御部６２５は、第２チューナ部１２０より、電波の受信レベルが第３閾値よりも大きいか否かの判定結果の通知を受けることにより、この判断を行う。そして、第２制御部６２５は、受信チャンネルＯで受信された電波の受信レベルが第３閾値よりも大きい場合（ステップＳ１９２でＹＥＳ）には、ステップＳ１９３の処理に進み、受信チャンネルＯで受信された電波の受信レベルが第３閾値以下である場合（ステップＳ１９２でＮＯ）には、ステップＳ１８８の処理に進む。
【０３１０】
ステップＳ１９３では、第２制御部６２５は、第２記憶部６２４の第２スキャン用チャンネルリスト格納部６２４Ｂに格納されている第２スキャン用チャンネルリストにこの受信チャンネルＯを登録する。
【０３１１】
上記のように、第２制御部６２５による第１フェーズにおけるＤＶＢ−Ｈのチャンネルスキャンは、物理チャンネルの最大のチャンネル番号「４８」から降順に実行される。そして、第２制御部６２５は、ステップＳ１８１でチャンネルスキャンを行おうとしている受信チャンネルＯが既に第１制御部６１５によりチャンネルスキャンされていると判断した場合には、第１フェーズにおけるＤＶＢ−Ｈのチャンネルスキャンを終了する。
【０３１２】
図３２のステップＳ１８３、Ｓ１９０及びＳ１９２において、第１閾値、第２閾値及び第３閾値による受信レベルの評価は、第２チューナ部１２０で行っているが、第２制御部６２５が、第２チューナ部１２０から受信チャンネルＯで受信された電波の受信レベルを取得して、第１閾値、第２閾値又は第３閾値と比較して、評価を行うようにしてもよい。
また、図３２のステップＳ１８５〜Ｓ１８７で行われる、ＳＩを取得して、選局情報を第２サービスリストに登録する処理は、図３２に示されているタイミングで実行してもよく、また、全てのチャンネルスキャンが完了した後に、全サービスに対してまとめて実行してもよい。
図３３は、第１制御部６１５が行う、第２フェーズのＤＶＢ−Ｔのチャンネルスキャンのサブルーチンを示すフローチャートである。
【０３１３】
第１制御部６１５は、第２制御部６２５を介して、第２記憶部６２４の第２スキャン用チャンネルリスト格納部６２４Ｂに格納されている第２スキャン用チャンネルリストを取得し、第２スキャン用チャンネルリストにチャンネル番号が登録されている全ての物理チャンネルの選局を行ったか否かを判断する（ステップＳ２００）。そして、第１制御部６１５は、第２スキャン用チャンネルリストにチャンネル番号が登録されている全ての物理チャンネルの選局を行っていない場合（ステップＳ２００でＮＯ）、言い換えると、未だ選局されていない物理チャンネルのチャンネル番号が、第２スキャン用チャンネルリストに存在する場合には、ステップＳ２０１の処理に進み、第２スキャン用チャンネルリストに登録されている全ての物理チャンネルの選局を行った場合（ステップＳ２００でＹＥＳ）、言い換えると、未だ選局されていない物理チャンネルのチャンネル番号が、第２スキャン用チャンネルリストに存在しない場合には、図２９のステップＳ１４４の処理に進む。
【０３１４】
ステップＳ２０１では、第１制御部６１５は、第２スキャン用チャンネルリストから、登録された順（言い換えると、チャンネル番号の大きい順）に、チャンネル番号を取得し、物理チャンネルを示す変数である受信チャンネルＰにセットする。従って、ステップＳ２０１では、第２スキャン用チャンネルリストに登録され、ステップＳ２０１で未だ受信チャンネルＰにセットされていない物理チャンネルの内、最大のチャンネル番号が受信チャンネルＰにセットされることになる。なお、ここでは登録された順としているが、これには限らず、第１制御部６１５は、他の順番で受信チャンネルＰにセットするようにしてもよい。
【０３１５】
次に、第１制御部６１５は、受信チャンネルＰで示される物理チャンネルに対応する周波数にチューニングするように、第１チューナ部１１０に指示する（ステップＳ２０２）。
【０３１６】
次に、第１制御部６１５は、チューニングした受信チャンネルＰで受信された電波の受信レベルが第１閾値よりも大きいか否かを判断する（ステップＳ２０３）。例えば、第１制御部６１５は、第１チューナ部１１０より、電波の受信レベルが第１閾値よりも大きいか否かの判定結果の通知を受けることにより、この判断を行う。そして、第１制御部６１５は、受信チャンネルＰで受信された電波の受信レベルが第１閾値よりも大きい場合（ステップＳ２０３でＹＥＳ）には、ステップＳ２０４の処理に進み、受信チャンネルＰで受信された電波の受信レベルが第１閾値以下である場合（ステップＳ２０３でＮＯ）には、ステップＳ２０８の処理に進む。
【０３１７】
ステップＳ２０４では、第１制御部６１５は、第１復調部１１１が、第１チューナ部１１０で受信された受信チャンネルＰの電波から生成された電気信号を復調できたか否かを判断する。例えば、第１制御部６１５は、第１復調部１１１より、電気信号に対して復調処理を行い、フレームロックをすることができたか否かの結果の通知を受けることにより、この判断を行う。そして、第１制御部６１５は、復調できた場合（ステップＳ２０４でＹＥＳ）には、ステップＳ２０５の処理に進み、復調できなかった場合（ステップＳ２０４でＮＯ）には、ステップＳ２０８の処理に進む。
【０３１８】
次に、第１制御部６１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ２０５）。
【０３１９】
次に、第１制御部６１５は、第１デマルチプレクス部１１２でＳＩを取得することができたか否かを判断する（ステップＳ２０６）。そして、第１制御部６１５は、ＳＩを取得することができた場合（ステップＳ２０６でＹＥＳ）には、ステップＳ２０７の処理に進み、ＳＩを取得することができなかった場合（ステップＳ２０６でＮＯ）には、ステップＳ２００の処理に戻る。
【０３２０】
ステップＳ２０７では、第１制御部６１５は、ＳＩから抽出したサービスの選局情報を、第１記憶部６１４の第１サービスリスト格納部１１４Ａに格納されている第１サービスリストに登録する。
【０３２１】
一方、ステップＳ２０３で受信チャンネルＰにチューニングした結果、電波の受信レベルが第１閾値以下であった場合（ステップＳ２０３でＮＯ）、又は、ステップＳ２０４でフレームロックしなかった場合（ステップＳ２０４でＮＯ）には、第１制御部６１５は、ステップＳ２０８の処理に進む。
ステップＳ２０８では、第１制御部６１５は、受信チャンネルＰで受信された電波の受信レベルが、第３閾値よりも大きいか否かを判断する。例えば、第１制御部６１５は、第１チューナ部１１０より、電波の受信レベルが第３閾値よりも大きいか否かの判定結果の通知を受けることにより、この判断を行う。そして、第１制御部６１５は、受信チャンネルＰで受信された電波の受信レベルが第３閾値よりも大きい場合（ステップＳ２０８でＹＥＳ）には、ステップＳ２０９の処理に進み、受信チャンネルＰで受信された電波の受信レベルが第３閾値以下である場合（ステップＳ２０８でＮＯ）には、ステップＳ２００の処理に戻る。
【０３２２】
ステップＳ２０９では、第１制御部６１５は、第３記憶部６３５の第３スキャン用第１チャンネルリスト格納部６３５Ｂに格納されている第３スキャン用第１チャンネルリストにこの受信チャンネルＰを登録する。
【０３２３】
上記のように、第１制御部６１５は、第２スキャン用チャンネルリストにチャンネル番号が登録されている物理チャンネルに対してのみチャンネルスキャンを実行するため、効率的なチャンネルスキャンを行うことができる。
【０３２４】
図３３のステップＳ２０３及びＳ２０８において、第１閾値及び第３閾値による受信レベルの評価は、第１チューナ部１１０で行っているが、第１制御部６１５が、第１チューナ部１１０から受信チャンネルＰで受信された電波の受信レベルを取得して、第１閾値又は第３閾値と比較して評価を行うようにしてもよい。
また、図３３のステップＳ２０５〜Ｓ２０７で行われる、ＳＩを取得して、選局情報を第１サービスリストに登録する処理は、図３３に示されているタイミングで実行してもよく、また、全てのチャンネルスキャンが完了した後に、全サービスに対してまとめて実行してもよい。
【０３２５】
図３４は、第２制御部６２５が行う、第２フェーズのＤＶＢ−Ｈのチャンネルスキャンのサブルーチンを示すフローチャートである。なお、第２制御部６２５は、第２フェーズのＤＶＢ−Ｈのチャンネルスキャンを、第１制御部６１５が行う第２フェーズのＤＶＢ−Ｔのチャンネルスキャンと並行して行う。
【０３２６】
第２制御部６２５は、第１制御部６１５を介して、第１記憶部６１４の第１スキャン用チャンネルリスト格納部６１４Ｂに格納されている第１スキャン用チャンネルリストを取得し、第１スキャン用チャンネルリストに登録されている全ての物理チャンネルの選局を行ったかを判断する（ステップＳ２１０）。そして、第２制御部６２５は、第１スキャン用チャンネルリストに登録されている全ての物理チャンネルの選局を行っていない場合（ステップＳ２１０でＮＯ）、言い換えると、未だ選局されていない物理チャンネルが、第１スキャン用チャンネルリストに存在する場合には、ステップＳ２１１の処理に進み、第１スキャン用チャンネルリストに登録されている全ての物理チャンネルの選局を行った場合（ステップＳ２１０でＮＯ）、言い換えると、未だ選局されていない物理チャンネルが、第１スキャン用チャンネルリストに存在しない場合には、図３０のステップＳ１５４の処理に進む。
【０３２７】
ステップＳ２１１では、第２制御部６２５は、第１スキャン用チャンネルリストから、登録された順（言い換えると、チャンネル番号の小さい順）に、物理チャンネルのチャンネル番号を取得し、物理チャンネルを示す変数である受信チャンネルＱにセットする。従って、ステップＳ２１１では、第１スキャン用チャンネルリストに登録され、ステップＳ２１１で未だ受信チャンネルＱにセットされていない物理チャンネルの内、最小のチャンネル番号となっている物理チャンネルが、受信チャンネルＱにセットされることになる。なお、ここでは登録された順としているが、これには限らず他の順番で受信チャンネルＱにセットするようにしてもよい。
【０３２８】
次に、第２制御部６２５は、受信チャンネルＱで示される物理チャンネルに対応する周波数にチューニングするように、第２チューナ部１２０に指示する（ステップＳ２１２）。
【０３２９】
次に、第２制御部６２５は、チューニングした受信チャンネルＱで受信された電波の受信レベルが第２閾値よりも大きいか否かを判断する（ステップＳ２１３）。例えば、第２制御部６２５は、第２チューナ部１２０より、電波の受信レベルが第２閾値よりも大きいか否かの判定結果の通知を受けることにより、この判断を行う。そして、第２制御部６２５は、受信チャンネルＱで受信された電波の受信レベルが第２閾値よりも大きい場合（ステップＳ２１３でＹＥＳ）には、ステップＳ２１４の処理に進み、受信チャンネルＱで受信された電波の受信レベルが第２閾値以下である場合（ステップＳ２１３でＮＯ）には、ステップＳ２１８の処理に進む。
【０３３０】
ステップＳ２１４では、第２制御部６２５は、第２復調部１２１が、第２チューナ部１２０で受信された受信チャンネルＱの電波から生成された電気信号を復調できたか否かを判断する。例えば、第２制御部６２５は、第２復調部１２１より、電気信号に対して復調処理を行い、フレームロックをすることができたか否かの結果の通知を受けることにより、この判断を行う。そして、第２制御部６２５は、復調できた場合（ステップＳ２１４でＹＥＳ）には、ステップＳ２１５の処理に進み、復調できなかった場合（ステップＳ２１４でＮＯ）には、ステップＳ２１８の処理に進む。
【０３３１】
次に、第２制御部６２５は、第２復調部１２１がフレームロックした場合には、第２復調部１２１からＴＳが第２デマルチプレクス部１２２に出力されている可能性が高いので、第２デマルチプレクス部１２２にＳＩを取得するよう指示を出す（ステップＳ２１５）。
【０３３２】
次に、第２制御部６２５は、第２デマルチプレクス部１２２でＳＩを取得することができたか否かを判断する（ステップＳ２１６）。そして、第２制御部６２５は、ＳＩを取得することができた場合（ステップＳ２１６でＹＥＳ）には、ステップＳ２１７の処理に進み、ＳＩを取得することができなかった場合（ステップＳ２１６でＮＯ）には、ステップＳ２１０の処理に戻る。
【０３３３】
ステップＳ２１７では、第２制御部６２５は、ＳＩから抽出したサービスの選局情報を、第２記憶部６２４の第２サービスリスト格納部１２４Ａに格納されている第２サービスリストに登録する。
【０３３４】
一方、ステップＳ２１３で受信チャンネルＱにチューニングした結果、電波の受信レベルが第２閾値以下であった場合（ステップＳ２１３でＮＯ）、又は、ステップＳ２１４でフレームロックしなかった場合（ステップＳ２１４でＮＯ）には、第２制御部６２５は、ステップＳ２１８の処理に進む。
ステップＳ２１８では、第２制御部６２５は、受信チャンネルＱで受信された電波の受信レベルが、第３閾値よりも大きいか否かを判断する。例えば、第２制御部６２５は、第２チューナ部１２０より、電波の受信レベルが第３閾値よりも大きいか否かの判定結果の通知を受けることにより、この判断を行う。そして、第２制御部６２５は、受信チャンネルＱで受信された電波の受信レベルが第３閾値よりも大きい場合（ステップＳ２１８でＹＥＳ）には、ステップＳ２１９の処理に進み、受信チャンネルＱで受信された電波の受信レベルが第３閾値以下である場合（ステップＳ２１８でＮＯ）には、ステップＳ２１０の処理に戻る。
【０３３５】
ステップＳ２１９では、第２制御部６２５は、第３記憶部６３５の第３スキャン用第２チャンネルリスト格納部６３５Ｃに格納されている第３スキャン用第２チャンネルリストにこの受信チャンネルＱを登録する。
【０３３６】
上記のように、第２制御部６２５は、第１スキャン用チャンネルリストにチャンネル番号が登録されている物理チャンネルに対してのみチャンネルスキャンを実行するため、効率的なチャンネルスキャンを行うことができる。
【０３３７】
図３４のステップＳ２１３及びＳ２１８における、第２閾値及び第３閾値による受信レベルの評価は、第２チューナ部１２０で行っているが、第２制御部６２５が、第２チューナ部１２０から受信チャンネルＱで受信された電波の受信レベルを取得して、第２閾値又は第３閾値と比較して、評価を行うようにしてもよい。
また、図３４のステップＳ２１５〜Ｓ２１７で行われる、ＳＩを取得して、選局情報を第２サービスリストに登録する処理は、図３４に示されているタイミングで実行してもよく、また、全てのチャンネルスキャンが完了した後に、全サービスに対してまとめて実行してもよい。
【０３３８】
図３５は、第１制御部６１５が行う、第３フェーズのＤＶＢ−Ｔのチャンネルスキャンのサブルーチンを示すフローチャートである。第１放送方式であるＤＶＢ−Ｔの帯域は１３チャンネルから５６チャンネルまでと仮定しているため、第１制御部６１５は、第２フェーズのチャンネルスキャンで完了している４８チャンネルよりも後の、４９チャンネルから５６チャンネルまでのチャンネルスキャンを第３フェーズのＤＶＢ−Ｔのチャンネルスキャンとして実行する。
【０３３９】
第１制御部６１５は、４９チャンネルから昇順でチャンネルスキャンを行うため、チャンネルスキャンを行う物理チャンネルを示す変数としての受信チャンネルＲに、初期値としてチャンネル番号「４９」をセットする（ステップＳ２２０）。
【０３４０】
次に、第１制御部６１５は、既に５６チャンネルまでチャンネルスキャンが実施済みか否かを判断する（ステップＳ２２１）。例えば、第１制御部６１５は、チャンネルスキャンを行おうとしている受信チャンネルＲが、チャンネルスキャンを行う最大の物理チャンネル番号である「５６」を超えているか否かにより、この判断を行う。そして、第１制御部６１５は、未だ５６チャンネルまでチャンネルスキャンが実施済みではない場合（ステップＳ２２１でＮＯ）には、ステップＳ２２２の処理に進み、既に５６チャンネルまでチャンネルスキャンが実施済みである場合（ステップＳ２２１でＹＥＳ）には、図２９のステップＳ１４５の処理に進む。
【０３４１】
ステップＳ２２２では、第１制御部６１５は、第１チューナ部１１０に受信チャンネルＲで示される物理チャンネルに対応する周波数にチューニングするように指示を出す。
【０３４２】
次に、第１制御部６１５は、チューニングした受信チャンネルＲで受信された電波の受信レベルが第１閾値よりも大きいか否かを判断する（ステップＳ２２３）。例えば、第１制御部６１５は、第１チューナ部１１０より、電波の受信レベルが第１閾値よりも大きいか否かの判定結果の通知を受けることにより、この判断を行う。そして、第１制御部６１５は、受信チャンネルＲで受信された電波の受信レベルが第１閾値よりも大きい場合（ステップＳ２２３でＹＥＳ）には、ステップＳ２２４の処理に進み、受信チャンネルＲで受信された電波の受信レベルが第１閾値以下である場合（ステップＳ２２３でＮＯ）には、ステップＳ２２９の処理に進む。
【０３４３】
ステップＳ２２４では、第１制御部６１５は、第１復調部１１１が、第１チューナ部１１０で受信された受信チャンネルＲの電波から生成された電気信号を復調できたか否かを判断する。例えば、第１制御部６１５は、第１復調部１１１より、電気信号に対して復調処理を行い、フレームロックをすることができたか否かの結果の通知を受けることにより、この判断を行う。そして、第１制御部６１５は、復調できた場合（ステップＳ２２４でＹＥＳ）には、ステップＳ２２５の処理に進み、復調できなかった場合（ステップＳ２２４でＮＯ）には、ステップＳ２２９の処理に進む。
【０３４４】
次に、第１制御部６１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ２２５）。
【０３４５】
次に、第１制御部６１５は、第１デマルチプレクス部１１２でＳＩを取得することができたか否かを判断する（ステップＳ２２６）。そして、第１制御部６１５は、ＳＩを取得することができた場合（ステップＳ２２６でＹＥＳ）には、ステップＳ２２７の処理に進み、ＳＩを取得することができなかった場合（ステップＳ２２６でＮＯ）には、ステップＳ２２８の処理に進む。
【０３４６】
ステップＳ２２７では、第１制御部６１５は、ＳＩから抽出したサービスの選局情報を、第１記憶部６１４の第１サービスリスト格納部１１４Ａに格納されている第１サービスリストに登録する。
【０３４７】
次に、第１制御部６１５は、物理チャンネルのチャンネルスキャンを昇順で行うため、受信チャンネルＲに１をプラスして（ステップＳ２２８）、ステップＳ２２１の処理に戻る。
【０３４８】
一方、ステップＳ２２３で受信チャンネルＲにチューニングした結果、電波の受信レベルが第１閾値以下であった場合（ステップＳ２２３でＮＯ）、又は、ステップＳ２２４でフレームロックしなかった場合（ステップＳ２２４でＮＯ）には、第１制御部６１５は、ステップＳ２２９の処理に進む。
ステップＳ２２９では、第１制御部６１５は、受信チャンネルＲで受信された電波の受信レベルが第３閾値よりも大きいか否かを判断する。例えば、第１制御部６１５は、第１チューナ部１１０より、電波の受信レベルが第３閾値よりも大きいか否かの判定結果の通知を受けることにより、この判断を行う。そして、第１制御部６１５は、受信チャンネルＲで受信された電波の受信レベルが第３閾値よりも大きい場合（ステップＳ２２９でＹＥＳ）には、ステップＳ２３０の処理に進み、受信チャンネルＲで受信された電波の受信レベルが第３閾値以下である場合（ステップＳ２２９でＮＯ）には、ステップＳ２２８の処理に進む。
【０３４９】
ステップＳ２３０では、第１制御部６１５は、第３記憶部６３５の第３スキャン用第１チャンネルリスト格納部６３５Ｂに格納されている第３スキャン用第１チャンネルリストにこの受信チャンネルＲを登録する。
【０３５０】
上記のように、第１制御部６１５による第３フェーズにおけるＤＶＢ−Ｔのチャンネルスキャンは、物理チャンネルのチャンネル番号「４９」から昇順に実施されていく。そして、第１制御部６１５は、ステップＳ２２１でチャンネルスキャンを行おうとしている受信チャンネルＲが既に最大のチャンネル番号である「５６」を超えていると判断した場合には、第３フェーズにおけるＤＶＢ−Ｔのチャンネルスキャンを終了する。
【０３５１】
図３５のステップＳ２２３及びＳ２２９における、第１閾値及び第３閾値による受信レベルの評価は、第１チューナ部１１０で行っているが、第１制御部６１５が、第１チューナ部１１０から受信チャンネルＲで受信された電波の受信レベルを取得して、第１閾値又は第３閾値と比較して、評価を行うようにしてもよい。
また、図３５のステップＳ２２５〜Ｓ２２７で行われる、ＳＩを取得して、選局情報を第１サービスリストに登録する処理は、図３５に示されているタイミングで実行してもよく、また、全てのチャンネルスキャンが完了した後に、全サービスに対してまとめて実行してもよい。
【０３５２】
図３６は、第２制御部６２５が行う、第３フェーズのＤＶＢ−Ｈのチャンネルスキャンのサブルーチンを示すフローチャートである。第２放送方式であるＤＶＢ−Ｈの帯域は８チャンネルから４８チャンネルまでと仮定しているため、第２制御部６２５は、第２フェーズのチャンネルスキャンで完了している１３チャンネルよりも前の、８チャンネルから１２チャンネルまでのチャンネルスキャンを第３フェーズのＤＶＢ−Ｈのチャンネルスキャンとして実行する。
【０３５３】
第２制御部６２５は、８チャンネルから昇順でチャンネルスキャンを行うため、チャンネルスキャンを行う物理チャンネルを示す変数としての受信チャンネルＳに、初期値としてチャンネル番号「８」をセットする（ステップＳ２４０）。
【０３５４】
次に、第２制御部６２５は、既に１２チャンネルまでチャンネルスキャンが実施済みか否かを判断する（ステップＳ２４１）。例えば、第２制御部６２５は、チャンネルスキャンを行おうとしている受信チャンネルＳが、チャンネルスキャンを行う最大の物理チャンネル番号である「１２」を超えているか否かにより、この判断を行う。そして、第２制御部６２５は、未だ１２チャンネルまでチャンネルスキャンが実施済みではない場合（ステップＳ２４１でＮＯ）には、ステップＳ２４２の処理に進み、既に１２チャンネルまでチャンネルスキャンが実施済みである場合（ステップＳ２４１でＹＥＳ）には、図３０のステップＳ１５５の処理に進む。
【０３５５】
ステップＳ２４２では、第２制御部６２５は、第１チューナ部１１０に受信チャンネルＳで示される物理チャンネルに対応する周波数にチューニングするように指示を出す。
【０３５６】
次に、第２制御部６２５は、チューニングした受信チャンネルＳで受信された電波の受信レベルが第２閾値よりも大きいか否かを判断する（ステップＳ２４３）。例えば、第２制御部６２５は、第１チューナ部１１０より、電波の受信レベルが第２閾値よりも大きいか否かの判定結果の通知を受けることにより、この判断を行う。そして、第２制御部６２５は、受信チャンネルＳで受信された電波の受信レベルが第２閾値よりも大きい場合（ステップＳ２４３でＹＥＳ）には、ステップＳ２４４の処理に進み、受信チャンネルＳで受信された電波の受信レベルが第２閾値以下である場合（ステップＳ２４３でＮＯ）には、ステップＳ２４９の処理に進む。
【０３５７】
ステップＳ２４４では、第２制御部６２５は、第２復調部１２１が、第２チューナ部１２０で受信された受信チャンネルＳの電波から生成された電気信号を復調できたか否かを判断する。例えば、第２制御部６２５は、第２復調部１２１より、電気信号に対して復調処理を行い、フレームロックをすることができたか否かの結果の通知を受けることにより、この判断を行う。そして、第２制御部６２５は、復調できた場合（ステップＳ２４４でＹＥＳ）には、ステップＳ２４５の処理に進み、復調できなかった場合（ステップＳ２４４でＮＯ）には、ステップＳ２４９の処理に進む。
【０３５８】
次に、第２制御部６２５は、第２復調部１２１がフレームロックした場合には、第２復調部１２１からＴＳが第２デマルチプレクス部１２２に出力されている可能性が高いので、第２デマルチプレクス部１２２にＳＩを取得するよう指示を出す（ステップＳ２４５）。
【０３５９】
次に、第２制御部６２５は、第２デマルチプレクス部１２２でＳＩを取得することができたか否かを判断する（ステップＳ２４６）。そして、第２制御部６２５は、ＳＩを取得することができた場合（ステップＳ２４６でＹＥＳ）には、ステップＳ２４７の処理に進み、ＳＩを取得することができなかった場合（ステップＳ２４６でＮＯ）には、ステップＳ２４８の処理に進む。
【０３６０】
ステップＳ２４７では、第２制御部６２５は、ＳＩから抽出したサービスの選局情報を、第２記憶部６２４の第２サービスリスト格納部１２４Ａに格納されている第２サービスリストに登録する。
【０３６１】
次に、第２制御部６２５は、物理チャンネルのチャンネルスキャンを昇順で行うため、受信チャンネルＳに１をプラスして（ステップＳ２４８）、ステップＳ２４１の処理に戻る。
【０３６２】
一方、ステップＳ２４３で受信チャンネルＳにチューニングした結果、電波の受信レベルが第２閾値以下であった場合（ステップＳ２４３でＮＯ）、又は、ステップＳ２４４でフレームロックしなかった場合（ステップＳ２４４でＮＯ）には、第２制御部６２５は、ステップＳ２４９の処理に進む。
ステップＳ２４９では、第２制御部６２５は、受信チャンネルＳで受信された電波の受信レベルが第３閾値よりも大きいか否かを判断する。例えば、第２制御部６２５は、第２チューナ部１２０より、電波の受信レベルが第３閾値よりも大きいか否かの判定結果の通知を受けることにより、この判断を行う。そして、第２制御部６２５は、受信チャンネルＳで受信された電波の受信レベルが第３閾値よりも大きい場合（ステップＳ２４９でＹＥＳ）には、ステップＳ２５０の処理に進み、受信チャンネルＳで受信された電波の受信レベルが第３閾値以下である場合（ステップＳ２４９でＮＯ）には、ステップＳ２４８の処理に進む。
【０３６３】
ステップＳ２５０では、第２制御部６２５は、第３記憶部６３５の第３スキャン用第２チャンネルリスト格納部６３５Ｃに格納されている第３スキャン用第２チャンネルリストにこの受信チャンネルＳを登録する。
【０３６４】
上記のように、第２制御部６２５による第３フェーズにおけるＤＶＢ−Ｈのチャンネルスキャンは、物理チャンネルのチャンネル番号「８」から昇順に実施されていく。そして、第２制御部６２５は、ステップＳ２４１でチャンネルスキャンを行おうとしている受信チャンネルＳが既に最大のチャンネル番号である「１２」を超えていると判断した場合には、第３フェーズにおけるＤＶＢ−Ｈのチャンネルスキャンを終了する。
【０３６５】
図３６のステップＳ２４３及びＳ２４９において、第２閾値及び第３閾値による受信レベルの評価は、第２チューナ部１２０で行っているが、第２制御部６２５が、第２チューナ部１２０から受信チャンネルＳで受信された電波の受信レベルを取得して、第２閾値又は第３閾値と比較して、評価を行うようにしてもよい。
また、図３６のステップＳ２４５〜Ｓ２４７で行われる、ＳＩを取得して、選局情報を第２サービスリストに登録する処理は、図３６に示されているタイミングで実行してもよく、また、全てのチャンネルスキャンが完了した後に、全サービスに対してまとめて実行してもよい。
【０３６６】
図３７及び３８は、第１制御部６１５が行う、第４フェーズのＤＶＢ−Ｔ２のチャンネルスキャンのサブルーチンを示すフローチャートである。
【０３６７】
第１制御部６１５は、第３記憶部６３５の第３スキャン用第１チャンネルリスト格納部６３５Ｂに格納されている第３スキャン用第１チャンネルリストを取得し、第３スキャン用第１チャンネルリストにチャンネル番号が登録されている全ての物理チャンネルの選局を行ったか否かを判断する（ステップＳ２６０）。そして、第１制御部６１５は、第３スキャン用第１チャンネルリストにチャンネル番号が登録されている全ての物理チャンネルの選局を行っていない場合（ステップＳ２６０でＮＯ）、言い換えると、未だ選局されていない物理チャンネルのチャンネル番号が、第３スキャン用第１チャンネルリストに存在する場合には、ステップＳ２６１の処理に進み、第３スキャン用第１チャンネルリストに登録されている全ての物理チャンネルの選局を行った場合（ステップＳ２６０でＹＥＳ）、言い換えると、未だ選局されていない物理チャンネルのチャンネル番号が、第３スキャン用第１チャンネルリストに存在しない場合には、図３８のステップＳ２６８の処理に進む。
【０３６８】
ステップＳ２６１では、第１制御部６１５は、第３スキャン用第１チャンネルリストから、登録された順に、チャンネル番号を取得し、物理チャンネルを示す変数である受信チャンネルＴにセットする。なお、ここでは登録された順としているが、これには限らず、第１制御部６１５は、他の順番で受信チャンネルＴにセットするようにしてもよい。例えば、第１制御部６１５は、第３スキャン用第１チャンネルリストに登録され、ステップＳ２６１で未だ受信チャンネルＴにセットされていない物理チャンネルの内、最小又は最大のチャンネル番号から順に、受信チャンネルＴにセットすることもできる。
【０３６９】
次に、第１制御部６１５は、受信チャンネルＴで示される物理チャンネルに対応する周波数にチューニングするように、第１チューナ部１１０に指示する（ステップＳ２６２）。
【０３７０】
次に、第１制御部６１５は、チューニングした受信チャンネルＴで受信された電波の受信レベルが第３閾値よりも大きいか否かを判断する（ステップＳ２６３）。例えば、第１制御部６１５は、第１チューナ部１１０より、電波の受信レベルが第３閾値よりも大きいか否かの判定結果の通知を受けることにより、この判断を行う。そして、第１制御部６１５は、受信チャンネルＴで受信された電波の受信レベルが第３閾値よりも大きい場合（ステップＳ２６３でＹＥＳ）には、ステップＳ２６４の処理に進み、受信チャンネルＴで受信された電波の受信レベルが第３閾値以下である場合（ステップＳ２６３でＮＯ）には、ステップＳ２６０の処理に戻る。
【０３７１】
ステップＳ２６４では、第１制御部６１５は、第１復調部１１１が、第１チューナ部１１０で受信された受信チャンネルＴの電波から生成された電気信号を復調できたか否かを判断する。例えば、第１制御部６１５は、第１復調部１１１より、電気信号に対して復調処理を行い、フレームロックをすることができたか否かの結果の通知を受けることにより、この判断を行う。そして、第１制御部６１５は、復調できた場合（ステップＳ２６４でＹＥＳ）には、ステップＳ２６５の処理に進み、復調できなかった場合（ステップＳ２６４でＮＯ）には、ステップＳ２６０の処理に戻る。
【０３７２】
次に、第１制御部６１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ２６５）。
【０３７３】
次に、第１制御部６１５は、第１デマルチプレクス部１１２でＳＩを取得することができたか否かを判断する（ステップＳ２６６）。そして、第１制御部６１５は、ＳＩを取得することができた場合（ステップＳ２６６でＹＥＳ）には、ステップＳ２６７の処理に進み、ＳＩを取得することができなかった場合（ステップＳ２６６でＮＯ）には、ステップＳ２６０の処理に戻る。
【０３７４】
ステップＳ２６７では、第１制御部６１５は、ＳＩから抽出したサービスの選局情報を、第３記憶部６３５の第３サービスリスト格納部６３５Ａに格納されている第３サービスリストに登録する。
【０３７５】
一方、ステップ２６０で未だ選局されていない物理チャンネルのチャンネル番号が、第３スキャン用第１チャンネルリストに存在しない場合には、図３８のステップＳ２６８の処理に進む。
図３８のステップＳ２６８では、第１制御部６１５は、第３記憶部６３５の第３スキャン用第２チャンネルリスト格納部６３５Ｃに格納されている第３スキャン用第２チャンネルリストを取得し、第３スキャン用第２チャンネルリストにチャンネル番号が登録されている全ての物理チャンネルの選局を行ったか否かを判断する。そして、第１制御部６１５は、第３スキャン用第２チャンネルリストにチャンネル番号が登録されている全ての物理チャンネルの選局を行っていない場合（ステップＳ２６８でＮＯ）、言い換えると、未だ選局されていない物理チャンネルのチャンネル番号が、第３スキャン用第２チャンネルリストに存在する場合には、ステップＳ２６９の処理に進み、第３スキャン用第２チャンネルリストに登録されている全ての物理チャンネルの選局を行った場合（ステップＳ２６８でＹＥＳ）、言い換えると、未だ選局されていない物理チャンネルのチャンネル番号が、第３スキャン用第２チャンネルリストに存在しない場合には、図２９のステップＳ１４８の処理に進む。
【０３７６】
ステップＳ２６９では、第１制御部６１５は、第３スキャン用第２チャンネルリストから、登録された順に、チャンネル番号を取得し、物理チャンネルを示す変数である受信チャンネルＴにセットする。なお、ここでは登録された順としているが、これには限らず、第１制御部６１５は、他の順番で受信チャンネルＴにセットするようにしてもよい。例えば、第１制御部６１５は、第３スキャン用第２チャンネルリストに登録され、ステップＳ２６９で未だ受信チャンネルＴにセットされていない物理チャンネルの内、最小又は最大のチャンネル番号から順に、受信チャンネルＴにセットすることもできる。
【０３７７】
次に、第１制御部６１５は、受信チャンネルＴで示される物理チャンネルに対応する周波数にチューニングするように、第１チューナ部１１０に指示する（ステップＳ２７０）。
【０３７８】
次に、第１制御部６１５は、チューニングした受信チャンネルＴで受信された電波の受信レベルが第３閾値よりも大きいか否かを判断する（ステップＳ２７１）。例えば、第１制御部６１５は、第１チューナ部１１０より、電波の受信レベルが第３閾値よりも大きいか否かの判定結果の通知を受けることにより、この判断を行う。そして、第１制御部６１５は、受信チャンネルＴで受信された電波の受信レベルが第３閾値よりも大きい場合（ステップＳ２７１でＹＥＳ）には、ステップＳ２７２の処理に進み、受信チャンネルＴで受信された電波の受信レベルが第３閾値以下である場合（ステップＳ２７１でＮＯ）には、ステップＳ２６８の処理に戻る。
【０３７９】
ステップＳ２７２では、第１制御部６１５は、第１復調部１１１が、第１チューナ部１１０で受信された受信チャンネルＴの電波から生成された電気信号を復調できたか否かを判断する。例えば、第１制御部６１５は、第１復調部１１１より、電気信号に対して復調処理を行い、フレームロックをすることができたか否かの結果の通知を受けることにより、この判断を行う。そして、第１制御部６１５は、復調できた場合（ステップＳ２７２でＹＥＳ）には、ステップＳ２７３の処理に進み、復調できなかった場合（ステップＳ２７２でＮＯ）には、ステップＳ２６８の処理に戻る。
【０３８０】
次に、第１制御部６１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ２７３）。
【０３８１】
次に、第１制御部６１５は、第１デマルチプレクス部１１２でＳＩを取得することができたか否かを判断する（ステップＳ２７４）。そして、第１制御部６１５は、ＳＩを取得することができた場合（ステップＳ２７４でＹＥＳ）には、ステップＳ２７５の処理に進み、ＳＩを取得することができなかった場合（ステップＳ２７４でＮＯ）には、ステップＳ２６８の処理に戻る。
【０３８２】
ステップＳ２７５では、第１制御部６１５は、ＳＩから抽出したサービスの選局情報を、第３記憶部６３５の第３サービスリスト格納部６３５Ａに格納されている第３サービスリストに登録する。
【０３８３】
上記のように、第１制御部６１５は、第３スキャン用チャンネルリストにチャンネル番号が登録されている物理チャンネルに対してのみチャンネルスキャンを実行する。言い換えると、第１制御部６１５は、第２フェーズと第３フェーズのＤＶＢ−Ｔ及びＤＶＢ−Ｈのチャンネルスキャンの結果、必要な受信電力はあるがＤＶＢ−Ｔ及びＤＶＢ−Ｈとしては復調できなかった電波が受信された物理チャンネルだけを、第１〜３フェーズのチャンネルスキャンで第１制御部６１５及び第２制御部６２５が担当した物理チャンネルを全てスキャンする代わりに、この第４フェーズにおけるＤＶＢ−Ｔ２のチャンネルスキャンにおいてスキャンするようにしているため、効率的なチャンネルスキャンを行うことができる。
【０３８４】
図３７のステップＳ２６３及び図３８のステップＳ２７１において、第３閾値による受信レベルの評価は、第１チューナ部１１０で行っているが、第１制御部６１５が、第１チューナ部１１０から受信チャンネルＴで受信された電波の受信レベルを取得して、第３閾値と比較して評価を行うようにしてもよい。
また、図３７のステップＳ２６５〜Ｓ２６７及び図３８のステップＳ２７３〜Ｓ２７５で行われる、ＳＩを取得して、選局情報を第３サービスリストに登録する処理は、図３７又は図３８に示されているタイミングで実行してもよく、また、全てのチャンネルスキャンが完了した後に、全サービスに対してまとめて実行してもよい。
【０３８５】
図３９は、第２制御部６２５が行う、第４フェーズのＤＶＢ−Ｔ２のチャンネルスキャンのサブルーチンを示すフローチャートである。第３放送方式であるＤＶＢ−Ｔ２の帯域が２１チャンネルから６２チャンネルまであると仮定すると、第２制御部６２５は、第３フェーズのチャンネルスキャンで完了している５６チャンネルよりも後の、５７チャンネルから６２チャンネルまでのチャンネルスキャンを第４フェーズのＤＶＢ−Ｔ２のチャンネルスキャンとして実行する。
【０３８６】
第２制御部６２５は、５７チャンネルから昇順でチャンネルスキャンを行うため、チャンネルスキャンを行う物理チャンネルを示す変数としての受信チャンネルＵに、初期値としてチャンネル番号「５７」をセットする（ステップＳ２８０）。
【０３８７】
次に、第２制御部６２５は、既に６２チャンネルまでチャンネルスキャンが実施済みか否かを判断する（ステップＳ２８１）。例えば、第２制御部６２５は、チャンネルスキャンを行おうとしている受信チャンネルＵが、チャンネルスキャンを行う最大の物理チャンネル番号である「６２」を超えているか否かにより、この判断を行う。そして、第２制御部６２５は、未だ６２チャンネルまでチャンネルスキャンが実施済みではない場合（ステップＳ２８１でＮＯ）には、ステップＳ２８２の処理に進み、既に６２チャンネルまでチャンネルスキャンが実施済みである場合（ステップＳ２８１でＹＥＳ）には、図３０のステップＳ１５７の処理に進む。
【０３８８】
ステップＳ２８２では、第２制御部６２５は、第２チューナ部１２０に受信チャンネルＵで示される物理チャンネルに対応する周波数にチューニングするように指示を出す。
【０３８９】
次に、第２制御部６２５は、チューニングした受信チャンネルＵで受信された電波の受信レベルが第３閾値よりも大きいか否かを判断する（ステップＳ２８３）。例えば、第２制御部６２５は、第２チューナ部１２０より、電波の受信レベルが第３閾値よりも大きいか否かの判定結果の通知を受けることにより、この判断を行う。そして、第２制御部６２５は、受信チャンネルＵで受信された電波の受信レベルが第３閾値よりも大きい場合（ステップＳ２８３でＹＥＳ）には、ステップＳ２８４の処理に進み、受信チャンネルＵで受信された電波の受信レベルが第３閾値以下である場合（ステップＳ２８３でＮＯ）には、ステップＳ２８８の処理に進む。
【０３９０】
ステップＳ２８４では、第２制御部６２５は、第２復調部１２１が、第２チューナ部１２０で受信された受信チャンネルＵの電波から生成された電気信号を復調できたか否かを判断する。例えば、第２制御部６２５は、第２復調部１２１より、電気信号に対して復調処理を行い、フレームロックをすることができたか否かの結果の通知を受けることにより、この判断を行う。そして、第２制御部６２５は、復調できた場合（ステップＳ２８４でＹＥＳ）には、ステップＳ２８５の処理に進み、復調できなかった場合（ステップＳ２８４でＮＯ）には、ステップＳ２８８の処理に進む。
【０３９１】
次に、第２制御部６２５は、第２復調部１２１がフレームロックした場合には、第２復調部１２１からＴＳが第２デマルチプレクス部１２２に出力されている可能性が高いので、第２デマルチプレクス部１２２にＳＩを取得するよう指示を出す（ステップＳ２８５）。
【０３９２】
次に、第２制御部６２５は、第２デマルチプレクス部１２２でＳＩを取得することができたか否かを判断する（ステップＳ２８６）。そして、第２制御部６２５は、ＳＩを取得することができた場合（ステップＳ２８６でＹＥＳ）には、ステップＳ２８７の処理に進み、ＳＩを取得することができなかった場合（ステップＳ２８６でＮＯ）には、ステップＳ２８８の処理に進む。
【０３９３】
ステップＳ２８７では、第２制御部６２５は、ＳＩから抽出したサービスの選局情報を、第３記憶部６３５の第１サービスリスト格納部６３５Ａに格納されている第３サービスリストに登録する。
【０３９４】
次に、第２制御部６２５は、物理チャンネルのチャンネルスキャンを昇順で行うため、受信チャンネルＵに１をプラスして（ステップＳ２８８）、ステップＳ２８１の処理に戻る。
【０３９５】
上記のように、第２制御部６２５による第４フェーズにおけるＤＶＢ−Ｔ２のチャンネルスキャンは、物理チャンネルのチャンネル番号「５７」から昇順に実施されていく。そして、第２制御部６２５は、ステップＳ２８１でチャンネルスキャンを行おうとしている受信チャンネルＵが既に最大のチャンネル番号である「６２」を超えていると判断した場合には、第４フェーズにおけるＤＶＢ−Ｔ２のチャンネルスキャンを終了する。
【０３９６】
図３９のステップＳ２８３において、第３閾値による受信レベルの評価は、第２チューナ部１２０で行っているが、第２制御部６２５が、第２チューナ部１２０から受信チャンネルＵで受信された電波の受信レベルを取得して、第３閾値と比較して、評価を行うようにしてもよい。
また、図３９のステップＳ２８５〜Ｓ２８７で行われる、ＳＩを取得して、選局情報を第３サービスリストに登録する処理は、図３９に示されているタイミングで実行してもよく、また、全てのチャンネルスキャンが完了した後に、全サービスに対してまとめて実行してもよい。
【０３９７】
図４０は、デジタル放送受信装置６００で行われるチャンネルスキャンを説明するための概略図である。図４０では、向かって左から右に時間が進み、ＤＶＢ−ＴのチャンネルスキャンとＤＶＢ−Ｈのチャンネルスキャンとが同時に開始されたときの様子が示されている。第１フェーズのチャンネルスキャンには、第１フェーズのＤＶＢ−Ｔのチャンネルスキャン及び第１フェーズのＤＶＢ−Ｈのチャンネルスキャンが含まれ、第２フェーズのチャンネルスキャンには、第２フェーズのＤＶＢ−Ｔのチャンネルスキャン及び第２フェーズのＤＶＢ−Ｈのチャンネルスキャンが含まれ、第３フェーズのチャンネルスキャンには、第３フェーズのＤＶＢ−Ｔのチャンネルスキャン及び第３フェーズのＤＶＢ−Ｈのチャンネルスキャンが含まれ、第４フェーズのチャンネルスキャンには、第１制御部６１５により行われるＤＶＢ−Ｔ２のチャンネルスキャン及び第２制御部６２５により行われるＤＶＢ−Ｔ２のチャンネルスキャンが含まれる。
【０３９８】
ＤＶＢ−Ｔのチャンネルスキャンは、第１フェーズのＤＶＢ−Ｔのチャンネルスキャン、第２フェーズのＤＶＢ−Ｔのチャンネルスキャン、及び第３フェーズのＤＶＢ−Ｔのチャンネルスキャンの順で、チャンネルスキャンが実行される。一方、ＤＶＢ−Ｈのチャンネルスキャンは、第１フェーズのＤＶＢ−Ｈのチャンネルスキャン、第２フェーズのＤＶＢ−Ｈのチャンネルスキャン、及び第３フェーズのＤＶＢ−Ｈのチャンネルスキャンの順で、チャンネルスキャンが実行される。ＤＶＢ−Ｔ２のチャンネルスキャンは、第３フェーズのＤＶＢ−Ｔのチャンネルスキャンと、第３フェーズのＤＶＢ−Ｈのチャンネルスキャンとが終了後に実行される。
【０３９９】
第１フェーズのＤＶＢ−Ｔのチャンネルスキャンでは、１３チャンネルから昇順にチャンネルスキャンが行われ、第１フェーズのＤＶＢ−Ｈのチャンネルスキャンでは、４８チャンネルから降順にチャンネルスキャンが行われる。そして、第１フェーズのＤＶＢ−Ｔのチャンネルスキャンが３０チャンネル、第１フェーズのＤＶＢ−Ｈのチャンネルスキャンが３１チャンネルまで行われたときに、第１フェーズの各々のチャンネルスキャンの終了条件（図３１のステップＳ１６１、図３２のステップＳ１８１）が成立し、第１フェーズの各々のチャンネルスキャンが終了している。
【０４００】
この第１フェーズのＤＶＢ−Ｔのチャンネルスキャンでは、第１制御部６１５は、１４チャンネル及び１５チャンネルにおいて、電波の受信レベルが第２閾値又は第３閾値よりも大きかったが、フレームロックせず復調できなかったため、受信された電波がＤＶＢ−Ｔの放送波ではなかったと判断し、第１スキャン用チャンネルリストに１４チャンネル及び１５チャンネルを登録している（図３１のステップＳ１７１又はＳ１７３）。
【０４０１】
一方、第１フェーズのＤＶＢ−Ｈのチャンネルスキャンでは、第２制御部６２５は、４６チャンネル及び３１チャンネルにおいて、電波の受信レベルが第１閾値又は第３閾値よりも大きかったが、フレームロックせず復調できなかったため、受信された電波がＤＶＢ−Ｈの放送波ではなかったと判断し、第２スキャン用チャンネルリストに４６チャンネル及び３１チャンネルを登録している（図３２のステップＳ１９１又はＳ１９３）。
【０４０２】
次に、第２フェーズのＤＶＢ−Ｔのチャンネルスキャン及び第２フェーズのＤＶＢ−Ｈのチャンネルスキャンでは、互いに他方の第１フェーズのチャンネルスキャンで、電波の受信レベルが予め定められた閾値よりも大きいが、この電波から生成された電気信号を復調できなかったチャンネルのみのチャンネルスキャンが行われている。言い換えると、第２フェーズのＤＶＢ−Ｔのチャンネルスキャンでは、第１フェーズのＤＶＢ−Ｈのチャンネルスキャンで、電波の受信レベルは第１閾値又は第３閾値よりも大きいが、この電波による電気信号を復調できなかった４６チャンネルと３１チャンネルのみがチャンネルスキャンされる。そして、この４６チャンネルがＤＶＢ−Ｔの放送波を送信している場合には、第１復調部１１１で復調を行うことができ、第１制御部６１５は、選局情報を抽出し第１サービスリストに登録する。一方、３１チャンネルは電波の受信レベルが第３閾値よりも大きかったが、フレームロックせず復調できなかったため、第１制御部６１５は、受信された電波がＤＶＢ−Ｔの放送波ではなかったと判断し、第３スキャン用第１チャンネルリストに３１チャンネルを登録している。
同様に、第２フェーズのＤＶＢ−Ｈのチャンネルスキャンでは、第１フェーズのＤＶＢ−Ｔのチャンネルスキャンで、電波の受信レベルは第２閾値又は第３閾値よりも大きいが、この電波による電気信号を復調できなかった１４チャンネルと１５チャンネルのみがチャンネルスキャンされる。そして、この１５チャンネルがＤＶＢ−Ｈの放送波を送信している場合には、第２復調部１２１で復調を行うことができ、第２制御部６２５は、選局情報を抽出し第２サービスリストに登録する。一方、１４チャンネルは電波の受信レベルが第３閾値よりも大きかったが、フレームロックせず復調できなかったため、第２制御部６２５は、受信された電波がＤＶＢ−Ｈの放送波ではなかったと判断し、第３スキャン用第２チャンネルリストに１４チャンネルを登録している。
このように第２フェーズの各々のチャンネルスキャンの特徴は、他方の放送方式の第１フェーズのチャンネルスキャンで検出された、電波の受信レベルは所定の閾値よりも大きいが、この電波による電気信号を復調できなかったチャンネルのみに対してチャンネルスキャンを行うことにある。
【０４０３】
第１フェーズ及び第２フェーズの各々のチャンネルスキャンの実行により、１３チャンネルから４８チャンネルまでのチャンネルは、少なくとも１回は、ＤＶＢ−Ｔ及びＤＶＢ−Ｈの何れかのチャンネルスキャンにおいて選局される。第３フェーズのＤＶＢ−Ｔのチャンネルスキャンでは、未だ選局されていない４９チャンネルから５６チャンネルまでのチャンネルスキャンが行われる。５６チャンネルまでのチャンネルスキャンが完了すると、ＤＶＢ−Ｔのチャンネルスキャンは完了となる。また、第３フェーズのＤＶＢ−Ｈのチャンネルスキャンでは、未だ選局されていない８チャンネルから１２チャンネルまでのチャンネルスキャンが行われる。１２チャンネルまでのチャンネルスキャンが完了すると、ＤＶＢ−Ｈのチャンネルスキャンは完了となる。
【０４０４】
以上でＤＶＢ−Ｔ及びＤＶＢ−Ｈのチャンネルスキャンについては終了し、ＤＶＢ−Ｔ２のチャンネルスキャンについては、さらに第４フェーズのＤＶＢ−Ｔ２のチャンネルスキャンが行われる。
【０４０５】
第４フェーズの第１制御部６１５が行うＤＶＢ−Ｔ２のチャンネルスキャンでは、第２及び第３フェーズのチャンネルスキャンで、電波の受信レベルが予め定められた閾値よりも大きいが、この電波から生成された電気信号を復調できなかったチャンネルのみのチャンネルスキャンが行われている。言い換えると、電波の受信レベルが第３閾値よりも大きかったが、フレームロックせず復調できなかった３１チャンネルと１４チャンネルのみがチャンネルスキャンされる。そして、この３１チャンネルと１４チャンネルがＤＶＢ−Ｔ２の放送波を送信している場合には、第１復調部１１１で復調を行うことができ、第１制御部６１５は、選局情報を抽出し第３サービスリストに登録する。
また、第４フェーズの第２制御部６２５が行うＤＶＢ−Ｔ２のチャンネルスキャンでは、未だ選局されていない５７チャンネルから６２チャンネルまでのチャンネルスキャンも行い、第２制御部６２５は、選局情報を抽出し第３サービスリストに登録する。６２チャンネルまでのチャンネルスキャンが完了すると、ＤＶＢ−Ｔ２のチャンネルスキャンは完了となる。
【０４０６】
実施の形態６では、第４フェーズのＤＶＢ−Ｔ２のチャンネルスキャンにおいて、第２及び第３フェーズのチャンネルスキャンで、電波の受信レベルが予め定められた閾値よりも大きいが、この電波から生成された電気信号を復調できなかったチャンネルのみのチャンネルスキャンを第１制御部６１５で行い、未だ選局されていない５７チャンネルから６２チャンネルまでのチャンネルスキャンを第２制御部６２５で行ったが、復調できなかったチャンネルのみのチャンネルスキャンを第２制御部６２５で行い、未だ選局されていないチャンネルのチャンネルスキャンを第１制御部６１５で行ってもよい。また、未だ選局されていないチャンネルが存在しない場合には、第２及び第３フェーズのチャンネルスキャンで、電波の受信レベルが予め定められた閾値よりも大きいが、この電波から生成された電気信号を復調できなかったチャンネルのみのチャンネルスキャンを第１制御部６１５及び第２制御部６２５で分担して行ってもよい。例えば、第１制御部６１５で第３スキャン用第１チャンネルリスト及び第３スキャン用第２チャンネルリストの何れか一方に登録されている物理チャンネルのチャンネルスキャンを行い、第２制御部６２５で第３スキャン用第１チャンネルリスト及び第３スキャン用第２チャンネルリストの何れか他方に登録されている物理チャンネルのチャンネルスキャンを行うこともできる。
【０４０７】
実施の形態６に係るデジタル放送受信装置６００は、上記のように構成されるため、第１放送方式の放送で使用されている周波数帯と第２放送方式の放送で使用されている周波数帯とが重複している範囲に含まれている物理チャンネルについて、第１フェーズのチャンネルスキャンでは、第１制御部６１５及び第２制御部６２５で分担してスキャンが制御され、第２フェーズのチャンネルスキャンでは、第１制御部６１５及び第２制御部６２５でそれぞれの放送が含まれている可能性の高い物理チャンネルだけをチャンネルスキャンするように制御されている。加えて、実施の形態６に係るデジタル放送受信装置６００は、第４フェーズのチャンネルスキャンでは、第１制御部６１５及び第２制御部６２５で第３放送方式の放送が含まれている可能性の高い物理チャンネルだけをチャンネルスキャンするように制御されているため、効率的にチャンネルスキャンを行うことができ、チャンネルスキャンにかかる時間を短くすることができる。
【０４０８】
また、実施の形態６に係るデジタル放送受信装置６００では、第１閾値、第２閾値及び第３閾値を各々の放送方式のサービスが受信できる最低の受信レベルとしたので、選局ができない可能性の高い受信レベルの物理チャンネルを、第２フェーズ及び第４フェーズのチャンネルスキャンの候補から除外でき、第２フェーズ及び第４フェーズの各々のチャンネルスキャンにかかる時間を短縮することができる。
【０４０９】
実施の形態７．
実施の形態６は、異なる３つの放送方式について２つの受信系統を用いて、第１フェーズから第４フェーズまでの４つの工程（フェーズ）でチャンネルスキャンを実施する構成を説明したが、実施の形態７は、３つの工程（フェーズ）でチャンネルスキャンを実施する構成である。工程数を減らすことで制御を簡単にすることができる。
【０４１０】
図４１は、実施の形態７に係るデジタル放送受信装置７００の構成を概略的に示すブロック図である。図４１に示されるように、デジタル放送受信装置７００は、第１チューナ部１１０と、第１復調部１１１と、第１デマルチプレクス部１１２と、第１デコード部１１３と、第１記憶部７１４と、第１制御部７１５と、第２チューナ部１２０と、第２復調部１２１と、第２デマルチプレクス部１２２と、第２デコード部１２３と、第２記憶部７２４と、第２制御部７２５と、映像切替部１３０と、映像合成部６３１と、音声切替部１３２と、入力部１３３と、ＵＩＦ処理部７３４と、第３記憶部７３５とを備える。ここで、第１チューナ部１１０には第１アンテナ１５０が接続されており、第１アンテナ１５０、第１チューナ部１１０、第１復調部１１１、第１デマルチプレクス部１１２、第１デコード部１１３、第１記憶部７１４、第１制御部７１５及び第３記憶部７３５がＤＶＢ−Ｔ系統及びＤＶＢ−Ｔ２系統を構成し、この系統で第１放送方式としてのＤＶＢ−Ｔ方式と第３放送方式としてのＤＶＢ−Ｔ２方式の放送とが受信される。また、第２チューナ部１２０には第２アンテナ１５１が接続されており、第２アンテナ１５１、第２チューナ部１２０、第２復調部１２１、第２デマルチプレクス部１２２、第２デコード部１２３、第２記憶部７２４、第２制御部７２５及び第３記憶部７３５がＤＶＢ−Ｈ系統及びＤＶＢ−Ｔ２系統を構成し、この系統で第２放送方式としてのＤＶＢ−Ｈ方式と第３放送方式としてのＤＶＢ−Ｔ２方式の放送とが受信される。
実施の形態７に係るデジタル放送受信装置７００は、第１制御部７１５、第２制御部７２５及びＵＩＦ処理部７３４での制御及び処理の点、並びに、第１記憶部７１４、第２記憶部７２４及び第３記憶部７３５に記憶されている情報の点において、実施の形態６に係るデジタル放送受信装置６００と異なっている。
【０４１１】
第１記憶部７１４は、第１放送方式及び第２放送方式のチャンネルをスキャンするために必要な情報、及び、第１放送方式で放送されるサービスを受信するために必要な情報を記憶する。
図４２は、第１記憶部７１４の構成を概略的に示すブロック図である。図４２に示されるように、第１記憶部７１４は、第１サービスリスト格納部１１４Ａと、第１スキャン用第１チャンネルリスト格納部７１４Ｂと、第１チャンネルスキャン実施済みリスト格納部１１４Ｃと、第１スキャン用第２チャンネルリスト格納部７１４Ｄとを備える。実施の形態７における第１記憶部７１４は、第１スキャン用第１チャンネルリスト格納部７１４Ｂ及び第１スキャン用第２チャンネルリスト格納部７１４Ｄが備えられている点において、実施の形態６に係る第１記憶部６１４と異なっている。
【０４１２】
第１スキャン用第１チャンネルリスト格納部７１４Ｂは、チャンネルスキャン時に、第１チューナ部１１０で受信された電波の受信電力が予め定められた閾値よりも大きいが、この電波から生成された電気信号を第１復調部１１１で復調できなかった（フレームロックできなかった）物理チャンネルを識別するための識別情報（ここでは、チャンネル番号）のリストである第１スキャン用第１チャンネルリストを格納する。例えば、第１スキャン用第１チャンネルリストは、第３放送方式であるＤＶＢ−Ｔ２のチャンネルスキャンを実施した物理チャンネルにおいて受信された電波の受信電力が、第１放送方式であるＤＶＢ−Ｔのサービスを安定して視聴できる最低の受信レベルである第１閾値よりも大きく、かつ、この電波から生成された電気信号を第１復調部１１１で復調できなかった場合と、第３放送方式であるＤＶＢ−Ｔ２のチャンネルスキャンを実施した物理チャンネルにおいて受信された電波の受信電力が、第２放送方式であるＤＶＢ−Ｈのサービスを安定して視聴できる最低の受信レベルである第２閾値よりも大きく、かつ、この電波から生成された電気信号を第１復調部１１１で復調できなかった場合とに、このような物理チャンネルのチャンネル番号が登録されたものである。
ここで、第１閾値は、上記の式（３）で算出された値、又はＤＶＢ−Ｔの規格により定められた受信電力の最小受信レベルから選択された値であり、第１放送方式のサービスを受信するために必要な最小の受信電力を示す。また、第２閾値は、上記の式（３）で算出された値、又はＤＶＢ−Ｈの規格により定められた受信電力の最小受信レベルから選択された値であり、第２放送方式のサービスを受信するために必要な最小の受信電力を示す。
【０４１３】
第１スキャン用第２チャンネルリスト格納部７１４Ｄは、チャンネルスキャン時に、第１チューナ部１１０で受信された電波の受信電力が予め定められた閾値よりも大きいが、この電波から生成された電気信号を第１復調部１１１で復調できなかった（フレームロックできなかった）物理チャンネルを識別するための識別情報（ここでは、チャンネル番号）のリストである第１スキャン用第２チャンネルリストを格納する。例えば、第１スキャン用第２チャンネルリストは、第１放送方式であるＤＶＢ−Ｔのチャンネルスキャンを実施した物理チャンネルにおいて受信された電波の受信電力が、第２放送方式であるＤＶＢ−Ｈのサービスを安定して視聴できる最低の受信レベルである第２閾値よりも大きく、かつ、この電波から生成された電気信号を第１復調部１１１で復調できなかった場合に、このような物理チャンネルのチャンネル番号が登録されたものである。
【０４１４】
図４１を再度参照すると、第２記憶部７２４は、第２放送方式及び第１放送方式のチャンネルをスキャンするために必要な情報、及び、第２放送方式で放送されるサービスを受信するために必要な情報を記憶する。
図４３は、第２記憶部７２４の構成を概略的に示すブロック図である。図４３に示されるように、第２記憶部７２４は、第２サービスリスト格納部１２４Ａと、第２スキャン用第１チャンネルリスト格納部７２４Ｂと、第２チャンネルスキャン実施済みリスト格納部１２４Ｃと、第２スキャン用第２チャンネルリスト格納部７２４Ｄとを備える。実施の形態７における第２記憶部７２４は、第２スキャン用チャンネルリスト格納部６２４Ｂ及び第１スキャン用チャンネルリスト第２格納部７２４Ｄを備える点において、実施の形態６に係る第２記憶部６２４と異なっている。
【０４１５】
第２スキャン用第１チャンネルリスト格納部７２４Ｂは、チャンネルスキャン時に、第２チューナ部１２０で受信された電波の受信電力が予め定められた閾値よりも大きいが、この電波から生成された電気信号を第２復調部１２１で復調できなかった（フレームロックできなかった）物理チャンネルを識別するための識別情報（ここでは、チャンネル番号）のリストである第２スキャン用第１チャンネルリストを格納する。例えば、第２スキャン用第１チャンネルリストは、第３放送方式であるＤＶＢ−Ｔ２のチャンネルスキャンを実施した物理チャンネルにおいて受信された電波の受信電力が、第１放送方式であるＤＶＢ−Ｔのサービスを安定して視聴できる最低の受信レベルである第１閾値よりも大きく、かつ、この電波から生成された電気信号を第２復調部１２１で復調できなかった場合と、第３放送方式であるＤＶＢ−Ｔ２のチャンネルスキャンを実施した物理チャンネルにおいて受信された電波の受信電力が、第２放送方式であるＤＶＢ−Ｈのサービスを安定して視聴できる最低の受信レベルである第２閾値よりも大きく、かつ、この電波から生成された電気信号を第２復調部１２１で復調できなかった場合に、このような物理チャンネルのチャンネル番号が登録されたものである。
【０４１６】
第２スキャン用第２チャンネルリスト格納部７２４Ｄは、チャンネルスキャン時に、第２チューナ部１２０で受信された電波の受信電力が予め定められた閾値よりも大きいが、この電波から生成された電気信号を第２復調部１２１で復調できなかった（フレームロックできなかった）物理チャンネルを識別するための識別情報（ここでは、チャンネル番号）のリストである第２スキャン用第２チャンネルリストを格納する。例えば、第２スキャン用第２チャンネルリストは、第２放送方式であるＤＶＢ−Ｈのチャンネルスキャンを実施した物理チャンネルにおいて受信された電波の受信電力が、第１放送方式であるＤＶＢ−Ｔのサービスを安定して視聴できる最低の受信レベルである第１閾値よりも大きく、かつ、この電波から生成された電気信号を第２復調部１２１で復調できなかった場合において、このような物理チャンネルのチャンネル番号が登録されたものである。
【０４１７】
図４１に示されるように、第３記憶部７３５は、第３放送方式で放送されるサービスを受信するために必要な情報を記憶する。
図４４は、第３記憶部７３５の構成を概略的に示すブロック図である。図４４に示されるように、第３記憶部７３５は、第３サービスリスト格納部６３５Ａを備える。実施の形態７における第３記憶部７３５は、第３スキャン用第１チャンネルリスト格納部６３５Ｂ及び第３スキャン用第２チャンネルリスト格納部６３５Ｃを備えていない点において、実施の形態６における第３記憶部６３５と異なっている。なお、第３サービスリスト格納部６３５Ａは、実施の形態６と同様、第１制御部６１５で抽出された、ネットワークの情報、ＴＳの情報及びサービスの情報を含む選局情報をチャンネル毎に有する第３サービスリストを記憶する。
【０４１８】
図４１を再度参照すると、第１制御部７１５は、第１放送方式及び第３放送方式のチャンネルをスキャンする処理、並びに、第１放送方式及び第３放送方式の放送を受信する処理を制御する。例えば、第１制御部７１５は、第１フェーズのＤＶＢ−Ｔ２のチャンネルスキャンと、第２フェーズ及び第３フェーズのＤＶＢ−Ｔのチャンネルスキャンを行う。
第１フェーズのＤＶＢ−Ｔ２のチャンネルスキャンでは、第１制御部７１５は、第１放送方式の放送で使用されている周波数帯、第２放送方式の放送で使用されている周波数帯及び第３放送方式の放送で使用されている周波数帯の全範囲に含まれている物理チャンネルの内、未だ第２制御部７２５でチャンネルスキャンの対象とはされていない物理チャンネルについて、予め定められた第１順番でチャンネルスキャンを行う。そして、第１制御部７１５は、第１フェーズのＤＶＢ−Ｔ２のチャンネルスキャンにおいて、受信された電波が第３閾値よりも大きな受信電力を有し、この電波から生成された電気信号を復調することができた物理チャンネルがあった場合には、当該物理チャンネルの選局情報を第３サービスリストに登録するとともに、受信された電波が第１閾値又は第２閾値よりも大きな受信電力を有し、この電波から生成された電気信号を復調することができなかった物理チャンネルのチャンネル番号を、第１スキャン用第１チャンネルリストに登録する。
また、第２フェーズのＤＶＢ−Ｔのチャンネルスキャンでは、第１制御部７１５は、第１スキャン用第１チャンネルリストにチャンネル番号が登録されている物理チャンネルについて、チャンネルスキャンを行う。そして、受信された電波が第１閾値よりも大きな受信電力を有し、この電波から生成された電気信号を復調することができた物理チャンネルがあった場合には、当該物理チャンネルの選局情報を第１サービスリストに登録するとともに、受信された電波が第２閾値よりも大きな受信電力を有し、この電波から生成された電気信号を復調することができなかった物理チャンネルのチャンネル番号を、第１スキャン用第２チャンネルリストに登録する。
また、第３フェーズのＤＶＢ−Ｔのチャンネルスキャンでは、第１制御部７１５は、第２スキャン用第２チャンネルリストにチャンネル番号が登録されている物理チャンネルについて、チャンネルスキャンを行う。そして、受信された電波が第１閾値よりも大きな受信電力を有し、この電波から生成された電気信号を復調することができた物理チャンネルがあった場合には、当該物理チャンネルの選局情報を、第１サービスリストに登録する。
【０４１９】
第２制御部７２５は、第２放送方式及び第３放送方式のチャンネルをスキャンする処理、並びに、第２放送方式及び第３放送方式の放送を受信する処理を制御する。例えば、第２制御部７２５は、第１フェーズのＤＶＢ−Ｔ２のチャンネルスキャンと、第２フェーズ及び第３フェーズのＤＶＢ−Ｈのチャンネルスキャンを行う。
第１フェーズのＤＶＢ−Ｔ２のチャンネルスキャンでは、第２制御部７２５は、第１放送方式の放送で使用されている周波数帯、第２放送方式の放送で使用されている周波数帯及び第３放送方式の放送で使用されている周波数帯の全範囲に含まれている物理チャンネルの内、未だ第１制御部７１５でチャンネルスキャンの対象とはされていない物理チャンネルについて、予め定められた第２順番でチャンネルスキャンを行う。ここで、第２順番は、第１制御部７１５がチャンネルスキャンを制御する第１順番の逆の順番である。そして、第２制御部７２５は、第１フェーズのＤＶＢ−Ｔ２のチャンネルスキャンにおいて、受信された電波が第３閾値よりも大きな受信電力を有し、この電波から生成された電気信号を復調することができた物理チャンネルがあった場合には、当該物理チャンネルの選局情報を第３サービスリストに登録するとともに、受信された電波が第１閾値又は第２閾値よりも大きな受信電力を有し、この電波から生成された電気信号を復調することができなかった物理チャンネルのチャンネル番号を、第２スキャン用第１チャンネルリストに登録する。
また、第２フェーズのＤＶＢ−Ｈのチャンネルスキャンでは、第２制御部７２５は、第２スキャン用第１チャンネルリストにチャンネル番号が登録されている物理チャンネルについて、チャンネルスキャンを行う。そして、受信された電波が第２閾値よりも大きな受信電力を有し、この電波から生成された電気信号を復調することができた物理チャンネルがあった場合には、当該物理チャンネルの選局情報を第２サービスリストに登録するとともに、受信された電波が第１閾値よりも大きな受信電力を有し、この電波から生成された電気信号を復調することができなかった物理チャンネルのチャンネル番号を、第２スキャン用第２チャンネルリストに登録する。
また、第３フェーズのＤＶＢ−Ｈのチャンネルスキャンでは、第２制御部７２５は、第１スキャン用第２チャンネルリストにチャンネル番号が登録されている物理チャンネルについて、チャンネルスキャンを行う。そして、受信された電波が第２閾値よりも大きな受信電力を有し、この電波から生成された電気信号を復調することができた物理チャンネルがあった場合には、当該物理チャンネルの選局情報を第２サービスリストに登録する。
【０４２０】
ＵＩＦ処理部７３４は、実施の形態６におけるＵＩＦ処理部６３４とほぼ同様の処理を行うが、図４５に示されている処理において異なっている。
【０４２１】
次に、実施の形態７におけるデジタル放送受信装置７００のチャンネルスキャン時の動作について詳細に説明する。なお、実施の形態７におけるデジタル放送受信装置７００のチャンネルスキャンは、デジタル放送受信装置７００の初期設定を行うとき、放送構成が変化したとき、又は、移動体に搭載された場合では放送エリアを跨いで他の放送エリアに移動したときに実行され、ＤＶＢ−Ｔ、ＤＶＢ−Ｈ及びＤＶＢ−Ｔ２の各放送方式のデジタル放送のサービスリストが生成される。
【０４２２】
図４５は、ユーザの操作によりチャンネルスキャンが選択されたときに、ＵＩＦ処理部７３４が行う処理を示すフローチャートである。
【０４２３】
ＵＩＦ処理部７３４は、入力部１３３からチャンネルスキャン要求を示す操作信号を受信すると、第１制御部７１５に、第３放送方式のチャンネルスキャン開始を通知する（ステップＳ２９０）。
【０４２４】
次に、ＵＩＦ処理部７３４は、第２制御部７２５に、第３放送方式のチャンネルスキャン開始を通知する（ステップＳ２９１）。
【０４２５】
上記のように、チャンネルスキャン開始の通知を第１制御部７１５及び第２制御部７２５に行うことで、第１制御部７１５の制御によるＤＶＢ−Ｔ２チャンネルスキャンと、第２制御部７２５の制御によるＤＶＢ−Ｔ２のチャンネルスキャンとが並行して行われる。
【０４２６】
そして、ＵＩＦ処理部７３４は、第１制御部７１５によるチャンネルスキャンの完了通知及び第２制御部７２５によるチャンネルスキャンの完了通知の両方を受けるまで待機する（ステップＳ２９２）。ＵＩＦ処理部７３４は、これらの通知を受ける（ステップＳ２９２でＹＥＳ）と、ステップＳ２９３の処理に進む。
【０４２７】
ステップＳ２９３では、ＵＩＦ処理部７３４は、第１制御部７１５に、第１放送方式のチャンネルスキャン開始を通知する（ステップＳ２９３）。
【０４２８】
さらに、ＵＩＦ処理部７３４は、第２制御部７２５に、第２放送方式のチャンネルスキャン開始を通知する（ステップＳ２９４）。
【０４２９】
上記のように、チャンネルスキャン開始の通知を第１制御部７１５及び第２制御部７２５に行うことで、第１制御部７１５の制御によるＤＶＢ−Ｔのチャンネルスキャンと、第２制御部７２５の制御によるＤＶＢ−Ｈのチャンネルスキャンとが並行して行われる。
【０４３０】
そして、ＵＩＦ処理部７３４は、第１制御部７１５によるチャンネルスキャンの完了通知及び第２制御部７２５によるチャンネルスキャンの完了通知の両方を受けるまで待機する（ステップＳ２９５）。ＵＩＦ処理部７３４は、これらの通知を受ける（ステップＳ２９５でＹＥＳ）と、処理を終了する。なお、処理が終了した場合には、ＵＩＦ処理部７３４は、表示部１５２にチャンネルスキャン処理が終了したことを示す通知画面の映像信号を生成して、映像合成部６３１を介して、表示部１５２に出力し、表示部１５２にこのような画面を表示させてもよい。
【０４３１】
なお、図４５では、第１制御部７１５にチャンネルスキャンの開始を通知して（ステップＳ２９０又はＳ２９３）から、第２制御部７２５にチャンネルスキャンの開始を通知している（ステップＳ２９１又はＳ２９４）が、この順番が逆になってもよい。
【０４３２】
図４６は、第１制御部７１５によるチャンネルスキャン処理を示すフローチャートである。例えば、第１制御部７１５は、ＵＩＦ処理部７３４からチャンネルスキャンの開始通知を受けたときに、図４６で示されるフローチャートの処理を開始する。
【０４３３】
第１制御部７１５は、第１記憶部７１４の第１スキャン用第１チャンネルリスト格納部７１４Ｂに格納されている第１スキャン用第１チャンネルリスト、及び、第１スキャン用第２チャンネルリスト格納部７１４Ｄに格納されている第１スキャン用第２チャンネルリストをクリア（初期化）する（ステップＳ３００）。例えば、第１制御部７１５は、第１スキャン用第１チャンネルリスト及び第１スキャン用第２チャンネルリストに格納されている物理チャンネルのチャンネル番号を全て消去する。
【０４３４】
次に、第１制御部７１５は、第１記憶部７１４の第１チャンネルスキャン実施済みリスト格納部１１４Ｃに格納されている第１チャンネルスキャン実施済みリストをクリアする（ステップＳ３０１）。例えば、第１制御部７１５は、第１チャンネルスキャン実施済みリストに格納されている物理チャンネルのチャンネル番号を全て消去する。
【０４３５】
次に、第１制御部７１５は、第１フェーズのＤＶＢ−Ｔ２のチャンネルスキャンを実行する（ステップＳ３０２）。このサブルーチンの詳細は、図４８に示すが、ここでは、第１制御部７１５は、ＤＶＢ−Ｔに割り当てられている周波数帯、ＤＶＢ−Ｈに割り当てられている周波数帯及びＤＶＢ−Ｔ２に割り当てられている周波数帯の全範囲に含まれている物理チャンネルについて、最小のチャンネル番号「８」から昇順にチャンネルスキャンを行う。なお、ＤＶＢ−Ｔ、ＤＶＢ−Ｈ、ＤＶＢ−Ｔ２の周波数帯は国によって異なるため、「８」は説明上の仮の番号である。そして、第１フェーズのＤＶＢ−Ｔ２のチャンネルスキャンは、次のチャンネルスキャンとして選択された物理チャンネルが、既に第２制御部７２５によりチャンネルスキャン済みであったときに終了する。
【０４３６】
そして、第１制御部７１５は、第１フェーズのＤＶＢ−Ｔ２のチャンネルスキャンが完了した場合には、ＵＩＦ処理部７３４にＤＶＢ−Ｔ２のチャンネルスキャンの完了を通知する（ステップＳ３０３）。
【０４３７】
次に、第１制御部７１５は、ＵＩＦ処理部７３４からの指示を受けると、第２フェーズのＤＶＢ−Ｔのチャンネルスキャンを実行する（ステップＳ３０４）。このサブルーチンの詳細は、図５０に示すが、ここでは、第１制御部７１５は、第１スキャン用第１チャンネルリストにチャンネル番号が登録されている物理チャンネルについてチャンネルスキャンを行う。
【０４３８】
次に、第１制御部７１５は、第３フェーズのＤＶＢ−Ｔのチャンネルスキャンを実行する（ステップＳ３０５）。このサブルーチンの詳細は、図５２に示すが、ここでは、第１制御部７１５は、第２制御部７２５から取得した第２スキャン用第２チャンネルリストにチャンネル番号が登録されている物理チャンネルについてチャンネルスキャンを行う。
【０４３９】
そして、第１制御部７１５は、第３フェーズのＤＶＢ−Ｔのチャンネルスキャンが完了した場合には、ＵＩＦ処理部７３４にＤＶＢ−Ｔのチャンネルスキャンの完了を通知する（ステップＳ３０６）。
【０４４０】
図４７は、第２制御部７２５によるチャンネルスキャン処理を示すフローチャートである。例えば、第２制御部７２５は、ＵＩＦ処理部７３４からチャンネルスキャンの開始通知を受けたときに、図４７で示されるフローチャートの処理を開始する。
【０４４１】
第２制御部７２５は、第２記憶部７２４の第２スキャン用第１チャンネルリスト格納部７２４Ｂに格納されている第２スキャン用第１チャンネルリスト、及び、第２スキャン用第２チャンネルリスト格納部７２４Ｄに格納されている第２スキャン用第２チャンネルリストをクリアする（ステップＳ３１０）。ここでは、例えば、第２制御部７２５は、第２スキャン用第１チャンネルリスト及び第２スキャン用第２チャンネルリストに格納されている物理チャンネルのチャンネル番号を全て消去する。
【０４４２】
次に、第２制御部７２５は、第２記憶部７２４の第２チャンネルスキャン実施済みリスト格納部１２４Ｃに格納されている第２チャンネルスキャン実施済みリストをクリアする（ステップＳ３１１）。ここでは、例えば、第２制御部７２５は、第２チャンネルスキャン実施済みリストに格納されている物理チャンネルのチャンネル番号を全て消去する。
【０４４３】
次に、第２制御部７２５は、第１フェーズのＤＶＢ−Ｔ２のチャンネルスキャンを実行する（ステップＳ３１２）。このサブルーチンの詳細は、図４９に示すが、ここでは、第２制御部７２５は、ＤＶＢ−Ｔに割り当てられている周波数帯、ＤＶＢ−Ｈに割り当てられている周波数帯及びＤＶＢ−Ｔ２に割り当てられている周波数帯の全範囲に含まれている物理チャンネルについて、物理チャンネルの最大のチャンネル番号「６２」から降順にチャンネルスキャンを行う。なお、ＤＶＢ−Ｔ、ＤＶＢ−Ｈ、ＤＶＢ−Ｔ２の周波数帯は国によって異なるため、「６２」は説明上の仮の番号である。そして、第１フェーズのＤＶＢ−Ｔ２のチャンネルスキャンは、次のチャンネルスキャンとして選択された物理チャンネルが、既に第１制御部７１５によりチャンネルスキャン済みであったときに終了する。
【０４４４】
そして、第２制御部７２５は、第１フェーズのＤＶＢ−Ｔ２のチャンネルスキャンが完了した場合には、ＵＩＦ処理部７３４にＤＶＢ−Ｔ２のチャンネルスキャンの完了を通知する（ステップＳ３１３）。
【０４４５】
次に、第２制御部７２５は、ＵＩＦ処理部７３４からの指示があった場合には、第２フェーズのＤＶＢ−Ｈのチャンネルスキャンを実行する（ステップＳ３１４）。このサブルーチンの詳細は、図５１に示すが、ここでは、第２制御部７２５は、第２スキャン用第１チャンネルリストにチャンネル番号が登録されている物理チャンネルについてチャンネルスキャンを行う。
【０４４６】
次に、第２制御部７２５は、第３フェーズのＤＶＢ−Ｈのチャンネルスキャンを実行する（ステップＳ３１５）。このサブルーチンの詳細は、図５３に示すが、ここでは、第２制御部７２５は、第１制御部７１５から取得した第１スキャン用第２チャンネルリストにチャンネル番号が登録されている物理チャンネルについてチャンネルスキャンを行う。
【０４４７】
そして、第２制御部７２５は、第３フェーズのＤＶＢ−Ｈのチャンネルスキャンが完了した場合には、ＵＩＦ処理部７３４にＤＶＢ−Ｈのチャンネルスキャンの完了を通知する（ステップＳ３１６）。
【０４４８】
図４８は、第１制御部７１５が行う、第１フェーズのＤＶＢ−Ｔ２のチャンネルスキャンのサブルーチンを示すフローチャートである。
第１制御部７１５は、チャンネルスキャンを行う物理チャンネルを示す変数としての受信チャンネルＶに、初期値として最小のチャンネル番号「８」をセットする（ステップＳ３２０）。
【０４４９】
次に、第１制御部７１５は、チャンネルスキャンを行おうとしている受信チャンネルＶが、既に第２制御部７２５によりチャンネルスキャン済みか否かを判断する（ステップＳ３２１）。例えば、第１制御部７１５は、第２制御部７２５を介して、第２記憶部７２４の第２チャンネルスキャン実施済みリスト格納部１２４Ｃに格納されている第２チャンネルスキャン実施済みリストを取得して、受信チャンネルＶが、第２チャンネルスキャン実施済みリストに登録されているか否かを判断する。そして、第１制御部７１５は、受信チャンネルＶが第２チャンネルスキャン実施済みリストに登録されていない場合（ステップＳ３２１でＮＯ）には、ステップＳ３２２の処理に進む。なお、第１制御部７１５は、受信チャンネルＶが第２チャンネルスキャン実施済みリストに登録されている場合（ステップＳ３２１でＹＥＳ）には、図４６のステップＳ３０３の処理に進む。
【０４５０】
ステップＳ３２２では、第１制御部７１５は、第１チューナ部１１０に受信チャンネルＶの電波を受信するように指示を出す。
【０４５１】
次に、第１制御部７１５は、チューニングした受信チャンネルＶで受信された電波の受信レベルが第３閾値よりも大きいか否かを判断する（ステップＳ３２３）。例えば、第１制御部７１５は、第１チューナ部１１０より、電波の受信レベルが第３閾値よりも大きいか否かの判定結果の通知を受けることにより、この判断を行う。そして、第１制御部７１５は、受信チャンネルＶで受信された電波の受信レベルが第３閾値よりも大きい場合（ステップＳ３２３でＹＥＳ）には、ステップＳ３２４の処理に進み、受信チャンネルＶで受信された電波の受信レベルが第３閾値以下である場合（ステップＳ３２３でＮＯ）には、ステップＳ３３０の処理に進む。なお、第３閾値は、上述のように、ＤＶＢ−Ｔ２のサービスを受信することができ、映像及び音声を出力することができる最低の受信レベルを示すものである。
【０４５２】
ステップＳ３２４では、第１制御部７１５は、第１復調部１１１が、第１チューナ部１１０で受信された受信チャンネルＶの電波から生成された電気信号を復調できたか否かを判断する。例えば、第１制御部７１５は、第１復調部１１１より、電気信号に対して復調処理を行い、フレームロックをすることができたか否かの結果の通知を受けることにより、この判断を行う。そして、第１制御部７１５は、復調できた場合（ステップＳ３２４でＹＥＳ）には、ステップＳ３２５の処理に進み、復調できなかった場合（ステップＳ３２４でＮＯ）には、ステップＳ３３０の処理に進む。
【０４５３】
ステップＳ３２５では、第１制御部７１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す。
【０４５４】
次に、第１制御部７１５は、第１デマルチプレクス部１１２でＳＩを取得することができたか否かを判断する（ステップＳ３２６）。そして、第１制御部７１５は、ＳＩを取得することができた場合（ステップＳ３２６でＹＥＳ）には、ステップＳ３２７の処理に進み、ＳＩを取得することができなかった場合（ステップＳ３２６でＮＯ）には、ステップＳ３２８の処理に進む。
【０４５５】
ステップＳ３２７では、第１制御部７１５は、ＳＩから抽出したサービスの選局情報を、第１記憶部７１４の第１サービスリスト格納部１１４Ａに格納されている第１サービスリストに登録する。
【０４５６】
次に、第１制御部７１５は、第１記憶部７１４の第１チャンネルスキャン実施済みリスト格納部１１４Ｃに格納されている第１チャンネルスキャン実施済みリストに、チャンネルスキャンを実施した受信チャンネルＶを追加登録する（ステップＳ３２８）。
【０４５７】
次に、第１制御部７１５は、物理チャンネルのチャンネルスキャンを昇順で行うため、受信チャンネルＶに「１」をプラスして（ステップＳ３２９）、ステップＳ３２１の処理に戻る。
【０４５８】
一方、ステップＳ３２３で受信チャンネルＶにチューニングした結果、電波の受信レベルが第３閾値以下であった場合（ステップＳ３２３でＮＯ）、又は、ステップＳ３２４でフレームロックしなかった場合（ステップＳ３２４でＮＯ）には、第１制御部７１５は、ステップＳ３３０の処理に進む。
ステップＳ３３０では、第１制御部７１５は、受信チャンネルＶで受信された電波の受信レベルが第１閾値よりも大きいか否かを判断する。例えば、第１制御部７１５は、第１チューナ部１１０より、電波の受信レベルが第１閾値よりも大きいか否かの判定結果の通知を受けることにより、この判断を行う。そして、第１制御部７１５は、受信チャンネルＶで受信された電波の受信レベルが第１閾値よりも大きい場合（ステップＳ３３０でＹＥＳ）には、ステップＳ３３１の処理に進み、受信チャンネルＶで受信された電波の受信レベルが第１閾値以下である場合（ステップＳ３３０でＮＯ）には、ステップＳ３３２の処理に進む。
【０４５９】
ステップＳ３３１では、第１制御部７１５は、第１記憶部７１４の第１スキャン用第１チャンネルリスト格納部７１４Ｂに格納されている第１スキャン用第１チャンネルリストにこの受信チャンネルＶを登録する。
【０４６０】
ステップＳ３３２では、第１制御部７１５は、受信チャンネルＶで受信された電波の受信レベルが第２閾値よりも大きいか否かを判断する。例えば、第１制御部７１５は、第１チューナ部１１０より、電波の受信レベルが第２閾値よりも大きいか否かの判定結果の通知を受けることにより、この判断を行う。そして、第１制御部７１５は、受信チャンネルＶで受信された電波の受信レベルが第２閾値よりも大きい場合（ステップＳ３３２でＹＥＳ）には、ステップＳ３３３の処理に進み、受信チャンネルＶで受信された電波の受信レベルが第２閾値以下である場合（ステップＳ３３２でＮＯ）には、ステップＳ３２８の処理に進む。
【０４６１】
ステップＳ３３３では、第１制御部７１５は、第１記憶部７１４の第１スキャン用第１チャンネルリスト格納部７１４Ｂに格納されている第１スキャン用第１チャンネルリストにこの受信チャンネルＶを登録する。
【０４６２】
上記のように、第１制御部７１５による第１フェーズにおけるＤＶＢ−Ｔ２のチャンネルスキャンは、物理チャンネルのチャンネル番号「８」から昇順に実行される。そして、第１制御部７１５は、ステップＳ３２１でチャンネルスキャンを行おうとしている受信チャンネルＶが既に第２制御部７２５によりチャンネルスキャン済みであると判断した場合には、第１フェーズにおけるＤＶＢ−Ｔ２のチャンネルスキャンを終了する。
【０４６３】
図４８のステップＳ３２３、Ｓ３３０及びＳ３３２において、第１閾値、第２閾値及び第３閾値による受信レベルの評価は、第１チューナ部１１０で行われているが、第１制御部７１５が、第１チューナ部１１０から電波の受信レベルを取得して、第１閾値、第２閾値又は第３閾値と比較して評価を行うようにしてもよい。
また、図４８のステップＳ３２５〜Ｓ３２７において行われる、ＳＩを取得して、選局情報を第１サービスリストに登録する処理は、図４８に示されているタイミングで実行してもよく、また、全てのチャンネルスキャンが完了した後に、全サービスに対してまとめて実行してもよい。
【０４６４】
図４９は、第２制御部７２５が行う、第１フェーズのＤＶＢ−Ｔ２のチャンネルスキャンのサブルーチンを示すフローチャートである。
第２制御部７２５は、チャンネルスキャンを行う物理チャンネルを示す変数としての受信チャンネルＷに、初期値として最大のチャンネル番号「６２」をセットする（ステップＳ３４０）。
【０４６５】
次に、第２制御部７２５は、チャンネルスキャンを行おうとしている受信チャンネルＷが、既に第１制御部７１５によりチャンネルスキャン済みか否かを判断する（ステップＳ３４１）。例えば、第２制御部７２５は、第１制御部７１５を介して、第１記憶部７１４の第１チャンネルスキャン実施済みリスト格納部１１４Ｃに格納されている第１チャンネルスキャン実施済みリストを取得して、受信チャンネルＷが、第１チャンネルスキャン実施済みリストに登録されているか否かを判断する。そして、第２制御部７２５は、受信チャンネルＷが第１チャンネルスキャン実施済みリストに登録されていない場合（ステップＳ３４１でＮＯ）には、ステップＳ３４２の処理に進む。なお、第２制御部７２５は、受信チャンネルＷが第１チャンネルスキャン実施済みリストに登録されている場合（ステップＳ３４１でＹＥＳ）には、図４７のステップＳ３１３の処理に進む。
【０４６６】
ステップＳ３４２では、第２制御部７２５は、第２チューナ部１２０に受信チャンネルＷの電波を受信するように指示を出す。
【０４６７】
次に、第２制御部７２５は、チューニングした受信チャンネルＷで受信された電波の受信レベルが第３閾値よりも大きいか否かを判断する（ステップＳ３４３）。例えば、第２制御部７２５は、第２チューナ部１２０より、電波の受信レベルが第３閾値よりも大きいか否かの判定結果の通知を受けることにより、この判断を行う。そして、第２制御部７２５は、受信チャンネルＷで受信された電波の受信レベルが第３閾値よりも大きい場合（ステップＳ３４３でＹＥＳ）には、ステップＳ３４４の処理に進み、受信チャンネルＷで受信された電波の受信レベルが第３閾値以下である場合（ステップＳ３４３でＮＯ）には、ステップＳ３５０の処理に進む。
【０４６８】
ステップＳ３４４では、第２制御部７２５は、第２復調部１２１が、第２チューナ部１２０で受信された受信チャンネルＷの電波から生成された電気信号を復調できたか否かを判断する。例えば、第２制御部７２５は、第２復調部１２１より、電気信号に対して復調処理を行い、フレームロックをすることができたか否かの結果の通知を受けることにより、この判断を行う。そして、第２制御部７２５は、復調できた場合（ステップＳ３４４でＹＥＳ）には、ステップＳ３４５の処理に進み、復調できなかった場合（ステップＳ３４４でＮＯ）には、ステップＳ３５０の処理に進む。
【０４６９】
次に、第２制御部７２５は、第２復調部１２１がフレームロックした場合には、第２復調部１２１からＴＳが第２デマルチプレクス部１２２に出力されている可能性が高いので、第２デマルチプレクス部１２２にＳＩを取得するよう指示を出す（ステップＳ３４５）。
【０４７０】
次に、第２制御部７２５は、第２デマルチプレクス部１２２でＳＩを取得することができたか否かを判断する（ステップＳ３４６）。そして、第２制御部７２５は、ＳＩを取得することができた場合（ステップＳ３４６でＹＥＳ）には、ステップＳ３４７の処理に進み、ＳＩを取得することができなかった場合（ステップＳ３４６でＮＯ）には、ステップＳ３４８の処理に進む。
【０４７１】
ステップＳ３４７では、第２制御部７２５は、ＳＩから抽出したサービスの選局情報を、第２記憶部７２４の第２サービスリスト格納部１２４Ａに格納されている第２サービスリストに登録する。
【０４７２】
次に、第２制御部７２５は、第２記憶部７２４の第２チャンネルスキャン実施済みリスト格納部１２４Ｃに格納されている第２チャンネルスキャン実施済みリストに、チャンネルスキャンを実施した受信チャンネルＷを追加登録する（ステップＳ３４８）。
【０４７３】
次に、第２制御部７２５は、物理チャンネルのチャンネルスキャンを降順で行うため、受信チャンネルＷに「１」をマイナスして（ステップＳ３４９）、ステップＳ３４１の処理に戻る。
【０４７４】
一方、ステップＳ３４３で受信チャンネルＷにチューニングした結果、電波の受信レベルが第３閾値以下であった場合（ステップＳ３４３でＮＯ）、又は、ステップＳ３４４でフレームロックしなかった場合（ステップＳ３４４でＮＯ）には、第２制御部７２５は、ステップＳ３５０の処理に進む。
ステップＳ３５０では、第２制御部７２５は、受信チャンネルＷで受信された電波の受信レベルが第１閾値よりも大きいか否かを判断する。例えば、第２制御部７２５は、第２チューナ部１２０より、電波の受信レベルが第１閾値よりも大きいか否かの判定結果の通知を受けることにより、この判断を行う。そして、第２制御部７２５は、受信チャンネルＷで受信された電波の受信レベルが第１閾値よりも大きい場合（ステップＳ３５０でＹＥＳ）には、ステップＳ３５１の処理に進み、受信チャンネルＷで受信された電波の受信レベルが第１閾値以下である場合（ステップＳ３５０でＮＯ）には、ステップＳ３５２の処理に進む。
【０４７５】
ステップＳ３５１では、第２制御部７２５は、第２記憶部７２４の第２スキャン用第１チャンネルリスト格納部７２４Ｂに格納されている第２スキャン用第１チャンネルリストにこの受信チャンネルＷを登録する。
【０４７６】
ステップＳ３５２では、第２制御部７２５は、受信チャンネルＷで受信された電波の受信レベルが第２閾値よりも大きいか否かを判断する。例えば、第２制御部７２５は、第２チューナ部１２０より、電波の受信レベルが第２閾値よりも大きいか否かの判定結果の通知を受けることにより、この判断を行う。そして、第２制御部７２５は、受信チャンネルＷで受信された電波の受信レベルが第２閾値よりも大きい場合（ステップＳ３５２でＹＥＳ）には、ステップＳ３５３の処理に進み、受信チャンネルＷで受信された電波の受信レベルが第２閾値以下である場合（ステップＳ３５２でＮＯ）には、ステップＳ３４８の処理に進む。
【０４７７】
ステップＳ３５３では、第２制御部７２５は、第２記憶部７２４の第２スキャン用第１チャンネルリスト格納部７２４Ｂに格納されている第２スキャン用第１チャンネルリストにこの受信チャンネルＷを登録する。
【０４７８】
上記のように、第２制御部７２５による第１フェーズにおけるＤＶＢ−Ｔ２のチャンネルスキャンは、物理チャンネルのチャンネル番号「６２」から降順に実行される。そして、第２制御部７２５は、ステップＳ３４１でチャンネルスキャンを行おうとしている受信チャンネルＷが既に第１制御部７１５によりチャンネルスキャン済みであると判断した場合には、第１フェーズにおけるＤＶＢ−Ｔ２のチャンネルスキャンを終了する。
【０４７９】
図４９のステップＳ３４３、Ｓ３５０及びＳ３５２において、第１閾値、第２閾値及び第３閾値による受信レベルの評価は、第２チューナ部１２０で行われているが、第２制御部７２５が、第２チューナ部１２０から電波の受信レベルを取得して、第１閾値、第２閾値又は第３閾値と比較して評価を行うようにしてもよい。
また、図４９のステップＳ３４５〜Ｓ３４７において行われる、ＳＩを取得して、選局情報を第２サービスリストに登録する処理は、図４９に示されているタイミングで実行してもよく、また、全てのチャンネルスキャンが完了した後に、全サービスに対してまとめて実行してもよい。
【０４８０】
図５０は、第１制御部７１５が行う、第２フェーズのＤＶＢ−Ｔのチャンネルスキャンのサブルーチンを示すフローチャートである。
【０４８１】
第１制御部７１５は、第１記憶部７１４の第１スキャン用第１チャンネルリスト格納部７１４Ｂに格納されている第１スキャン用第１チャンネルリストを取得し、第１スキャン用第１チャンネルリストに登録されている全ての物理チャンネルの選局を行ったかを判断する（ステップＳ３６０）。そして、第１制御部７１５は、第１スキャン用第１チャンネルリストにチャンネル番号が登録されている全ての物理チャンネルの選局を行っていない場合（ステップＳ３６０でＮＯ）、言い換えると、未だ選局されていない物理チャンネルのチャンネル番号が、第１スキャン用第１チャンネルリストに存在する場合には、ステップＳ３６１の処理に進み、第１スキャン用第１チャンネルリストに登録されている全ての物理チャンネルの選局を行った場合（ステップＳ３６０でＹＥＳ）、言い換えると、未だ選局されていない物理チャンネルのチャンネル番号が、第１スキャン用第１チャンネルリストに存在しない場合には、図４６のステップＳ３０５の処理に進む。
【０４８２】
ステップＳ３６１では、第１制御部７１５は、第１スキャン用第１チャンネルリストから、登録された順（言い換えると、チャンネル番号の小さい順）に、チャンネル番号を取得し、物理チャンネルを示す変数である受信チャンネルＸにセットする。従って、ステップＳ３６１では、第１スキャン用第１チャンネルリストに登録され、ステップＳ３６１で未だ受信チャンネルＸにセットされていない物理チャンネルの内、最小のチャンネル番号が受信チャンネルＸにセットされることになる。なお、ここでは登録された順としているが、これには限らず、第１制御部７１５は、他の順番で受信チャンネルＸにセットすることができる。
【０４８３】
次に、第１制御部７１５は、受信チャンネルＸで示される物理チャンネルに対応する周波数にチューニングするように、第１チューナ部１１０に指示する（ステップＳ３６２）。
【０４８４】
次に、第１制御部７１５は、チューニングした受信チャンネルＸで受信された電波の受信レベルが第１閾値よりも大きいか否かを判断する（ステップＳ３６３）。例えば、第１制御部７１５は、第１チューナ部１１０より、電波の受信レベルが第１閾値よりも大きいか否かの判定結果の通知を受けることにより、この判断を行う。そして、第１制御部７１５は、受信チャンネルＸで受信された電波の受信レベルが第１閾値よりも大きい場合（ステップＳ３６３でＹＥＳ）には、ステップＳ３６４の処理に進み、受信チャンネルＸで受信された電波の受信レベルが第１閾値以下である場合（ステップＳ３６３でＮＯ）には、ステップＳ３６８の処理に進む。
【０４８５】
ステップＳ３６４では、第１制御部７１５は、第１復調部１１１が、第１チューナ部１１０で受信された受信チャンネルＸの電波から生成された電気信号を復調できたか否かを判断する。例えば、第１制御部７１５は、第１復調部１１１より、電気信号に対して復調処理を行い、フレームロックをすることができたか否かの結果の通知を受けることにより、この判断を行う。そして、第１制御部７１５は、復調できた場合（ステップＳ３６４でＹＥＳ）には、ステップＳ３６５の処理に進み、復調できなかった場合（ステップＳ３６４でＮＯ）には、ステップＳ３６８の処理に進む。
【０４８６】
次に、第１制御部７１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ３６５）。
【０４８７】
次に、第１制御部７１５は、第１デマルチプレクス部１１２でＳＩを取得することができたか否かを判断する（ステップＳ３６６）。そして、第１制御部７１５は、ＳＩを取得することができた場合（ステップＳ３６６でＹＥＳ）には、ステップＳ３６７の処理に進み、ＳＩを取得することができなかった場合（ステップＳ３６６でＮＯ）には、ステップＳ３６０の処理に戻る。
【０４８８】
ステップＳ３６７では、第１制御部７１５は、ＳＩから抽出したサービスの選局情報を、第１記憶部７１４の第１サービスリスト格納部１１４Ａに格納されている第１サービスリストに登録する。
【０４８９】
一方、ステップＳ３６３で受信チャンネルＸにチューニングした結果、電波の受信レベルが第１閾値以下であった場合（ステップＳ３６３でＮＯ）、又は、ステップＳ３６４でフレームロックしなかった場合（ステップＳ３６４でＮＯ）には、第１制御部７１５は、ステップＳ３６８の処理に進む。
ステップＳ３６８では、第１制御部７１５は、受信チャンネルＸで受信された電波の受信レベルが第２閾値よりも大きいか否かを判断する。例えば、第１制御部７１５は、第１チューナ部１１０より、電波の受信レベルが第２閾値よりも大きいか否かの判定結果の通知を受けることにより、この判断を行う。そして、第１制御部７１５は、受信チャンネルＸで受信された電波の受信レベルが第２閾値よりも大きい場合（ステップＳ３６８でＹＥＳ）には、ステップＳ３６９の処理に進み、受信チャンネルＸで受信された電波の受信レベルが第２閾値以下である場合（ステップＳ３６８でＮＯ）には、ステップＳ３６０の処理に戻る。
【０４９０】
ステップＳ３６９では、第１制御部７１５は、第１記憶部７１４の第１スキャン用第２チャンネルリスト格納部７１４Ｄに格納されている第１スキャン用第２チャンネルリストにこの受信チャンネルＸを登録する。
【０４９１】
上記のように、第１制御部７１５は、第１スキャン用第２チャンネルリストにチャンネル番号が登録されている物理チャンネルに対してのみチャンネルスキャンを実行する。言い換えると、第１制御部７１５は、第１フェーズのＤＶＢ−Ｔ２のチャンネルスキャンの結果、必要な受信電力はあるがＤＶＢ−Ｔ２としては復調できなかった電波が受信された物理チャンネルだけを、この第２フェーズにおけるＤＶＢ−Ｔのチャンネルスキャンにおいてスキャンするようにしているため、効率的なチャンネルスキャンを行うことができる。
【０４９２】
図５０のステップＳ３６３及びＳ３６８における、第１閾値及び第２閾値による受信レベルの評価は、第１チューナ部１１０で行っているが、第１制御部７１５が、第１チューナ部１１０から受信チャンネルＸで受信された電波の受信レベルを取得して、第１閾値又は第２閾値と比較して評価を行うようにしてもよい。
また、図５０のステップＳ３６５〜Ｓ３６７で行われる、ＳＩを取得して、選局情報を第１サービスリストに登録する処理は、図５０に示されているタイミングで実行してもよく、また、全てのチャンネルスキャンが完了した後に、全サービスに対してまとめて実行してもよい。
【０４９３】
図５１は、第２制御部７２５が行う、第２フェーズのＤＶＢ−Ｈのチャンネルスキャンのサブルーチンを示すフローチャートである。なお、第２制御部７２５は、第２フェーズのＤＶＢ−Ｈのチャンネルスキャンを、第１制御部７１５が行う第２フェーズのＤＶＢ−Ｔのチャンネルスキャンと並行して行う。
【０４９４】
第２制御部７２５は、第２記憶部７２４の第２スキャン用第１チャンネルリスト格納部７２４Ｂに格納されている第２スキャン用第１チャンネルリストを取得し、第２スキャン用第１チャンネルリストにチャンネル番号が登録されている全ての物理チャンネルの選局を行ったか否かを判断する（ステップＳ３７０）。そして、第２制御部７２５は、第２スキャン用第１チャンネルリストに登録されている全ての物理チャンネルの選局を行っていない場合（ステップＳ３７０でＮＯ）、言い換えると、未だ選局されていない物理チャンネルが、第２スキャン用第１チャンネルリストに存在する場合には、ステップＳ３７１の処理に進み、第２スキャン用第１チャンネルリストに登録されている全ての物理チャンネルの選局を行った場合（ステップＳ３７０でＹＥＳ）、言い換えると、未だ選局されていない物理チャンネルが、第２スキャン用第１チャンネルリストに存在しない場合には、図４７のステップＳ３１５の処理に進む。
【０４９５】
ステップＳ３７１では、第２制御部７２５は、第２スキャン用第１チャンネルリストから、登録された順（言い換えると、チャンネル番号の大きい順）に、物理チャンネルのチャンネル番号を取得し、物理チャンネルを示す変数である受信チャンネルＹにセットする。従って、ステップＳ３７１では、第２スキャン用第１チャンネルリストに登録され、ステップＳ３７１で未だ受信チャンネルＹにセットされていない物理チャンネルの内、最大のチャンネル番号となっている物理チャンネルが、受信チャンネルＹにセットされることになる。なお、ここでは登録された順としているが、これには限らず、第２制御部７２５は、他の順番で受信チャンネルＹにセットするようにしてもよい。
【０４９６】
次に、第２制御部７２５は、受信チャンネルＹで示される物理チャンネルに対応する周波数にチューニングするように、第２チューナ部１２０に指示する（ステップＳ３７２）。
【０４９７】
次に、第２制御部７２５は、チューニングした受信チャンネルＹで受信された電波の受信レベルが第２閾値よりも大きいか否かを判断する（ステップＳ３７３）。例えば、第２制御部７２５は、第２チューナ部１２０より、電波の受信レベルが第２閾値よりも大きいか否かの判定結果の通知を受けることにより、この判断を行う。そして、第２制御部７２５は、受信チャンネルＹで受信された電波の受信レベルが第２閾値よりも大きい場合（ステップＳ３７３でＹＥＳ）には、ステップＳ３７４の処理に進み、受信チャンネルＹで受信された電波の受信レベルが第２閾値以下である場合（ステップＳ３７３でＮＯ）には、ステップＳ３７８の処理に進む。
【０４９８】
ステップＳ３７４では、第２制御部７２５は、第２復調部１２１が、第２チューナ部１２０で受信された受信チャンネルＹの電波から生成された電気信号を復調できたか否かを判断する。例えば、第２制御部７２５は、第２復調部１２１より、電気信号に対して復調処理を行い、フレームロックをすることができたか否かの結果の通知を受けることにより、この判断を行う。そして、第２制御部７２５は、復調できた場合（ステップＳ３７４でＹＥＳ）には、ステップＳ３７５の処理に進み、復調できなかった場合（ステップＳ３７４でＮＯ）には、ステップＳ３７８の処理に進む。
【０４９９】
次に、第２制御部７２５は、第２復調部１２１がフレームロックした場合には、第２復調部１２１からＴＳが第２デマルチプレクス部１２２に出力されている可能性が高いので、第２デマルチプレクス部１２２にＳＩを取得するよう指示を出す（ステップＳ３７５）。
【０５００】
次に、第２制御部７２５は、第２デマルチプレクス部１２２でＳＩを取得することができたか否かを判断する（ステップＳ３７６）。そして、第２制御部７２５は、ＳＩを取得することができた場合（ステップＳ３７６でＹＥＳ）には、ステップＳ３７７の処理に進み、ＳＩを取得することができなかった場合（ステップＳ３７６でＮＯ）には、ステップＳ３７０の処理に戻る。
【０５０１】
ステップＳ３７７では、第２制御部７２５は、ＳＩから抽出したサービスの選局情報を、第２記憶部７２４の第２サービスリスト格納部１２４Ａに格納されている第２サービスリストに登録する。
【０５０２】
一方、ステップＳ３７３で受信チャンネルＹにチューニングした結果、電波の受信レベルが第２閾値以下であった場合（ステップＳ３７３でＮＯ）、又は、ステップＳ３７４でフレームロックしなかった場合（ステップＳ３７４でＮＯ）には、第２制御部７２５は、ステップＳ３７８の処理に進む。
ステップＳ３７８では、第２制御部７２５は、受信チャンネルＹで受信された電波の受信レベルが第１閾値よりも大きいか否かを判断する。例えば、第２制御部７２５は、第２チューナ部１２０より、電波の受信レベルが第２閾値よりも大きいか否かの判定結果の通知を受けることにより、この判断を行う。そして、第２制御部７２５は、受信チャンネルＹで受信された電波の受信レベルが第１閾値よりも大きい場合（ステップＳ３７８でＹＥＳ）には、ステップＳ３７９の処理に進み、受信チャンネルＹで受信された電波の受信レベルが第１閾値以下である場合（ステップＳ３７８でＮＯ）には、ステップＳ３７０の処理に戻る。
【０５０３】
ステップＳ３７９では、第２制御部７２５は、第２記憶部７２４の第２スキャン用第２チャンネルリスト格納部７２４Ｄに格納されている第２スキャン用第２チャンネルリストにこの受信チャンネルＹを登録する。
【０５０４】
上記のように、第２制御部７２５は、第２スキャン用第１チャンネルリストにチャンネル番号が登録されている物理チャンネルに対してのみチャンネルスキャンを実行する。言い換えると、第２制御部７２５は、第１フェーズのＤＶＢ−Ｔ２のチャンネルスキャンの結果、必要な電力はあるがＤＶＢ−Ｔ２としては復調できなかった電波が受信された物理チャンネルだけを、この第２フェーズにおけるＤＶＢ−Ｈのチャンネルスキャンにおいてスキャンするようにしているため、効率的なチャンネルスキャンを行うことができる。
【０５０５】
図５１のステップＳ３７３及びＳ３７８における、第１閾値及び第２閾値による受信レベルの評価は、第２チューナ部１２０で行っているが、第２制御部７２５が、第２チューナ部１２０から受信チャンネルＹで受信された電波の受信レベルを取得して、第１閾値又は第２閾値と比較して、評価を行うようにしてもよい。
また、図５１のステップＳ３７５〜Ｓ３７７で行われる、ＳＩを取得して、選局情報を第２サービスリストに登録する処理は、図５１に示されているタイミングで実行してもよく、また、全てのチャンネルスキャンが完了した後に、全サービスに対してまとめて実行してもよい。
【０５０６】
図５２は、第１制御部７１５が行う、第３フェーズのＤＶＢ−Ｔのチャンネルスキャンのサブルーチンを示すフローチャートである。
【０５０７】
第１制御部７１５は、第２制御部７２５を介して、第２記憶部７２４の第２スキャン用第２チャンネルリスト格納部７２４Ｄに格納されている第２スキャン用第２チャンネルリストを取得し、第２スキャン用第２チャンネルリストにチャンネル番号が登録されている全ての物理チャンネルの選局を行ったか否かを判断する（ステップＳ３８０）。そして、第１制御部７１５は、第２スキャン用第２チャンネルリストにチャンネル番号が登録されている全ての物理チャンネルの選局を行っていない場合（ステップＳ３８０でＮＯ）、言い換えると、未だ選局されていない物理チャンネルのチャンネル番号が、第２スキャン用第２チャンネルリストに存在する場合には、ステップＳ３８１の処理に進み、第２スキャン用第２チャンネルリストに登録されている全ての物理チャンネルの選局を行った場合（ステップＳ３８０でＹＥＳ）、言い換えると、未だ選局されていない物理チャンネルのチャンネル番号が、第２スキャン用第２チャンネルリストに存在しない場合には、図４６のステップＳ３０６の処理に進む。
【０５０８】
ステップＳ３８１では、第１制御部７１５は、第２スキャン用第２チャンネルリストから、登録された順（言い換えると、チャンネル番号の大きい順）に、チャンネル番号を取得し、物理チャンネルを示す変数である受信チャンネルＺ１にセットする。従って、ステップＳ３８１では、第２スキャン用第２チャンネルリストに登録され、ステップＳ３８１で未だ受信チャンネルＺ１にセットされていない物理チャンネルの内、最大のチャンネル番号が受信チャンネルＺ１にセットされることになる。なお、ここでは登録された順としているが、これには限らず、第１制御部７１５は、他の順番で受信チャンネルＺ１にセットするようにしてもよい。
【０５０９】
次に、第１制御部７１５は、受信チャンネルＺ１で示される物理チャンネルに対応する周波数にチューニングするように、第１チューナ部１１０に指示する（ステップＳ３８２）。
【０５１０】
次に、第１制御部７１５は、チューニングした受信チャンネルＺ１で受信された電波の受信レベルが第１閾値よりも大きいか否かを判断する（ステップＳ３８３）。例えば、第１制御部７１５は、第１チューナ部１１０より、電波の受信レベルが第１閾値よりも大きいか否かの判定結果の通知を受けることにより、この判断を行う。そして、第１制御部７１５は、受信チャンネルＺ１で受信された電波の受信レベルが第１閾値よりも大きい場合（ステップＳ３８３でＹＥＳ）には、ステップＳ３８４の処理に進み、受信チャンネルＺ１で受信された電波の受信レベルが第１閾値以下である場合（ステップＳ３８３でＮＯ）には、ステップＳ３８０の処理に戻る。
【０５１１】
ステップＳ３８４では、第１制御部７１５は、第１復調部１１１が、第１チューナ部１１０で受信された受信チャンネルＺ１の電波から生成された電気信号を復調できたか否かを判断する。例えば、第１制御部７１５は、第１復調部１１１より、電気信号に対して復調処理を行い、フレームロックをすることができたか否かの結果の通知を受けることにより、この判断を行う。そして、第１制御部７１５は、復調できた場合（ステップＳ３８４でＹＥＳ）には、ステップＳ３８５の処理に進み、復調できなかった場合（ステップＳ３８４でＮＯ）には、ステップＳ３８０の処理に戻る。
【０５１２】
次に、第１制御部７１５は、第１復調部１１１がフレームロックした場合には、第１復調部１１１からＴＳが第１デマルチプレクス部１１２に出力されている可能性が高いので、第１デマルチプレクス部１１２にＳＩを取得するよう指示を出す（ステップＳ３８５）。
【０５１３】
次に、第１制御部７１５は、第１デマルチプレクス部１１２でＳＩを取得することができたか否かを判断する（ステップＳ３８６）。そして、第１制御部７１５は、ＳＩを取得することができた場合（ステップＳ３８６でＹＥＳ）には、ステップＳ３８７の処理に進み、ＳＩを取得することができなかった場合（ステップＳ３８６でＮＯ）には、ステップＳ３８０の処理に戻る。
【０５１４】
ステップＳ３８７では、第１制御部７１５は、ＳＩから抽出したサービスの選局情報を、第１記憶部７１４の第１サービスリスト格納部１１４Ａに格納されている第１サービスリストに登録する。
【０５１５】
上記のように、第１制御部７１５は、第２スキャン用第２チャンネルリストにチャンネル番号が登録されている物理チャンネルに対してのみチャンネルスキャンを実行する。言い換えると、第１制御部７１５は、第２フェーズのＤＶＢ−Ｈのチャンネルスキャンの結果、必要な受信電力はあるがＤＶＢ−Ｈとしては復調できなかった電波が受信された物理チャンネルだけを、この第３フェーズにおけるＤＶＢ−Ｔのチャンネルスキャンにおいてスキャンするようにしているため、効率的なチャンネルスキャンを行うことができる。
【０５１６】
図５２のステップＳ３８３において、第１閾値による受信レベルの評価は、第１チューナ部１１０で行っているが、第１制御部７１５が、第１チューナ部１１０から受信チャンネルＺ１で受信された電波の受信レベルを取得して、第１閾値と比較して評価を行うようにしてもよい。
また、図５２のステップＳ３８５〜Ｓ３８７で行われる、ＳＩを取得して、選局情報を第１サービスリストに登録する処理は、図５２に示されているタイミングで実行してもよく、また、全てのチャンネルスキャンが完了した後に、全サービスに対してまとめて実行してもよい。
【０５１７】
図５３は、第２制御部７２５が行う、第３フェーズのＤＶＢ−Ｈのチャンネルスキャンのサブルーチンを示すフローチャートである。なお、第２制御部７２５は、第３フェーズのＤＶＢ−Ｈのチャンネルスキャンを、第１制御部７１５が行う第３フェーズのＤＶＢ−Ｔのチャンネルスキャンと並行して行う。
【０５１８】
第２制御部７２５は、第１制御部７１５を介して、第１記憶部７１４の第１スキャン用第２チャンネルリスト格納部７１４Ｄに格納されている第１スキャン用第２チャンネルリストを取得し、第１スキャン用第２チャンネルリストに登録されている全ての物理チャンネルの選局を行ったかを判断する（ステップＳ３９０）。そして、第２制御部７２５は、第１スキャン用第２チャンネルリストに登録されている全ての物理チャンネルの選局を行っていない場合（ステップＳ３９０でＮＯ）、言い換えると、未だ選局されていない物理チャンネルが、第１スキャン用第２チャンネルリストに存在する場合には、ステップＳ３９１の処理に進み、第１スキャン用第２チャンネルリストに登録されている全ての物理チャンネルの選局を行った場合（ステップＳ３９０でＹＥＳ）、言い換えると、未だ選局されていない物理チャンネルが、第１スキャン用第２チャンネルリストに存在しない場合には、図４７のステップＳ３１６の処理に進む。
【０５１９】
ステップＳ３９１では、第２制御部７２５は、第１スキャン用第２チャンネルリストから、登録された順（言い換えると、チャンネル番号の小さい順）に、物理チャンネルのチャンネル番号を取得し、物理チャンネルを示す変数である受信チャンネルＺ２にセットする。従って、ステップＳ３９１では、第１スキャン用第２チャンネルリストに登録され、ステップＳ３９１で未だ受信チャンネルＺ２にセットされていない物理チャンネルの内、最小のチャンネル番号となっている物理チャンネルが、受信チャンネルＺ２にセットされることになる。なお、ここでは登録された順としているが、これには限らず、第２制御部７２５は、他の順番で受信チャンネルＺ２にセットするようにしてもよい。
【０５２０】
次に、第２制御部７２５は、受信チャンネルＺ２で示される物理チャンネルに対応する周波数にチューニングするように、第２チューナ部１２０に指示する（ステップＳ３９２）。
【０５２１】
次に、第２制御部７２５は、チューニングした受信チャンネルＺ２で受信された電波の受信レベルが第２閾値よりも大きいか否かを判断する（ステップＳ３９３）。例えば、第２制御部７２５は、第２チューナ部１２０より、電波の受信レベルが第２閾値よりも大きいか否かの判定結果の通知を受けることにより、この判断を行う。そして、第２制御部７２５は、受信チャンネルＺ２で受信された電波の受信レベルが第２閾値よりも大きい場合（ステップＳ３９３でＹＥＳ）には、ステップＳ３９４の処理に進み、受信チャンネルＺ２で受信された電波の受信レベルが第２閾値以下である場合（ステップＳ３９３でＮＯ）には、ステップＳ３９０の処理に戻る。
【０５２２】
ステップＳ３９４では、第２制御部７２５は、第２復調部１２１が、第２チューナ部１２０で受信された受信チャンネルＺ２の電波から生成された電気信号を復調できたか否かを判断する。例えば、第２制御部７２５は、第２復調部１２１より、電気信号に対して復調処理を行い、フレームロックをすることができたか否かの結果の通知を受けることにより、この判断を行う。そして、第２制御部７２５は、復調できた場合（ステップＳ３９４でＹＥＳ）には、ステップＳ３９５の処理に進み、復調できなかった場合（ステップＳ３９４でＮＯ）には、ステップＳ３９０の処理に戻る。
【０５２３】
次に、第２制御部７２５は、第２復調部１２１がフレームロックした場合には、第２復調部１２１からＴＳが第２デマルチプレクス部１２２に出力されている可能性が高いので、第２デマルチプレクス部１２２にＳＩを取得するよう指示を出す（ステップＳ３９５）。
【０５２４】
次に、第２制御部７２５は、第２デマルチプレクス部１２２でＳＩを取得することができたか否かを判断する（ステップＳ３９６）。そして、第２制御部７２５は、ＳＩを取得することができた場合（ステップＳ３９６でＹＥＳ）には、ステップＳ３９７の処理に進み、ＳＩを取得することができなかった場合（ステップＳ３９６でＮＯ）には、ステップＳ３９０の処理に戻る。
【０５２５】
ステップＳ３９７では、第２制御部７２５は、ＳＩから抽出したサービスの選局情報を、第２記憶部７２４の第２サービスリスト格納部１２４Ａに格納されている第２サービスリストに登録する。
【０５２６】
上記のように、第２制御部７２５は、第１スキャン用第２チャンネルリストにチャンネル番号が登録されている物理チャンネルに対してのみチャンネルスキャンを実行する。言い換えると、第２制御部７２５は、第２フェーズのＤＶＢ−Ｔのチャンネルスキャンの結果、必要な電力はあるがＤＶＢ−Ｔとしては復調できなかった電波が受信された物理チャンネルだけを、この第３フェーズにおけるＤＶＢ−Ｈのチャンネルスキャンにおいてスキャンするようにしているため、効率的なチャンネルスキャンを行うことができる。
【０５２７】
図５３のステップＳ３９３における、第２閾値による受信レベルの評価は、第２チューナ部１２０で行っているが、第２制御部７２５が、第２チューナ部１２０から受信チャンネルＺ２で受信された電波の受信レベルを取得して、第２閾値と比較して、評価を行うようにしてもよい。
また、図５３のステップＳ３９５〜Ｓ３９７で行われる、ＳＩを取得して、選局情報を第２サービスリストに登録する処理は、図５３に示されているタイミングで実行してもよく、また、全てのチャンネルスキャンが完了した後に、全サービスに対してまとめて実行してもよい。
【０５２８】
図５４は、デジタル放送受信装置７００で行われるチャンネルスキャンを説明するための概略図である。図５４では、向かって左から右に時間が進み、まずＤＶＢ−Ｔ２のチャンネルスキャンが行われ、その後、ＤＶＢ−ＴのチャンネルスキャンとＤＶＢ−Ｈのチャンネルスキャンとが同時に開始されたときの様子が示されている。第１フェーズのチャンネルスキャンには、第１制御部７１５が行うＤＶＢ−Ｔ２のチャンネルスキャン及び第２制御部７２５が行うＤＶＢ−Ｔ２のチャンネルスキャンが含まれ、第２フェーズのチャンネルスキャンには、第１フェーズのＤＶＢ−Ｔのチャンネルスキャン及び第１フェーズのＤＶＢ−Ｈのチャンネルスキャンが含まれ、第３フェーズのチャンネルスキャンには、第３フェーズのＤＶＢ−Ｔのチャンネルスキャン及び第３フェーズのＤＶＢ−Ｈのチャンネルスキャンが含まれる。
【０５２９】
ＤＶＢ−Ｔのチャンネルスキャンは、第２フェーズのＤＶＢ−Ｔのチャンネルスキャン、第３フェーズのＤＶＢ−Ｔのチャンネルスキャンの順で、チャンネルスキャンが実行される。一方、ＤＶＢ−Ｈのチャンネルスキャンは、第２フェーズのＤＶＢ−Ｈのチャンネルスキャン、第３フェーズのＤＶＢ−Ｈのチャンネルスキャンの順で、チャンネルスキャンが実行される。
【０５３０】
第１制御部７１５による、第１フェーズのＤＶＢ−Ｔ２のチャンネルスキャンでは、８チャンネルから昇順にチャンネルスキャンが行われる。第２制御部７２５による、第１フェーズのＤＶＢ−Ｔ２のチャンネルスキャンでは、６２チャンネルから降順にチャンネルスキャンが行われる。そして、第１制御部７１５によるチャンネルスキャンが３５チャンネル、第２制御部７２５によるチャンネルスキャンが３６チャンネルまで行われたときに、第１フェーズの各々のチャンネルスキャンの終了条件（図４８のステップＳ３２１、図４９のステップＳ３４１）が成立し、第１フェーズの各々のチャンネルスキャンが終了している。
【０５３１】
この第１制御部７１５による、第１フェーズのＤＶＢ−Ｔ２のチャンネルスキャンでは、第１制御部７１５は、１５チャンネルと３４チャンネルにおいて、電波の受信レベルが第１閾値又は第２閾値よりも大きかったが、フレームロックせず復調できなかったため、受信された電波がＤＶＢ−Ｔ２の放送波ではなかったと判断し、第１スキャン用第１チャンネルリストに１５チャンネルと３４チャンネルとを登録している（図４８のステップＳ３３１又はＳ３３３）。
【０５３２】
一方、第２制御部７２５による、第１フェーズのＤＶＢ−Ｔ２のチャンネルスキャンでは、第２制御部７２５は、４６チャンネルと３７チャンネルと３６チャンネルとにおいて、電波の受信レベルが第１閾値又は第２閾値よりも大きかったが、フレームロックせず復調できなかったため、受信された電波がＤＶＢ−Ｔ２の放送波ではなかったと判断し、第２スキャン用第１チャンネルリストに４６チャンネルと３７チャンネルと３６チャンネルを登録している（図４９のステップＳ３５１又はＳ３５３）。
【０５３３】
次に、第２フェーズのＤＶＢ−Ｔのチャンネルスキャン及び第２フェーズのＤＶＢ−Ｈのチャンネルスキャンでは、第１フェーズのチャンネルスキャンで、電波の受信レベルが予め定められた閾値よりも大きいが、この電波から生成された電気信号を復調できなかったチャンネルのみのチャンネルスキャンが行われている。
言い換えると、第２フェーズのＤＶＢ−Ｔのチャンネルスキャンでは、第１フェーズのＤＶＢ−Ｔ２のチャンネルスキャンで、電波の受信レベルは第１閾値又は第２閾値よりも大きいが、この電波による電気信号を復調できなかった１５チャンネルと３４チャンネルのみがチャンネルスキャンされる。そして、この３４チャンネルがＤＶＢ−Ｔの放送波を送信している場合には、第１復調部１１１で復調を行うことができ、第１制御部７１５は、選局情報を抽出し第１サービスリストに登録する。
同様に、第２フェーズのＤＶＢ−Ｈのチャンネルスキャンでは、第１フェーズのＤＶＢ−Ｔ２のチャンネルスキャンで、電波の受信レベルは第１閾値又は第２閾値よりも大きいが、この電波による電気信号を復調できなかった４６チャンネルと３７チャンネルと３６チャンネルのみがチャンネルスキャンされる。そして、この３７チャンネルと３６チャンネルがＤＶＢ−Ｈの放送波を送信している場合には、第２復調部１２１で復調を行うことができ、第２制御部７２５は、選局情報を抽出し第２サービスリストに登録する。
このように第２フェーズの各々のチャンネルスキャンの特徴は、第１フェーズのチャンネルスキャンで検出された、電波の受信レベルは所定の閾値よりも大きいが、この電波による電気信号を復調できなかったチャンネルのみに対してチャンネルスキャンを行うことにある。
【０５３４】
次に、第３フェーズのＤＶＢ−Ｔのチャンネルスキャン及び第３フェーズのＤＶＢ−Ｈのチャンネルスキャンでは、互いに他方の第２フェーズのチャンネルスキャンで、電波の受信レベルが予め定められた閾値よりも大きいが、この電波から生成された電気信号を復調できなかったチャンネルのみのチャンネルスキャンが行われている。
言い換えると、第３フェーズのＤＶＢ−Ｔのチャンネルスキャンでは、第２フェーズのＤＶＢ−Ｈのチャンネルスキャンで、電波の受信レベルは第１閾値よりも大きいが、この電波による電気信号を復調できなかった４６チャンネルのみがチャンネルスキャンされる。そして、この４６チャンネルがＤＶＢ−Ｔの放送波を送信している場合には、第１復調部１１１で復調を行うことができ、第１制御部７１５は、選局情報を抽出し第１サービスリストに登録する。
同様に、第３フェーズのＤＶＢ−Ｈのチャンネルスキャンでは、第２フェーズのＤＶＢ−Ｔのチャンネルスキャンで、電波の受信レベルは第２閾値よりも大きいが、この電波による電気信号を復調できなかった１５チャンネルのみがチャンネルスキャンされる。そして、この１５チャンネルがＤＶＢ−Ｈの放送波を送信している場合には、第２復調部１２１で復調を行うことができ、第２制御部７２５は、選局情報を抽出し第２サービスリストに登録する。
このように第３フェーズの各々のチャンネルスキャンの特徴は、他方の放送方式の第２フェーズのチャンネルスキャンで検出された、電波の受信レベルは所定の閾値よりも大きいが、この電波による電気信号を復調できなかったチャンネルのみに対してチャンネルスキャンを行うことにある。
【０５３５】
上記のように、実施の形態７に係るデジタル放送受信装置７００は、互いに異なる複数の放送方式に対応したチューナ部、復調部及びデマルチプレクス部をそれぞれ備え、チャンネルスキャンを行う際に、各々の放送方式のチャンネルスキャンを並行して実行するようにしたので、チャンネルスキャンに要する時間を短縮できる。
【０５３６】
また、実施の形態７に係るデジタル放送受信装置７００における第１制御部７１５及び第２制御部７２５は、第１フェーズのチャンネルスキャンで、ＤＶＢ−Ｔ２が使用する周波数帯、ＤＶＢ−Ｔが使用する周波数帯及びＤＶＢ−Ｈが使用する周波数帯の全てに含まれている物理チャンネルを、２つの受信系統で分担してチャンネルスキャンを実行し、この過程で、電波の受信レベルは予め定められた閾値よりも大きいが、この電波による電気信号を復調できなかった物理チャンネルのチャンネル番号を記録する。ＤＶＢ−Ｔ２が使用する周波数帯だけをチャンネルスキャンするよりも、ＤＶＢ−Ｔ２のチャンネルスキャンの対象チャンネル数は増えるが、選局していないチャンネルがなくなるため、ＤＶＢ−ＴとＤＶＢ−Ｈのチャンネルスキャンにおいて、未選局の周波数帯をチャンネルスキャンするフェーズがなくなり、チャンネルスキャンの手順を簡単にできる。
【０５３７】
また、実施の形態７に係るデジタル放送受信装置７００における第１制御部７１５及び第２制御部７２５は、第１フェーズのチャンネルスキャンで、２つの受信系統で分担してチャンネルスキャンを実行するようにしたので、最大で約１／２程度のチャンネルスキャン時間の短縮効果がある。
【０５３８】
また、実施の形態７に係るデジタル放送受信装置７００は、第２フェーズのチャンネルスキャンにおいて、第１制御部７１５及び第２制御部７２５でそれぞれの放送が含まれている可能性の高い物理チャンネルだけをチャンネルスキャンするように制御されているので、効率的にチャンネルスキャンを行うことができ、チャンネルスキャンにかかる時間を短くすることができる。
【０５３９】
また、実施の形態７に係るデジタル放送受信装置７００では、第１閾値、第２閾値及び第３閾値を各々の放送方式のサービスが受信できる最低の受信レベルとしたので、選局ができない可能性の高い受信レベルの物理チャンネルを、第２フェーズ及び第３フェーズのチャンネルスキャンの候補から除外でき、第２フェーズ及び第３フェーズの各々のチャンネルスキャンにかかる時間を短縮することができる。
【０５４０】
実施の形態８．
実施の形態８は、異なる４つの放送方式について２つの受信系統を用いて、第１フェーズから第４フェーズまでの４つの工程（フェーズ）でチャンネルスキャンを実施する構成を説明する。
【０５４１】
図５５は、実施の形態８に係るデジタル放送受信装置８００の構成を概略的に示すブロック図である。図５５に示されるように、デジタル放送受信装置８００は、第１チューナ部８１０と、第１復調部８１１と、第１デマルチプレクス部８１２と、第１デコード部８１３と、第１記憶部８１４と、第１制御部８１５と、第２チューナ部８２０と、第２復調部８２１と、第２デマルチプレクス部８２２と、第２デコード部８２３と、第２記憶部８２４と、第２制御部８２５と、映像切替部８３０と、映像合成部８３１と、音声切替部８３２と、入力部８５４と、ＵＩＦ処理部８５５と、第３記憶部８３４と、第４記憶部８４４とを備える。ここで、第１チューナ部８１０には、第１アンテナ８５０が接続されており、第１アンテナ８５０、第１チューナ部８１０、第１復調部８１１、第１デマルチプレクス部８１２、第１デコード部８１３、第１記憶部８１４、第１制御部８１５及び第３記憶部８３４が、ＤＶＢ−Ｔ２の受信及びＤＶＢ−Ｈの受信処理を行う系統を構成し、この系統で第１放送方式としてのＤＶＢ−Ｔ２方式と第３放送方式としてのＤＶＢ−Ｈ方式の放送とが受信される。また、第２チューナ部１２０には、第２アンテナ８５１が接続されており、第２アンテナ８５１、第２チューナ部８２０、第２復調部８２１、第２デマルチプレクス部８２２、第２デコード部８２３、第２記憶部８２４、第２制御部８２５及び第４記憶部８４４が、ＤＶＢ−Ｔの受信処理及びＤＭＢ−Ｔの受信処理を行う系統を構成し、この系統で第２放送方式としてのＤＶＢ−Ｔ方式と第４放送方式としてのＤＭＢ−Ｔ方式の放送とが受信される。
【０５４２】
第１記憶部８１４は、第１放送方式のチャンネルをスキャンするために必要な情報、及び、第１放送方式で放送されるサービスを受信するために必要な情報を記憶する。
図５６は、第１記憶部８１４の構成を概略的に示すブロック図である。図５６に示されるように、第１記憶部８１４は、第１サービスリスト格納部８１４Ａと、第１スキャン用第１チャンネルリスト格納部８１４Ｂと、第１チャンネルスキャン実施済みリスト格納部８１４Ｃと、第１スキャン用第２チャンネルリスト８１４Ｄとを備える。
【０５４３】
第１スキャン用第１チャンネルリスト格納部８１４Ｂ及び第１スキャン用第２チャンネルリスト格納部８１４Ｄは、チャンネルスキャン時に、第１チューナ部８１０で受信された電波の受信電力が予め定められた閾値よりも大きいが、この電波から生成された電気信号を第１復調部８１１で復調できなかった（フレームロックできなかった）物理チャンネルを識別するための識別情報（ここでは、チャンネル番号）のリストである第１スキャン用第１チャンネルリスト及び第１スキャン用第２チャンネルリストを、それぞれ格納する。
第１スキャン用第１チャンネルリストは、第１フェーズでのスキャン結果を踏まえ第１スキャン用第１チャンネルリスト格納部８１４Ｂに格納される情報である。第１スキャン用第１チャンネルリストは、第１フェーズで実施する第１放送方式であるＤＶＢ−Ｔ２のチャンネルスキャンを実施した物理チャンネルにおいて受信された電波の受信電力が、第２放送方式であるＤＶＢ−Ｔのサービスを安定して視聴できる最低の受信レベルである第２閾値と、第３放送方式であるＤＶＢ−Ｈのサービスを安定して視聴できる最低の受信レベルである第３閾値と、第４放送方式であるＤＭＢ−Ｔのサービスを安定して視聴できる最低の受信レベルである第４閾値とのうち、最低の閾値よりも受信レベルよりも大きく、かつ、この電波から生成された電気信号を第１復調部８１１で復調できなかった場合に、このような物理チャンネルのチャンネル番号が登録されたものである。
第１スキャン用第２チャンネルリストは、第２フェーズでのスキャン結果を踏まえ第１スキャン用第１チャンネルリスト格納部８１４Ｂに格納される情報である。第１スキャン用第２チャンネルリストは、第２フェーズで実施する第１放送方式であるＤＶＢ−Ｔ２のチャンネルスキャンを実施した物理チャンネルにおいて受信された電波の受信電力が、第３放送方式であるＤＶＢ−Ｈのサービスを安定して視聴できる最低の受信レベルである第３閾値と、第４放送方式であるＤＭＢ−Ｔのサービスを安定して視聴できる最低の受信レベルである第４閾値とのうち、最低の閾値よりも受信レベルよりも大きく、かつ、この電波から生成された電気信号を第１復調部８１１で復調できなかった場合に、このような物理チャンネルのチャンネル番号が登録されたものである。
【０５４４】
図５６を再度参照すると、第２記憶部８２４は、第２放送方式のチャンネルをスキャンするために必要な情報、及び、第２放送方式で放送されるサービスを受信するために必要な情報を記憶する。
図５７は、第２記憶部８２４の構成を概略的に示すブロック図である。図５７に示されるように、第２記憶部８２４は、第２サービスリスト格納部８２４Ａと、第２スキャン用チャンネルリスト格納部８２４Ｂと、第２チャンネルスキャン実施済みリスト格納部８２４Ｃと、第２チャンネルスキャン用第２チャンネルリスト格納部８２４Ｄとを備える。
【０５４５】
第２スキャン用第１チャンネルリスト格納部８２４Ｂ及び第２スキャン用第２チャンネルリスト格納部８２４Ｄは、チャンネルスキャン時に、第２チューナ部８２０で受信された電波の受信電力が予め定められた閾値よりも大きいが、この電波から生成された電気信号を第２復調部８２１で復調できなかった（フレームロックできなかった）物理チャンネルを識別するための識別情報（ここでは、チャンネル番号）のリストである第２スキャン用第１チャンネルリスト及び第２スキャン用第２チャンネルリストをそれぞれ格納する。
第２スキャン用第１チャンネルリストは第１フェーズでのスキャン結果を踏まえ格納する情報であり、第１フェーズで実施する第２放送方式であるＤＶＢ−Ｔのチャンネルスキャンを実施した物理チャンネルにおいて受信された電波の受信電力が、第１放送方式であるＤＶＢ−Ｔ２のサービスを安定して視聴できる最低の受信レベルである第１閾値と、第３放送方式であるＤＶＢ−Ｈのサービスを安定して視聴できる最低の受信レベルである第３閾値と、第４放送方式であるＤＭＢ−Ｔのサービスを安定して視聴できる最低の受信レベルである第４閾値とのうち、最低の閾値よりも受信レベルよりも大きく、かつ、この電波から生成された電気信号を第２復調部８２１で復調できなかった場合に、このような物理チャンネルのチャンネル番号が登録されたものである。
第２スキャン用第２チャンネルリストは、第２フェーズでのスキャン結果を踏まえ格納する情報である。第２フェーズで実施する第２放送方式であるＤＶＢ−Ｔのチャンネルスキャンを実施した物理チャンネルにおいて受信された電波の受信電力が、第３放送方式であるＤＶＢ−Ｈのサービスを安定して視聴できる最低の受信レベルである第３閾値と、第４放送方式であるＤＭＢ−Ｔのサービスを安定して視聴できる最低の受信レベルである第４閾値とのうち、最低の閾値よりも受信レベルよりも大きく、かつ、この電波から生成された電気信号を第２復調部８２１で復調できなかった場合に、このような物理チャンネルのチャンネル番号が登録されたものである。
【０５４６】
図５５を再度参照すると、第３記憶部８３４は、第３放送方式のチャンネルをスキャンするために必要な情報、及び、第３放送方式で放送されるサービスを受信するために必要な情報を記憶する。
図５８は、第３記憶部８３４の構成を概略的に示すブロック図である。図５８に示されるように、第３記憶部８３４は、第３サービスリスト格納部８３４Ａと、第３スキャン用チャンネルリスト格納部８３４Ｂと、第３チャンネルスキャン実施済みリスト格納部８３４Ｃとを備える。
【０５４７】
第３スキャン用チャンネルリスト格納部８３４Ｂは、チャンネルスキャン時に、第１チューナ部８１０で受信された電波の受信電力が予め定められた閾値よりも大きいが、この電波から生成された電気信号を第１復調部８１１で復調できなかった（フレームロックできなかった）物理チャンネルを識別するための識別情報（ここでは、チャンネル番号）のリストである第３スキャン用チャンネルリストを格納する。例えば、第３スキャン用チャンネルリストは、第３放送方式であるＤＶＢ−Ｈのチャンネルスキャンを実施した物理チャンネルにおいて受信された電波の受信電力が、第４放送方式であるＤＭＢ−Ｔのサービスを安定して視聴できる最低の受信レベルである第４閾値よりも大きく、かつ、この電波から生成された電気信号を第１復調部８１１で復調できなかった場合に、このような物理チャンネルのチャンネル番号が登録されたものである。
【０５４８】
図５５を再度参照すると、第４記憶部８４４は、第３放送方式のチャンネルをスキャンするために必要な情報、及び、第３放送方式で放送されるサービスを受信するために必要な情報を記憶する。
図５９は、第４記憶部８４４の構成を概略的に示すブロック図である。図５９に示されるように、第４記憶部８４４は、第４サービスリスト格納部８４４Ａと、第４スキャン用チャンネルリスト格納部８４４Ｂと、第４チャンネルスキャン実施済みリスト格納部８４４Ｃとを備える。
【０５４９】
第４スキャン用チャンネルリスト格納部８４４Ｂは、チャンネルスキャン時に、第２チューナ部８２０で受信された電波の受信電力が予め定められた閾値よりも大きいが、この電波から生成された電気信号を第２復調部８２１で復調できなかった（フレームロックできなかった）物理チャンネルを識別するための識別情報（ここでは、チャンネル番号）のリストである第４スキャン用チャンネルリストを格納する。例えば、第４スキャン用チャンネルリストは、第４放送方式であるＤＭＢ−Ｔのチャンネルスキャンを実施した物理チャンネルにおいて受信された電波の受信電力が、第３放送方式であるＤＶＢ−Ｈのサービスを安定して視聴できる最低の受信レベルである第３閾値よりも大きく、かつ、この電波から生成された電気信号を第２復調部８２１で復調できなかった場合に、このような物理チャンネルのチャンネル番号が登録されたものである。
【０５５０】
図５５を再度参照すると、第１制御部８１５は、第１放送方式及び第３放送方式のチャンネルをスキャンする処理、並びに、第１放送方式及び第３放送方式の放送を受信する処理を制御する。例えば、第１制御部８１５は、第１フェーズと第２フェーズのＤＶＢ−Ｔ２のチャンネルスキャンと、第３フェーズ及び第４フェーズのＤＶＢ−Ｈのチャンネルスキャンを行う。
【０５５１】
第１フェーズのＤＶＢ−Ｔ２のチャンネルスキャンでは、第１制御部８１５は、第１放送方式の放送で使用されている周波数帯、第２放送方式の放送で使用されている周波数帯及び第３放送方式の放送で使用されている周波数帯及び第４放送方式の放送で使用されている周波数帯の全範囲に含まれている物理チャンネルの内、未だ第２制御部８２５でチャンネルスキャンの対象とはされていない物理チャンネルについて、予め定められた第１順番でチャンネルスキャンを行う。そして、第１制御部８１５は、第１フェーズのＤＶＢ−Ｔ２のチャンネルスキャンにおいて、受信された電波が第１閾値よりも大きな受信電力を有し、この電波から生成された電気信号を復調することができた物理チャンネルがあった場合には、当該物理チャンネルの選局情報を第１サービスリストに登録するとともに、受信された電波が第２閾値、第３閾値、第４閾値のうち最低の閾値よりも大きな受信電力を有し、この電波から生成された電気信号を復調することができなかった物理チャンネルのチャンネル番号を、第１スキャン用第１チャンネルリストに登録する。
【０５５２】
また、第２フェーズのＤＶＢ−Ｔ２のチャンネルスキャンでは、第１制御部８１５は、第２記憶部８２４の第２スキャン用第１チャンネルリスト格納部８２４Ｂに登録されている物理チャンネルについて、チャンネルスキャンを行う。そして、受信された電波が第１閾値よりも大きな受信電力を有し、この電波から生成された電気信号を復調することができた物理チャンネルがあった場合には、当該物理チャンネルの選局情報を第１サービスリストに登録するとともに、受信された電波が第３閾値と第４閾値とのうちの最低の閾値よりも大きな受信電力を有し、この電波から生成された電気信号を復調することができなかった物理チャンネルのチャンネル番号を、第１スキャン用第２チャンネルリストに登録する。
【０５５３】
また、第３フェーズのＤＶＢ−Ｈのチャンネルスキャンでは、第１制御部８１５は、第２記憶部８２４の第２スキャン用第２チャンネルリスト格納部８２４Ｂに登録されている物理チャンネルについて、チャンネルスキャンを行う。そして、受信された電波が第３閾値よりも大きな受信電力を有し、この電波から生成された電気信号を復調することができた物理チャンネルがあった場合には、当該物理チャンネルの選局情報を第３記憶部８３４の第３サービスリスト格納部８３４Ａに登録するとともに、受信された電波が第４閾値よりも大きな受信電力を有し、この電波から生成された電気信号を復調することができなかった物理チャンネルのチャンネル番号を、第３記憶部８３４の第３スキャン用チャンネルリスト格納部８３４Ｂに登録する。
【０５５４】
また、第４フェーズのＤＭＢ−Ｈのチャンネルスキャンでは、第１制御部８１５は、第４記憶部８４４の第２スキャン用チャンネルリスト格納部８４４Ｂに登録されている物理チャンネルについて、チャンネルスキャンを行う。そして、受信された電波が第３閾値よりも大きな受信電力を有し、この電波から生成された電気信号を復調することができた物理チャンネルがあった場合には、当該物理チャンネルの選局情報を第３記憶部８３４の第３サービスリスト格納部８３４Ａに登録する。
【０５５５】
第２制御部８２５は、第２放送方式及び第４放送方式のチャンネルをスキャンする処理、並びに、第２放送方式及び第４放送方式の放送を受信する処理を制御する。例えば、第２制御部８２５は、第１フェーズと第２フェーズのＤＶＢ−Ｔのチャンネルスキャンと、第３フェーズ及び第４フェーズのＤＭＢ−Ｔのチャンネルスキャンとを行う。
第１フェーズのＤＶＢ−Ｔのチャンネルスキャンでは、第２制御部８２５は、第１放送方式の放送で使用されている周波数帯、第２放送方式の放送で使用されている周波数帯及び第３放送方式の放送で使用されている周波数帯、第４放送方式の全範囲に含まれている物理チャンネルの内、未だ第１制御部８１５でチャンネルスキャンの対象とはされていない物理チャンネルについて、予め定められた第２順番でチャンネルスキャンを行う。ここで、第２順番は、第１制御部８１５がチャンネルスキャンを制御する第１順番の逆の順番である。そして、第２制御部８２５は、第１フェーズのＤＶＢ−Ｔのチャンネルスキャンにおいて、受信された電波が第２閾値よりも大きな受信電力を有し、この電波から生成された電気信号を復調することができた物理チャンネルがあった場合には、当該物理チャンネルの選局情報を第２記憶部８２４の第２サービスリスト格納部８２４Ａに登録するとともに、受信された電波が第１閾値と第３閾値と第４閾値とのうちの最小値よりも大きな受信電力を有し、この電波から生成された電気信号を復調することができなかった物理チャンネルのチャンネル番号を、第２記憶部８２４の第２スキャン用第１チャンネルリストに登録する。
【０５５６】
また、第２フェーズのＤＶＢ−Ｔのチャンネルスキャンでは、第２制御部８２５は、第１記憶部８１４の第１スキャン用第１チャンネルリスト格納部８１４Ｂに登録されている物理チャンネルについて、チャンネルスキャンを行う。そして、受信された電波が第２閾値よりも大きな受信電力を有し、この電波から生成された電気信号を復調することができた物理チャンネルがあった場合には、当該物理チャンネルの選局情報を第２記憶部８２４の第２サービスリスト格納部８２４Ａに登録するとともに、受信された電波が第３閾値と第４閾値とのうちの最低の閾値よりも大きな受信電力を有し、この電波から生成された電気信号を復調することができなかった物理チャンネルのチャンネル番号を、第２記憶部８２４の第２スキャン用第２チャンネルリスト格納部８２４Ｄに登録する。
【０５５７】
また、第３フェーズのＤＭＢ−Ｔのチャンネルスキャンでは、第２制御部８２５は、第１記憶部８１４の第１スキャン用第２チャンネルリスト格納部８１４Ｄに登録されている物理チャンネルについて、チャンネルスキャンを行う。そして、受信された電波が第４閾値よりも大きな受信電力を有し、この電波から生成された電気信号を復調することができた物理チャンネルがあった場合には、第２制御部８２５は、当該物理チャンネルの選局情報を第４記憶部８４４の第４サービスリスト格納部８４４Ａに登録するとともに、受信された電波が第３閾値よりも大きな受信電力を有し、この電波から生成された電気信号を復調することができなかった物理チャンネルのチャンネル番号を、第４記憶部８４４の第４スキャン用チャンネルリスト格納部８４４Ｂに登録する。
【０５５８】
また、第４フェーズのＤＭＢ−Ｔのチャンネルスキャンでは、第２制御部８２５は、第３記憶部８３４の第３スキャン用チャンネルリスト格納部８３４Ｂに登録されている物理チャンネルについて、チャンネルスキャンを行う。そして、受信された電波が第４閾値よりも大きな受信電力を有し、この電波から生成された電気信号を復調することができた物理チャンネルがあった場合には、当該物理チャンネルの選局情報を第４記憶部８４４の第４サービスリスト格納部８４４Ａに登録する。
【０５５９】
次に、実施の形態８におけるデジタル放送受信装置８００のチャンネルスキャン時の動作について詳細に説明する。なお、実施の形態８におけるデジタル放送受信装置８００のチャンネルスキャンは、デジタル放送受信装置８００の初期設定を行うとき、放送構成が変化したとき、又は、移動体に搭載された場合では放送エリアを跨いで他の放送エリアに移動したときに実行され、ＤＶＢ−Ｔ２、ＤＶＢ−Ｔ、ＤＶＢ−Ｈ及びＤＭＢ−Ｔの各放送方式のデジタル放送のサービスリストが生成される。
【０５６０】
図６０は、ユーザの操作によりチャンネルスキャンが選択されたときに、ＵＩＦ処理部８５５が行う処理を示すフローチャートである。
【０５６１】
ＵＩＦ処理部８５５は、入力部８５４からチャンネルスキャン要求を示す操作信号を受信すると、第１制御部８１５に、第１放送方式のチャンネルスキャン開始を通知する（ステップＳ４１０）。
【０５６２】
次に、ＵＩＦ処理部８５５は、第２制御部８２５に、第１放送方式のチャンネルスキャン開始を通知する（ステップＳ４１１）。
【０５６３】
上記のように、チャンネルスキャン開始の通知を第１制御部８１５及び第２制御部８２５に行うことで、第１制御部８１５の制御によるＤＶＢ−Ｔ２チャンネルスキャンと、第２制御部８２５の制御によるＤＶＢ−Ｔのチャンネルスキャンとが並行して行われる。
【０５６４】
そして、ＵＩＦ処理部８５５は、第１制御部８１５によるチャンネルスキャンの完了通知及び第２制御部８２５によるチャンネルスキャンの完了通知の両方を受けるまで待機する（ステップＳ４１２）。ＵＩＦ処理部８５５は、これらの通知を受ける（ステップＳ４１２でＹＥＳ）と、ステップＳ４１３の処理に進む。
【０５６５】
ステップＳ４１３では、ＵＩＦ処理部８５５は、第１制御部８１５に、第３放送方式のチャンネルスキャン開始を通知する（ステップＳ４１３）。
【０５６６】
さらに、ＵＩＦ処理部８５５は、第２制御部８２５に、第４放送方式のチャンネルスキャン開始を通知する（ステップＳ４１４）。
【０５６７】
上記のように、チャンネルスキャン開始の通知を第１制御部８１５及び第２制御部８２５に行うことで、第１制御部８１５の制御によるＤＶＢ−Ｈのチャンネルスキャンと、第２制御部８２５の制御によるＤＭＢ−Ｔのチャンネルスキャンとが並行して行われる。
【０５６８】
そして、ＵＩＦ処理部８５５は、第１制御部８１５によるチャンネルスキャンの完了通知及び第２制御部８２５によるチャンネルスキャンの完了通知の両方を受けるまで待機する（ステップＳ４１５）。ＵＩＦ処理部８５５は、これらの通知を受ける（ステップＳ４１５でＹＥＳ）と、処理を終了する。なお、処理が終了した場合には、ＵＩＦ処理部８５５は、表示部８５２にチャンネルスキャン処理が終了したことを示す通知画面の映像信号を生成して、映像合成部８３１を介して、表示部８５２に出力し、表示部８５２にこのような画面を表示させてもよい。
【０５６９】
なお、図６０では、第１制御部８１５にチャンネルスキャンの開始を通知して（ステップＳ４１０又はＳ４１３）から、第２制御部８２５にチャンネルスキャンの開始を通知している（ステップＳ４１１又はＳ４１４）が、この順番が逆になってもよい。
【０５７０】
図６１は、第１制御部８１５によるチャンネルスキャン処理を示すフローチャートである。例えば、第１制御部８１５は、ＵＩＦ処理部８５５からチャンネルスキャンの開始通知を受けたときに、図６１で示されるフローチャートの処理を開始する。
【０５７１】
第１制御部８１５は、第１記憶部８１４の第１スキャン用第１チャンネルリスト格納部８１４Ｂに格納されている第１スキャン用第１チャンネルリスト及び第１スキャン用第２チャンネルリスト格納部８１４Ｂに格納されている第１スキャン用第２チャンネルリストをクリア（初期化）する（ステップＳ４２０）。例えば、第１制御部８１５は、第１スキャン用チャンネルリストに格納されている物理チャンネルのチャンネル番号を全て消去する。
【０５７２】
次に、第１制御部８１５は、第１記憶部８１４の第１チャンネルスキャン実施済みリスト格納部８１４Ｃに格納されている第１チャンネルスキャン実施済みリストをクリアする（ステップＳ４２１）。例えば、第１制御部８１５は、第１チャンネルスキャン実施済みリストに格納されている物理チャンネルのチャンネル番号を全て消去する。
【０５７３】
次に、第１制御部８１５は、第１フェーズのＤＶＢ−Ｔ２のチャンネルスキャンを実行する（ステップＳ４２２）。このサブルーチンでは、第１制御部８１５は、ＤＶＢ−Ｔ２に割り当てられている周波数帯、ＤＶＢ−Ｔに割り当てられている周波数帯、ＤＶＢ−Ｈに割り当てられている周波数帯、及びＤＭＢ−Ｔに割り当てられている周波数帯の全範囲に含まれている物理チャンネルについて、最小のチャンネル番号「１３」から昇順にチャンネルスキャンを行う。なお、ＤＶＢ−Ｔ２、ＤＶＢ−Ｔ、ＤＶＢ−Ｈ、ＤＭＢ−Ｔの周波数帯は国によって異なるため、「１３」は説明上の仮の番号である。そして、第１フェーズのＤＶＢ−Ｔ２のチャンネルスキャンは、次のチャンネルスキャンとして選択された物理チャンネルが、既に第２制御部８２５によりチャンネルスキャン済みであったときに終了する。
【０５７４】
次に、第１制御部８１５は、第２フェーズのＤＶＢ−Ｔ２のチャンネルスキャンを実行する（ステップＳ４２３）。ここでは、第１制御部８１５は、第２制御部８２５から取得した第２スキャン用第１チャンネルリストにチャンネル番号が登録されている物理チャンネルについてチャンネルスキャンを行う。
【０５７５】
そして、第１制御部８１５は、第２フェーズのＤＶＢ−Ｔ２のチャンネルスキャンが完了した場合には、ＵＩＦ処理部８５５にＤＶＢ−Ｔ２のチャンネルスキャンの完了を通知する（ステップＳ４２４）。
【０５７６】
次に、第１制御部８１５は、ＵＩＦ処理部８５５からの指示を受けると、第３フェーズのＤＶＢ−Ｈのチャンネルスキャンを実行する（ステップＳ４２５）。ここでは、第１制御部８１５は、第２スキャン用第２チャンネルリストにチャンネル番号が登録されている物理チャンネルについてチャンネルスキャンを行う。
【０５７７】
次に、第１制御部８１５は、第４フェーズのＤＶＢ−Ｈのチャンネルスキャンを実行する（ステップＳ４２６）。ここでは、第１制御部８１５は、第２制御部８２５から取得した第４スキャン用チャンネルリストにチャンネル番号が登録されている物理チャンネルについてチャンネルスキャンを行う。
【０５７８】
そして、第１制御部８１５は、第４フェーズのＤＶＢ−Ｈのチャンネルスキャンが完了した場合には、ＵＩＦ処理部８５５にＤＶＢ−Ｈのチャンネルスキャンの完了を通知する（ステップＳ４２７）。
【０５７９】
図６２は、第２制御部８２５によるチャンネルスキャン処理を示すフローチャートである。例えば、第２制御部８２５は、ＵＩＦ処理部８５５からチャンネルスキャンの開始通知を受けたときに、図６２で示されるフローチャートの処理を開始する。
【０５８０】
第２制御部８２５は、第２記憶部８２４の第２スキャン用第１チャンネルリスト格納部８２４Ｂに格納されている第２スキャン用第１チャンネルリスト、及び、第２スキャン用第２チャンネルリスト格納部８２４Ｄに格納されている第２スキャン用第２チャンネルリストをクリアする（ステップＳ４３０）。ここでは、例えば、第２制御部８２５は、第２スキャン用第１チャンネルリスト及び第２スキャン用第２チャンネルリストに格納されている物理チャンネルのチャンネル番号を全て消去する。
【０５８１】
次に、第２制御部８２５は、第２記憶部８２４の第２チャンネルスキャン実施済みリスト格納部８２４Ｃに格納されている第２チャンネルスキャン実施済みリストをクリアする（ステップＳ４３１）。ここでは、例えば、第２制御部８２５は、第２チャンネルスキャン実施済みリストに格納されている物理チャンネルのチャンネル番号を全て消去する。
【０５８２】
次に、第２制御部８２５は、第１フェーズのＤＶＢ−Ｔのチャンネルスキャンを実行する（ステップＳ４３２）。ここでは、第２制御部８２５は、ＤＶＢ−Ｔ２に割り当てられている周波数帯、ＤＶＢ−Ｔに割り当てられている周波数帯、ＤＶＢ−Ｈに割り当てられている周波数帯及びＤＭＢ−Ｔに割り当てられている周波数帯の全範囲に含まれている物理チャンネルについて、物理チャンネルの最大のチャンネル番号「６４」から降順にチャンネルスキャンを行う。なお、ＤＶＢ−Ｔ２、ＤＶＢ−Ｔ、ＤＶＢ−Ｈ、ＤＭＢ−Ｔの周波数帯は国によって異なるため、「６４」は説明上の仮の番号である。そして、第１フェーズのＤＶＢ−Ｔのチャンネルスキャンは、次のチャンネルスキャンとして選択された物理チャンネルが、既に第１制御部８１５によりチャンネルスキャン済みであったときに終了する。
【０５８３】
次に、第２制御部８２５は、第２フェーズのＤＶＢ−Ｔのチャンネルスキャンを実行する（ステップＳ４３３）。ここでは、第２制御部８２５は、第１制御部８１５から取得した第１スキャン用第２チャンネルリストにチャンネル番号が登録されている物理チャンネルについてチャンネルスキャンを行う。
【０５８４】
そして、第２制御部８２５は、第２フェーズのＤＶＢ−Ｔのチャンネルスキャンが完了した場合には、ＵＩＦ処理部８５５にＤＶＢ−Ｔのチャンネルスキャンの完了を通知する（ステップＳ４３３）。
【０５８５】
次に、第２制御部８２５は、第３フェーズのＤＭＢ−Ｔのチャンネルスキャンを実行する（ステップＳ４３５）。ここでは、第２制御部８２５は、第１制御部８１５から取得した第１スキャン用第２チャンネルリストにチャンネル番号が登録されている物理チャンネルについてチャンネルスキャンを行う。
【０５８６】
次に、第２制御部８２５は、第４フェーズのＤＭＢ−Ｔのチャンネルスキャンを実行する（ステップＳ４３６）。ここでは、第２制御部８２５は、第１制御部８１５から取得した第３スキャン用チャンネルリストにチャンネル番号が登録されている物理チャンネルについてチャンネルスキャンを行う。
【０５８７】
そして、第２制御部８２５は、第４フェーズのＤＭＢ−Ｔのチャンネルスキャンが完了した場合には、ＵＩＦ処理部８５５にＤＭＢ−Ｔのチャンネルスキャンの完了を通知する（ステップＳ４３７）。
【０５８８】
上記のように、第２フェーズにおいて第１制御部８１５は、第１スキャン用第２チャンネルリストにチャンネル番号が登録されている物理チャンネルに対してのみチャンネルスキャンを実行する。言い換えると、第１制御部８１５は、第１フェーズのＤＶＢ−Ｔ２のチャンネルスキャンの結果、必要な受信電力はあるがＤＶＢ−Ｔ２としては復調できなかった電波が受信された物理チャンネルだけを、この第２フェーズにおけるＤＶＢ−Ｔのチャンネルスキャンにおいてスキャンするようにしているため、効率的なチャンネルスキャンを行うことができる。
【０５８９】
上記のように、第２フェーズにおいて第２制御部８２５は、第２スキャン用第１チャンネルリストにチャンネル番号が登録されている物理チャンネルに対してのみチャンネルスキャンを実行する。言い換えると、第２制御部８２５は、第１フェーズのＤＶＢ−Ｔ２のチャンネルスキャンの結果、必要な電力はあるがＤＶＢ−Ｔ２としては復調できなかった電波が受信された物理チャンネルだけを、この第２フェーズにおけるＤＶＢ−Ｔのチャンネルスキャンにおいてスキャンするようにしているため、効率的なチャンネルスキャンを行うことができる。
【０５９０】
上記のように、第３フェーズにおいて第１制御部８１５は、第２スキャン用第２チャンネルリストにチャンネル番号が登録されている物理チャンネルに対してのみチャンネルスキャンを実行する。言い換えると、第１制御部８１５は、第２フェーズのＤＶＢ−Ｔのチャンネルスキャンの結果、必要な受信電力はあるがＤＶＢ−Ｔとしては復調できなかった電波が受信された物理チャンネルだけを、この第３フェーズにおけるＤＶＢ−Ｔのチャンネルスキャンにおいてスキャンするようにしているため、効率的なチャンネルスキャンを行うことができる。
【０５９１】
上記のように、第３フェーズでは第２制御部８２５は、第１スキャン用第２チャンネルリストにチャンネル番号が登録されている物理チャンネルに対してのみチャンネルスキャンを実行する。言い換えると、第２制御部８２５は、第２フェーズのＤＶＢ−Ｔ２のチャンネルスキャンの結果、必要な電力はあるがＤＶＢ−Ｔ２としては復調できなかった電波が受信された物理チャンネルだけを、この第３フェーズにおけるＤＭＢ−Ｔのチャンネルスキャンにおいてスキャンするようにしているため、効率的なチャンネルスキャンを行うことができる。
【０５９２】
上記のように、第４フェーズにおいて第１制御部８１５は、第４スキャン用チャンネルリストにチャンネル番号が登録されている物理チャンネルに対してのみチャンネルスキャンを実行する。言い換えると、第１制御部８１５は、第３フェーズのＤＭＢ−Ｔのチャンネルスキャンの結果、必要な受信電力はあるがＤＭＢ−Ｔとしては復調できなかった電波が受信された物理チャンネルだけを、この第４フェーズにおけるＤＶＢ−Ｈのチャンネルスキャンにおいてスキャンするようにしているため、効率的なチャンネルスキャンを行うことができる。
【０５９３】
上記のように、第４フェーズでは第２制御部８２５は、第３スキャン用チャンネルリストにチャンネル番号が登録されている物理チャンネルに対してのみチャンネルスキャンを実行する。言い換えると、第２制御部８２５は、第３フェーズのＤＶＢ−Ｈのチャンネルスキャンの結果、必要な電力はあるがＤＶＢ−Ｈとしては復調できなかった電波が受信された物理チャンネルだけを、この第４フェーズにおけるＤＭＢ−Ｔのチャンネルスキャンにおいてスキャンするようにしているため、効率的なチャンネルスキャンを行うことができる。
【０５９４】
図６３は、デジタル放送受信装置８００で行われるチャンネルスキャンを説明するための概略図である。図６３では、向かって左から右に時間が進み、まずＤＶＢ−Ｔ２のチャンネルスキャンとＤＶＢ−Ｔのチャンネルスキャンが行われ、その後、ＤＶＢ−ＨのチャンネルスキャンとＤＭＢ−Ｔのチャンネルスキャンとが同時に開始されたときの様子が示されている。第１フェーズと、第２フェーズのチャンネルスキャンには、第１制御部８１５が行うＤＶＢ−Ｔ２のチャンネルスキャン及び第２制御部８２５が行うＤＶＢ−Ｔのチャンネルスキャンが含まれる。第３フェーズと、第４フェーズのチャンネルスキャンには、第１制御部８１５が行うＤＶＢ−Ｈのチャンネルスキャン及び第２制御部８２５が行うＤＭＢ−Ｔのチャンネルスキャンが含まれる。
【０５９５】
第１制御部８１５による、第１フェーズのＤＶＢ−Ｔ２のチャンネルスキャンでは、１３チャンネルから昇順にチャンネルスキャンが行われる。第２制御部８２５による、第１フェーズのＤＶＢ−Ｔのチャンネルスキャンでは、６４チャンネルから降順にチャンネルスキャンが行われる。そして、第１制御部８１５によるチャンネルスキャンが３８チャンネル、第２制御部８２５によるチャンネルスキャンが３９チャンネルまで行われたときに、第１フェーズの各々のチャンネルスキャンの終了条件が成立し、第１フェーズの各々のチャンネルスキャンが終了している。
【０５９６】
この第１制御部８１５による、第１フェーズのＤＶＢ−Ｔ２のチャンネルスキャンでは、第１制御部８１５は、１４チャンネルと３８チャンネルにおいて、電波の受信レベルが第１閾値、第２閾値、第３閾値、第４閾値の最小値よりも大きかったが、フレームロックせず復調できなかったためサービスの検出ができず、受信された電波がＤＶＢ−Ｔ２の放送波ではなかったと判断し、第１スキャン用第１チャンネルリストに１４チャンネルと２１チャンネルと３８チャンネルとを登録している。
【０５９７】
一方、第２制御部８２５による、第１フェーズのＤＶＢ−Ｔのチャンネルスキャンでは、第２制御部８２５は、６４チャンネルと６２チャンネルと４０チャンネルとにおいて、電波の受信レベルが第１閾値、第２閾値、第３閾値、第４閾値の最小値よりも大きかったが、フレームロックせず復調できなかったためサービスの検出ができず、受信された電波がＤＶＢ−Ｔの放送波ではなかったと判断し、第２スキャン用第１チャンネルリストに６４チャンネルと６２チャンネルと４０チャンネルを登録している。
【０５９８】
次に、第２フェーズのＤＶＢ−Ｔ２のチャンネルスキャン及び第２フェーズのＤＶＢ−Ｔのチャンネルスキャンでは、互いに他方の第１フェーズのチャンネルスキャンで、電波の受信レベルが予め定められた閾値よりも大きいが、この電波から生成された電気信号を復調できなかったチャンネルのみのチャンネルスキャンが行われている。言い換えると、第２フェーズのＤＶＢ−Ｔ２のチャンネルスキャンでは、第１フェーズのＤＶＢ−Ｔのチャンネルスキャンで、電波の受信レベルは第１閾値、第２閾値、第３閾値、第４閾値の最小値よりも大きいが、この電波による電気信号を復調できずサービス検出できなかった４０チャンネル、６２チャンネルと６４チャンネルのみがチャンネルスキャンされる。そして、この６４チャンネルがＤＶＢ−Ｔ２の放送波を送信している場合には、第１復調部８１１で復調を行うことができ、第１制御部８１５は、選局情報を抽出しサービスを検出し、第１サービスリストに登録する。
同様に、第２フェーズのＤＶＢ−Ｔのチャンネルスキャンでは、第１フェーズのＤＶＢ−Ｔ２のチャンネルスキャンで、電波の受信レベルは第１閾値、第２閾値、第３閾値、第４閾値の最小値よりも大きいが、この電波による電気信号を復調できなかった１４チャンネルと２１チャンネルと３８チャンネルのみがチャンネルスキャンされる。そして、この３８チャンネルがＤＶＢ−Ｈの放送波を送信している場合には、第２復調部８２１で復調を行うことができ、第２制御部８２５は、選局情報を抽出しサービスを検出し、第２サービスリストに登録する。
このように第２フェーズの各々のチャンネルスキャンの特徴は、第１フェーズのチャンネルスキャンで検出された、電波の受信レベルは所定の閾値よりも大きいが、この電波による電気信号を復調できず、サービス検出できなかったチャンネルのみに対してチャンネルスキャンを行うことにある。
【０５９９】
次に、第３フェーズのＤＶＢ−Ｈのチャンネルスキャン及び第３フェーズのＤＭＢ−Ｔのチャンネルスキャンでは、互いに他方の第２フェーズのチャンネルスキャンで、電波の受信レベルが予め定められた閾値よりも大きいが、この電波から生成された電気信号を復調できなかったチャンネルのみのチャンネルスキャンが行われている。言い換えると、第３フェーズのＤＶＢ−Ｈのチャンネルスキャンでは、第２フェーズのＤＶＢ−Ｔのチャンネルスキャンで、電波の受信レベルは第２閾値、第３閾値、第４閾値の最小値よりも大きいが、この電波による電気信号を復調できなかった１４チャンネルと２１チャンネルのみがチャンネルスキャンされる。そして、この１４チャンネルがＤＶＢ−Ｈの放送波を送信している場合には、第１復調部８１１で復調を行うことができ、第１制御部８１５は、選局情報を抽出しサービスを検出し、第３サービスリストに登録する。
同様に、第３フェーズのＤＭＢ−Ｔのチャンネルスキャンでは、第２フェーズのＤＶＢ−Ｔ２のチャンネルスキャンで、電波の受信レベルは第１閾値、第３閾値、第４閾値の最小値よりも大きいが、この電波による電気信号を復調できずサービス検出できなかった４０チャンネルと６２チャンネルのみがチャンネルスキャンされる。そして、この６２チャンネルがＤＭＢ−Ｔの放送波を送信している場合には、第２復調部８２１で復調を行うことができ、第２制御部８２５は、選局情報を抽出しサービス検出し、第３サービスリストに登録する。
このように第３フェーズの各々のチャンネルスキャンの特徴は、他方の放送方式の第２フェーズのチャンネルスキャンで検出された、電波の受信レベルは所定の閾値よりも大きいが、この電波による電気信号を復調できなかったチャンネルのみに対してチャンネルスキャンを行うことにある。
【０６００】
次に、第４フェーズのＤＶＢ−Ｈのチャンネルスキャン及び第４フェーズのＤＭＢ−Ｔのチャンネルスキャンでは、互いに他方の第２フェーズのチャンネルスキャンで、電波の受信レベルが予め定められた閾値よりも大きいが、この電波から生成された電気信号を復調できなかったチャンネルのみのチャンネルスキャンが行われている。言い換えると、第４フェーズのＤＶＢ−Ｈのチャンネルスキャンでは、第３フェーズのＤＭＢ−Ｔのチャンネルスキャンで、電波の受信レベルは第３閾値、第４閾値の最小値よりも大きいが、この電波による電気信号を復調できなかった４０チャンネルのみがチャンネルスキャンされる。そして、この４０チャンネルがＤＶＢ−Ｈの放送波を送信している場合には、第１復調部８１１で復調を行うことができ、第１制御部８１５は、選局情報を抽出しサービスを検出し、第３サービスリストに登録する。
同様に、第４フェーズのＤＭＢ−Ｔのチャンネルスキャンでは、第３フェーズのＤＶＢ−Ｈのチャンネルスキャンで、電波の受信レベルは第３閾値、第４閾値の最小値よりも大きいが、この電波による電気信号を復調できずサービス検出できなかった２１チャンネルのみがチャンネルスキャンされる。そして、この２１チャンネルがＤＭＢ−Ｔの放送波を送信している場合には、第２復調部８２１で復調を行うことができ、第２制御部８２５は、選局情報を抽出しサービス検出し、第４サービスリストに登録する。
このように第４フェーズの各々のチャンネルスキャンの特徴は、他方の放送方式の第３フェーズのチャンネルスキャンで検出された、電波の受信レベルは所定の閾値よりも大きいが、この電波による電気信号を復調できなかったチャンネルのみに対してチャンネルスキャンを行うことにある。
【０６０１】
上記のように、実施の形態８に係るデジタル放送受信装置８００は、互いに異なる複数の放送方式に対応したチューナ部、復調部及びデマルチプレクス部をそれぞれ備え、チャンネルスキャンを行う際に、各々の放送方式のチャンネルスキャンを並行して実行するようにしたので、チャンネルスキャンに要する時間を短縮できる。
【０６０２】
また、実施の形態８に係るデジタル放送受信装置８００における第１制御部８１５及び第２制御部８２５は、第１フェーズのチャンネルスキャンで、ＤＶＢ−Ｔ２が使用する周波数帯、ＤＶＢ−Ｔが使用する周波数帯、ＤＶＢ−Ｈが使用する周波数帯及びＤＭＢ−Ｔが使用する周波数帯の全てに含まれている物理チャンネルを、２つの受信系統で分担してチャンネルスキャンを実行し、この過程で、電波の受信レベルは予め定められた閾値よりも大きいが、この電波による電気信号を復調できずサービス検出できなかった物理チャンネルのチャンネル番号を記録する。ＤＶＢ−Ｔ２が使用する周波数帯だけをチャンネルスキャンするよりも、ＤＶＢ−Ｔ２のチャンネルスキャンの対象チャンネル数は増えるが、選局していないチャンネルがなくなるため、後半のＤＶＢ−Ｔ２及びＤＶＢ−Ｔ及びＤＶＢ−ＨとＤＭＢ−Ｔのチャンネルスキャンにおいて、未選局の周波数帯をチャンネルスキャンするフェーズがなくなり、チャンネルスキャンの手順を簡単にできる。
【０６０３】
また、実施の形態８に係るデジタル放送受信装置８００における第１制御部８１５及び第２制御部８２５は、第１フェーズのチャンネルスキャンで、２つの受信系統で分担して全帯域のチャンネルスキャンを実行するようにし、第２〜第４フェーズは受信電力が所定の閾値よりも大きな受信できる可能性の高いチャンネルのみにスキャン対象を絞り込むため、４放送方式毎に全帯域をスキャンする方式や４放送方式毎に全帯域を２系統で分担してスキャンする方式に比べてチャンネルスキャン時間の短縮効果がある。
【０６０４】
また、実施の形態８に係るデジタル放送受信装置８００では、第１閾値、第２閾値、第３閾値及び第４閾値を各々の放送方式のサービスが受信できる最低の受信レベルとしたので、選局ができない可能性の高い受信レベルの物理チャンネルを、第２フェーズ、第３フェーズ及び第４フェーズのチャンネルスキャンの候補から除外でき、第２フェーズ、第３フェーズ及び第４フェーズの各々のチャンネルスキャンにかかる時間を短縮することができる。
【０６０５】
また、実施の形態８に係るデジタル放送受信装置８００における第１制御部８１５及び第２制御部８２５は、第２フェーズ、第３フェーズ、第４フェーズの各チャンネルスキャンの動作フローはいずれも他方の制御部がスキャンした結果、得られたスキャン用チャンネルリストを参照し、動作する（即ち、クロススキャン方式である）ので基本動作シーケンスが共通であり、アルゴリズムがシンプルであり、偶数個の放送方式であれば容易にスキャン対象放送方式を拡張できる拡張性がある。
【０６０６】
実施の形態９．
実施の形態９は、実施の形態８と同様、異なる４つの放送方式についてチャンネルスキャンを実施し、２つの受信系統を用いて、第１フェーズから第４フェーズの４つの工程（フェーズ）を実施する。実施の形態９のデジタル放送受信装置の構成は、実施の形態８のものとほぼ同一であるが、第１制御部８１５及び第２制御部８２５が実施する第３フェーズ、第４フェーズの動作が異なる。即ち、第３フェーズでは第１制御部８１５及び第２制御部８２５がそれぞれ同一の放送方式である第３放送方式を対象として分担してチャンネルスキャンを実施する。これを以降ダブルスキャンと称する。第４フェーズではさらに第１制御部８１５及び第２制御部８２５がそれぞれ第４放送方式を対象として分担してダブルスキャンを実施する。
【０６０７】
図６４は、ユーザの操作によりチャンネルスキャンが選択されたときに、ＵＩＦ処理部８５５が行う処理を示すフローチャートである。チャンネルスキャンフローチャートにおける実施の形態８との違いはステップＳ５１３、Ｓ５１４、Ｓ５１５、Ｓ５１６である。
【０６０８】
ＵＩＦ処理部８５５は、入力部８５４からチャンネルスキャン要求を示す操作信号を受信すると、第１制御部８１５に、第１放送方式のチャンネルスキャン開始を通知する（ステップＳ４１０）。
【０６０９】
次に、ＵＩＦ処理部８５５は、第２制御部８２５に、第１放送方式のチャンネルスキャン開始を通知する（ステップＳ４１１）。
【０６１０】
上記のように、チャンネルスキャン開始の通知を第１制御部８１５及び第２制御部８２５に行うことで、第１制御部８１５の制御によるＤＶＢ−Ｔ２チャンネルスキャンと、第２制御部８２５の制御によるＤＶＢ−Ｔのチャンネルスキャンとが並行して行われる。
【０６１１】
そして、ＵＩＦ処理部８５５は、第１制御部８１５によるチャンネルスキャンの完了通知及び第２制御部８２５によるチャンネルスキャンの完了通知の両方を受けるまで待機する（ステップＳ４１２）。ＵＩＦ処理部８５５は、これらの通知を受ける（ステップＳ４１２でＹＥＳ）と、ステップＳ４１３の処理に進む。
【０６１２】
ステップＳ５１３では、ＵＩＦ処理部８５５は、第１制御部８１５に、第３放送方式のチャンネルスキャン開始を通知する（ステップＳ５１３）。
【０６１３】
さらに、ＵＩＦ処理部８５５は、第２制御部８２５に、第３放送方式のチャンネルスキャン開始を通知する（ステップＳ５１４）。
【０６１４】
上記のように、同一放送方式である第３放送方式に対してのチャンネルスキャン開始の通知を第１制御部８１５及び第２制御部８２５に同時に行うことで、第１制御部８１５の制御によるＤＶＢ−Ｈのチャンネルスキャンと、第２制御部８２５の制御によるＤＶＢ−Ｈのチャンネルスキャンが並行して行われる。
【０６１５】
そして、ＵＩＦ処理部８５５は、第１制御部８１５によるチャンネルスキャンの完了通知及び第２制御部８２５によるチャンネルスキャンの完了通知の両方を受けるまで待機する（ステップＳ４１５）。ＵＩＦ処理部８５５は、これらの通知を受ける（ステップＳ４１５でＹＥＳ）と、続いて第４放送方式に対してのチャンネルスキャン開始の通知を第１制御部８１５及び第２制御部８２５に通知する（ステップＳ５１５，Ｓ５１６）。
【０６１６】
そして、ＵＩＦ処理部８５５は、第１制御部８１５によるチャンネルスキャンの完了通知及び第２制御部８２５によるチャンネルスキャンの完了通知の両方を受けるまで待機する（ステップＳ５１７）。ＵＩＦ処理部８５５は、これらの通知を受ける（ステップＳ５１７でＹＥＳ）処理を終了する。
【０６１７】
なお、処理が終了した場合には、ＵＩＦ処理部８５５は、表示部８５２にチャンネルスキャン処理が終了したことを示す通知画面の映像信号を生成して、映像合成部８３１を介して、表示部８５２に出力し、表示部８５２にこのような画面を表示させてもよい。
【０６１８】
また、ステップＳ４１２、Ｓ４１５において各放送方式のチャンネルスキャン完了時点において、ＵＩＦ処理部８５５は、表示部８５２に特定の放送方式のチャンネルスキャン処理が終了したことを示す通知画面の映像信号を生成して、映像合成部８３１を介して、表示部８５２に出力することで、チャンネルスキャンが完了した放送方式のサービスリストを表示部８５２に表示させていってもよい。
【０６１９】
なお、図６４では、第１制御部８１５にチャンネルスキャンの開始を通知して（ステップＳ４１０又はＳ５１３、Ｓ５１５）から、第２制御部８２５にチャンネルスキャンの開始を通知している（ステップＳ４１１又はＳ５１４、Ｓ５１６）が、この順番が逆になってもよい。
【０６２０】
図６５は、第１制御部８１５によるチャンネルスキャン処理を示すフローチャートである。例えば、第１制御部８１５は、ＵＩＦ処理部８５５からチャンネルスキャンの開始通知を受けたときに、図６５で示されるフローチャートの処理を開始する。
【０６２１】
第１制御部８１５は、第１記憶部８１４の第１スキャン用第１チャンネルリスト格納部８１４Ｂに格納されている第１スキャン用第１チャンネルリスト及び第１スキャン用第２チャンネルリスト格納部８１４Ｂに格納されている第１スキャン用第２チャンネルリストをクリア（初期化）する（ステップＳ４２０）。例えば、第１制御部８１５は、第１スキャン用チャンネルリストに格納されている物理チャンネルのチャンネル番号を全て消去する。
【０６２２】
次に、第１制御部８１５は、第１記憶部８１４の第１チャンネルスキャン実施済みリスト格納部８１４Ｃに格納されている第１チャンネルスキャン実施済みリストをクリアする（ステップＳ４２１）。例えば、第１制御部８１５は、第１チャンネルスキャン実施済みリストに格納されている物理チャンネルのチャンネル番号を全て消去する。
【０６２３】
次に、第１制御部８１５は、第１フェーズのＤＶＢ−Ｔ２のチャンネルスキャンを実行する（ステップＳ４２２）。このサブルーチンでは、第１制御部８１５は、ＤＶＢ−Ｔ２に割り当てられている周波数帯、ＤＶＢ−Ｔに割り当てられている周波数帯、ＤＶＢ−Ｈに割り当てられている周波数帯、及びＤＭＢ−Ｔに割り当てられている周波数帯の全範囲に含まれている物理チャンネルについて、最小のチャンネル番号「１３」から昇順にチャンネルスキャンを行う。なお、ＤＶＢ−Ｔ２、ＤＶＢ−Ｔ、ＤＶＢ−Ｈ、ＤＭＢ−Ｔの周波数帯は国によって異なるため、「１３」は説明上の仮の番号である。そして、第１フェーズのＤＶＢ−Ｔ２のチャンネルスキャンは、次のチャンネルスキャンとして選択された物理チャンネルが、既に第２制御部８２５によりチャンネルスキャン済みであったときに終了する。
【０６２４】
次に、第１制御部８１５は、第２フェーズのＤＶＢ−Ｔ２のチャンネルスキャンを実行する（ステップＳ４２３）。ここでは、第１制御部８１５は、第２制御部８２５から取得した第２スキャン用第１チャンネルリストにチャンネル番号が登録されている物理チャンネルについてチャンネルスキャンを行う。
【０６２５】
そして、第１制御部８１５は、第２フェーズのＤＶＢ−Ｔ２のチャンネルスキャンが完了した場合には、ＵＩＦ処理部８５５にＤＶＢ−Ｔ２のチャンネルスキャンの完了を通知する（ステップＳ４２４）。
【０６２６】
次に、第１制御部８１５は、ＵＩＦ処理部８５５からの指示を受けると、第３フェーズのＤＶＢ−Ｈのチャンネルスキャンを実行する（ステップＳ４２５）。ここでは、第１制御部８１５は、第２スキャン用第２チャンネルリストにチャンネル番号が登録されている物理チャンネルについてチャンネルスキャンを行う。なお、同時に、第２制御部８２５も、第３フェーズのＤＶＢ−Ｈのチャンネルスキャンを分担して実行する。
【０６２７】
そして、第１制御部８１５は、第３フェーズのＤＶＢ−Ｈのチャンネルスキャンが完了した場合には、ＵＩＦ処理部８５５にＤＶＢ−Ｈのチャンネルスキャンの完了を通知する（ステップＳ５２７）。
【０６２８】
次に、第１制御部８１５は、ＵＩＦ処理部８５５からの指示を受けると、第４フェーズのＤＭＢ−Ｔのチャンネルスキャンを実行する（ステップＳ４２６）。ここでは、第１制御部８１５は、第２制御部８２５から取得した第４スキャン用チャンネルリストにチャンネル番号が登録されている物理チャンネルについてチャンネルスキャンを行う。
【０６２９】
そして、第１制御部８１５は、第４フェーズのＤＭＢ−Ｔのチャンネルスキャンが完了した場合には、ＵＩＦ処理部８５５にＤＭＢ−Ｔのチャンネルスキャンの完了を通知する（ステップＳ４２７）。
【０６３０】
図６６は、第２制御部８２５によるチャンネルスキャン処理を示すフローチャートである。例えば、第２制御部８２５は、ＵＩＦ処理部８５５からチャンネルスキャンの開始通知を受けたときに、図６６で示されるフローチャートの処理を開始する。
【０６３１】
第２制御部８２５は、第２記憶部８２４の第２スキャン用第１チャンネルリスト格納部８２４Ｂに格納されている第２スキャン用第１チャンネルリスト及び第２スキャン用第２チャンネルリスト格納部８２４Ｂに格納されている第２スキャン用第２チャンネルリストをクリア（初期化）する（ステップＳ４２０）。例えば、第２制御部８２５は、第１スキャン用チャンネルリストに格納されている物理チャンネルのチャンネル番号を全て消去する。
【０６３２】
次に、第２制御部８２５は、第２記憶部８２４の第２チャンネルスキャン実施済みリスト格納部８２４Ｃに格納されている第２チャンネルスキャン実施済みリストをクリアする（ステップＳ４３１）。例えば、第２制御部８２５は、第２チャンネルスキャン実施済みリストに格納されている物理チャンネルのチャンネル番号を全て消去する。
【０６３３】
次に、第２制御部８２５は、第２フェーズのＤＶＢ−Ｔ２のチャンネルスキャンを実行する（ステップＳ４３２）。このサブルーチンでは、第２制御部８２５は、ＤＶＢ−Ｔ２に割り当てられている周波数帯、ＤＶＢ−Ｔに割り当てられている周波数帯、ＤＶＢ−Ｈに割り当てられている周波数帯、及びＤＭＢ−Ｔに割り当てられている周波数帯の全範囲に含まれている物理チャンネルについて、最小のチャンネル番号「６４」から降順にチャンネルスキャンを行う。なお、ＤＶＢ−Ｔ２、ＤＶＢ−Ｔ、ＤＶＢ−Ｈ、ＤＭＢ−Ｔの周波数帯は国によって異なるため、「６４」は説明上の仮の番号である。そして、第２フェーズのＤＶＢ−Ｔ２のチャンネルスキャンは、次のチャンネルスキャンとして選択された物理チャンネルが、既に第１制御部８１５によりチャンネルスキャン済みであったときに終了する。
【０６３４】
次に、第２制御部８２５は、第２フェーズのＤＶＢ−Ｔ２のチャンネルスキャンを実行する（ステップＳ４３３）。ここでは、第２制御部８２５は、第１制御部８１５から取得した第１スキャン用第１チャンネルリストにチャンネル番号が登録されている物理チャンネルについてチャンネルスキャンを行う。
【０６３５】
そして、第２制御部８２５は、第２フェーズのＤＶＢ−Ｔ２のチャンネルスキャンが完了した場合には、ＵＩＦ処理部８５５にＤＶＢ−Ｔ２のチャンネルスキャンの完了を通知する（ステップＳ４３４）。
【０６３６】
次に、第２制御部８２５は、ＵＩＦ処理部８５５からの指示を受けると、第３フェーズのＤＶＢ−Ｈのチャンネルスキャンを実行する（ステップＳ４３５）。ここでは、第２制御部８２５は、第１スキャン用第２チャンネルリストにチャンネル番号が登録されている物理チャンネルについてチャンネルスキャンを行う。なお同時に第１制御部８１５も第３フェーズのＤＶＢ−Ｈのチャンネルスキャンを分担して実行する。
【０６３７】
そして、第２制御部８２５は、第３フェーズのＤＶＢ−Ｈのチャンネルスキャンが完了した場合には、ＵＩＦ処理部８５５にＤＶＢ−Ｈのチャンネルスキャンの完了を通知する（ステップＳ５３７）。
【０６３８】
次に、第２制御部８２５は、ＵＩＦ処理部８５５からの指示を受けると、第４フェーズのＤＭＢ−Ｔのチャンネルスキャンを実行する（ステップＳ４３６）。ここでは、第２制御部８２５は、第１制御部８１５から取得した第３スキャン用チャンネルリストにチャンネル番号が登録されている物理チャンネルについてチャンネルスキャンを行う。
【０６３９】
そして、第２制御部８２５は、第４フェーズのＤＭＢ−Ｔのチャンネルスキャンが完了した場合には、ＵＩＦ処理部８５５にＤＭＢ−Ｔのチャンネルスキャンの完了を通知する（ステップＳ４３７）。
【０６４０】
図６７は、デジタル放送受信装置８００で行われるチャンネルスキャンを説明するための概略図である。図６７における第１フェーズと第２フェーズにおける動作は、実施の形態８における図６３における動作と、同一である。
【０６４１】
第３フェーズのＤＶＢ−Ｈのチャンネルスキャンでは、互いに他方の第２フェーズのチャンネルスキャンで、電波の受信レベルが予め定められた閾値よりも大きいが、この電波から生成された電気信号を復調できなかったチャンネルのみのチャンネルスキャンが行われている。言い換えると、第３フェーズの第１制御部８１５によるＤＶＢ−Ｈのチャンネルスキャンでは、第２フェーズのＤＶＢ−Ｔのチャンネルスキャンで、電波の受信レベルは第２閾値、第３閾値、第４閾値の最小値よりも大きいが、この電波による電気信号を復調できなかった１４チャンネルと２１チャンネルのみがチャンネルスキャンされる。そして、この１４チャンネルがＤＶＢ−Ｈの放送波を送信している場合には、第１復調部８１１で復調を行うことができ、第１制御部８１５は、選局情報を抽出しサービスを検出し、第３サービスリストに登録する。
同様に、第３フェーズの第２制御部８１５によるＤＶＢ−Ｈのチャンネルスキャンでは、第２フェーズのＤＶＢ−Ｔ２のチャンネルスキャンで、電波の受信レベルは第１閾値、第３閾値、第４閾値の最小値よりも大きいが、この電波による電気信号を復調できずサービス検出できなかった４０チャンネルと６２チャンネルのみがチャンネルスキャンされる。そして、この６２チャンネルがＤＶＢ−Ｈの放送波を送信している場合には、第２復調部８２１で復調を行うことができ、第２制御部８２５は、選局情報を抽出しサービス検出し、第４サービスリストに登録する。
このように、第３フェーズの各々のチャンネルスキャンの特徴は、他方の放送方式の第２フェーズのチャンネルスキャンで検出された、電波の受信レベルは所定の閾値よりも大きいが、この電波による電気信号を復調できなかったチャンネルのみに対してチャンネルスキャンを行うことにある。
【０６４２】
次に、第４フェーズの第１制御部８１５によるＤＭＢ−Ｔのチャンネルスキャン及び第４フェーズの第２制御部８２５によるＤＭＢ−Ｔのチャンネルスキャンでは、互いに他方の第３フェーズのチャンネルスキャンで、電波の受信レベルが予め定められた閾値よりも大きいが、この電波から生成された電気信号を復調できなかったチャンネルのみのチャンネルスキャンが行われている。言い換えると、第４フェーズの第１制御部８１５によるＤＭＢ−Ｔのチャンネルスキャンでは、第３フェーズの第２制御部８２５のＤＶＢ−Ｈのチャンネルスキャンで、電波の受信レベルは第３閾値、第４閾値の最小値よりも大きいが、この電波による電気信号を復調できなかった４０チャンネルのみがチャンネルスキャンされる。そして、この４０チャンネルがＤＭＢ−Ｔの放送波を送信している場合には、第１復調部８１１で復調を行うことができ、第１制御部８１５は、選局情報を抽出しサービスを検出し、第３サービスリストに登録する。
同様に、第４フェーズの第２制御部８２５によるＤＭＢ−Ｔのチャンネルスキャンでは、第３フェーズの第１制御部８１５によるＤＶＢ−Ｈのチャンネルスキャンで、電波の受信レベルは第３閾値、第４閾値の最小値よりも大きいが、この電波による電気信号を復調できずサービス検出できなかった２１チャンネルのみがチャンネルスキャンされる。そして、この２１チャンネルがＤＭＢ−Ｔの放送波を送信している場合には、第２復調部８２１で復調を行うことができ、第２制御部８２５は、選局情報を抽出しサービス検出し、第４サービスリストに登録する。
このように、第４フェーズの各々のチャンネルスキャンの特徴は、他方の放送方式の第３フェーズのチャンネルスキャンで検出された、電波の受信レベルは所定の閾値よりも大きいが、この電波による電気信号を復調できなかったチャンネルのみに対してチャンネルスキャンを行うことにある。
【０６４３】
上記のように、実施の形態９に係るデジタル放送受信装置８００は、互いに異なる複数の放送方式に対応したチューナ部、復調部及びデマルチプレクス部をそれぞれ備え、チャンネルスキャンを行う際に、各々の放送方式のチャンネルスキャンを並行して実行するようにしたので、チャンネルスキャンに要する時間を短縮できる。
【０６４４】
また、実施の形態９に係るデジタル放送受信装置８００における第１制御部８１５及び第２制御部８２５は、第１フェーズのチャンネルスキャンで、ＤＶＢ−Ｔ２が使用する周波数帯、ＤＶＢ−Ｔが使用する周波数帯、ＤＶＢ−Ｈが使用する周波数帯及びＤＭＢ−Ｔが使用する周波数帯の全てに含まれている物理チャンネルを、２つの受信系統で分担してチャンネルスキャンを実行し、この過程で、電波の受信レベルは予め定められた閾値よりも大きいが、この電波による電気信号を復調できずサービス検出できなかった物理チャンネルのチャンネル番号を記録する。ＤＶＢ−Ｔ２が使用する周波数帯だけをチャンネルスキャンするよりも、ＤＶＢ−Ｔ２のチャンネルスキャンの対象チャンネル数は増えるが、選局していないチャンネルがなくなるため、後半のＤＶＢ−Ｔ２及びＤＶＢ−Ｔ及びＤＶＢ−ＨとＤＭＢ−Ｔのチャンネルスキャンにおいて、未選局の周波数帯をチャンネルスキャンするフェーズがなくなり、チャンネルスキャンの手順を簡単にできる。
【０６４５】
また、実施の形態９に係るデジタル放送受信装置８００における第１制御部８１５及び第２制御部８２５は、第１フェーズのチャンネルスキャンで、２つの受信系統で分担して全帯域のチャンネルスキャンを実行するようにし、第２〜第４フェーズは受信電力が所定の閾値よりも大きな受信できる可能性の高いチャンネルのみにスキャン対象を絞り込むため、４放送方式毎に全帯域をスキャンする方式や４放送方式毎に全帯域を２系統で分担してスキャンする方式に比べてチャンネルスキャン時間の短縮効果がある。
【０６４６】
また、実施の形態９に係るデジタル放送受信装置８００では、第１閾値、第２閾値、第３閾値及び第４閾値を各々の放送方式のサービスが受信できる最低の受信レベルとしたので、選局ができない可能性の高い受信レベルの物理チャンネルを、第２フェーズ、第３フェーズ及び第４フェーズのチャンネルスキャンの候補から除外でき、第２フェーズ、第３フェーズ及び第４フェーズの各々のチャンネルスキャンにかかる時間を短縮することができる。
【０６４７】
また、実施の形態９に係るデジタル放送受信装置８００では放送方式４個に対してのチャンネルスキャンの例を示したが、第１制御部８１５及び第２制御部８２５では第３フェーズ以降、１つの放送方式に対して２系統で分担してスキャンを行うようにしたので、放送方式が２つ以上の奇数個の放送方式にも容易に対応できる。実施の形態９に係るデジタル放送受信装置８００は、スキャン対象の放送方式が奇数個の場合に特に効率がよく、実施の形態８の場合よりも、時間短縮できる。
【０６４８】
また、実施の形態９では第２フェーズ以降の各フェーズ完了時には、１つの放送方式のチャンネルスキャンが完了するので、各フェーズでスキャンが完了した放送方式から順にサービスリストに追加表示することができる。
【符号の説明】
【０６４９】
１００，２００，３００，４００，５００，６００，７００：デジタル放送受信装置、  １１０：第１チューナ部、  １１１：第１復調部、  １１２：第１デマルチプレクス部、  １１３：第１デコード部、  １１４，３１４，５１４，６１４，７１４：第１記憶部、  １１４Ａ：第１サービスリスト格納部、  １１４Ｂ，５１４Ｂ，６１４Ｂ：第１スキャン用チャンネルリスト格納部、  ７１４Ｂ：第１スキャン用第１チャンネル格納部、  １１４Ｃ：第１チャンネルスキャン実施済みリスト格納部、  ３１４Ｄ：第３スキャン用チャンネルリスト格納部、  ７１４Ｄ：第１スキャン用第２チャンネルリスト格納部、  ３１４Ｅ：第３チャンネルスキャン実施済みリスト格納部、  １１５，３１５，４１５，５１５，６１５，７１５：第１制御部、  １２０：第２チューナ部、  １２１：第２復調部、  １２２：第２デマルチプレクス部、  １２３：第２デコード部、  １２４，３２４，５２４，６２４，７２４：第２記憶部、  １２４Ａ：第２サービスリスト格納部、  １２４Ｂ，５２４Ｂ，６２４Ｂ：第２スキャン用チャンネルリスト格納部、  ７２４Ｂ：第２スキャン用第１チャンネルリスト格納部、  １２４Ｃ：第２チャンネルスキャン実施済みリスト格納部、  ３２４Ｄ：第４スキャン用チャンネルリスト格納部、  ７２４Ｄ：第２スキャン用第２チャンネルリスト格納部、  ３２４Ｅ：第４チャンネルスキャン実施済みリスト格納部、  １２５，３２５，４２５，５２５，６２５，７２５：第２制御部、  １３０：映像切替部、  １３１，６３１，７３１：映像合成部、  １３２：音声切替部、  １３３：入力部、  １３４，２３４，３３４，６３４，７３４：ユーザインタフェース処理部、  ６３５，７３５：第３記憶部、  ６３５Ａ：第３サービスリスト格納部、  ６３５Ｂ：第３スキャン用第１チャンネルリスト格納部、  ６３５Ｃ：第３スキャン用第２チャンネルリスト格納部、  １５０：第１アンテナ、  １５１：第２アンテナ、  １５２：表示部、  １５３：音声出力部、  ３５４：第３アンテナ、  ３５５：第４アンテナ、  ３６０：第３チューナ部、  ３６１：第３復調部、  ３６２：第３デマルチプレクス部、  ３６３，４６３：第３制御部、  ３７０：第４チューナ部、  ３７１：第４復調部、  ３７２：第４デマルチプレクス部、  ３７３，４７３：第４制御部、  ８００：デジタル放送受信装置、  ８１０：第１チューナ部、  ８１１：第１復調部、  ８１２：第１デマルチプレクス部、  ８１３：第１デコード部、  ８１４：第１記憶部、  ８１４Ａ：第１サービスリスト格納部、  ８１４Ｂ：第１スキャン用第１チャンネルリスト格納部、  ８１４Ｃ：第１チャンネルスキャン実施済みリスト格納部、  ８１４Ｄ：第１スキャン用第２チャンネルリスト格納部、  ８１５：第１制御部、  ８２０：第２チューナ部、  ８２１：第２復調部、  ８２２：第２デマルチプレクス部、  ８２３：第２デコード部、  ８２４：第２記憶部、  ８２４Ａ：第２サービスリスト格納部、  ８２４Ｂ：第２スキャン用第１チャンネルリスト格納部、  ８２４Ｃ：第２チャンネルスキャン実施済みリスト格納部、  ８２４Ｄ：第２スキャン用第２チャンネルリスト格納部、  ８２５：第２制御部、  ８３０：映像切替部、  ８３１：映像合成部、  ８３２：音���切替部、  ８３４：第３記憶部、  ８３４Ａ：第３サービスリスト格納部、  ８３４Ｂ：第３スキャン用チャンネルリスト格納部、  ８３４Ｃ：第３チャンネルスキャン実施済みリスト格納部、  ８４４：第４記憶部、  ８４４Ａ：第４サービスリスト格納部、  ８４４Ｂ：第４スキャン用チャンネルリスト格納部、  ８４４Ｃ：第４チャンネルスキャン実施済みリスト格納部、  ８５０：第１アンテナ、  ８５１：第２アンテナ、  ８５２：表示部、  ８５３：音声出力部、  ８５４：入力部、  ８５５：ＵＩＦ処理部
【図１】
2012056926.tif 000003
【図２】
2012056926.tif 000004
【図３】
2012056926.tif 000005
【図４】
2012056926.tif 000006
【図５】
2012056926.tif 000007
【図６】
2012056926.tif 000008
【図７】
2012056926.tif 000009
【図８】
2012056926.tif 000010
【図９】
2012056926.tif 000011
【図１０】
2012056926.tif 000012
【図１１】
2012056926.tif 000013
【図１２】
2012056926.tif 000014
【図１３】
2012056926.tif 000015
【図１４】
2012056926.tif 000016
【図１５】
2012056926.tif 000017
【図１６】
2012056926.tif 000018
【図１７】
2012056926.tif 000019
【図１８】
2012056926.tif 000020
【図１９】
2012056926.tif 000021
【図２０】
2012056926.tif 000022
【図２１】
2012056926.tif 000023
【図２２】
2012056926.tif 000024
【図２３】
2012056926.tif 000025
【図２４】
2012056926.tif 000026
【図２５】
2012056926.tif 000027
【図２６】
2012056926.tif 000028
【図２７】
2012056926.tif 000029
【図２８】
2012056926.tif 000030
【図２９】
2012056926.tif 000031
【図３０】
2012056926.tif 000032
【図３１】
2012056926.tif 000033
【図３２】
2012056926.tif 000034
【図３３】
2012056926.tif 000035
【図３４】
2012056926.tif 000036
【図３５】
2012056926.tif 000037
【図３６】
2012056926.tif 000038
【図３７】
2012056926.tif 000039
【図３８】
2012056926.tif 000040
【図３９】
2012056926.tif 000041
【図４０】
2012056926.tif 000042
【図４１】
2012056926.tif 000043
【図４２】
2012056926.tif 000044
【図４３】
2012056926.tif 000045
【図４４】
2012056926.tif 000046
【図４５】
2012056926.tif 000047
【図４６】
2012056926.tif 000048
【図４７】
2012056926.tif 000049
【図４８】
2012056926.tif 000050
【図４９】
2012056926.tif 000051
【図５０】
2012056926.tif 000052
【図５１】
2012056926.tif 000053
【図５２】
2012056926.tif 000054
【図５３】
2012056926.tif 000055
【図５４】
2012056926.tif 000056
【図５５】
2012056926.tif 000057
【図５６】
2012056926.tif 000058
【図５７】
2012056926.tif 000059
【図５８】
2012056926.tif 000060
【図５９】
2012056926.tif 000061
【図６０】
2012056926.tif 000062
【図６１】
2012056926.tif 000063
【図６２】
2012056926.tif 000064
【図６３】
2012056926.tif 000065
【図６４】
2012056926.tif 000066
【図６５】
2012056926.tif 000067
【図６６】
2012056926.tif 000068
【図６７】
2012056926.tif 000069
【国際調査報告】
2012056926.tif 000070
2012056926.tif 000071